(57)【要約】【課題】腕の自由がきかない患者の着衣及び脱衣の負担や介護負担を軽減させることができ、かつ、着用の快適性を向上できること。【解決手段】左前布１０Ｌが左前袖ＦＬ及び上前身頃ＵＦを一体に裁断してなり、右前布１０Ｒが右前袖ＦＲ及び下前身頃ＤＦを一体に裁断してなり、背布１０が左後袖ＢＬ及び右後袖ＢＲと後身頃Ｂとを一体に裁断してなり、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成され、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成され、袖口６５側から身頃側へ向かって袖の筒径が拡径している。【選択図】図２
2019002085.tif 000002
【特許請求の範囲】
【請求項１】
左前袖及び上前身頃が一体に裁断されてなる左前布と、
前記左前布と対称的に配置され、右前袖及び下前身頃が一体に裁断されてなる右前布と、
前記左前布及び前記右前布の反対側に配置され、対照的な配置の左後袖及び右後袖と後身頃とが一体に裁断されてなる背布と、
前記左前布の上辺及び前記右前布の上辺と前記背布の上辺とを縫製して、左右の袖山及び肩山を形成する縫製部と、
前記左前布の前記左前袖の袖下及びそれに連続する前記上前身頃の脇線と、前記背布の前記左後袖の袖下及びそれに連続する前記後身頃の脇線とを接続具で接続自在とした左接続部、並びに、前記右前布の前記右前袖の袖下及びそれに連続する前記下前身頃の脇線と、前記背布の前記右後袖の袖下及びそれに連続する前記左接続部とは反対側の前記後身頃の脇線とを接続具で接続自在とした右接続部からなる脇接続部と
を具備し、
前記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状に接続する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状に接続する右袖の筒径が袖口側から前記下前身頃及び前記後身頃側へ向かって拡径していることを特徴とする介護用着衣。
【請求項２】
左前袖及び上前身頃が一体に裁断されてなる左前布と、
前記左前布と対称的に配置され、右前袖及び下前身頃が一体に裁断されてなる右前布と、
前記左前布及び前記右前布の反対側に配置され、対照的な配置の左後袖及び右後袖と後身頃とが一体に裁断されてなる背布と、
前記左前布の前記左前袖の袖下及びそれに連続する前記上前身頃の脇線と、前記背布の前記左後袖の袖下及びそれに連続する前記後身頃の脇線とを接続具で接続自在とした左接続部、並びに、前記右前布の前記右前袖の袖下及びそれに連続する前記下前身頃の脇線と、前記背布の前記右後袖の袖下及びそれに連続する前記左接続部とは反対側の前記後身頃の脇線とを接続具で接続自在とした右接続部からなる脇接続部と
を具備し、
前記左前布、前記右前布及び前記背布は一体に裁断されてなり、
前記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状に接続する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状に接続する右袖の筒径が袖口側から前記下前身頃及び前記後身頃側へ向かって拡径していることを特徴とする介護用着衣。
【請求項３】
左前袖及び上前身頃が一体に裁断されてなる左前布と、
前記左前布と対称的に配置され、右前袖及び下前身頃が一体に裁断されてなる右前布と、
前記左前布及び前記右前布の反対側に配置され、対照的な配置の左後袖及び右後袖と後身頃とが一体に裁断されてなる背布と、
前記左前布の前記左前袖の袖下及びそれに連続する前記上前身頃の脇線と、前記背布の前記左後袖の袖下及びそれに連続する後身頃の脇線とを接続する左接続部、並びに、前記右前布の前記右前袖の袖下及びそれに連続する前記下前身頃の脇線と、前記背布の前記右後袖の袖下及びそれに連続する前記左接続部とは反対側の前記後身頃の脇線とを接続する右接続部からなり、前記左接続部及び前記右接続部の一方が、縫製によって接続され、他方が接続具で接続自在とされた脇接続部と
を具備し、
前記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状に接続する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状に接続する右袖の筒径が袖口側から前記下前身頃及び前記後身頃側へ向かって拡径していることを特徴とする介護用着衣。
【請求項４】
前記後身頃には、前記上前身頃及び前記下前身頃とは反対側で前記左袖及び前記右袖、及び／または、前記後身頃及び前記上前身頃及び前記下前身頃を収納する収納部を配設したことを特徴とする請求項１乃至請求項３の何れか１つに記載の介護用着衣。
【請求項５】
前記後身頃には、着衣する人の背面側にあてがう吸水・防水シートを着脱自在に取付けるための取付手段が設けられていることを特徴とする請求項１乃至請求項４の何れか１つに記載の介護用着衣。
【請求項６】
前記後身頃の前記上前身頃及び前記下前身頃側には、着衣する人の背面側にあてがう吸水・防水シートを前記後身頃に設けた取付手段によって取付自在としたこと特徴とする請求項１乃至請求項４の何れか１つに記載の介護用着衣。
【請求項７】
前記後身頃には、着衣する人の前側を覆う伸縮性の被覆布を着脱自在に取付けるための取付手段が設けられていることを特徴とする請求項１乃至請求項６の何れか１つに記載の介護用着衣。
【発明の詳細な説明】
【技術分野】
【０００１】
本発明は、寝たきりの患者、老人、身体障害者等の被介護者の着衣に関するもので、特に、腕の自由がきかない患者の着衣及び脱衣の負担や介護負担を軽減させることができ、かつ、着用の快適性を向上できる介護用着衣に関するものである。なお、この介護用着衣は、健康体の人が着衣として選択し、着用することができる。
【背景技術】
【０００２】
腕の自由がきかない患者に対しての介護負担を軽減できる介護用着衣としては、本発明者らが先に特許を取得した特許文献１がある。特許文献１の介護用着衣によれば、後身頃の上の被介護者の上に下前身頃を被せ、次いで、上前身頃を被せ、更に、左袖の左袖接続部の袖下を接続具で接続し、また、右袖の右袖接続部の袖下を接続具で接続する。そして、下前身頃と後身頃の前記袖付部分までの脇縫部分である下前身頃接続部を接続具で接続し、上前身頃と後身頃の前記袖付部分までの脇縫部分である上前身頃接続部を接続具で接続する。よって、被介護者が十の字に寝ころべば、自然体で着衣を着せることができ、喩え、カテーテル等の医療用チューブが何本か身体に入っていても、この介護用着衣を着るのに接続具間の間隔が広く、支障になるものがない。また、着衣を脱ぐ場合でも、上前身頃の下方から折り畳み、次に、下前身頃の下方から折り畳み、上前身頃を左袖上まで折り畳み、また、下前身頃を右袖上まで折り畳み、被介護者の体を若干浮き上げ着衣を抜き取ることで、大きな力を出さなくても、被介護者下から着衣を脱がせることができる。
【先行技術文献】
【特許文献】
【０００３】
【特許文献１】特許５９７３０４３号公報
【発明の概要】
【発明が解決しようとする課題】
【０００４】
ところで、寝たきりの患者、老人、身体障害者等の被介護者の着衣としては、従来、着脱の容易さ等から、身体の膝より下位まで丈がある浴衣のような長着が使用されており、特許文献１においても介護用寝巻として長着を開示している。しかし、従来の長着においては、所謂、反物から長着を製作する和裁の手法での裁断、仕立てが一般的で、和装の基本的構造を取り入れ、右袖、左袖、右身頃、左身頃、襟等の各部位毎に矩形状に裁断され、それら裁断された布地をそれぞれ縫製することによってつくられる。したがって、長着の内側には、その背後側に右身頃と左身頃が縫製によって繋がれた縫目（背縫い）や右身頃と左身頃の生地の重なり部位（縫代）が存在し、また、右袖と右身頃の縫製及び左袖と左身頃の縫製による縫目や生地の重なり部位も存在する。
【０００５】
このため、老人等の肌が弱く敏感な者では、それら長着の縫目、重なり部位が肌に当たることで違和感が生じたり、縫目、重なり部位と擦れることで、肌のかぶれや床擦れ等の異常を生じたりすることがある。特に、同じ体勢で長時間寝たきりの状態にある患者では床擦れ（褥瘡）が生じやすく、この床擦れは身体において体圧がかかりやすい背中側の肩、臀部・腰で発生しやすくなっている。
【０００６】
即ち、従来の和装の裁断、仕立ての長着では、その背後側で右身頃と左身頃の縫製によって、上下方向に長く延びる背中心の縫目、重なり部位が存在し、更に、右袖と右身頃の縫製及び左袖と左身頃の縫製による縫目、重なり部位が存在することで、身体の背中側においてそれら縫目、重なり部位が皮膚に当たって引掛りや摩擦を生じさせたり、皮膚を圧迫したりして、皮膚を損傷し、床擦れを誘発する可能性があった。殊に、丈が長い長着であると、右身頃と左身頃の縫製による背中心の縫目、重なり部位が上下方向に長く延びるから、背中心の縫代が撚れやく、また、背中心の縫目によって生地に皺が生じたりしやく、それら撚れや皺が床擦れの要因になりやすかった。
【０００７】
更に、寝たきりの状態にある患者では、布団やベッドの上で長時間の仰向きによる姿勢により背中側に発汗による湿気がこもり易く、また、失禁、尿漏れ等によっても臀部・腰に湿気が上昇しやすい。そして、この湿気も床擦れを悪化させる原因となっている。
【０００８】
そこで、本発明は、腕の自由がきかない患者の着衣及び脱衣の負担や介護負担を軽減させることができ、かつ、着用の快適性を向上できる介護用着衣の提供を課題とするものである。
【課題を解決するための手段】
【０００９】
請求項１の発明の介護用着衣は、左前袖及び上前身頃が一体に裁断されてなる左前布、並びに、右前袖及び下前身頃が一体に裁断されてなる右前布と、左後袖及び右後袖と後身頃とが一体に裁断されてなる背布とが袖山及び肩山を形成する縫製部で縫製され、前記左前布の左前袖の袖下及びそれに連続する上前身頃の脇線と、前記背布の左後袖の袖下及びそれに連続する後身頃の左の脇線とが左接続部の接続具によって接続自在とされ、また、前記右前布の右前袖の袖下及びそれに連続する下前身頃の脇線と、前記背布の右後袖の袖下及びそれに連続する後身頃の右の脇線とが右接続部の接続具で接続自在とされており、そして、前記左接続部及び前記右接続部からなる脇接続部において、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００１０】
ここで、上記左前袖及び上前身頃が一体に裁断されてなる左前布、右前袖及び下前身頃が一体に裁断されてなる右前布は、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖と上前身頃が別々に裁断されてなり、右袖と下前身頃も別々に裁断されてなり、上前身頃の袖付き部分に左袖が縫製されることでそれらの境界が縫目で明確に区別され、また、下前身頃の袖付き部分にも右袖が縫製されることでそれらの境界が縫目で明確に区別されている。これに対し、上記左前布は、左前袖及び上前身頃の区別なく一体に裁断されて形成されたものである。また、上記右前布は、前記左前布と対称的に配置され、右前袖及び下前身頃の区別なく一体に裁断されて形成されたものである。上記右前布と左前布の関係は、一般的に和装の前合わせが右前であり、着衣したときに最も前側にでる上前身頃が着衣した人から見て左側の身頃に相当するから、上前身頃及び左袖によって左前布が構成され、下前身頃及び右袖によって右前布が構成されている。両者は対称的な位置関係であるが線対照であることまでを要求するものではない。なお、ここでいう左右は、着衣した人を基準として（着衣した人からみて）左右を表現したものである。
【００１１】
上記左後袖及び右後袖と後身頃とが一体に裁断されてなり前記左前布及び前記右前布の後側に位置する背布も、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖、右袖、後身頃がそれぞれ別々に裁断されてなり、しかも、身頃も別々に裁断された左右の身頃が縫製によって接ぎ合わされてなり、左側の後身頃の袖付き部分に左袖が縫製されることでそれらの境界が縫目で明確に区別でき、また、右側の後身頃の袖付き部分に右袖が縫製されることでそれらの境界が縫目で明確に区別できる。これに対し、上記背布は、左後袖及び右後袖と後身頃との区別なく一体に裁断されて形成されたものである。
【００１２】
上記縫製部は、前記左前布の上辺と前記背布の上辺の左側を縫製して左の袖山及び肩山を形成し、前記右前布の上辺と前記背布の上辺の右側を縫製して右の袖山及び肩山を形成したものである。一般的な和装の裁断、仕立てでは、袖山及び肩山が折目となって形成される部分であるの対し、上記縫製部は前記左前布及び前記右前布の上辺と前記背布の上辺とが縫製される部分を示すものである。
【００１３】
上記脇接続部は、各左右の袖下及びそれに連続する脇線を接続具で接続自在とした部分を示し、前記左前布と前記背布との袖下及びそれに連続する脇線で接続自在とした左接続部と、前記右前布と前記背布との袖下及びそれに連続する脇線で接続自在とした右接続部とから構成されるものである。
即ち、上記左接続部は、前記左前布の左前袖の袖下及びそれに連続する上前身頃の脇線と、前記背布の左後袖の袖下及びそれに連続する後身頃の脇線とが、縫製されることなく接続具で接続自在とした部分を示すものである。
また、上記右接続部は、前記右前布の右前袖の袖下及びそれに連続する下前身頃の脇線と、前記背布の右後袖の袖下及びそれに連続する前記左接続部側とは反対側の後身頃の脇線とが縫製されることなく接続具で接続自在とした部分を示すものである。
【００１４】
つまり、上記左前布、右前布及び背布は、各１単位枚であり、肩の上に位置する肩山及び袖の上に位置する袖山での縫製によって連続的に一体化しているも、左右の袖下及びそれに連続する脇線が縫製されることなく、接続具で接続自在とされている。
【００１５】
上記左接続部、右接続部の接続具は、例えば、スナップボタン、磁石ボタン、貝ボタン、樹脂ボタン、ナットボタン、木ボタン等の各種ボタン、紐、マジックテープ（登録商標）等の面ファスナからなる接着布等の何れか１以上による接続具とすることができる。特に、接続を使用する個所は、左右の袖下及びそれに連続する脇線側であり被介護者の体重が加わる箇所でないので違和感もない。
上記左接続部、右接続部による接続は、好ましくは、異種の接続具を組合わせたり、接続具で接続する双方にアルファベット、数字、文字、ワンポイントマーク、絵等の同一番号、記号、記号を付したり着色したりすると、ボタン、紐、接着布等の掛け違いを防止でき、複数の接続具を配置するものであっても狂うことがない。
【００１６】
そして、上記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００１７】
上記脇接続部のコーナは、着用する人の身体の脇下に位置する部分を示し、上記コーナのシルエットラインが曲線状とは、前記左前袖及び前記左後袖の袖下側から前記上前身頃及び前記後身頃の脇線側へと連続する曲がり、また、前記右前袖及び前記右後袖の袖下側から前記下前身頃及び前記後身頃の脇線側へと連続する曲がりが、直角に折曲がることなくＲ状にカーブしていることを意味する。
【００１８】
ここで、上記袖の筒幅が拡径とは、前記コーナのシルエットラインが曲線状であるから、前記左前袖及び前記左後袖の接続によって筒状に接続される左袖がその袖口側から前記上前身頃及び前記後身頃側に向かって径大であり、また、前記右前袖及び前記右後袖の接続によって筒状に接続される右袖がその袖口側から前記下前身頃及び前記後身頃側に向かって径大であり、実質的に腕が入れられるところの左袖及び右袖の筒径が、袖口側から身頃に向かって拡径していることを意味する。即ち、前記左前袖及び前記左後袖の袖山と袖下間の長さが袖口側から身頃側に向かって長くなっており、また、前記右前袖及び前記右後袖の袖山と袖下間の長さが袖口側から身頃側に向かって長くなっている。なお、前記コーナのシルエットラインが曲線状であるから、身幅からみても、裾側から袖側に向かって左右の脇線間の長さが長くなっている。
【００１９】
請求項２の発明の介護用着衣は、左前袖及び上前身頃が一体に裁断されてなる左前布と、右前袖及び下前身頃が一体に裁断されてなる右前布と、左後袖及び右後袖と後身頃とが一体に裁断されてなる背布と具備し、前記左前布、前記右前布及び前記背布が一体に裁断されてなり、前記左前布の左前袖の袖下及びそれに連続する上前身頃の脇線と、前記背布の左後袖の袖下及びそれに連続する後身頃の左の脇線とが左接続部の接続具によって接続自在とされ、また、前記右前布の右前袖の袖下及びそれに連続する下前身頃の脇線と、前記背布の右後袖の袖下及びそれに連続する後身頃の右の脇線とが右接続部の接続具で接続自在とされており、そして、前記左接続部及び前記右接続部からなる脇接続部において、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００２０】
上記左前袖及び上前身頃が一体に裁断されてなる左前布、右前袖及び下前身頃が一体に裁断されてなる右前布は、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖と上前身頃が別々に裁断されてなり、右袖と下前身頃も別々に裁断されてなり、上前身頃の袖付き部分に左袖が縫製されることでそれらの境界が縫目で明確に区別され、また、下前身頃の袖付き部分にも右袖が縫製されることでそれらの境界が縫目で明確に区別されている。これに対し、上記左前布は、左前袖及び上前身頃の区別なく一体に裁断されて形成されたものである。また、上記右前布は、前記左前布と対称的に配置され、右前袖及び下前身頃の区別なく一体に裁断されて形成されたものである。上記右前布と左前布の関係は、一般的に和装の前合わせが右前であり、着衣したときに最も前側にでる上前身頃が着衣した人から見て左側の身頃に相当するから、上前身頃及び左袖によって左前布が構成され、下前身頃及び右袖によって右前布が構成されている。両者は対称的な位置関係であるが線対照であることまでを要求するものではない。なお、ここでいう左右は、着衣した人を基準として（着衣した人からみて）左右を表現したものである。
【００２１】
上記左後袖及び右後袖と後身頃とが一体に裁断されてなり前記左前布及び前記右前布の後側に位置する背布も、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖、右袖、後身頃がそれぞれ別々に裁断されてなり、しかも、身頃も別々に裁断された左右の身頃が縫製によって接ぎ合わされてなり、左側の後身頃の袖付き部分に左袖が縫製されることでそれらの境界が縫目で明確に区別でき、また、右側の後身頃の袖付き部分に右袖が縫製されることでそれらの境界が縫目で明確に区別できる。これに対し、上記背布は、左後袖及び右後袖と後身頃との区別なく一体に裁断されて形成されたものである。
【００２２】
そして、上記左前布、前記右前布及び前記背布は一体に裁断されてなるとは、接ぎ目がなく１枚の布または２枚以上の必要枚数を重ね合わせた１単位の布で連続的に一体であり、単位枚となっていることを意味する。即ち、袖山及び肩山で縫製されることもなく、１枚の布または２枚以上の必要枚数を重ね合わせた１単位の布から前記左前布、前記右前布及び前記背布が一体に裁断されて形成されたものである。
【００２３】
上記脇接続部は、各左右の袖下及びそれに連続する脇線を接続具で接続自在とした部分を示し、前記左前布と前記背布との袖下及びそれに連続する脇線で接続自在とした左接続部と、前記右前布と前記背布との袖下及びそれに連続する脇線で接続自在とした右接続部とから構成されるものである。
即ち、上記左接続部は、前記左前布の左前袖の袖下及びそれに連続する上前身頃の脇線と、前記背布の左後袖の袖下及びそれに連続する後身頃の脇線とが、縫製されることなく接続具で接続自在とした部分を示すものである。
また、上記右接続部は、前記右前布の右前袖の袖下及びそれに連続する下前身頃の脇線と、前記背布の右後袖の袖下及びそれに連続する前記左接続部側とは反対側の後身頃の脇線とが縫製されることなく接続具で接続自在とした部分を示すものである。
【００２４】
つまり、上記左前布、右前布及び背布は、１単位枚であり、左右の袖下及びそれに連続する脇線が縫製されることなく、接続具で接続自在とされている。
【００２５】
上記左接続部、右接続部の接続具は、例えば、スナップボタン、磁石ボタン、貝ボタン、樹脂ボタン、ナットボタン、木ボタン等の各種ボタン、紐、マジックテープ（登録商標）等の面ファスナからなる接着布等の何れか１以上による接続具とすることができる。特に、接続を使用する個所は、左右の袖下及びそれに連続する脇線側であり被介護者の体重が加わる箇所でないので違和感もない。
上記左接続部、右接続部による接続は、好ましくは、異種の接続具を組合わせたり、接続具で接続する双方にアルファベット、数字、文字、ワンポイントマーク、絵等の同一番号、記号、記号を付したり着色したりすると、ボタン、紐、接着布等の掛け違いを防止でき、複数の接続具を配置するものであっても狂うことがない。
【００２６】
そして、上記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００２７】
上記脇接続部のコーナは、着用する人の身体の脇下に位置する部分を示し、上記コーナのシルエットラインが曲線状とは、前記左前袖及び前記左後袖の袖下側から前記上前身頃及び前記後身頃の脇線側へと連続する曲がり、また、前記右前袖及び前記右後袖の袖下側から前記下前身頃及び前記後身頃の脇線側へと連続する曲がりが、直角に折曲がることなくＲ状にカーブしていることを意味する。
【００２８】
ここで、上記袖の筒幅が拡径とは、前記コーナのシルエットラインが曲線状であるから、前記左前袖及び前記左後袖の接続によって筒状に接続される左袖がその袖口側から前記上前身頃及び前記後身頃側に向かって径大であり、また、前記右前袖及び前記右後袖の接続によって筒状に接続される右袖がその袖口側から前記下前身頃及び前記後身頃側に向かって径大であり、実質的に腕が入れられるところの左袖及び右袖の筒径が、袖口側から身頃に向かって拡径していることを意味する。即ち、前記左前袖及び前記左後袖の袖山と袖下間の長さが袖口側から身頃側に向かって長くなっており、また、前記右前袖及び前記右後袖の袖山と袖下間の長さが袖口側から身頃側に向かって長くなっている。なお、前記コーナのシルエットラインが曲線状であるから、身幅からみても、裾側から袖側に向かって左右の脇線間の長さが長くなっている。
【００２９】
請求項３の発明の介護用着衣は、左前袖及び上前身頃が一体に裁断されてなる左前布と、右前袖及び下前身頃が一体に裁断されてなる右前布と、左後袖及び右後袖と後身頃とが一体に裁断されてなる背布と具備し、前記左前布の左前袖の袖下及びそれに連続する上前身頃の脇線と、前記背布の左後袖の袖下及びそれに連続する後身頃の左の脇線とを接続する左接続部、並びに、前記右前布の右前袖の袖下及びそれに連続する下前身頃の脇線と、前記背布の右後袖の袖下及びそれに連続する後身頃の右の脇線とを接続する右接続部の何れか一方が、接続具で接続自在とされ、前記右接続部と前記左接続部の他方が縫製によって接続されており、そして、前記左接続部及び前記右接続部からなる脇接続部において、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００３０】
上記左前袖及び上前身頃が一体に裁断されてなる左前布、右前袖及び下前身頃が一体に裁断されてなる右前布は、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖と上前身頃が別々に裁断されてなり、右袖と下前身頃も別々に裁断されてなり、上前身頃の袖付き部分に左袖が縫製されることでそれらの境界が縫目で明確に区別され、また、下前身頃の袖付き部分にも右袖が縫製されることでそれらの境界が縫目で明確に区別されている。これに対し、上記左前布は、左前袖及び上前身頃の区別なく一体に裁断されて形成されたものである。また、上記右前布は、前記左前布と対称的に配置され、右前袖及び下前身頃の区別なく一体に裁断されて形成されたものである。上記右前布と左前布の関係は、一般的に和装の前合わせが右前であり、着衣したときに最も前側にでる上前身頃が着衣した人から見て左側の身頃に相当するから、上前身頃及び左袖によって左前布が構成され、下前身頃及び右袖によって右前布が構成されている。両者は対称的な位置関係であるが線対照であることまでを要求するものではない。なお、ここでいう左右は、着衣した人を基準として（着衣した人からみて）左右を表現したものである。
【００３１】
上記左後袖及び右後袖と後身頃とが一体に裁断されてなり前記左前布及び前記右前布の後側に位置する背布も、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖、右袖、後身頃がそれぞれ別々に裁断されてなり、しかも、身頃も別々に裁断された左右の身頃が縫製によって接ぎ合わされてなり、左側の後身頃の袖付き部分に左袖が縫製されることでそれらの境界が縫目で明確に区別でき、また、右側の後身頃の袖付き部分に右袖が縫製されることでそれらの境界が縫目で明確に区別できる。これに対し、上記背布は、左後袖及び右後袖と後身頃との区別なく一体に裁断されて形成されたものである。
【００３２】
上記左前布、右前布及び背布は、前記左前布の上辺及び前記右前布の上辺と前記背布の上辺とを縫製してなるものであってもよいし、接ぎ目がなく１枚の布または２枚以上の必要枚数を重ね合わせた１単位の布から連続的に一体に裁断されてなるものとしてもよい。
【００３３】
上記脇接続部は、前記左前布と前記背布とを袖下及びそれに連続する脇線で縫製及び／または接続具で接続自在とした左接続部、並びに、前記右前布と前記背布とを袖下及びそれに連続する脇線で縫製及び／または接続具で接続自在とした右接続部から構成されるものである。
即ち、上記左接続部と上記右接続部は、左の袖下及びそれに連続する左の脇線を縫製または接続具で接続自在とした部分と、右の袖下及びそれに連続する右の脇線を縫製または接続具で接続自在とした部分とを示し、左接続部または右接続部の何れか一方を縫製し、他方を接続具で接続自在としたものである。左接続部において前記左前布の左前袖の袖下及びそれに連続する上前身頃の脇線と、前記背布の左後袖の袖下及びそれに連続する後身頃の脇線とを縫製し、一方で右接続部において前記右前布の右前袖の袖下及びそれに連続する下前身頃の脇線と、前記背布の右後袖の袖下及びそれに連続する後身頃の脇線とを接続具で接続自在とすることもできるし、或いは、左接続部において前記左前布の左前袖の袖下及びそれに連続する上前身頃の脇線と、前記背布の左後袖の袖下及びそれに連続する後身頃の脇線とを接続具で接続自在とする一方で、右接続部において前記右前布の前記右前袖の袖下及びそれに連続する前記下前身頃の脇線と、前記背布の前記右後袖の袖下及びそれに連続する前記後身頃の脇線とを縫製することもできる。
【００３４】
上記接続具は、例えば、スナップボタン、磁石ボタン、貝ボタン、樹脂ボタン、ナットボタン、木ボタン等の各種ボタン、紐、マジックテープ（登録商標）等の面ファスナからなる接着布等の何れか１以上による接続具とすることができる。特に、接続を使用する個所は、左または右の袖下及びそれに連続する脇線側であり被介護者の体重が加わる箇所でないので違和感もない。好ましくは、異種の接続具を組合わせたり、接続具で接続する双方にアルファベット、数字、文字、ワンポイントマーク、絵等の同一番号、記号、記号を付したり着色したりすると、ボタン、紐、接着布等の掛け違いを防止でき、複数の接続具を配置するものであっても狂うことがない。
【００３５】
そして、上記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００３６】
上記脇接続部のコーナは、着用する人の身体の脇下に位置する部分を示し、上記コーナのシルエットラインが曲線状とは、前記左前袖及び前記左後袖の袖下側から前記上前身頃及び前記後身頃の脇線側へと連続する曲がり、また、前記右前袖及び前記右後袖の袖下側から前記下前身頃及び前記後身頃の脇線側へと連続する曲がりが、直角に折曲がることなくＲ状にカーブしていることを意味する。
【００３７】
ここで、上記袖の筒幅が拡径とは、前記コーナのシルエットラインが曲線状であるから、前記左前袖及び前記左後袖の接続によって筒状に接続される左袖がその袖口側から前記上前身頃及び前記後身頃側に向かって径大であり、また、前記右前袖及び前記右後袖の接続によって筒状に接続される右袖がその袖口側から前記下前身頃及び前記後身頃側に向かって径大であり、実質的に腕が入れられるところの左袖及び右袖の筒径が、袖口側から身頃に向かって拡径していることを意味する。即ち、前記左前袖及び前記左後袖の袖山と袖下間の長さが袖口側から身頃側に向かって長くなっており、また、前記右前袖及び前記右後袖の袖山と袖下間の長さが袖口側から身頃側に向かって長くなっている。なお、前記コーナのシルエットラインが曲線状であるから、身幅からみても、裾側から袖側に向かって左右の脇線間の長さが長くなっている。
【００３８】
請求項４の発明の介護用着衣の前記後身頃には、前記上前身頃及び前記下前身頃とは反対側で前記左袖及び右袖、及び／または、前記後身頃及び前記上前身頃及び前記下前身頃を畳んで収納する収納部を配設したものである。
ここで、上記収納部は、左右から挿入する前記左袖、前記右袖の収納用とすることもできるし、下側（裾側）から挿入する前記上前身頃及び前記下前身頃及び後身頃の収納用とすることもできる。
【００３９】
請求項５の発明の介護用着衣は、着衣する人の背面側にあてがう吸水・防水シートを前記後身頃に対して着脱自在に取付けるための取付手段が前記後身頃に設けられたものである。
【００４０】
上記吸水・防水シートは、前記後身頃の前記上前身頃及び前記下前身頃で、着衣する人の背面側、主に、臀部や腰を中心に配置され、汗や漏れた尿等の排泄物を捉えて、汗や漏れた尿等の排泄物で身頃が汚れるのを阻止するものである。汗や尿等の水分を吸収する吸水性（吸水保持性）及び水分を通過させない防水性ものであればよく、例えば、透水性（透液性）の表面シートと、防水性（不透水性、不透過性）の裏面シートと、表面シートと裏面シートとの間に吸水シート（吸液シート）等を挟み込んだ複層構造の積層複合体が使用されるが、これらの機能がまとまった単層構造のものであってもよい。紙、不織布等を使用した使い捨てによって交換可能とするものであってもよいし、繰り返しの洗い替えに耐える布の使用によって交換可能としてもよい。
【００４１】
上記取付手段は、吸水・防水シートを後身頃に着脱自在に取付ることができる構成であればよく、例えば、吸水・防水シートを挟持する部材を用いてもよいし、吸水・防水シート側に設けた接続具、具体的には、面ファスナ等の接着布、紐、ボタン、ボタン穴、粘着テープ等と分離及び接続自在な面ファスナ等の接着布、紐、ボタン、ボタン穴、ループ部材等の接続受具が採用される。
【００４２】
請求項６の発明の介護用着衣の前記後身頃の前記上前身頃及び前記下前身頃側には、前記後身頃に設けた取付手段によって着衣する人の背面側にあてがう吸水・防水シートを取付自在としたものである。
【００４３】
上記吸水・防水シートは、前記後身頃の前記上前身頃及び前記下前身頃で、着衣する人の背面側、主に、臀部や腰を中心に配置され、汗や漏れた尿等の排泄物を捉えて、汗や漏れた尿等の排泄物で身頃が汚れるのを阻止するものである。汗や尿等の水分を吸収する吸水性（吸水保持性）及び水分を通過させない防水性ものであればよく、例えば、透水性（透液性）の表面シートと、防水性（不透水性、不透過性）の裏面シートと、表面シートと裏面シートとの間に吸水シート（吸液シート）等を挟み込んだ複層構造の積層複合体が使用されるが、これらの機能がまとまった単層構造のものであってもよい。紙、不織布等を使用した使い捨てによって交換可能とするものであってもよいし、繰り返しの洗い替えに耐える布の使用によって交換可能としてもよい。
上記取付手段は、吸水・防水シートを後身頃に着脱自在に取付ることができる構成であればよく、例えば、吸水・防水シートを挟持する部材を用いてもよいし、吸水・防水シート側に設けた接続具、具体的には、面ファスナ等の接着布、紐、ボタン、ボタン穴、粘着テープ等と分離及び接続自在な面ファスナ等の接着布、紐、ボタン、ボタン穴、ループ部材等の接続受具が採用される。
【００４４】
請求項７の発明の介護用着衣は、前記上前身頃及び前記下前身頃の下で着衣する人の前側を覆う伸縮性の被覆布を着脱自在に取付けるための取付手段が前記後身頃に設けられたものである。
【００４５】
上記被覆布は、着衣する人の前面側、特に、腹側を中心に覆い、身体の動き等に対応するために伸縮性、弾性を持たせたものである。伸縮性の生地を用いてもよいし、ゴム等の弾性部材の縫製によって生地に伸縮性を持たせても良い。身頃及び袖と共地で形成してもよいし、別の布を使用してもよい。
【００４６】
上記取付手段は、伸縮性の被覆布を前記後身頃に着脱自在に取付けるためのものであり、伸縮性の被覆布側に設ける接続具、例えば、面ファスナ等の接着布、紐、ボタン、ボタン穴等と分離及び接続自在なものであればよく、面ファスナ等の接着布、紐、ボタン、ボタン穴、ループ部材等の接続受具が採用される。
【発明の効果】
【００４７】
請求項１の発明に係る介護用着衣によれば、左前袖及び上前身頃が一体に裁断されてなる左前布の上辺、並びに、右前袖及び下前身頃が一体に裁断されてなる右前布の上辺と、左後袖及び右後袖と後身頃とが一体に裁断されてなる背布の上辺とが縫製部によって袖山・肩山で縫製されて繋がれているが、左接続部によって前記左前布の前記左前袖の袖下及びそれに連続する前記上前身頃の脇線と、前記背布の前記左後袖の袖下及びそれに連続する前記後身頃の脇線とが接続具で接続自在とされ、また、右接続部によって前記右前布の右前の袖下及びそれに連続する前記下前身頃の脇線と、前記背布の前記右後袖の袖下及びそれに連続する前記後身頃の脇線とが接続具で接続自在とされている。
【００４８】
したがって、左前布の左前袖の袖下及びそれに連続する上前身頃の脇線と、背布の左後袖の袖下及びそれに連続する後身頃の脇線とを接続具で接続されてなる左接続部の接続を解くと、左の袖下及びそれに連続する後身頃の脇線で、背布と上前身頃とを分離して開放できる。また、右前布の右前袖の袖下及びそれに連続する下前身頃の脇線と、背布の右後袖の袖下及びそれに連続する後身頃の脇線とを接続具で接続されてなる右接続部の接続を解くと、右の袖下及びそれに連続する後身頃の脇線で、背布と下前身頃とを分離して開放できる。よって、背布の上（内面側）に介護者を配置し、その配置した介護者に左前布を着せ掛け、また、右前布を着せ掛け、左接続部及び右接続部のそれぞれの接続具で袖下及び脇線を接続することで、袖に腕を通す動作を行うことなく、被介護者に自然体で着衣を着せることができる。
よって、腕の自由がきかない患者であっても、着衣及び脱衣の負担が少なく、容易に着替えを行うことができる。
【００４９】
特に、本発明に係る介護用着衣によれば、左前布が左前袖及び上前身頃を一体に裁断してなるものであり、また、右前布が右前袖及び下前身頃を一体に裁断してなるものであり、更に、背布が左後袖及び右後袖と後身頃とを一体に裁断してなるものであり、これら左前布、右前布及び背布は袖山・肩山でのみ縫製され、着衣した人の背面側において床擦れを生じさせる原因となる縫製の合わせ目（縫目、継目）が少ない。よって、肌への刺激を少なくできる。当然、縫製作業の負担も少なくなる。
【００５０】
更に、左接続部及び右接続部からなる脇接続部では、左前袖及び左後袖の袖下から上前身頃及び後身頃の脇線へと連続するコーナのシルエットラインを曲線状に形成し、また、右前袖及び右後袖の袖下から下前身頃及び後身頃の脇線へと連続するコーナのシルエットラインを曲線状に形成し、袖口から身頃側に向かって袖の筒幅を径大としたことから、袖口側は着衣した人の手の動きの邪魔となったり捲れ易くなったりしないような適当な径で設計できるも、身頃側に向かって袖幅を大きくして着衣した人の脇下の位置の空間に余裕を持たせることができ、また、コーナに角が存在しないので、腕を動かしたときでも布端部の身体への当たりを少なくできる。加えて、汗がかきやすい脇下に空気の通り道が形成され、通気性を向上させることができ、湿気による不快感、床擦れの誘発を防止できる。
【００５１】
こうして、請求項１の発明に係る介護用着衣によれば、腕の自由がきかない患者の着衣及び脱衣の負担や介護負担を軽減させることができ、かつ、肌への刺激が少なく、また、脇下の位置の通気性を向上可能であるから、着用感を快適にできる。
【００５２】
請求項２の発明に係る介護用着衣によれば、左前袖及び上前身頃が一体に裁断されてなる左前布、右前袖及び下前身頃が一体に裁断されてなる右前布、並びに、左後袖及び右後袖と後身頃とが一体に裁断されてなる背布が、１枚の布または２枚以上の必要枚数を重ね合わせた１単位の布から一体に裁断されてなり、左接続部によって前記左前布の前記左前袖の袖下及びそれに連続する前記上前身頃の脇線と、前記背布の前記左後袖の袖下及びそれに連続する前記後身頃の脇線とが接続具で接続自在とされ、また、右接続部によって前記右前布の右前の袖下及びそれに連続する前記下前身頃の脇線と、前記背布の前記右後袖の袖下及びそれに連続する前記後身頃の脇線とが接続具で接続自在とされている。
【００５３】
したがって、左前布の左前袖の袖下及びそれに連続する上前身頃の脇線と、背布の左後袖の袖下及びそれに連続する後身頃の脇線とを接続具で接続されてなる左接続部の接続を解くと、左の袖下及びそれに連続する後身頃の脇線で、背布と上前身頃とを分離して開放できる。また、右前布の右前袖の袖下及びそれに連続する下前身頃の脇線と、背布の右後袖の袖下及びそれに連続する後身頃の脇線とを接続具で接続されてなる右接続部の接続を解くと、右の袖下及びそれに連続する後身頃の脇線で、背布と下前身頃とを分離して開放できる。よって、背布の上（内面側）に介護者を配置し、その配置した介護者に左前布を着せ掛け、また、右前布を着せ掛け、左接続部及び右接続部のそれぞれの接続具で袖下及び脇線を接続することで、袖に腕を通す動作を行うことなく、被介護者に自然体で着衣を着せることができる。
よって、腕の自由がきかない患者であっても、着衣及び脱衣の負担が少なく、容易に着替えを行うことができる。
【００５４】
特に、本発明に係る介護用着衣によれば、左前布が左前袖及び上前身頃を一体に裁断してなるものであり、また、右前布が右前袖及び下前身頃を一体に裁断してなるものであり、更に、背布が左後袖及び右後袖と後身頃とを一体に裁断してなるものであり、そして、これら左前布、右前布及び背布は１枚の布または２枚以上の必要枚数を重ね合わせた１単位の布から一体に裁断されてなるものであるから、床擦れを生じさせる原因となる縫製の合わせ目（縫目、継目）が少ない。よって、肌への刺激を少なくできる。
【００５５】
更に、左接続部及び右接続部からなる脇接続部では、左前袖及び左後袖の袖下から上前身頃及び後身頃の脇線へと連続するコーナのシルエットラインを曲線状に形成し、また、右前袖及び右後袖の袖下から下前身頃及び後身頃の脇線へと連続するコーナのシルエットラインを曲線状に形成し、袖口から身頃側に向かって袖の筒幅を径大としたことから、袖口側は着衣した人の手の動きの邪魔となったり捲れ易くなったりしないような適当な径で設計できるも、身頃側に向かって袖幅を大きくして着衣した人の脇下の位置の空間に余裕を持たせることができ、また、コーナに角が存在しないので、腕を動かしたときでも布端部の身体への当たりを少なくできる。加えて、汗がかきやすい脇下に空気の通り道が形成され、通気性を向上させることができ、湿気による不快感、床擦れの誘発を防止できる。
【００５６】
こうして、請求項２の発明に係る介護用着衣によれば、腕の自由がきかない患者の着衣及び脱衣の負担や介護負担を軽減させることができ、かつ、肌への刺激が少なく、また、脇下の位置の通気性を向上可能であるから、着用感を快適にできる。
【００５７】
請求項３の発明に係る介護用着衣によれば、左前袖及び上前身頃が一体に裁断されてなる左前布の前記左前袖の袖下及びそれに連続する前記上前身頃の脇線と、左後袖及び右後袖と後身頃とが一体に裁断されてなる背布の前記左後袖の袖下及びそれに連続する前記後身頃の脇線とを接続する左接続部、並びに、右前袖及び下前身頃が一体に裁断されてなる右前布の前記右前袖の袖下及びそれに連続する前記下前身頃の脇線と、前記背布の前記右後袖の袖下及びそれに連続する前記後身頃の脇線とを接続する左接続部において、前記右
接続部または前記左接続部の一方が縫製で接続され、他方が接続具で接続自在とされている。
【００５８】
したがって、接続具で接続自在とされている方の左接続部または右接続部の接続を解くと、背布と上前身頃または下前身頃とを分離して開放できる。よって、背布の上（内面側）に介護者を配置し、その配置した介護者に左前布または右前布を着せ掛け、左接続部または右接続部の接続具で袖下及び脇線を接続することで、左袖または右に腕を通す動作を行うことなく、被介護者の左側または右側に自然体で着衣を着せ掛けることができる。一方で、他党の右接続部または左接続部は縫製されているから、右腕または左腕を袖に通し、下前身頃または上前身頃を被介護者の右側または左側に着せ掛けることができる。
よって、左腕のみまたは右腕の何れか一方の腕の自由がきかない患者であっても、着衣及び脱衣の負担が少なく、容易に着替えを行うことができる。
【００５９】
特に、本発明に係る介護用着衣によれば、左前布が左前袖及び上前身頃を一体に裁断してなるものであり、また、右前布が右前袖及び下前身頃を一体に裁断してなるものであり、更に、背布が左後袖及び右後袖と後身頃とを一体に裁断してなるものであり、着衣した人の背面側において床擦れを生じさせる原因となる合わせ目が少ない。よって、肌への刺激を少なくできる。
【００６０】
更に、左接続部及び右接続部からなる脇接続部では、左前袖及び左後袖の袖下から上前身頃及び後身頃の脇線へと連続するコーナのシルエットラインを曲線状に形成し、また、右前袖及び右後袖の袖下から下前身頃及び後身頃の脇線へと連続するコーナのシルエットラインを曲線状に形成し、袖口から身頃側に向かって袖の筒幅を径大としたことから、袖口側は着衣した人の手の動きの邪魔となったり捲れ易くなったりしないような適当な径で設計できるも、身頃側に向かって袖幅を大きくして着衣した人の脇下の位置の空間に余裕を持たせることができ、また、コーナに角が存在しないので、腕を動かしたときでも布端部の身体への当たりを少なくできる。加えて、汗がかきやすい脇下に空気の通り道が形成され、通気性を向上させることができ、湿気による不快感、床擦れの誘発を防止できる。
【００６１】
こうして、請求項３の発明に係る介護用着衣によれば、腕の自由がきかない患者の着衣及び脱衣の負担や介護負担を軽減させることができ、かつ、肌への刺激が少なく、また、脇下の位置の通気性を向上可能であるから、着用感を快適にできる。
【００６２】
請求項４の発明に係る介護用着衣は、その前記上前身頃及び前記下前身頃の反対側に左袖及び右袖、及び／または、前記後身頃及び前記上前身頃及び前記下前身頃を収納する収納部を形成したものであるから、請求項１乃至請求項３の何れか１つに記載の効果に加えて、折り畳みの際に右袖、左袖が移動しないように収納部に入れ、固定することができる。また、前記上前身頃及び前記下前身頃についても収納することができる。特に、クリーニング後に、右袖、左袖を収納部に入れ、また、前記上前身頃及び前記下前身頃及び後身頃を畳んで収納することにより、搬送されても袖とか、身頃がとび出してくることがない。
【００６３】
請求項５の発明に係る介護用着衣は、その前記後身頃に着衣する人の背面側にあてがう吸水・防水シートを着脱自在に取付けるための取付手段を設けたことから、請求項１乃至請求項４の何れか１つに記載の効果に加えて、前記後身頃の裏面側に対して吸水・防水シートを取付可能である。吸水・防水シートの取付けによって被介護者の汗や尿を吸水・防水シートで捉えることができ、身頃が汚れるのを防止することができる。よって、着衣を着替えさせることなく、吸水・防水シートを清潔なものと交換するのみでよいから、介護者や被介護者の負担を軽減できる。また、湿気が吸収されることで、湿気による不快感、皮膚への刺激を軽減でき、着衣時の快適性が向上する。
【００６４】
請求項６の発明に係る介護用着衣は、前記後身頃の前記上前身頃及び前記下前身頃の反対側に、着衣する人の背面側にあてがう吸水・防水シートを前記後身頃に設けた取付手段によって取付自在としたから、請求項１乃至請求項４の何れか１つに記載の効果に加えて、吸水・防水シートの取付けによって被介護者の汗や尿を吸水・防水シートで捉えることができ、身頃が汚れるのを防止することができる。よって、着衣を着替えさせることなく、吸水・防水シートを清潔なものと交換するのみでよいから、介護者や被介護者の負担を軽減できる。また、湿気が吸収されることで、湿気による不快感、皮膚への刺激を軽減でき、着衣時の快適性が向上する。
【００６５】
請求項７の発明に係る介護用着衣は、前記後身頃には、前記上前身頃及び前記下前身頃の下で着衣する人の前側を覆う伸縮性の被覆布を着脱自在に取付けるための取付手段を設けことから、請求項１乃至請求項６の何れか１つに記載の効果に加えて、前記後身頃に対して着衣する人の前側に伸縮性の被覆布を取付可能である。着衣する人の前側を伸縮性の被覆布で覆うことで、着衣した人の動き等で上前身頃及び下前身頃が開けたときでも肌が露出することなく、冷えを防止できる。また、着衣した介護者が勝手に手で接続具を解いてしまったときでも前側に伸縮性の被覆布が取付けてあると、下着に触れ難く、排泄物等に触れてしまう事態を回避できる。
【図面の簡単な説明】
【００６６】
【図１】図１は本発明の実施の形態１の介護用着衣としての介護用寝巻の構成を説明するための分解図である。
【図２】図２は本発明の実施の形態１の介護用着衣としての介護用寝巻の正面図である。
【図３】図３は本発明の実施の形態１の介護用着衣としての介護用寝巻の背面図である。
【図４】図４は本発明の実施の形態１の介護用着衣としての介護用寝巻の左を開放状態に展開する展開図である。
【図５】図５は本発明の実施の形態１の介護用着衣としての介護用寝巻の右を開放状態に展開する展開図である。
【図６】図６は本発明の実施の形態１の介護用着衣としての介護用寝巻の上前身頃及下前身頃を展開して折り畳んだ状態を説明する展開図である。
【図７】図７は本発明の実施の形態１の介護用着衣としての介護用寝巻に使用した接続具を示すものであり、（ａ）は接着布の事例、（ｂ）は紐の事例である。
【図８】図８は本発明の実施の形態１の介護用着衣としての介護用寝巻に使用する接続具の他の事例を示すものであり、（ａ）はスナップボタンの事例、（ｂ）はボタンとボタン穴（穴篝）の事例である。
【図９】図９（ａ）は本発明の実施の形態１の介護用着衣としての介護用寝巻に使用する接続具の接続形態の別の事例を説明する説明図であり、図９（ｂ）は本発明の実施の形態１の介護用着衣としての介護用寝巻に使用する接続具の接続形態の他の事例を説明する説明図である。
【図１０】図１０は本発明の実施の形態１に係る変形例１の介護用着衣の構成を左を開放状態に展開して示す展開図である。
【図１１】図１１は本発明の実施の形態１に係る変形例２の介護用着衣の構成を右を開放状態に展開して示す展開図である。
【図１２】図１２は本発明の実施の形態２に係る介護用着衣の後身頃に収納部を設けた事例の背面図である。
【図１３】図１３は本発明の実施の形態２に係る介護用着衣の後身頃の収納部に収納する状態を説明する説明図である。
【図１４】図１４は本発明の実施の形態３に係る介護用着衣を説明するための説明図であり、後身頃の裏面側に対して吸水・防水シートを取付ける説明図である。
【図１５】図１５は本発明の実施の形態３に係る介護用着衣の後身頃に対して吸水・防水シートを取付ける取付手段の一例を説明するための図１４の要部拡大図であり、取付手段が接着布の事例である。
【図１６】図１６は本発明の実施の形態３に係る介護用着衣の後身頃に対して吸水・防水シートを取付ける取付手段としての接着布の取付位置の他の事例を説明する説明図であり、（ａ）は接着布の取付位置の説明図、（ｂ）は吸水・防水シートを取付けた説明図、（ｃ）は吸水・防水シートの取付けがないときの説明図である。
【図１７】図１７は本発明の実施の形態３に係る介護用着衣の後身頃に対して吸水・防水シートを取付ける取付手段の他の事例を説明する説明図であり、（ａ）は後身頃に設けた孔に対して吸水・防水シートに設けた接着布を通す事例、（ｂ）は後身頃に設けた孔に対して吸水・防水シートに設けた紐を通す事例である。
【図１８】図１８は本発明の実施の形態３に係る介護用着衣の後身頃に対して吸水・防水シートを取付ける取付手段の更に他の事例を説明する説明図であり、（ａ）は後身頃に設けた紐と吸水・防水シートに設けた紐を結ぶ事例、（ｂ）は後身頃に設けたナイロン地に吸水・防水シートに設けた粘着テープを貼る事例である。
【図１９】図１９は本発明の実施の形態３に係る介護用着衣の後身頃に対して吸水・防水シートを取付ける取付手段の更に別の事例を説明する説明図であり、（ａ）は後身頃に設けた環状部に対して吸水・防水シートに設けた紐を通して結ぶ事例、（ｂ）は後身頃に設けた環状部及び吸水・防水シートに設けた穴に紐を通す事例、（ｃ）は後身頃及び吸水・防水シートに設けた環状部に紐を通す事例、（ｄ）は後身頃に設けたナイロン製の環状部に対して吸水・防水シートに設けた粘着テープを貼る事例である。
【図２０】図２０は本発明の実施の形態４に係る介護用着衣を説明するための説明図であり、上前身頃及び下前身頃の下であって着衣する人の前側を覆う伸縮性の被覆布を後身頃に対して取付ける説明図である。
【発明を実施するための形態】
【００６７】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
［実施の形態１］
まず、本発明の実施の形態１に係る介護用着衣を介護用寝巻とした事例で、図１乃至図９を参照して説明する。
本実施の形態１においては、着衣したとき最も前側に出る上前身頃ＵＦ及び着用する人の左腕の前側を覆う左前袖ＦＬからなる左前布１０Ｌと、着衣したとき前側であるが、上前身頃ＵＦの背後に重なる下前身頃ＤＦ及び着用する人の右腕の前側を覆う右前袖ＦＲからなる右前布１０Ｒと、着用する人の背後に位置する後身頃Ｂ及び着用する人の左腕の後側を覆う左後袖ＢＬ及び着用する人の右腕の後側を覆う右後袖ＢＲからなり、左前布１０Ｌ及び右前布１０Ｒのシルエットラインとなる後側に位置する背布２０とによって介護用寝巻１の全体の概略構成を形成している。
なお、図において、左前布１０Ｌ，右前布１０Ｒ、背布２０について、その外面側（意匠側）を表面側ｆｃとし、表面側ｆｃとは反対側の内面側であって着衣する人の身体側に位置する側を裏面側ｂｃとしている。
【００６８】
本実施の形態１の介護用寝巻１を構成する左右１対の左前布１０Ｌと右前布１０Ｒ、及び、それらの後側に位置する背布２０は、それぞれ、例えば、ガーゼ地等の綿、絹、麻等の所定寸法の布から、身頃になる部分及び袖になる部分を一体に切断して形成される。特に、ガーゼ地等は洗濯が容易で度重なる洗濯によっても丈夫で型崩れし難く、肌への当たりや肌触りがよい。布は単一材料の使用のみでなく複合化させて使用することも可能であり、また、単一の枚数でなく折り重ね等によって複数枚（複数層）のガーゼ地等の綿で形成することもできる。
【００６９】
図１に示すように、所定寸法の布から、左前布１０Ｌ、右前布１０Ｒ及び背布２０の３部位に切断され、図１乃至図３で示すように、背布２０に対して左前布１０Ｌ及び右前布１０Ｒの縫付けによって介護用寝巻１の袖山及び肩山となる部分を形成し、また、左右の袖の袖下及び前後の身頃の脇線が面ファスナ等の接着布３１、紐３２等の接続具で接続される。
例えば、介護用寝巻１が長着であれば、背布２０の横幅は１１０ｃｍ〜１４０ｃｍの範囲に設定され、その長さ（身丈）は１１０ｃｍ〜１７０ｃｍの範囲内に設定される。
【００７０】
詳細には、１枚或いは２枚以上を重ねた１単位の布から、着用する人の左腕を覆う左袖の前側を形成する左前袖ＦＬと、着用する人の前側で胴体部を覆う前身頃を形成し着衣したとき最も前側に出る上前身頃ＵＦとで分断することなく、両者を一体に切断して左前布１０Ｌを形成している。つまり、本実施の形態１の左前布１０Ｌによれば、左前袖ＦＬと上前身頃ＵＦを別々に切断して縫製する縫目（合わせ目）はなく、左前袖ＦＬと上前身頃ＵＦが１枚或いは２枚以上を重ねた１単位の布から連続的に形成されている。
【００７１】
同様に、本実施の形態１の右前布１０Ｒも、着用する人の右腕を覆う右袖の前側を形成する右前袖ＦＲと、着用する人の前側で胴体部を覆う前身頃を形成し着衣したとき上前身頃ＵＦの背後に一部を重ねる下前身頃ＤＦとが１枚或いは２枚以上を重ねた１単位の布から一体に切断されてなり、右前袖ＦＲと下前身頃ＤＦを別々に切断して縫製する縫目（合わせ目）がなく、右前袖ＦＲと下前身頃ＤＦが１枚或いは２枚以上を重ねた１単位の布から連続的に形成されている。
【００７２】
本実施の形態１では、左前袖ＦＬ及び上前身頃ＵＦからなる左前布１０Ｌと、右前袖ＦＲ及び下前身頃ＤＦからなる右前布１０Ｒとは表裏を逆にした対称的な形状であり、背布２０に対して縫付けられた左前布１０Ｌの上前身頃ＵＦと右前布１０Ｒの下前身頃ＤＦとは、被介護者に着衣した状態で重複させることができる寸法に形成されている。また、着衣した人の首周りに位置する襟元は、上前身頃ＵＦと下前身頃ＤＦの重なりにより略Ｖ字状になるように、上前身頃ＵＦと下前身頃ＤＦにおいて着用した人の首周りに位置する所定の端部が斜めに形成されている。
【００７３】
左前布１０Ｌの上前身頃ＵＦと右前布１０Ｒの下前身頃ＤＦを紐３７Ａ，７２Ａで接続固定した状態で、肩山から下の襟元のＶ字の深さ（縦幅）は、例えば、１０ｃｍ〜２０ｃｍとなるように設定され、特に、２０ｃｍ〜３０ｃｍであると、口や鼻に気管チューブが挿管されている患者や気管切開により気管カニューレが喉元に挿管されている患者に対する着衣でも、それらチューブやカニューレが襟元に引っ掛かることもなく、首周りに窮屈さを感じさせることがない。着衣状態で襟元から介護者の手を入れて、被介護者に処置や作業を施すのも容易である。なお、襟元の形状が略Ｕ字状となるように上前身頃ＵＦと下前身頃ＤＦの重なり形状を形成してもよい。
【００７４】
本実施の形態１の背布２０についても、着用する人の左腕を覆う左袖の後側を形成する左後袖ＢＬと、着用する人の右腕を覆う右袖の後側を形成する右後袖ＢＲと、着用する人の背後側で胴体部を覆う後身頃Ｂとが、１枚或いは２枚以上を重ねた１単位の布から一体に切断されてなる。つまり、本実施の形態１の背布２０によれば、左後袖ＦＬ、右後袖ＦＲ、及び後身頃Ｂをそれぞれ別々に切断して縫製する縫目はなく、左後袖ＦＬ、右後袖ＦＲ、及び後身頃Ｂが１枚或いは２枚以上を重ねた１単位の布から連続的に形成されている。
【００７５】
そして、本実施の形態１の介護用寝巻１は、着用したときに身体の脇下に位置するコーナ部分、即ち、各左右の袖下（袖の下端のライン）から身頃の左右の脇線（身頃の左右の端のライン）へと連続的に繋がる部分のシルエットラインが曲線状である点に特徴を有する。
公知の介護用寝巻は和装の裁断、仕立てであるゆえ、各左右の袖下及び脇線が真っ直ぐな直線状をなし、左右の袖下及び脇線が交わるコーナ部分では、それら直線が交わる所定の角が形成されるのに対し、本実施の形態１の介護用寝巻１では、所定の袖及び身頃を一体に裁断し、袖下と脇線の繋がりに曲率を持たせている。
【００７６】
即ち、左の袖下６１Ｌ，６２Ｌ及びそれに連続する脇線６３Ｌ，６４のコーナのシルエットラインがＲ状に湾曲カーブし、右の袖下６１Ｒ，６２Ｒ及びそれに連続する脇線６３Ｒ，６ＲのコーナのシルエットラインもＲ状に湾曲カーブしている。
袖下と身頃の脇線が連続する曲率の半径Ｒは、例えば、Ｒ＝１０ｃｍ〜３０ｃｍの範囲内に設定され、当該範囲内であれば、ダブつくことがなくて体裁がよく、着用する人の腕の動きを邪魔することのない寸法となる。
【００７７】
このように、本実施の形態１の介護用寝巻１では、袖下と脇線の繋がりに曲率を持たせていることによって、袖口６５側から身頃側に向かって袖の上下幅、つまり、袖山及び袖下の間の幅であって、腕が入れられる袖の筒径が拡径している。
即ち、和装でいうところの袖丈が袖口６５側から身頃側に向かって長くなっている。なお、本実施の形態１の介護用寝巻１において、手が通される袖口６５の開口は、袖山から袖下までの幅に相当する。つまり、腕が入れられる袖の筒径が袖口６５側から身頃側に向かって径大となっている。
【００７８】
身頃側からすると、裾側から袖側に向かって左右の脇線間の身幅が拡径している。図３で示すように、身頃の裾側の直線領域の脇線６３Ｌ，６４Ｌから袖山・肩山４１Ｌ，４１Ｒに向かって延長する直線状の仮想線ｌを引き、その仮想線ｌにおいて袖口６５の上下幅の長さｍの分だけ袖山・肩山４１Ｌ，４１Ｒ側から差し引いた位置を示す仮想点Ｐよりも下位に、袖下６１Ｌ，６２Ｌ及び脇線６３Ｌ，６４Ｌのシルエットラインが裾側からの直線状の仮想線ｌから分岐する位置を示す仮想分岐点Ｑが存在する。好ましくは、このときの仮想点Ｐと仮想分岐点Ｑの距離長さが５ｃｍ〜１５ｃｍの範囲内に設定されることで、ダブつくことがなくて体裁がよく、着用する人の腕の動きを邪魔することのない寸法となる。右の袖下６１Ｒ，６２Ｒ及び脇線６３Ｒ，６４Ｒのシルエットラインについても同様である。
【００７９】
仮想点Ｑと袖山・肩山４１Ｌ，４１Ｒとの間の距離長さｄは、好ましくは、２５〜４５ｍの範囲内であり、距離長さｄが袖口６５の上下幅の長さｍの１．３倍〜２．５倍の範囲内であるのが好ましい。これにより、着用する人の脇下で袖下６１Ｌ，６２Ｌ及びそれに連続する脇線６３Ｌ，６４Ｌに相当する布端部との間に十分な空間が形成され、着用する人の腕の動きを邪魔することなく、かつ、空気の通り道が形成されて通気が良くなる。
【００８０】
つまり、従来の長着の和装の裁断、仕立てでは、身頃の袖付き部分に袖が縫製され、袖丈が袖付や袖口と同等以上の長さで一定であるのに対し、本実施の形態１では、袖と身頃が一体に裁断されてなり、袖から身頃にかけてのシルエットラインが曲線状であり、袖丈に相当する袖の上下幅が袖口６５側から身頃側に向かって拡がっており、腕を通す袖の筒径が袖口６５側から身頃側に向かって拡径している。
【００８１】
このように、本実施の形態１の介護用寝巻１では、左の袖下６１Ｌ，６２Ｌと脇線６３Ｌ，６４Ｌが繋がるコーナのシルエットラインが曲線状であるから、着用したときに身体の左脇下と左の袖下６１Ｌ，６２Ｌ及び脇線６３Ｌ，６４Ｌのシルエットラインとの間の空間が大きく設けられ、左の腕を動かしたときでも、脇下に位置する布の袖下６１Ｌ，６２Ｌから脇線６３Ｌ，６４Ｌにかけての端部が身体に当たり難く、身体との接触頻度を少なくできる。同様に、右の袖下６１Ｒ，６２Ｒと脇線６３Ｒ，６４Ｒが繋がるコーナのシルエットラインも曲線状であるから、着用したときに身体の右脇下と右の袖下６１Ｒ，６２Ｒ及び脇線６３Ｒ，６４Ｒのシルエットラインとの間の空間が大きく設けられ、右の腕を動かしたときでも、脇下に位置する布の袖下６１Ｌ，６２Ｌから脇線６３Ｌ，６４Ｌにかけての端部が身体に当たり難く、身体との接触頻度を少なくできる。
【００８２】
なお、従来の和装では、袖全体の袖丈が一定であるから、袖付部分を広く採るには全体の袖丈を大きくしなければならず、このとき袖口側も広くなることから、捲れやすかったり、ダブついて皺ができやすかったりする不都合さが生じる。
しかし、本発明のように、左の袖下６１Ｌ，６２Ｌから脇線６３Ｌ，６４Ｌへと連続的に繋がる部分のシルエットライン、また、右の袖下６１Ｒ，６ＲＬから脇線６３Ｒ，６４Ｒへと連続的に繋がる部分のシルエットラインを曲線状に形成することで、袖口６５の開口幅は上述の不都合が生じない適度な袖の上下幅（開口）寸法の設計とする一方で、着用したときに身体の脇下側、即ち、腕を動かす周辺では、上下幅（開口）寸法を広く設計し、身体の脇下と袖下から脇線のシルエットラインとの間の腕が入れられる空間を広く形成することができる。
【００８３】
このように、左の袖下６１Ｌ，６２Ｌから脇線６３Ｌ，６４Ｌへと連続的に繋がるコーナのシルエットラインが曲線状に形成され、左前袖ＦＬ及び左後袖ＢＬの袖口６５側から上前身頃ＵＦ及び後身頃側Ｂへ向かって袖の筒径が拡径していることにより、身体の脇下と袖下から脇線のシルエットラインとの間の腕が入れられる空間を広く形成することができるから、着衣した人の腕の動きでも、身体の脇下側で左前袖ＦＬ及びそれに一体的に連続する上前身頃ＵＦの布の端部（左接続部５０Ｌ）や、右前袖ＦＲ及びそれに一体的に連続する下前身頃ＤＦの布の端部（右接続部５０Ｒ）が身体に当たる接触頻度が少なく、異物感を感じさせたり皮膚を刺激したりすることが少なくなる。更に、身体の脇下の位置での広い空間により空気の通り道が形成され、通気性が向上する。
【００８４】
ところで、上述したように、本実施の形態１の介護用寝巻１では、左前布１０Ｌが左前袖ＦＬ及び上前身頃ＵＦを一体に切断してなり、また、右前布１０Ｒが右前袖ＦＲ及び下前身頃ＤＦを一体に切断してなり、更に、背布２０が左後袖ＢＬ及び右後袖ＢＲ及び後身頃Ｂを一体に切断してなる。そして、左前袖ＦＬの袖下６１Ｌから上前身頃ＵＦの脇線６３Ｌへと連続するシルエットラインが曲線状に形成され、左後袖ＢＬの袖下６２Ｌから後身頃Ｂの脇線６４Ｌへと連続するシルエットラインも曲線状に形成されている。また、右前袖ＦＲの袖下６１Ｒから下前身頃ＤＦの脇線６３Ｒへと連続するシルエットラインが曲線状に形成され、右後袖ＢＲの袖下６２Ｒから後身頃Ｂの脇線６４Ｒへと連続するシルエットラインも曲線状に形成されている。
【００８５】
よって、左前袖ＦＬと上前身頃ＵＦの境界、右前袖ＦＲと下前身頃ＤＦの境界、左後袖ＢＬと右後袖ＢＲと後身頃Ｂの境界はそれぞれ明確に区別できるものではなく、連続的に変化しているものである。また、左前袖ＦＬの袖下６１Ｌと上前身頃ＵＦの脇線６３Ｌの境界、右前袖ＦＲの袖下６１Ｒと下前身頃ＤＦの脇線６３Ｒの境界、左後袖ＢＬの袖下６２Ｌと後身頃Ｂの脇線６４Ｌの境界、右後袖ＢＲの袖下６２Ｒと後身頃Ｂの脇線６４Ｒの境界についても明確に区別できるものではなく、連続的に変化しているものである。
【００８６】
そして、本実施の形態１の介護用寝巻１では、左後袖ＢＬ及び右後袖ＢＲ及び後身頃Ｂが一体に裁断されてなる背布２０の上辺に対して、左前袖ＦＬ及び上前身頃ＵＦが一体に裁断されてなる左前布１０Ｌの上辺を縫付けによって繋げており、また、右前袖ＦＲ及び下前身頃ＤＦが一体に裁断されてなる右前布１０Ｒの上辺についても左前布１０Ｌとは対照的に縫付けによって繋げている。即ち、背布２０の上辺の左側が左前布１０Ｌの上辺と縫製され左の袖山・肩山４１Ｌが形成され、背布２０の上辺の右側が右前布１０Ｒの上辺と縫製され右の袖山・肩山４１Ｒが形成される。このように袖山・肩山４１Ｌ，４１Ｒで背布２０と右前布１０Ｒ及び左前布１０Ｌとが縫製されていることにより、袖山・肩山４１Ｌのラインが左前布１０Ｌと背布２０の合せ目となり、袖山・肩山４１Ｒのラインが右前布１０Ｒと背布２０の合せ目となる。なお、ここでいう袖山・肩山４１Ｌ，４１Ｒは袖及び肩の上端のことである。
【００８７】
即ち、本実施の形態１の介護用寝巻１は、左前袖ＦＬ及び上前身頃ＵＦからなる左前布１０Ｌと、背布２０の後身頃Ｂ及び左後袖ＢＬ側とを縫製して縫付けてなる左縫製部４０Ｌ、並びに、右前袖ＦＲ及び下前身頃ＤＦからなる右前布１０Ｒと背布２０の後身頃Ｂ及び右後袖ＢＲ側とを縫製して縫付けてなる右縫製部４０Ｒからなる縫製部４０を有する。
【００８８】
このように、本実施の形態１の介護用寝巻１は、着衣した人の前側に位置する左前布１０Ｌ及び右前布１０Ｒと、着衣した人の後側に位置する背布２０とを縫製部４０での縫合によって一体化し、身体への着用に適する形状に形成されている。
【００８９】
更に、左前布１０Ｌの左前袖ＦＬの袖下６１Ｌ及び上前身頃ＵＦの脇線６３Ｌと、それに対応する背布２０の左後袖ＢＬの袖下６２Ｌ及び後身頃Ｂの脇線６４Ｌとは、縫製で接がれることなく、接続具としての面ファスナ等の接着布３１、紐３２によって、接続及び分離自在となっている。つまり、左の袖下及び脇線側に相当する左接続部５０Ｌを接続具３１，３２で接続し、その接続を解くことにより左接続部５０Ｌが開かれる。
また、右前布１０Ｒの右前袖ＦＲの袖下６１Ｒ及び下前身頃ＤＦの脇線６３Ｒと、それに対応する背布２０の右後袖ＢＲの袖下６２Ｒ及び後身頃Ｂの脇線６４Ｒとも、縫製で接がれることなく、接続具としての面ファスナ等の接着布３１、紐３２によって、接続及び分離自在となっている。つまり、右の袖下及び脇線側に相当する右接続部５０Ｒを接続具３１，３２で接続し、その接続を解くことにより右接続部５０Ｒが開かれる。
これら接着布３１、紐３２等の接続具の接続は、左接続部５０Ｌや右接続部５０Ｒを構成する。
【００９０】
即ち、本実施の形態１の介護用寝巻１は、左前布１０Ｌの左前袖ＦＬの袖下６１Ｌ及び上前身頃ＵＦの脇線６３Ｌと、背布２０の左後袖ＢＬの袖下６２Ｌ及び後身頃Ｂの脇線６４Ｌとを、接続具としての面ファスナ等の接着布３１、紐３２によって接続自在とする左接続部５０Ｌ、並びに、右前布１０Ｒの右前袖ＦＲの袖下６１Ｒ及び下前身頃ＤＦの脇線６３Ｒと、背布２０の右後袖ＢＲの袖下６２Ｒ及び後身頃Ｂの脇線６４Ｒとを、接続具としての面ファスナ等の接着布３１、紐３２によって接続自在とする右接続部５０Ｒからなる脇接続部を有する。
【００９１】
なお、図１乃至図６において、左袖の前側を形成する左前袖ＦＬの袖下６１Ｌ及び上前身頃ＵＦの脇線６３Ｌ、並びに、左袖の後側を形成する左後袖ＢＬの袖下６２Ｌ及び後身頃Ｂの脇線６４Ｌを接続具３１，３２で接続自在とする左接続部５０Ｌと、右袖の前側を形成する右前袖ＦＲの袖下６１Ｒ及び下前身頃ＤＦの脇線６３Ｒ、並びに、右袖の後側を形成する右後袖ＢＲの袖下６２Ｒ及び後身頃Ｂの脇線６４Ｒを接続具３１，３２で接続自在とする右接続部５０Ｒとは、左接続部５０Ｌと右接続部５０Ｒが中央で線対称となり、基本的に構成を同一にしている。
そして、脇接続部を構成しているこれら左接続部５０Ｌ、右接続部５０Ｒは本来の縫製部分を縫製することなく接続している接続具３１，３２の配設個所である。
【００９２】
ここで、本実施の形態１において、脇接続部を構成している左接続部５０Ｌ、右接続部５０Ｒに配設する接続具は、面ファスナ等の接着布３１及び紐３２を用いている。
左右の袖下６１Ｌ，６２Ｌ，６１Ｒ，６２Ｒ側では、接続具として面ファスナ等の接着布３１が使用され、左右の脇線６３Ｒ，６４Ｒ，６３Ｌ，６４Ｌ側では、接続具として面ファスナ等の接着布３１及び紐３２が併用されている。
【００９３】
特に、本実施の形態１では、着衣する人の前側を閉じ上前身頃ＵＦと下前身頃ＤＦの開きを防止する固定具として紐７２Ａを使用し、上前身頃ＵＦの脇線６３Ｒ側とは反対側の端部に設けた固定具としての紐７２Ａと対応する位置には、右接続部５０Ｒの接続具として紐３２Ａ（以下、紐７２Ａと対応させる場合には裾側の紐と区別するため３２Ａとする）を使用することで、接続具としての紐３２Ａに固定具としての機能も持たせている。即ち、右接続部５０Ｒに接続具として設けた１対の紐３２Ａは紐７２Ａとの接続も可能とし、１対の紐３２Ａと紐７２Ａをまとめて結ぶことにより、下前身頃ＤＦの脇線６３Ｒ側と後身頃Ｂの脇線６４Ｒ側とを接続し右接続部５０Ｒの一部を閉じると同時に、上前身頃ＵＦと下前身頃ＤＦの位置を固定し前身頃側を閉じる。
【００９４】
なお、本実施の形態１では、固定具としての紐７２Ａは脇線６３Ｒ，６３Ｌとは反対側で上前身頃ＵＦの端部と下前身頃ＤＦの端部の両方に所定位置に設けられ、下前身頃ＤＦ側でも、上前身頃ＵＦの脇線６３Ｌと後身頃Ｂの脇線６４Ｌを接続する接続具としての紐３２Ａと接続自在となっている。上前身頃ＵＦの脇線６３Ｌと後身頃Ｂの脇線６４Ｌとで接続具３１，３２が配置する間隔は両者が結合することなく開口するから、紐３２Ａの前後の開口から下前身頃ＤＦの紐７２Ａを通して、脇線６３Ｌ，６４Ｌの外側で１対の紐３２Ａと紐７２Ａを接続してもよいし、或いは、紐３２Ａの前後の開口に紐３２Ａを通して、脇線６３Ｌ，６４Ｌの内側で紐３２Ａと１対の紐７２Ａを接続してもよい。着用する人の容態等に応じて選択できる。そして、下前身頃ＤＦ側と上前身頃ＵＦ側の両方で紐７２Ａと１対の紐３２Ａの接続固定できるから、着衣した人の前側を開け難くできる。更に、着用する人の容態、患部の位置、着用する人に接続している器具の位置等によっては、下前身頃ＤＦ側を上に、上前身頃ＵＦを下にして着用し、前側が開けないように固定することも可能である。更に、被介護者の容態、介護処置等の状況によっては下前身頃ＤＦ紐７２Ａ及び上前身頃ＵＦの紐７２Ａの結びにより固定し着用することもできる。この場合には、上前身頃ＵＦと下前身頃ＤＦによる襟元のＶ字が深く形成される。
【００９５】
また、本発明を実施する場合には、上前身頃ＵＦや下前身頃ＤＦの端部の長さ方向において所定間隔で固定具としての紐７２Ａを複数個設け、それに対応する紐を脇線側に複数設けてもよい。
ここでは、上前身頃ＵＦと下前身頃ＤＦの接続固定は、紐３２Ａ，７２Ａによるものの説明をしたが、本発明を実施する場合には、上前身頃ＵＦと下前身頃ＤＦの接続固定の手段は紐に限定されることなく、上前身頃ＵＦと下前身頃ＤＦの縁部にマジックテープ（登録商標）等の面ファスナからなる接着布や、スナップボタン、ボタンとボタン穴等を設け、それらで身頃の前側が開かないように接続固定してもよい。或いは、帯紐を締めて固定してもよい。
【００９６】
そして、接着布３１と紐３２のように異種の接続具を併用すると、間違いのない接続、即ち、掛け違いの防止にも有効である。また、接続具として紐３２による接続は、接着布３１を接続する前に概略の身だしなみを整えることに使用するのにも好適である。接着布３１は接続具として接続の着脱が容易にできるが、身体の動きにより接続が解除されやすいこともある。そこで、例えば、裾付近に配設する接続具には紐３２を選択することで、強固な紐３２の結び方により、着用時に足の動きにより脇線６３Ｒ，６４Ｒ，６３Ｌ，６４Ｌ側で上前身頃ＵＦ及び下前身頃ＤＦと後身頃Ｂとが裾側から開かれて捲れてしまうのを防止できる。また、このような捲れが防止されると床擦れを誘発する皺の発生も防止できる。
【００９７】
接続具３１，３２の個数、配置間隔は任意に設定できる。例えば、左接続部５０Ｌまたは右接続部５０Ｒの全長に対し、５ｃｍ〜２０ｃｍの間隔で５個〜１５個の接続具の配設とすることができる。なお、左接続部５０Ｌまたは右接続部５０Ｒにおいて、脇線側及び袖下側を接続する接続具３１，３２の列状の配置間隔の間、即ち、脇線側及び袖下側で所定間隔で配置され隣接する接続具３１，３２間は、右前布１０Ｒ及び左前布１０Ｌと背布２０との非結合部分であって開口可能な開放区間５３である。
【００９８】
特に、図１乃至図６において、接続具３１，３２の配設は、着用したときに身体の脇下に位置するコーナ部分が除かれ、汗のかきやすい脇下では袖の上下幅を広く設けて、接続具３１，３２を配設しないことによって、袖下から脇線にかけて対向する右前布１０Ｒ及び左前布１０Ｌと背布２０との間に開放区間５３を設けている。このように汗のかきやすい脇下に位置するコーナ部分に開放区間５３が位置すると、汗等の水分の放散性が良くなり、通気がよくなる。また、脇下に開放区間５３があると、そこに介護者の手を入れて、着衣した被介護者に処置、例えば、体温計の挿入等を施すことができ利便性が高い。
【００９９】
接続具は、図７（ａ）に示すように、マジックテープ（登録商標）等の面ファスナ等からなる接着布３１であれば、左前布１０Ｌや右前布１０Ｒの裏面（内面）の端部（袖下側や脇線側）に接着布３１の雄側３１ａまたは雌側３１ｂの一方を配設し、背布２０の裏面（内面）の端部（袖下側や脇線側）に接着布３１の他方の雌側３１ｂまたは雄側３１ａを配設し、両者を接続するか、その接続を解除するものである。面ファスナ等の接着布３１を使用すると、接続及び分離の操作が極めて容易であり、更にボタンや紐等よりも面で長い間隔を接合できる利点がある。即ち、接着布３１の任意の長さの面により、例えば、身体の大きさや患部の位置、容態に応じて、接続箇所の選択が可能となり、身体の動きを妨げたり患部に違和感を生じさせたりすることのない快適な着用を可能とする。
【０１００】
なお、面ファスナ等の接着布３１は洗濯等により糸屑が接着機構部分に絡み付き、接着力が低下する可能性があるので、洗濯時には、洗濯用の接着布を接合し、糸屑が巻き付かないようにするか、雌側３１ｂ及び雄側３１ａの接続状態とするのが望ましい。接着布３１が疲れてきた場合でも、新製品と取り換えることが容易である。接着布３１は、例えば、四角形状、円形状等のものが使用できるが、角部を面取りしたものや、円形状等の外周が曲線状のものであると、角があるものと比して、肌に当たったときでも不快感が少ない。
【０１０１】
図７（ｂ）に示すように、紐３２による接続であれば、左前布１０Ｌや右前布１０Ｒの表面または裏面の端部（袖下側や脇線側）に対となる紐３２の一方の紐３２ａを取付け、背布２０の表面または裏面の端部に他方の紐３２ｂを取付け、両者を結ぶか、その結びを解くものである。紐３２の結び方により任意の強度で接続できる。また、左接続部５０Ｌ、右接続部１０において所望の密度で接続できる。図７（ｂ）では、１対の紐３２を縫付けによって、左前布１０Ｌ、右前布１０、背布２０に取付けているが、左前布１０Ｌや右前布１０と背布２０とに紐３２を通す穴を形成し、その穴に紐３２を通して結ぶことにより、取付けてもよい。
【０１０２】
ここで、接続具として接着布３１や紐３２の使用について説明してきたが、本発明を実施する場合には、容易に着脱可能で、所定の接合強度を確保できれば、接着布３１や紐３２以外でも、例えば、１対のスナップボタン、ボタンとボタン穴等の接続手段を用いてもよく、１種の接続具で統一してもよいし、異種の接続具を併用してもよい。
【０１０３】
例えば、図８（ａ）に示すように、スナップボタン３３を使用し、左前布１０Ｌや右前布１０Ｒの裏面（内面）の端部（袖下側や脇線側）にスナップボタンの凸部３３ａまたは凹部３３ｂの一方を配設し、背布２０の裏面（内面）の端部（袖下側や脇線側）にスナップボタンの他方の凹部３３ｂまたは凸部３３ａを配設し、両者を接続するか、その接続を解除するものとしてもよい。
【０１０４】
また、図８（ｂ）に示すように、４つ穴のボタン３４ｂ、即ち、貝ボタン、樹脂ボタン等とそれに対応する穴篝３４ａの組み合わせであってもよい。図８（ｂ）では、穴篝３４ａを左前布１０Ｌや右前布１０Ｒの端部（袖下側や脇線側）に配設し、背布２０の裏面（内面）の端部（袖下側や脇線側）にボタン３４ｂを配設し、両者を接続するか、その接続を解除するものである。ボタン穴篝３４ａとして横長の穴としているが、これを縦長の篝穴としてもよい。
【０１０５】
このように、脇接続部を構成する左接続部５０Ｌや右接続部５０Ｒによる接続が、接着布３１、紐３２、ボタン３３，３４であると、線ファスナのような異物感が少ない。即ち、これらの接続具では曲げにも応答できるから身体の一部を動かしたときでも違和感を感じ難い。
【０１０６】
なお、図７及び図８において、左前布１０Ｌや右前布１０Ｒの端部と背布２０の端部とは平行に合わせるように接着布３１や紐３２、ボタン３３，３４等の接続具を配設しているが、本発明を実施する場合には、図９に示すように接続具を環状を描くように接続してもよい。
【０１０７】
即ち、図９（ａ）に示すように、背布２０側に配設する接続具（図９においては接着布３１）を、袖下側や脇線側の端部に布地を突設した突設部３１ｃに配設し、このとき接着布３１の雄側３１ａまたは雌側３１ｂの一方を背布２０の裏面（ｂｃ）側（内面側）とし、接着布３１の他方の雌側３１ｂまたは雄側３１ａを左前布１０Ｌや右前布１０Ｒの表面（ｆｃ）側（外面側）に配設する。これにより、突設部３１ｃが環状を描くようにして接着布３１を接続させることができ、接合状態で接着布３１の接合面が左前布１０Ｌや右前布１０Ｒの表面（ｆｃ）側（外面側）に位置するから、着衣した被介護者の動きによっても、接着布３１の接合面が身体に当たることなく違和感がない。
【０１０８】
また、図９（ｂ）に示すように、左前布１０Ｌや右前布１０Ｒよりも、背布２０の幅を大きく形成し、接着布３１の雄側３１ａまたは雌側３１ｂの一方を背布２０の裏面（ｂｃ）側（内面側）とし、接着布３１の他方の雌側３１ｂまたは雄側３１ａを左前布１０Ｌや右前布１０Ｒの表面（ｆｃ）側（外面側）に配設する。そして、左前布１０Ｌや右前布１０Ｒの端部に対し、背布２０の端部を包むようにして接着布３１を合わせてもよい。接合状態で接着布３１の接合面が左前布１０Ｌや右前布１０Ｒの表面（ｆｃ）側（外面側）に位置するから、被介護者の動きによっても、接着布３１の接合面が身体に当たることなく違和感がない。更に、保温性が高まり、冬場に好適である。
【０１０９】
なお、左接続部５０Ｌや右接続部５０Ｒでの列状の接続において、接続具の掛け違いを防止するために、異種の接続具を隣接させることも有効であるが、例えば、対となって接続する双方にアルファベット、数字、文字、ワンポイントマーク、絵等の同一の番号、記号、符号または色等を付し、隣接する接続具とはアルファベット、数字、文字、ワンポイントマーク、絵等の番号、記号または色等を異にすることにより区別しても良い。接続具の色、または、接続具を構成する糸や布に縫製する糸の色を相違させることによって区別してもよいし、接続具の形状や構成により区別してもよい。特に、アルファベット、数字であれば、接続具の数が端の接着具をみるだけで明確になる。また、途中から接続させても、残りの数が推定できる。
【０１１０】
例えば、図８（ｂ）に示すように、接続具３４の対となる双方で同一のものを付与した記号７３，７４は、テープ状の織物７５にアルファベット、数字、文字、ワンポイントマーク、絵等を織り込み、右接続部５０Ｒや左接続部５０Ｌの長さで繰り返し表されるものを作成しておき、そのアルファベット、数字、文字、ワンポイントマーク、絵等に順列が明確なものを使用する。テープ状の織物７５としたものは、左前布１０Ｌや右前布１０Ｒや背布２０の端部に平行して縫付けるものであり端部を補強する機能、接続具の配設の補強としても機能する。記号７３，７４は、テープ状の織物７５に限定されず、端部のパイピングとして機能する後述のバイアステープ等のパイピング布８１に付しても良いし、直接、布に刺繍やステッチを施すことにより付しても良い。テープ状の織物７５を１ポイント毎の文字、図形、符号等としてもよい。
【０１１１】
このように接続具の対となる双方に同一番号、記号、符号等を付与することにより、対となる接続具の位置を特定して、ボタン、接着布、紐等の接続具の正規の対応する接続の掛け間違いを防止し、左前布１０Ｌや右前布１０Ｒと背布２０との関係に誤りが生じないようにできる。
【０１１２】
ところで、図１に示すように、本実施の形態１では、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものである。通常、生地は切断するとその端部からほつれやすくなるので、その解れを防止して強度を高め、意匠性を向上させるために、パイピング処理、見返し縫い、袋縫い、折り伏せ縫い、割り伏せ縫い、本返し縫い等で生地の端部が処理される。
【０１１３】
本実施の形態１においては、左前布１０Ｌ、右前布１０Ｒ及び背布２０の袖口６５側の端部や、着衣する人の首の周囲に位置する襟側から裾側にかけて連続する左前布１０Ｌ及び右前布１０Ｒの脇線側とは反対側の端部や、左前布１０Ｌ、右前布１０Ｒ及び背布２０の袖下及び脇線の端部や、裾下の端部で、パイピング布８１により端部を包むパイピング処理が施されており、端部を見栄えの良い処理とし、外形を整え補強する。また、端部の強度を高め、布を捲れ難くしている。パイピング処理は、例えば、細長い生地からなるパイピング布８１を二つ折りにし、生地の端面を包むように生地の端面に沿って縫付けることにより行われる。
【０１１４】
パイピング布８１の材料は、公知のバイアステープ等を使用しても良いが、例えば、所定寸法の生地から左前布１０Ｌ、右前布１０Ｒ及び背布２０を裁断したときの余剰部からバイアステープ状に作製することもできる。この場合には全体の生地の統一感が得られ、左前布１０Ｌ、右前布１０Ｒ及び背布２０に使用する肌触りの良い生地との一体感を持たせることができる。また。生地を有効に利用できることで低コストで済む。一方、左前布１０Ｌ、右前布１０Ｒ及び背布２０の生地とは、柄、素材、色等が相違するパイピング布８１を用いて装飾的効果を増大させることもできる。
【０１１５】
特に、本実施の形態１において、左前布１０Ｌ、右前布１０Ｒ及び背布２０の袖下から脇線へと連続するシルエットラインのコーナ部分が曲線状に形成され、角を持たないから、パイピング処理等によって端部を処理する場合でもパイピング布８１の切込み、重ねを必要とすることなく縫製が容易である。そして、端部を処理するパイピング布８１の重ねによる段差を必要とすることなくパイピング布８１の包み込みが可能であり、身体への当たりが少ない端部の処理が可能である。また、袖下及びそれに連続する脇線のカーブに角が存在しないことで、集中的な負荷が少ないからパイピング布８１が薄くても、或いは、補強しなくても裂け難く、耐久性が高い。しかし、本発明を実施する場合には、端部の処理は、見返し縫い等の手法を用いてもよい。見返し縫いであれば、切込みによって脇線接続部のカーブ形状でも、引きつりや寄りのない仕上がりを可能とし、身体への当たりが少ない端部の処理が可能である。接続部を取付ける部位の補強にも有効である。パイピング布８１との併用としてもよい。
【０１１６】
なお、幅の広い襟芯を入れて和装でいう衿を縫製することも可能であるが、図２乃至図６において、襟元をパイピング布８１でまとめたのみであると、着衣した人が寝具の上に寝ころんでいるときに、襟元が引張られ難く、皮膚への刺激、違和感も少ない。
【０１１７】
こうして、本実施の形態１の介護用着衣としての介護用寝巻１は、左後袖ＢＬ及び右後袖ＢＲ及び後身頃Ｂが一体に裁断されてなる背布２０に対して、左前袖ＦＬ及び上前身頃ＵＦが一体に裁断されてなる左前布１０Ｌと、右前袖ＦＲ及び下前身頃ＤＦが一体に裁断されてなる右前布１０Ｒとが縫製されて袖山・肩山４１Ｌ，４１Ｒを形成し、袖山・肩山４１Ｌで背布２０と左前布１０Ｌとが縫製されてなる右縫製部４０Ｒ、及び、袖山・肩山４１ＲＬと対称的な位置の袖山・肩山４１Ｒで背布２０と右前布１０Ｒとが縫製されてなる左縫製部４０Ｌからなる縫製部４０を有する。
【０１１８】
そして、左前袖ＦＬの袖下６１Ｌ及び上前身頃ＵＦの脇線６３Ｌと、左後袖ＢＬの袖下６２Ｌ及び後身頃Ｂの脇線６４Ｌとの左接続部５０Ｌを接続具としての接着布３１及び紐３２で接続し、また、それらの接続を解除できるようになっている。同様に、右前袖ＦＲの袖下６１Ｒ及び下前身頃ＤＦの脇線６３Ｒと、右後袖ＢＲの袖下６２Ｒ及び後身頃Ｂの脇線６４Ｒも、接続具としての接着布３１及び紐３２で接続し、また、それらの接続を解除できるようになっている。
【０１１９】
したがって、左袖の袖下６１Ｌ，６２Ｌ及びそれに連続する上前身頃ＵＦと後身頃Ｂの脇線６３Ｌ,６４Ｌは、接続具としての接着布３１、紐３２によって、左接続部５０Ｌで開閉自在である。
つまり、袖山・肩山４１Ｌで繋がっている左前袖ＦＬと左後袖ＢＬは、それらの袖下６１Ｌ，６２Ｌで、袖側の左接続部５０Ｌを接続具としての接着布３１で接合すると筒状に接続され、接着布３１の接合を解くことで、袖下６１Ｌ，６２Ｌで左前袖ＦＬと左後袖ＢＬが分かれて逆Ｕ字状に下端が開放される。
また、左前袖ＦＬに連続する上前身頃ＵＦと左後袖ＢＬに連続する後身頃Ｂも、それらの脇線６３Ｌ，６４Ｌで、身頃側の左接続部５０Ｌを接続具としての接着布３１、紐３２で接続され、接着布３１、紐３２の接続を解くことで、脇線６３Ｌ，６４Ｌで上前身頃ＵＦと後身頃Ｂが分かれて身頃の左側端部が開放される。
【０１２０】
同様に、右袖の袖下６１Ｒ，６２Ｒ及びそれに連続する下前身頃ＤＦと後身頃Ｂの脇線６３Ｒ,６４Ｒについても、接続具としての接着布３１、紐３２によって、右接続部５０Ｒで開閉自在である。
つまり、袖山・肩山４１Ｒで繋がっている右前袖ＦＲと右後袖ＢＲは、それらの袖下６１Ｒ，６２Ｒで、袖側の右接続部５０Ｒを接続具としての接着布３１で接合すると筒状に接続され、接着布３１の接合を解くことで、袖下６１Ｒ，６２Ｒで右前袖ＦＲと右後袖ＢＲが分かれて逆Ｕ字状に下端が開放される。
また、右前袖ＦＲに連続する下前身頃ＤＦと右後袖ＢＬに連続する後身頃Ｂも、それらの脇線６３Ｒ，６４Ｒで、身頃側の右接続部５０Ｒを接続具としての接着布３１、紐３２で接続され、接着布３１、紐３２の接続を解くことで、脇線６３Ｒ，６４Ｒで下前身頃ＤＦと後身頃Ｂが分かれて身頃の右側端部が開放される。
【０１２１】
そして、本実施の形態１の介護用寝巻１は、左前袖ＦＬ及び上前身頃ＵＦを一体に裁断してなる左前布１０Ｌが袖山・肩山４１Ｌで縫製により背布２０に繋がれ、一方で、右前袖ＦＲ及び下前身頃ＤＦを一体に裁断してなる右前布１０Ｒも袖山・肩山４１Ｒで縫製により背布２０に繋がれ、着衣する人の前側で下前身頃ＤＦに上前身頃ＵＦが重ねられて、紐７２Ａと紐３２Ａの接続により着用され、脱衣時は紐７２Ａと紐３２Ａの接続を解くことにより着衣する人の前側で下前身頃ＤＦと上前身頃ＵＦが離れて開かれる前開きである。勿論、男女のどちらにも共用である。
【０１２２】
次に、本実施の形態１の介護用寝巻１の使用について、図２乃至図６を用いて説明する。
本実施の形態１の介護用寝巻１は、通常の寝巻と同様、折り畳んで移動される。なお、ここで説明する着脱手順は一例であり、被介護者の状態、身体の自由がどれだけ利くかによっても違いがあり、介護者の慣れ、やり易さ等でも違いがでることがある。
【０１２３】
被介護者が着用する場合は、例えば、寝具の上に、介護用寝巻１を拡げ、左の袖下６１Ｌ，６２Ｌ側及び脇線６３Ｌ，６４Ｌ側から、左前布１０Ｌと背布２０の間を開いて離す。また、右の袖下６１Ｒ，６２Ｒ側及び脇線６３Ｒ，６４Ｒ側から、右前布１０Ｒと背布２０の間を開いて離す。左の袖下６１Ｌ，６２Ｌ及びそれに連続する脇線６３Ｌ，６４Ｌが接続具３１，３２で接続されている場合には、袖下６１Ｌ，６２Ｌ及びそれに連続する脇線６３Ｌ，６４Ｌを接続具３１，３２で接続した左接続部５０Ｌの接続を解き、左前布１０Ｌと背布２０を離す。同様に、右の袖下６１Ｒ，６２Ｒ及びそれに連続する脇線６３Ｒ，６４Ｒを接続具３１，３２で接続した右接続部５０Ｒの接続を解き、右前布１０Ｒと背布２０を離す。
そして、図４及び図５で示すように、裾側から袖口６５側までの袖下６１Ｌ，６２Ｌ，６１Ｒ，６２Ｒ側及び脇線６３Ｌ，６４Ｌ、６３Ｒ，６４Ｒ側で背布２０から離した左前布１０Ｌ及び右前布１０Ｒを袖山・肩山４１Ｒ，４１Ｌよりも上に挙げる。
【０１２４】
なお、実際の介護の現場では、図６に示すように、袖下６１Ｌ，６２Ｌ，６１Ｒ，６２Ｒ側及び脇線６３Ｌ，６４Ｌ、６３Ｒ，６４Ｒ側から背布２０と分離した左前布１０Ｌ及び右前布１０Ｒを袖山・肩山４１Ｒ，４１Ｌよりも上に挙げ、それを折り畳み、左前布１０Ｌからなる左折り畳み部Ｌ１０及び右前布Ｒ１０からなる左折り畳み部Ｌ２０を形成し、場所をとらない仕様とされる。即ち、左前布１０Ｌ及び右前布１０Ｒを折り畳み袖山・肩山４１Ｒ，４１Ｌ側に置いておく。勿論、巻き込んで形成してもよい。
【０１２５】
こうして、上前身頃ＵＦの裾から左前袖ＦＬの袖口６５まで連続して左接続部５０Ｌを開くことができ、左前布１０Ｌを上に拡げることができる。また、下前身頃ＤＦの裾から右前袖ＦＲの袖口６５まで連続して右接続部５０Ｒを開くことができ、右前布１０Ｒを上に拡げることができる。背布２０は何れからも引張られないから展開した状態を維持できる。
【０１２６】
そこで、背布２０の上に被介護者を平面視で十の字になるように寝かせる。被介護者を寝かせた状態で、背布２０と袖山・肩山４１Ｒ，４１Ｌで繋がれており上に挙げていた左前布１０Ｌ及び右前布１０Ｒをそれぞれ下ろし、左前布１０Ｒの左前袖ＦＬを被介護者の左腕に被せ、また、左前布１０Ｌの上前身頃ＵＦを被介護者の身体の左前側に被せ、着せ掛ける。同様に、右前布１０Ｒの右前袖ＦＲを被介護者の右腕に被せ、また、右前布１０Ｒの下前身頃ＤＦを被介護者の身体の右前側に被せ、着せ掛ける。
【０１２７】
即ち、左前袖ＦＬと左後袖ＢＬが袖下６１Ｌ，６２Ｌで分かれて逆Ｕ字状に開くから、その間に被介護者の左腕を入れ、そして、左前布１０Ｌの上前身頃ＵＦを被介護者の身体の左前側に被せて着せ掛ける。右前袖ＦＲと右後袖ＢＲが袖下６１Ｒ，６２Ｒで分かれて逆Ｕ字状に開くから、その間に被介護者の右腕を入れ、そして、右前布１０Ｒの下前身頃ＤＦを被介護者の身体の右前側に被せて着せ掛ける。
【０１２８】
そして、この状態で、左前袖ＦＬの袖下６１Ｌ及び上前身頃ＵＦの脇線６３Ｌと、左後袖ＢＬの袖下６２Ｌ及び後身頃Ｂの脇線６４Ｌを接着布３１、紐３２で接続し、左接続部５０Ｌの接着布３１、紐３２の接続具を接続状態とする。
同様に、右前袖ＦＲの袖下６１Ｒ及び下前身頃ＤＦの脇線６３Ｒと、右後袖ＢＲの袖下６２Ｒ及び後身頃Ｂの脇線６４Ｒを接着布３１、紐３２で接続し、右接続部５０Ｒの接着布３１、紐３２の接続具を接続状態とする。
接続具は、先に紐３２の接続により概略の身だしなみを整え、次いで接着布３１の接続をすることにより、被介護者の体型に沿って着衣を整え易く、皺が入り難く着崩れし難い着衣の整えが容易となる。
【０１２９】
喩え、このときカテーテル等の医療用チューブや心電図の電極へと繋がる線が何本か身体に入っていても、チューブや線が通過する部位の前後の接続具３１，３２を固定接続し、左接続部５０Ｌ及び右接続部５０Ｒの他の接続具３１，３２を接続状態とし、左前布１０Ｌ及び右前布１０Ｒと背布２０とを脇線及び袖下で一体に接続できる。つまり、脇線及び袖下側で列状に配設する接続具３１，３２間の開放区間５３でチューブや線を通過させることができるから、チューブ等が寝巻１の中で絡まったり引っ掛かったりする恐れがなく、チューブ等を無理に曲げる必要なく寝巻１の外に出すことができる。チューブの絡まり等による違和感、不快感を与える恐れもない。このとき、チューブ等の位置によっては所定の接続具３１，３２を固定動作しないこともできる。
【０１３０】
そして、上前身頃ＵＦと下前身頃ＤＦを前合わせし、紐３２Ａと紐７２Ａの結びによって、上前身頃ＵＦと下前身頃ＤＦが開かれるのを防止する。被介護者の体のラインに合わせた接続具３１，３２の接続を確認し、再度、医療用チューブの通過位置を確認し、寝巻１全体の着せ掛けを完了する。この後、被介護者が好みの体形で寝ればよい。
【０１３１】
特に、本実施の形態１の介護用着衣１によれば、縫製部４０で左前布１０Ｌ及び右前布１０Ｒと背布２０が縫製されて繋がれているから、被介護者の位置決め及び着衣の位置決めが簡単であり、両手が不都合な被介護者であっても、自分が着衣を身につけるのに協力できるという満足感が得られる。そして、紐３１、接着布３２等による接続具を用いれば必要な密度で固定できる。また、左接続部５０Ｌまたは右接続部５０Ｒの接続具を二人で止める場合でも、相手方の接続具の数をカウントする必要がない。
【０１３２】
なお、背布２０の上に被介護者を寝かせた状態とするのに、被介護者の左側または右側から着衣１を被介護者の身体の下側に潜らせ寝具の上を摺動させることによって、被介護者を背布２０の後身頃Ｂの上に配置させることができる。したがって、仰向けに寝た姿勢の状態のままで、自然体で着衣を着せることができる。
【０１３３】
また、着衣を脱ぐ場合には、紐３２Ａと紐７２Ａの結びを解き、そして、左接続部５０Ｌ及び右接続部５０Ｒの接着布３１、紐３２の接続具を外し、上前身頃ＵＦの下方（裾側）から折り畳み、上前身頃ＵＦを左前袖ＦＬとまとめて（折り畳んで）、また、下前身頃ＤＦの下方（裾側）から折り畳み、下前身頃ＤＦを右前袖ＦＲとまとめて（折り畳んで）、被介護者の体を若干浮き上げ着衣を下方向で抜き取る。このとき、背面の合わせ目が少ないから寝具との接触抵抗も少ない。したがって、大きな力を出さなくても、被介護者の体を横に向けなくて被介護者下から容易に着衣を抜き取ることができる。
【０１３４】
被介護者の容態や介護者等によっては介護者が被介護者の寝巻１の着脱を行う手順について、上述の態様に限定されない。例えば、寝具の上に介護者を寝かせたままで介護者の左側から着替えを行う場合、着用している寝巻１の紐３２Ａと紐７２Ａの結びを解いて、前身頃側を開放し、また、左接続部５０Ｌの接続具３１,３２の接続を解いて、左前布１０Ｌ及び背布２０の左側を脱がせる。そして、着替えを行う清潔な寝巻１について、左接続部５０Ｌの接続具３１,３２の接続を解いて開放状態とした左前布１０Ｌと背布２０の左側を介護者の左側に配置し、左前布１０Ｌを背布２０の上に挙げておき、背布２０の左後袖ＢＬを被介護者の左腕の下に潜らせて寝具の上を摺動させることで被介護者の左腕の後側に左後袖ＢＬがくるように配置するようにする。
【０１３５】
この状態で、背布２０と袖山・肩山４１Ｒ，４１Ｌで繋がれており上に挙げていた左前布１０Ｌを下ろし、左前布１０Ｒの左前袖ＦＬを被介護者の左腕に被せ、そして、左前袖ＦＬの袖下６１Ｌ及び上前身頃ＵＦの脇線６３Ｌと、左後袖ＢＬの袖下６２Ｌ及び後身頃Ｂの脇線６４Ｌを接着布３１、紐３２で接続し、左接続部５０Ｌの接着布３１、紐３２の接続具を接続状態とする。
【０１３６】
次に、被介護者を右側に横向きにし、左側で脱いだ寝巻１を介護者側の背中側に押し込むようにする。このとき、新しく左側から着せた左前布１０Ｌの上前身頃ＵＦを被介護者の身体の左前側に被せ、寝巻１の背面布２０側を被介護者の背面側に着せ掛ける。また、新しく着せる寝巻１の右側は、右接続部５０Ｒの接続具３１,３２を接続状態としておく。そして、今度は、被介護者を反対側（左側）に横向きにし、右側を脱がせる方の寝巻１の右接続部５０Ｌの接続具３１,３２の接続を解いて、右前布１０Ｒ及び背布２０の右側を脱がせ、被介護者の右側から抜き取る。更に、新しく着せる寝巻１の接続状態にある右接続部５０Ｒの接続具３１,３２の接続を解いて右前布１０Ｒを開放し、逆Ｕ字状に開かれた右前袖ＦＲと右後袖ＢＲとの間に右腕をいれ、そして、右前布１０Ｒの下前身頃ＤＦを被介護者の身体の右前側に被せ、着せ掛ける。そして、被介護者を仰向けにし、上前身頃ＵＦと下前身頃ＤＦを前合わせし、紐３２Ａと紐７２Ａを結ぶ。被介護者の体のラインに合わせた接続具３１，３２の接続を確認し、再度、医療用チューブの通過位置を確認し、寝巻１全体の着せ掛けを完了する。
なお、着脱の順序は左と右が逆であってもよい。
【０１３７】
こうして、本実施の形態１の介護用寝巻１によれば、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、また、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、左前布１０Ｌ及び右前布１０Ｒと背布２０とを分離できるため、身体が不自由であったり寝たきりの人であっても、特に、腕の自由が利かない人、上体の安静が必要な人であっても、腕を袖に通す動作をすることなく、腕を包むように左前袖ＦＬ及び左後袖ＢＬ、右前袖ＦＲ及び右後袖ＢＬを被せることができる。そして、袖下６１Ｌ，６２Ｌ、６１Ｒ，６２Ｒで接続することで、腕を殆ど動かさなくても腕に袖部分を着せ、更に、脇下６３Ｌ，６４Ｌ、６３Ｒ，６４Ｒで接続して胴体部分に身頃部分を着せることができる。よって、被介護者に無理な体勢、負担を強いることなく、また、介護者の負担も少なく、容易に着せることができる。
【０１３８】
また、着衣を脱ぐ際、袖から腕を引き抜く動作をしなくとも、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、また、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、左前布１０Ｌ及び右前布１０Ｒと背布２０とを分離して脱がせることができる。よって、被介護者に無理な体勢、負担を強いることなく、また、介護者の負担も少なく、容易に脱がせることができる。
【０１３９】
そして、左接続部５０Ｒ及び右接続部５０Ｌの接続具３１，３２の配置間隔によって必要な密度で左前布１０Ｌ及び右前布１０Ｒと背布２０とを固定できる。カテーテル等が挿管された状態の患者であっても、カテーテル等の挿管位置に拘わらず、接続具３１，３２の間隔の開放区間５３でカテーテル等を引き出すことができるから、着衣を容易に着脱できる。このように、カテーテル等の医療用チューブが何本が身体に入っていても、この介護用着衣１を着るのに接続具３１，３２の間隔が広く、支障になるものがないため、手術等の患者に対しても、挿管状態を維持しつつ、着衣を素早く着せることができる。よって、肌の露出を少なくして肌寒さを解消できる。また、患者が快適な状態で治療を受けることができる。勿論、接続具３１，３２の所定の位置の接続を解除して、そこでカテーテル等を通過させてもよい。更に、接続具３１，３２の所定の位置の接続を解除するのみで、身体の所望の部位を露出できるから、容易に治療、処置、必要な介護等を受けることもできる。特に、接着布３１、紐３２、スナップボタン３３、ボタン３４ｂとボタン穴篝３４ａ等の接続具であれば、所定間隔の配置によって所望の位置のみ開放区間３５とし、身体の所望の部位のみの露出を可能とする。したがって、肌を必要以上に露出することの抵抗感を少なくでき、患者の身体が冷えるのを防止できる。
【０１４０】
このように、本実施の形態１の介護用寝巻１によれば、左前布１０Ｌ、右前布１０Ｒ、及び背布２０の裾側から袖口６５側まで連続する袖下６１Ｌ，６２Ｌ、６１Ｒ，６２Ｒ及び脇線６３Ｌ，６４Ｌ、６３Ｒ，６４Ｒの左接続部５０Ｌ及び右接続部５０Ｒからなる脇接続部で接続具３１,３２によって接続自在であるから、袖に腕を通す動作や袖から腕を引き抜く動作、また、頭部側から着衣を被せる動作をしなくとも、そして、介護者が寝た姿勢の状態でも、着衣の着脱を容易にでき、被介護者及び介護者の着替えの負担を軽減できる。
したがって、寝たきりの患者、老人、左右の腕の動作が自信持てない身体障害者等の被介護者の着衣として好適に使用できる。
【０１４１】
また、本実施の形態１の介護用寝巻１は、脚の膝以下まで丈のある長着であるから、ズボン等の下衣を着脱させる手間もなく、オムツ交換等の排泄介助も容易にできる。特に、上前身頃ＵＦ及び下前身頃ＤＦの位置を固定する紐３２Ａと紐７２Ａの結びを解いて前身頃側を開かなくても左接続部５０Ｌ及び右接続部５０Ｒの接続具３１,３２の一部の接続を外すのみで、裾側から前身頃ＵＦ及び下前身頃ＤＦを捲り上げて、必要以上に肌を露出させることなく、オムツ交換等の排泄介助も可能である。
更に、袖下６１Ｌ，６２Ｌ、６１Ｒ，６２Ｒの接続を外すのみで、左前袖ＦＬ及び左後袖ＢＬが分離し、また、右前袖ＦＲ及び右後袖ＢＲが分離するから、例えば、注射、検査等の際でも上腕部のみを露出させやすい。
【０１４２】
本実施の形態１の介護用寝巻１は、長着とする和装品としてそのサイズを設定でき、接着布３１、紐３２等の接続具の位置に体重がかかることがないので異物感がない。
特に、接続具としての接着布３１や紐３２は接続が容易であり、その接続も、袖下６１Ｌ，６２Ｌ、６１Ｒ，６２Ｒ及びそれに連続する脇線６３Ｌ，６４Ｌ、６３Ｒ，６４Ｒの左接続部５０Ｌ及び右接続部５０Ｒからなる脇接続部の接続であるから、被介護者の体勢や向きを変える必要なく、接続操作が容易にできる。
【０１４３】
接続具としての接着布３１、紐３２は、裾側から袖口６５側までの袖下６１Ｌ，６２Ｌ、６１Ｒ，６２Ｒ及びそれに連続する脇線６３Ｌ，６４Ｌ、６３Ｒ，６４Ｒの全長に亘る左接続部５０Ｌ及び右接続部５０Ｒにおいて所定間隔で配置できる。したがって、本実施の形態１の介護用寝巻１では、左接続部５０Ｌ及び右接続部５０Ｒにおける接続具３１，３２の間隔で規定される左前布１０Ｌ及び右前布１０Ｒと背布２０の非結合部位の開放区間５３を有する。よって、カテーテル等の医療用チューブが何本か身体に入っていても開放区間５３にチューブを通過させることができる。また、着衣状態で開放区間５３から被介護者等の手を入れて、介護者に処置を施すことができ便利である。更に、開放区間５３で空気の出入りを許容するから着衣の通気性も良くなる。
【０１４４】
特に、従来の和装の裁断、仕立てでは、身頃の袖付き部分に袖を付け、袖付けから袖下までの部位（着物の振り、人形に相当する部位）が存在する長着において前袖及び後袖の袖下を接続具で接続する構成では、着用する人の脇下に位置する袖下で角部の端（着物の振り、人形に相当する部位の角の端）が存在するから、その角部の端から布が捲れやすい。したがって、捲れ防止のために角部に接続具を配置する必要性が高く、着用する人の脇下の位置で接続具間の間隔配置を大きくとるのに不向きであった。即ち、着用する人の脇下の位置で接続具間の開放区間５３を大きくとることができなかった。
【０１４５】
これに対し、本実施の形態１の介護用寝巻１によれば、袖下６１Ｌ，６２Ｌ、６１Ｒ，６２Ｒから脇線６３Ｌ，６４Ｌ、６３Ｒ，６４Ｒに向かって曲線状に連続させる設計であるから、コーナに角が存在しないことで布端部の身体への当たりが少なく、また、角の端が存在しないことで布が捲れ易いこともない。よって、着衣した人の脇下に位置する部位において接続具３１，３２間の開放区間５３を大きくとることができで、通気性を良くできる。
【０１４６】
そして、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインを曲線状に形成して、左の袖口６５側から身頃側に向かって袖の上下幅を長くし、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインを曲線状に形成して、右の袖口６５側から身頃側に向かって袖の上下幅を長くしているから、袖口６５側は着衣した人の手の動きの邪魔となったり捲れ易くなったりしないような適当な小径で設計できるも、着衣した人の脇側では袖の上下幅が大きくて着衣した人の脇下に余裕を持たせることができる。したがって、腕の動きによっても、布の当たりが少なく、布が腕に纏わり付いたり腕を締め付けたりし難くなる。また、汗がかきやすい脇下に空気の通り道が形成され、通気性を向上させることができ、湿気による不快感、皮膚の湿気上昇による床擦れの誘発を防止できる。また、着衣状態で脇下の位置の空間が広いので、結んだ前の紐３２Ａ，７２Ａを解いて、前側で上前身頃ＵＦ及び下前身頃ＤＦを開けるのみで、脇の下の汗、汚れ等を拭き取るのも容易である。当然、洗濯をしたときでも乾きやすい。
【０１４７】
更に、本実施の形態１の介護用寝巻１では、袖から身頃にかけてのシルエットラインのコーナ部分に角が存在しないことで応力が集中しないので、コーナ部分からの引き裂けを防止でき、耐久性を高めることができる。
【０１４８】
そして、本実施の形態１の介護用寝巻１においては、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものであり、これら左前布１０Ｌ、右前布１０Ｒ及び背布２０は袖山・肩山４１Ｌ，４１Ｒでのみ縫製され、袖山・肩山４１Ｌ，４１Ｒにしか合わせ目が存在せず、着衣した人の背面側において床擦れを生じさせる原因となる合わせ目が少ない。即ち合わせ目である縫目が少ないことで体圧が分散され、肌への刺激が少ない。
【０１４９】
従来の和装の裁断、仕立てでは上下方向に長く背中心に合わせ目が存在していたことで、皺が発生し易く、また、縫代が統一せずに左右に撚れやすく、合わせ目である縫目、縫代が着衣した人の肌に対して刺激となることがあった。
これに対し、本実施の形態１の介護用寝巻１では、左後袖ＢＬ及び右後袖ＢＲと後身頃Ｂとが一体に裁断されてなる背布２０に対し、左前袖ＦＬ及び上前身頃ＵＦが一体に裁断されてなる左前布１０Ｌ、並びに、右前袖ＦＲ及び下前身頃ＤＦが一体に裁断されてなる右前布１０Ｒが袖山・肩山４１Ｌ，４１Ｒでのみ縫製され、着衣した人の背面側では左右の身頃を繋ぐ縫目も左右の袖と後身頃を縫製する縫目も存在しないから、皺も生じ難く、着衣した人への肌当たりも良く、かぶれや床擦れ等の肌へ刺激を軽減できる。また、縫目、縫代に皮膚が引っ掛かることによる生地の緊張、つっぱりも生じ難い。更に、アイロンをするときでも、背中心の縫代の方向を気にすることなく、皺の発生しないアイロン仕上げが容易に可能である。
【０１５０】
特に、左前布１０Ｌ、右前布１０Ｒ及び背布２０は袖山・肩山４１Ｌ，４１Ｒで縫製されているから、左前布１０Ｌ、右前布１０Ｒ及び背布２０が完全に分解しないため、洗濯したときでも管理が容易であり、夜間等の暗闇でも、左前布１０Ｌ、右前布１０Ｒ及び背布２０の組み合わせ方を考慮することなく、袖山・肩山４１Ｌ，４１Ｒの縫代位置を手で確認すれば、表裏を確認できることで、着替えが容易である。
なお、左前布１０Ｌ、右前布１０Ｒと背布２０とを袖山・肩山４１Ｌ，４１Ｒで縫製するその縫目、縫代部分が、着衣１の内側（身体側）でなく、外側にくるように縫製すると、肌への刺激がより少ないものとなる。
【０１５１】
そして、左前布１０Ｌ、右前布１０Ｒ及び背布２０は袖山・肩山４１Ｌ，４１Ｒで縫製されていることで、外形のラインを整え易く、着崩れによる皺の発生を防止でき、位置決めも容易である。また、袖山・肩山４１Ｌ，４１Ｒの強度を確保できる。特に、袖山・肩山４１Ｌ，４１の強度を確保できることで、袖口６５側から引っ張られた時でも、破れ難く、耐久性が高い。即ち、介護の現場では、同じ体勢で長時間寝たきりの状態にある被介護者等に対し、床擦れの予防として、被介護者の体の向きを変えた際や被介護者の着替えを行った際に、介護者が被介護者の着衣にできた皺をのばす（なくす）ことが頻繁に行われる。このとき、例えば、背中の肩側の着衣の皺をのばす際には、着衣の袖口６５側から引っ張ることから、肩山と襟の境界付近に負担が掛かり易い。しかし、本実施の形態１の介護用寝巻１では、左前布１０Ｌ、右前布１０Ｒ及び背布２０は袖山・肩山４１Ｌ，４１Ｒで縫製された縫製部４０を有することで、縫製による強度を高めることができ、肩山と襟の境界付近からの裂けを防止し、耐久性を高めることができる。
【０１５２】
このように、本実施の形態１の介護用着衣としての介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製して、左右の袖山・肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続具３１，３２で接続自在とした右接続部５０Ｒからなる脇接続部とを具備し、左接続部５０Ｌ及び右接続部５０Ｒからなる脇接続部は、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの接続によって筒状に接続される左袖の筒径が袖口６５側から上前身頃ＵＦ及び後身頃Ｂ側へ向かって拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び左後袖ＢＲの接続によって筒状に接続される右袖の筒径が袖口６５側から下前身頃ＤＦ及び後身頃Ｂ側へ向かって拡径している。
【０１５３】
本実施の形態１の介護用着衣としての介護用寝巻１によれば、左前袖ＦＬ及び上前身頃ＵＦが一体に裁断されてなる左前布１０Ｌの上辺、並びに、右前袖ＦＲ及び下前身頃ＤＦが一体に裁断されてなる右前布１０Ｒの上辺と、左後袖ＢＬ及び右後袖ＢＲと後身頃Ｂとが一体に裁断されてなる背布２０の上辺とが縫製部４０によって袖山・肩山４１で縫製されて繋がれているが、左接続部５０Ｌによって左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとが接続具３１，３２で接続自在とされ、また、右接続部５０Ｒによって右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとが接続具３１，３２で接続自在とされている。
【０１５４】
したがって、本実施の形態１の介護用寝巻１によれば、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続されてなる左接続部５０Ｌの接続を解くと、左の袖下６１Ｌ，６２Ｌ及びそれに連続する後身頃Ｂの脇線６３Ｌ，６４Ｌで、背布２０と左前布１０Ｌとを分離して開放できる。また、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを接続具３１，３２で接続されてなる右接続部５０Ｒの接続を解くと、右の袖下６１Ｒ，６２Ｒ及びそれに連続する後身頃Ｂの脇線６３Ｒ，６４Ｒで、背布２０と右前布１０Ｒとを分離して開放できる。よって、背布２０の上（内面側）に介護者を配置し、その配置した介護者に右前布１０Ｒを着せ掛け、また、左前布１０Ｌを着せ掛け、脇線接続部を形成する左接続部５０Ｌ及び右接続部５０Ｒのそれぞれの接続具３１,３２で袖下６１Ｌ，６２Ｌ、６１Ｒ，６２Ｒ及び脇線６３Ｌ，６４Ｌ、６３Ｒ，６４Ｒを接続することで、袖に腕を通す動作を行うことなく、被介護者に自然体で着衣を着せることができる。また、脇線接続部を形成する左接続部５０Ｌ及び右接続部５０Ｒのそれぞれの接続具３１,３２の接続を解くと、背布２０と左前布１０Ｌ及び右前布１０Ｒとを開放できるから、袖から腕を引き抜く動作を行うことなく、着衣を脱がせることができる。
このため、腕の自由がきかない患者であっても、着衣及び脱衣の負担が少なく、容易に着替えを行うことができる。
【０１５５】
特に、本実施の形態１の介護用寝巻１によれば、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものであり、これら左前布１０Ｌ、右前布１０Ｒ及び背布２０は袖山・肩山４１Ｌ，４１Ｒでのみ縫製され、袖山・肩山４１Ｌ，４１Ｒにしか合わせ目である縫目が存在せず、着衣した人の背面側において床擦れを生じさせる原因となる合わせ目が少ない。よって、肌への刺激を少なくできる。
【０１５６】
更に、脇線接続部を形成する左接続部５０Ｌ及び右接続部５０Ｒでは、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインを曲線状に形成し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインを曲線状に形成し、各左右で袖口６５側から身頃側に向かって袖の上下幅を径大としたことから、袖口６５は着衣した人の手の動きの邪魔となったり捲れ易くなったりしないような適当な径で設計できるも、身頃側に向かって袖の上下幅を大きくして余裕を持たせ、また、コーナの角をなくして、着衣した人の脇下の位置で布の身体への当たりを少なくできる。即ち、腕の動きによっても着衣した人の左右の脇下の位置で布が身体に当たり難い。
【０１５７】
加えて、コーナのシルエットラインを曲線状に形成し、腕が入る袖の筒径を袖口６５側から身頃側に向かって径大とし、汗がかきやすい脇下に余裕を持たせて、そこに空気の通り道が形成されるから、通気性を向上させることができ、湿気による不快感、床擦れの誘発を防止できる。
特に、コーナのシルエットラインを曲線状に形成しており角の端が存在しないことで布が捲れ易いこともないから、着用した人の脇下に位置する部位において接続具３１，３２間の開放区間５３を大きくとることができ、通気を良くできる。更に、コーナのシルエットラインを曲線状に形成して角が存在しないことで集中的な負荷（応力集中）が少ないからコーナが裂け難い。即ち、介護者が床擦れ予防のために袖口６５側から着衣を引張り、着衣の皺をのばすことが繰り返し行われる場合でも、袖から身頃に移行する（切替る）コーナ部分が裂け難く、耐久性が高い。加えて、角を持たないことでパイピング処理等によって端部を処理する場合でもパイピング布８１の切込み、重ねを必要とすることなく縫製が容易である。そして、パイピング処理等で端部を処理する際でも、パイピング布８１の重ねによる段差を設けることなく処理できるから、身体への当たりを少なくできる。
【０１５８】
こうして、本実施の形態１の介護用寝巻１によれば、肌への刺激が少なく、また、脇下の位置の通気性を向上できるから、着用時の快適性を向上させることができる。
【０１５９】
ところで、上記実施の形態１では、左前袖ＦＬ及び上前身頃ＵＦが一体に裁断されてなる左前布１０Ｌ、右前袖ＦＲ及び下前身頃ＤＦが一体に裁断されてなる右前布１０Ｒ、並びに、左後袖ＢＬ及び右後袖ＢＲと後身頃Ｂとが一体に裁断されてなる背布２０は、左前布１０Ｌの上辺及び右前布１０Ｒの上辺が背布２０の上辺で縫製されて左右の袖山・肩山４１Ｌ，４１Ｒを形成する縫製部４０とする説明をしたが、本発明を実施する場合には、左前布１０Ｌ、右前布１０Ｒ及び背布２０は、１枚或いは２枚以上を重ねた１単位の布から一体に裁断されてなるものとすることもできる。
【０１６０】
即ち、左前袖ＦＬ及び上前身頃ＵＦが一体に裁断されてなる左前布１０Ｌと、左前布１０Ｌと対称的に配置され、右前袖ＦＲ及び下前身頃ＤＦが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続具３１，３２で接続自在とした右接続部５０Ｒからなる脇接続部とを具備し、左前布１０Ｌ、右前布１０Ｒ及び背布２０は、一体に裁断されてなるものであり、左接続部５０Ｌ及び右接続部５０Ｒからなる脇接続部は、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの接続によって筒状に接続される左袖の筒径が袖口６５側から上前身頃ＵＦ及び後身頃Ｂ側へ向かって拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び左後袖ＢＲの接続によって筒状に接続される右袖の筒径が袖口６５側から下前身頃ＤＦ及び後身頃Ｂ側へ向かって拡径している介護用着衣１とすることもできる。
【０１６１】
このように、左前布１０Ｌ、右前布１０Ｒ及び背布２０が一体に裁断されてなる介護用着衣１では、１枚或いは２枚以上を重ねた１単位の布から左前布１０Ｌ、右前布１０Ｒ及び背布２０が一体に連続的に継目（縫目）のない状態で形成されるから、袖山・肩山４１Ｌ，４１Ｒに縫目（合わせ目）が存在しないものとなる。勿論、左前袖ＦＬと上前身頃ＵＦの間に縫目も存在せず、また、右前袖ＦＲ及び下前身頃ＤＦの間に縫目は存在せず、更に、左後袖ＢＬ及び右後袖ＢＲと後身頃Ｂとの間にも縫目が存在しない。これら左前布１０Ｌ、右前布１０Ｒ及び背布２０の間で接ぎ合わせた縫目が存在しないから、着衣した人に対して床擦れを生じさせる原因となる合わせ目が少なく、体圧が分散され、肌への刺激がより少ないものとなる。また、袖山・肩山４１Ｌ，４１Ｒで縫製しないから、製造も容易である。
なお、着衣した人の前側に位置する左前布１０Ｌと着衣した人の後側に位置する背布２０の切替部分（折目部分）の山が袖山・肩山４１Ｌに相当し、また、着衣した人の前側に位置する右前布１０Ｒと着衣した人の後側に位置する背布２０の切替部分（折目部分）の山が袖山・肩山４１Ｒに相当する。
【０１６２】
更に、上記実施の形態１では、右腕及び左腕の不自由な被介護者、或いは手足の不自由な被介護者を前提に説明したが、右腕または左腕が不自由な人の場合には、次の変形例とすることもできる。
本実施の形態１に係る変形例１を図１０に示す。変形例１に係る介護用寝巻１は、左腕のみが不自由な被介護者の介護用着衣として、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続自在とした左接続部５０Ｌはそのままで、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを接続する右接続部５０Ｒを縫製によって接続したものである。
【０１６３】
即ち、変形例１の脇接続部の構成は、背布２０の左後袖ＢＬの袖下６２Ｌ及びそれに連続する後身頃Ｂの脇線６４Ｌとを接続具３１，３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを縫製した右接続部５０Ｒとしての右縫製部１５０Ｒからなる。
【０１６４】
このように変形例１では、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを縫製してなる右縫製部１５０Ｒは、通常の形態の縫製として縫付けている。したがって、左腕のみが不自由で右腕が健常な人の介護用着衣として、健常な右腕は、袖下が縫製されている右前袖ＦＲ及び右後袖ＢＲからなる右袖の筒に通し、右半身は通常のように着せ掛けることができる。つまり、右腕の一方のみの腕を健常者と同等に対応できる。
【０１６５】
右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを縫製してなる右縫製部１５０Ｒであっても、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の上下幅が拡径しているから、寝た状態の姿勢のままでも右袖に腕を通しやすい。
【０１６６】
一方、不自由な左腕側は、左接続部５０Ｌの袖下６１Ｌ，６２Ｌ及びそれに連続する脇線６３Ｌ，６４Ｌの接続具３１，３２を解除すると、袖下６１Ｌ，６２Ｌで左前袖ＦＬ及左後袖ＢＬに分かれ逆Ｕ字状に開くからその間に左腕を入れて、袖下６１Ｌ，６２Ｌ及びそれに連続する脇線６３Ｌ，６４Ｌの左接続部５０Ｌの接続具３１，３２を接続状態とすることで、着せることができる。健常な右腕側の手を使用して着る場合でも容易にできる。
【０１６７】
着衣を脱ぐ際でも、健常な右腕は通常と同様に袖から腕を引き抜くことで、脱ぐことができる。特に、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の上下幅が拡径しているから、袖から手を引き出すのも容易であり、例えば、注射、検査等の際でも肩及び上腕部のみを露出させやすい。
【０１６８】
一方、不自由な左腕側は、袖から腕を引き抜く動作をしなくとも、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、左前布１０Ｌと背布２０とを分離して脱がせることができる。なお、変形例１に係る介護用着衣１においても、上前身頃ＵＦと下前身頃ＤＦを前合わせし、上前身頃ＵＦと下前身頃ＤＦの脇線６３Ｌ，６３Ｌ、６３Ｒ，６４Ｒに設けた紐３２Ａと反対側の端部に設けた紐７２Ａの結びによって、上前身頃ＵＦと下前身頃ＤＦが開かれるのを防止できる。
したがって、左腕が不都合な人であっても、自分が着衣を身に付けるのに協力できるという満足感が得られる。
なお、着衣する場合、脱衣する場合には、不自由な手を先に通したり、後に通したりでき、また、身体の自由がどれだけ利くかによっても着脱の手順に違いがでる。
【０１６９】
このように変形例１に係る介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦとが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製してなり、左右の袖山及び肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒとしての右縫製部１５０Ｒからなり、右接続部５０Ｒとしての右縫製部１５０Ｒが縫製によって接続され、左接続部５０Ｌが接続具３１，３２で接続自在とされた脇接続部とを具備し、脇接続部は左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の筒径（上下幅）が拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の筒径が拡径している。
【０１７０】
変形例１においても、被介護者が仰向けに寝た姿勢の状態のままで、被介護者の左または右側から着衣１を被介護者の身体の下側に潜らせて身体の上を摺動させ、背布２０の上に被介護者が配置するようにし、右縫製部１５０Ｒで縫製された右前袖ＦＲ及び右後袖ＢＲからなる右袖に右腕を通し、下前身頃ＤＦを身体に着せ掛け、また、左前袖ＦＬを左腕に被せ、上前身頃ＵＦを身体に着せ掛ける。更に、左接続部５０Ｌを接続具３１,３２で接続する。その後、紐３２Ａ，７２Ａを結んで前を閉じる。
したがって、被介護者が仰向けに寝ころべば、自然体で着衣を着せることができる。
【０１７１】
更に、この種の変形例２を図１１に示す。変形例２に係る介護用寝巻１は、右腕のみが不自由な被介護者の介護用着衣として、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒを接続具３１，３２で接続自在とした右接続部５０Ｒはそのままで、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左縫製部１５０Ｌを縫製によって接続したものである。
【０１７２】
即ち、変形例２の脇接続部の構成は、背布２０の左後袖ＢＬの袖下６２Ｌ及びそれに連続する後身頃Ｂの脇線６４Ｌとを縫製した左接続部５０Ｌとして左縫製部１５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続具３１，３２で接続自在とした右接続部５０Ｒからなる。
【０１７３】
このように変形例２では、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを縫製してなる左縫製部１５０Ｌは、通常の形態の縫製として縫付けている。したがって、右腕のみが不自由で左腕が健常な人の介護用着衣として、健常な左腕は、袖下が縫製されている左前袖ＦＬ及び左後袖ＢＬからなる左袖の筒に通し、左半身は通常のように着せ掛けることができる。つまり、左腕の一方のみの腕を健常者と同等に対応できる。
【０１７４】
左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを縫製してなる左縫製部１５０Ｌであっても、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦＦ及び後身頃Ｂ側へ向かって袖の上下幅が拡径しているから、寝た状態の姿勢のままでも左袖に腕を通しやすい。
【０１７５】
一方、不自由な右腕側は、右接続部５０Ｌの袖下６１Ｒ，６２Ｒ及びそれに連続する脇線６３Ｒ，６４Ｒの接続具３１，３２を解除すると、袖下６１Ｒ，６２Ｒで右前袖ＦＲ及右後袖ＢＲに分かれ逆Ｕ字状に開くからその間に右腕を入れて、袖下６１Ｒ，６２Ｒ及びそれに連続する脇線６３Ｒ，６４Ｒの右接続部５０Ｒの接続具３１，３２を接続状態とすることで、着せることができる。健常な左腕側の手を使用して着る場合でも容易にできる。
【０１７６】
着衣を脱ぐ際でも、健常な左腕は通常と同様に袖から腕を引き抜くことで、脱ぐことができる。特に、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の上下幅が拡径しているから、袖から手を引き出すのも容易であり、例えば、注射、検査等の際でも肩及び上腕部のみを露出させやすい。
【０１７７】
一方、不自由な右腕側は、袖から腕を引き抜く動作をしなくとも、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、右前布１０Ｒと背布２０とを分離して脱がせることができる。なお、変形例２に係る介護用着衣１においても、上前身頃ＵＦと下前身頃ＤＦを前合わせし、上前身頃ＵＦと下前身頃ＤＦの脇線６３Ｌ，６３Ｌ、６３Ｒ，６４Ｒに設けた紐３２Ａと反対側の端部に設けた紐７２Ａの結びによって、上前身頃ＵＦと下前身頃ＤＦが開かれるのを防止できる。
したがって、右腕が不都合な人であっても、自分が着衣を身に付けるのに協力できるという満足感が得られる。
なお、着衣する場合、脱衣する場合には、不自由な手を先に通したり、後に通したりでき、また、身体の自由がどれだけ利くかによっても着脱の手順に違いがでる。
【０１７８】
このように変形例２に係る介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦとが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製してなり、左右の袖山及び肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌとしての左縫製部１５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒからなり、左接続部５０Ｌとしての左縫製部１５０Ｌが縫製によって接続され、右接続部５０Ｒが接続具３１，３２で接続自在とされた脇接続部とを具備し、脇接続部は左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の筒径（上下幅）が拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の筒径が拡径している。
【０１７９】
変形例２においても、被介護者が仰向けに寝た姿勢の状態のままで、被介護者の左または右側から着衣１を被介護者の身体の下側に潜らせて身体の上を摺動させ、背布２０の上に被介護者が配置するようにし、左縫製部１５０Ｌで縫製された左前袖ＦＬ及び左後袖ＢＬからなる左袖に左腕を通し、上前身頃ＵＦを身体に着せ掛け、また、右前袖ＦＲを右腕に被せ、下前身頃ＤＦを身体に着せ掛ける。更に、右接続部５０Ｒを接続具３１,３２で接続する。その後、紐３２Ａ，７２Ａを結んで前を閉じる。
したがって、被介護者が仰向けに寝ころべば、自然体で着衣を着せることができる。
【０１８０】
こうして上記変形例１、変形例２から、本発明を実施する場合には、脇接続部の構成は、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒからなり、左接続部５０Ｌ及び右接続部５０Ｒの一方を、縫製によって接続し、他方を接続具３１,３２で接続自在としてもよい。
また、本発明を実施する場合には、上記変形例１、変形例２に係る介護用着衣１においても、左前布１０Ｌ、右前布１０Ｒ及び背布２０を一体に連続的に継目（縫目）のない状態で形成してもよい。
【０１８１】
なお、被介護者が仰向けに十の字に寝ころべば、自然体で着衣を着せることを前提に説明したが、本発明を実施する場合には、被介護者が何も手にすることなく自立したり、何かに掴って自立できる場合には、立った状態で着付けることができる。この場合には、環境温度が低くても、部分的に肌を出すことができ、風呂から出た後でも、湯冷めしないで体を拭くことができる。また、お湯で体をふく場合にも他の部分が着衣しているから余り寒さを感じない。
【０１８２】
［実施の形態２］
上記実施の形態１では、通常の寝巻と同様、折り畳んで移動される旨説明したが、クリーニングした本実施の形態２の介護用着衣は、容易に折り畳みが解除されないようにすることができる。図１２及び図１３はその例である。
【０１８３】
本実施の形態２の介護用着衣１は、背布２０の後身頃Ｂ側で左右両方の袖山・肩山４１Ｌ，４１Ｒの肩山側の両肩山または両肩山から０〜１０ｃｍ低くした位置を上辺Ｔとし、袖口６５の長さｍ（図３参照）以上の所定長さの右辺Ｖ、左辺Ｗをとり、その端部を結ぶ線を下辺Ｘとする布地１０１が縫付けられている。布地１０１は、本実施の形態２の介護用着衣１が寝巻である場合には、その寝巻の柄が付いた布地が好ましく、左前布１０Ｌ、右前布１０Ｒ及び背布２０と共地でも良い。所定寸法の生地から左前布１０Ｌ、右前布１０Ｒ及び背布２０を裁断したときの余剰部で作製することもできる。勿論、パワーネット等の編目を形成した布地１０１としてもよいし、弾性のない編目でもよい。
【０１８４】
この布地１０１の上辺Ｔを背布２０の後身頃Ｂ側で左右両方の袖山・肩山４１Ｌ，４１Ｒの肩山側または肩山側から０〜１０ｃｍ低くした位置に縫い付ける。また、下辺Ｘはその右辺Ｖの下端、左辺Ｗの下端を直角三角形状に縫い付ける。右辺Ｖの下端と左辺Ｗの下端が、直角を挟む直角三角形の両辺が２〜５ｃｍ程度の距離としている。
【０１８５】
このように、本実施の形態２の介護用着衣１は、背布２０の後身頃Ｂ側に布地１０１の上辺Ｔを縫製し、また、布地１０１の右辺Ｖの下端及び左辺Ｗの下端を背布２０の後身頃Ｂ側に縫製する。このとき布地１０１は下辺Ｘの両端が直角三角形状に縫製されており、開口は、布地１０１の右辺Ｖ、左辺Ｗ、下辺Ｘの３辺となる。
布地１０１の上辺Ｔは縫製されているから、上辺Ｔ側に布地１０１に収納した介護用着衣１の一部が食み出すことがない。
そして、下辺Ｘの両端が直角三角形状に縫製された布地１０１は、当該縫製部分が下辺Ｘの両端に位置するから、被介護者の左右側面に位置することになる。したがって、被介護者はこれによって違和感がない。また、上辺Ｔについても同様である。
【０１８６】
したがって、例えば、図１３に示すように、左前袖ＦＬ及び左後袖ＦＲからなる左袖側、及び／または、右前袖ＦＲ及び右後袖ＢＲからなる右袖側を折り畳み、背布２０の後身頃Ｂ側と布地１０１の間に収納することができる。また、上前身頃ＵＦ側及び下前身頃ＤＦ側は、後身頃Ｂ側と共に２重または３重以上に折り畳んで下辺Ｘ側から挿入し、それを布地１０１で保持できる。
ここで、折り畳む左袖または右袖は、片方でも、両側でも収容できる。また、上前身頃ＵＦ側及び下前身頃ＤＦ及び後身頃Ｂ側を折り畳んだもののみを収納してもよい。
【０１８７】
このように、本実施の形態２の介護用着衣１は、背布２０の前身頃ＵＦ及び下前身頃ＤＦ側とは反対側で、即ち、背布２０の後身頃Ｂ側の外面側で、布地１０１の上辺Ｔを縫製し、また、布地１０１の右辺Ｖの下端及び左辺Ｗの下端を後身頃Ｂに縫製することによって、布地１０１の右辺Ｖ、左辺Ｗ、下辺Ｘの３辺側が背布２０の後身頃Ｂ側との間で開口を有し、背布２０の後身頃Ｂ側と布地１０１の間で、左前袖ＦＬ及び左後袖ＦＲからなる左袖側や、右前袖ＦＲ及び右後袖ＢＲからなる右袖側や、上前身頃ＵＦ側及び下前身頃ＤＦ側及び後身頃Ｂ側を収納する収納部１００を形成したものである。
【０１８８】
即ち、背布２０の後身頃Ｂ側であって、上前身頃ＵＦ及び下前身頃ＤＦ側とは反対側で、左前袖ＦＬ及び左後袖ＦＲからなる左袖側や、右前袖ＦＲ及び右後袖ＢＲからなる右袖側を収納でき、また、上前身頃ＵＦ側及び下前身頃ＤＦ側及び後身頃Ｂ側を共に収納できる収納部１００を布地１０１で形成したものである。
【０１８９】
収納部１００は、左右から挿入する左袖、右袖の収容用とすることもできるし、下側から挿入する上前身頃ＵＦ及び下前身頃ＤＦ及び後身頃Ｂの収納用とすることもできる。
この収納部１００は、嵩張らないものであり、後身頃Ｂに対する取付け位置が人体の体重が加わる位置にないから、使用に際して不快感が生ずることがない。
【０１９０】
こうして、上記実施の形態２の介護用着衣１の後身頃Ｂには、上前身頃ＵＦ及び下前身頃ＤＦの反対側で、左前袖ＦＬ及び左後袖ＦＲからなる左袖並びに右前袖ＦＲ及び右後袖ＢＲからなる右袖、及び／または、後身頃Ｂ及び上前身頃ＵＦ及び下前身頃ＤＦを収納する収納部１００を配設したものであるから、折り畳みの際に右袖側、左袖側が移動しないように収納部１００に入れて、固定することができる。また、上前身頃ＵＦ及び下前身頃ＤＦ側についても後身頃Ｂ側と共に収容することができる。
【０１９１】
特に、クリーニング後に、右袖を収納部１００に入れて、更に、左袖を収納部１００に入れ、また、上前身頃ＵＦ及び下前身頃ＤＦ及び後身頃Ｂを畳んで収納部１００で収容することにより、搬送されても袖とか身頃がとび出すことがない。
また、搬送の際には、クリーニングの後、プラスチック袋に収納するが、プラスチック袋から出しても折り畳んだ形が崩れることがない。
【０１９２】
更に、寝たきりの被介護者では、寝具の上に同じ姿勢で長時間でいることから、その背面側に汗をかきやすいが、吸水性の布地１０１であると汗が吸収されやすいから、湿気の上昇を防ぐことができ、着用時の快適性が増す。また、湿気の上昇が防止されるから、皮膚の炎症、床擦れ等の悪化を防止できる。
その他の構成については、上記実施の形態１とほぼ同一であるから、上記実施の形態１と同様の作用効果が得られる。
【０１９３】
［実施の形態３］
本実施の形態３に係る介護用着衣１は、図１４に示すように、汗や尿等の水分を吸収し、汗や尿等の排泄物で後身頃Ｂや左前布１０Ｌ及び右前布１０Ｒが汚れるのを防止するための吸水・防水シート２００を背布２０の後身頃Ｂの裏面（ｂｃ）側（内面側）に着脱自在に設けたものである。
なお、図１４乃至図１９において、吸水・防水シート２００において身体に触れる側を表面側ｆｃとし、その反対面側で後身頃Ｂの裏面ｂｃ側（内面側）と対向させる側が吸水・防水シート２００の裏面ｂｃ側である。
【０１９４】
吸水・防水シート２００は、汗や尿等の水分、液体を吸収し、かつ、それらを通過させないで保持する構成であればよく、例えば、透水性（透液性）の表面シートと、防水性（不透水性、不透過性）の裏面シートと、表面シートと裏面シートとの間に吸水体等を挟み込んだ複層構造の積層複合体が使用される。
【０１９５】
表面に位置する透水性シートは、少なくとも垂直下方向に透過する能力があり、水分等の液体を吸収体側に導くことができるもの、例えば、合成繊維、天然繊維からなる織布、スパンボンド不織布、不織布、穿孔した開孔フィルム、紙等の使用が可能である。具体的には、例えば、ポリプロピレンポリエステル、ポリエチレン等の複合繊維または単繊維繊の材料を使用できる。また、不織布は、ピンポイントボンド、スパンボンド等のサーマルボンド不織布やスパンレース不織布等の不織布であってもよいし、所定の繊維をカーディングによりウエブ化したエアスルー不織布であってもよい。肌触り感の良いものが選択されるが、単に一重のシートではなく、肌触り感をだす等の目的に応じてタオル地のようなパイル地、即ち、織物の片面または両面に毛羽や輪奈を織り出した生地や、ガーゼ地等からなる生地、綿、麻、絹等の布シート、或いは、紙シートを重ねたシートとして使用してもよい。吸水体に液体が吸水されていても透水性シートによって濡れ感、不快感を軽減できる。
【０１９６】
吸水体は、水分等の液体を吸収し、それを保持する材料から構成され、例えば、パルプ繊維等の親水性繊維、吸収性ポリマー、脱脂綿、スポンジ等の吸水性多孔質体の材料が使用される。親水性繊維は織物または不織布の形態で使用されたり、波状に表面に襞、皺を付したシートとして使用されたりすることもある。また、吸収性ポリマーをパルプ繊維等の綿花状の親水性繊維に保持したり、更に、それらをスポンジ等の吸水性多孔質体の表裏に配置したりする複合構造、複合体であってもよい。吸収性ポリマーは、水分の吸収によってゼリー状に固まり、逆戻りを防ぐものを使用してもよい。
【０１９７】
裏面に位置する防水性シートは、水分を通過させない透過性（浸透性）のないシートであり、液体不透過性材料であり、例えば、ポリエチレン、ポリプロピレン、ポリウレタン、ポリエチレンテレフタレート等の高分子化合物製のフィルム等からなる合成樹脂シートや、紙シート、布シート、ゴムシート等が使用される。
【０１９８】
これら透水性シート、吸水体及び防水性シートは、例えば、溶着によって接合され一体化され積層複合体を構成しているが、これらの機能がまとまった単層構造のものであってもよい。即ち、単数枚で吸水性及び防水性の機能を持たせたものであってもよい。
このような吸水・防水シート２００は、所定の材料の選択により使い捨てとしてもよいし、繰り返しの洗濯に対しても耐えることができる布等の材料で構成してもよい。また、消臭機能を持たせても良い。
【０１９９】
吸水・防水シート２００は、例えば、５０ｃｍ〜７０ｃｍ（横幅）×４０ｃｍ〜７０ｃｍ（縦幅）の寸法で形成される。通常、後身頃Ｂの横幅（脇線間の長さ）を超えない長さに設定されるが、一部を延設して、後身頃Ｂの外面側（表面側）で接続するようにしてもよい。この吸水・防水シート２００は、図１４に示すように、後身頃Ｂの裏面（ｂｃ）側、即ち、後身頃Ｂの上前身頃ＵＦ及び下前身頃ＤＦ側で、着衣した人の腰、臀部の位置を中心にあてられるように配設される。
【０２００】
そして、本実施の形態３においては、四角形状等に形成された吸水・防水シート２００の４隅に、背布２０の後身頃Ｂに着脱自在に取付けるためのシート側取付部２１０を設け、一方で、背布２０の後身頃Ｂに吸水・防水シート２００のシート側取付部２１０に対応する身頃側取付部２２０を設けて、シート側取付部２１０と身頃側取付部２２０の接続により、後身頃Ｂの裏面（ｂｃ）側に吸水・防水シート２００の取付けを可能としている。
【０２０１】
例えば、図１５（ａ）に示すように、吸水・防水シート２００が繰り返しの洗濯に対して耐える布等で形成する場合では、シート側取付部２１０及び身頃側取付部２２０として１対の接着布２１１，２２１の使用によって、背布２０の後身頃Ｂの裏面（ｂｃ）側に吸水・防水シート２００を着脱自在に取付けることができる。なお、使い捨てとしない布からなる吸水・防水シート２００では、必要に応じてパイピング２０１で端部の処理がなされる。
【０２０２】
即ち、吸水・防水シート２００のシート側取付部２１０を面ファスナ等の接着布２１１の雄側または雌側の一方で構成し、後身頃Ｂの脇線６４Ｒ側に身頃側取付部２２０として接着布２１１に対応する他方の雄側または雌側の接着布２２１を設ける。これら１対の接着布２１１，２２１の接合により吸水・防水シート２００を後身頃Ｂの裏面（ｂｃ）側に取付けることができる。または、その接続を解除することができる。
【０２０３】
このとき、図１５（ａ）に示すように、左前布１０Ｌ及び右前布１０Ｒと背布２０とを接続する左接続部５０Ｌ、右接続部５０Ｒの接続具としての接着布３１を利用し、それと兼用することも可能である。この場合には、左前布１０Ｌ及び右前布１０Ｒと背布２０とを接続可能とし、かつ、吸水・防水シート２００の接着布２１１を接合可能な程度の大きさで接着布２２１の面積が設定される。接着布２１１，２２１であれば着脱も極めて容易である。なお、接着布２２１の位置は、脇線側であり被介護者の体重が加わる箇所でないので吸水・防水シート２００を取付けないときでも肌を刺激し難い位置である。
【０２０４】
ここで、身頃側取付部２２０としての接着布２２１は、後身頃Ｂ側に直接縫付けてもよいが、例えば、図１６（ａ）に示すように、後身頃Ｂの脇線６４Ｒから外側に布地を突設した突設部２２１ａを設け、そこに接着布２２１を縫付けてもよい。このとき、接着布２２１は、後身頃Ｂの脇線６４Ｒから外側に突出した状態で、後身頃Ｂの裏面（ｂｃ）側と同一方向の面に取付ける。
【０２０５】
これより、吸水・防水シート２００を後身頃Ｂの裏面（ｂｃ）側に取付けるときは、図１６（ｂ）に示すように、突設部２２１ａを後身頃Ｂの脇線６４Ｒより内側に折曲げ後身頃Ｂの裏面（ｂｃ）側に重なるように配置し、後身頃Ｂと突設部２２１ａの間に吸水・防水シート２００を配置する。そして、突設部２２１ａに設けた接着布２２１と吸水・防水シート２００の表面（ｆｃ）側に設けた接着布２１１を接合することで、吸水・防水シート２００を後身頃Ｂの裏面（ｂｃ）側に取付けることができる。
【０２０６】
一方で、吸水・防水シート２００を取付けないときは接着布２２１が取付けられた突設部２２１ａを後身頃Ｂの脇線６４Ｒの外側に突出させることで、吸水・防水シート２００を取付けないときでも肌を刺激したり違和感を与えたりすることがない。即ち、着衣した人の身体の一部が移動するときでも、また寝返りをうつときでも、身体の肌に接合面が接触しないから異物感が少なくなる。
【０２０７】
或いは、図１６（ｃ）に示すように、接着布２２１に対応する位置で上前身頃ＵＦ、下前身頃ＤＦの表面（ｆｃ）側（外面側）に、接着布２２１に対応させる接着布２２１ｂを設け、吸水・防水シート２００を取付けないときは、上前身頃ＵＦ、下前身頃ＤＦと後身頃Ｂを接続したときに、突設部２２１ａを環状を描くように接着布２１１及び接着布２２１ｂを接続してもよい。即ち、接着布２２１及び接着布２２１ｂで上前身頃ＵＦ、下前身頃ＤＦと後身頃Ｂを接続する接続具３１として機能させるようにしてもよい。なお、接着布２１１及び接着布２２１ｂの位置も肌を刺激したり違和感を与えたりすることがない位置である。即ち、着衣した人の身体の一部が移動するときでも、また寝返りをうつときでも、身体の肌に接合面が接触しないから異物感が少なくなる。
【０２０８】
また、図１７（ａ）乃至図１７（ｃ）に示すように、後身頃Ｂの脇線６４Ｒ側に身頃側取付部２２０として所定形状の孔２２２を形成してもよい。このように、身頃側取付部２２０として孔２２２を形成しておくことで、吸水・防水シート２００のシート側取付部２１０の多種の態様に対応することができる。
【０２０９】
例えば、図１７（ａ）に示すように、吸水・防水シート２００に突設部２１１ａを形成し、そこに１対の面ファスナからなる接着布２１１を取付けることによりシート側取付部２１０を設ける。このような構成のシート側取付部２１０では、後身頃Ｂに設けた身頃側取付部２２０としての孔２２２にシート側取付部２１０の突出部２１１ａを通して環状にし、一対の接着布２１１を接合させることで、吸水・防水シート２００を後身頃Ｂの裏面（ｂｃ）側に簡単に取付けることができる。
【０２１０】
また、図１７（ｂ）に示すように、吸水・防水シート２００にシート側取付部２１０として１本または２本の紐２１３を設ける。このような構成のシート側取付部２１０でも、後身頃Ｂに設けた身頃側取付部２２０としての孔２２２に紐２１３を通して結ぶことで、吸水・防水シート２００を後身頃Ｂの裏面（ｂｃ）側に簡単に取付けることができる。なお、吸水・防水シート２００が使い捨てタイプのものでは、後述するように、紐２１３を直接的に吸水・防水シート２００に取付けなくても、図１９（ｂ）に示すように、吸水・防水シート２００に紐２１３を通すための穴２１３ａを設け、または、図１９（ｃ）に示すように、吸水・防水シート２００にナイロン製等の環状部２１３ｂを取付け、穴２１３ａや環状部２１３ｂに紐２１３を通して取付けてもよい。これによれば、紐２１３の使い回しが可能であり、低コストでシート側取付部２１０を形成できる。
更に、孔２２２に掛けられるボタンを用いてシート側取付部２１０を構成してもよい。
このように身頃側取付部２２０を孔２２２で構成すると、吸水・防水シート２００を取付けないときでも、肌への刺激や違和感を与えることがない。即ち、着衣した人の身体の一部が移動するときでも、また寝返りをうつときでも肌に接触したときの異物感が少ない。また、シート側取付部２１０の多種の構造に対応できる。
【０２１１】
その他にも、図１８（ａ）に示すように、防水・吸水シート２００のシート側取付部２１０を紐２１３で構成し、後身頃Ｂの身頃側取付部２２０を紐２２３で構成して、紐２１３，２２３を結ぶことにより、防水・吸水シート２００を後身頃Ｂの裏面（ｂｃ）側に取付けてもよい。身頃側取付部２２０が紐２２３であれば、吸水・防水シート２００を取付けないときでも、肌への刺激や違和感を与えることがない。即ち、着衣した人の身体の一部が移動するときでも、また寝返りをうつときでも肌に接触したときの異物感が少ない。
更に、左前布１０Ｌ及び右前布１０Ｒと背布２０とを接続する左接続部５０Ｌ、右接続部５０Ｒの接続具としての紐３２を身頃側取付部２２０として兼用してもよい。
【０２１２】
使い捨てタイプの吸水・防水シート２００では、例えば、図１８（ｂ）に示すように、吸水・防水シート２００のシート側取付部２１０を粘着テープ２１２で構成し、後身頃Ｂの脇線６４Ｒ側に身頃側取付部２２０として、粘着テープ２１２の貼付けを可能とするナイロン地２２４を縫い付け等によって設けることで、粘着テープ２１２のナイロン地２２４への貼付けにより、吸水・防水シート２００を後身頃Ｂの裏面（ｂｃ）側に取付けることができる。ナイロン地２２４であれば、粘着テープ２１２の着脱が容易であり、粘着テープ２１２の繰り返しの脱着によっても生地を傷め難い。更に、吸水・防水シート２００を取付けないときでも、シート側取付部２１０がナイロン地２２４であるから肌を刺激したりすることもない。即ち、着衣した人の身体の一部が移動するときでも、また寝返りをうつときでも、身体の肌に接触したときの異物感が少ない。
勿論、粘着テープ２１２の着脱が容易で、繰り返しの脱着によっても生地を傷め難いものであれば、ポリエステル等の生地を用いてもよい。
吸水・防水シート２００が使い捨てタイプのものであっても粘着テープ２１２であれば低コストでシート側取付部２１０を設けることができる。
【０２１３】
更に、図１９に示すように、後身頃Ｂの脇線６４Ｒ側に設ける身頃側取付部２２０を、ナイロン製の生地で環状を形成してなる環状部２２５で形成してもよい。身頃側取付部２２０としてナイロン製生地等からなる環状部２２５を後身頃Ｂの脇線６４Ｒ側に縫付けることで、例えば、図１９（ａ）に示すように、吸水・防水シート２００のシート側取付部２１０を紐２１３で構成したときに、この紐２１３を後身頃Ｂに取付けた環状部２２５の環に通し、紐２１３を結ぶことにより、吸水・防水シート２００を後身頃Ｂの裏面（ｂｃ）側に取付けることができる。なお、１本の紐２１３で結ぶようにしても２本用いてもよい。
【０２１４】
吸水・防水シート２００が使い捨てタイプのものでは、紐２１３を直接的に吸水・防水シート２００に取付けなくても、図１９（ｂ）に示すように、吸水・防水シート２００に紐２１３を通すための穴２１３ａを設けたり、図１９（ｃ）に示すように、ナイロン製等の環状部２１３ｂを取付け、それに紐２１３を通して取付けてもよい。この場合、紐２１３は付属的なものとして使い回しでき、低コストでシート側取付部２１０を形成できる。なお、後身頃Ｂの脇線６４Ｒから外側に突出させるように環状部２２３を設けてよい。この場合には、開放区間５３から紐２１３を通すことで、脇線６４Ｒの外側で紐２１３を結ぶようにしてもよく、脇線６４Ｒの外側であると、着衣した人の身体の一部が移動するときでも、また寝返りをうつときでも、異物感を与えることがない。
【０２１５】
或いは、図１９（ｄ）に示すように、後身頃Ｂの脇線６４Ｒ側に設ける身頃側取付部２２０としての環状部２２５をナイロン製等の生地で形成していると、吸水・防水シート２００のシート側取付部２１０を粘着テープ２１２で構成しても、粘着テープ２１２のナイロン製等の環状部２２５への貼付けにより、吸水・防水シート２００を後身頃Ｂの裏面（ｂｃ）側に取付けることができる。そして、粘着テープ２１２の着脱が容易であり、粘着テープ２１２の繰り返しの脱着によっても生地を傷め難い。更に、環状部２２５をナイロン製等の生地で形成していると、吸水・防水シート２００を取付けないときでも、肌を刺激したりすることもない。
【０２１６】
このように、身頃側取付部２１０としての接着布２２１、穴２２２、紐２２３、ナイロン地２２４、環状部２２５等によって、後身頃Ｂの裏面側に対して着衣する人の背面側にあてがう吸水・防水シート２００を着脱自在に取付ける取付手段を構成でき、吸水・防水シート２００のシート側取付部２１０としての接着布２１１、粘着テープ２１２、紐２１３との接続により後身頃Ｂの裏面側に対して吸水・防水シート２００を取付けることができる。また、その解除を行うことができる。なお、本発明を実施する場合には、取付手段は上記に限定されず、例えば、ドット釦、ボタン及びボタンホール、スナップボタン等であってもよい。また、上記で説明した穴と紐、穴とボタン、穴と接着布を設けた突設部等の組合せは、身頃側取付部２２０とシート側取付部２１０とで逆にしてもよい。
【０２１７】
このようにして、本実施の形態３に係る介護用着衣１は、後身頃Ｂに対して吸水・防水シート２００が着脱自在に取付けられるための取付手段としての身頃側取付部２２０を脇線６４Ｒ，６４Ｌ側に有し、吸水・防水シート２００には後身頃Ｂに対して着脱自在に取付けるためのシート側取付部２１０が設けられ、身頃側取付部２１０とシート側取部２２０の接続により、背布２０を形成する後身頃Ｂの裏面（ｆｃ）側（内面側）に対して吸水・防水シート２００が着脱自在に設けられるものである。
なお、図１５乃至図１９において、後身頃Ｂの右の脇線６４Ｒ側に取付手段としての身頃側取付部２２０を設けているが、後身頃Ｂの左の脇線６４Ｌ側も同様である。また、図１４において、身頃側取付部２２０は後身頃Ｂの右の脇線６４Ｒ側の２箇所、後身頃Ｂの左の脇線６４Ｌ側の２箇所の計４箇所であるが、それ以上の数であっても良いし、それ以下の数であってもよく、吸水・防水シート２００が位置ずれしない固定であればよい。
【０２１８】
したがって、本実施の形態３に係る介護用着衣１によれば、着衣した人が発汗したときでも、また、尿が漏れたときでも、その汗や尿が吸水・防水シート２００に吸収され保水、防水により汗や尿を後身頃Ｂ側に通過せず、また、排泄物の汚れをキャッチすることができるから、汗や尿によって着衣が濡れたり汚れたりするのを防止できる。即ち、吸水・防水シート２００によって汗や排泄物等の汚れから着衣を保護できる。そして、着衣した人が発汗したときでも、また、尿が漏れたときでも、着衣を着替えることなく吸水・防水シート２００を清潔なものと交換するのみでよいから、少ない労力で済み、被介護者及び介護者の手間や負担を減らすことができる。吸水・防水シート２００の吸収力によって床ずれの原因ともなる身体側の湿気を少なくでき、快適である。特に、寝たきりの被介護者では、寝具の上に同じ姿勢で長時間でいることから、その背面側に汗をかきやすいが、上前身頃ＵＦ及び下前身頃ＤＦの反対側で後身頃Ｂに吸水・防水シート２００を取付けることによって、吸水・防水シート２００に汗が吸収され、汗疹等の皮膚の炎症の予防策にもなり、着衣時の快適性が増す。吸水・防水シート２００に汗等が吸収されるから、汗等で濡れ、汚れた着衣１を我慢してきている必要が無くなり、吸水・防水シート２００を取り替えるのみで、常に清潔な状態で着衣１を着用できる。したがって、常に心身共に気持がよい状態で着用できる。
その他の構成については、上記実施の形態１と略同一であるから、上記実施の形態１と同様の作用効果が得られる。
【０２１９】
このように、本実施の形態３に係る介護用着衣１は、上前身頃ＵＦ及び下前身頃ＤＦの反対側で後身頃Ｂに対して着衣する人の背面側にあてがう吸水・防水シート２００を着脱自在に取付けるための取付手段としての身頃側取付部２２０が後身頃Ｂに設けられたものである。そして、後身頃Ｂの上前身頃ＵＦ及び下前身頃ＤＦの反対側には、取付手段としての身頃側取付部２２０によって吸水・防水シート２００が取付自在である。
したがって、取付手段としての身頃側取付部２２０によって後身頃Ｂの裏面側に対して吸水・防水シート２００が取付可能であり、吸水・防水シート２００の取付けによって、吸水・防水シート２００が被介護者の汗や漏れた尿等の排泄物を受けることになる。即ち、吸水・防水シート２００の取付けによって、被介護者の汗や漏れた尿等の排泄物で左前布１０Ｌ、右前布１０Ｒ及び背布２０が汚れるのを防止できる。吸水・防水シート２００が後身頃Ｂの裏面側に対して着脱自在であり、吸水・防水シート２００が汚れても清潔な吸水・防水シート２００と交換できるから、介護用着衣１を着替えることなく吸水・防水シート２００の取換えのみで済む。よって、被介護者及び介護者の手間や負担を減らすことができる。
【０２２０】
また、吸水・防水シート２００の取付けによって、着衣した人の背面側の汗等の水分や湿気を速やかに吸収できるから、湿気の上昇を防ぎ、皮膚の炎症や床擦れを防止できる。したがって、着用時の快適性を高めることができる。また、こまめな取替えによって清潔さを保つことができる。
そして、後身頃Ｂに設けた取付手段としての身頃側取付部２２０の取付位置が後身頃Ｂの脇線６３Ｌ，６４Ｌ，６３Ｒ，６４Ｒ側であり人体の体重が加わる位置にないから、吸水・防水シート２００の有無に関わらず、使用に際して不快感が生ずることもない。
【０２２１】
［実施の形態４］
本実施の形態４に係る介護用着衣１は、図２０に示すように、上前身頃ＵＦ及び下前身頃ＤＦの内側で着衣する人の前側、主に腹部を中心に覆う伸縮性の被覆布３００を取付自在に設けたものである。
【０２２２】
被覆布３００は、例えば、左前布１０Ｌ、右前布１０Ｒ及び背布２０と共地で形成してもよいし、肌触りがよく、洗濯が容易で度重なる洗濯によっても丈夫で型崩れし難いパイル地、ガーゼ地等の綿や、木綿や、絹等で形成してもよい。被介護者の動き、大きさに対応するために伸縮性、弾性を持ったものが使用され、例えば、ゴムやパワーネット等の生地の挿入により伸縮性、弾性を持たせることができる。
【０２２３】
この被覆布３００は、例えば、５０ｃｍ〜７０ｃｍ（横幅）×４０ｃｍ〜８０ｃｍ（縦幅）の寸法で後身頃の横幅（脇線間の長さ）を超えない長さに形成され、図２０に示すように、例えば、胸部より下位で着衣した人の腹部を中心に当てられるように配置される。
【０２２４】
そして、本実施の形態４においては、四角形状等に形成された被覆布３００の４隅に紐３１０を設け、一方で、背布２０の後身頃Ｂの脇線６４Ｌ，６４Ｒ側に被覆布３００の紐３１０に対応させる紐３２０を設け、紐３１０，３２０の結びによって、被覆布３００を後身頃Ｂの脇線６４Ｌ，６４Ｒ側に取付けることで、被覆布３００によって着衣する人の前側を覆うことができるようになっている。なお、図２０において、紐３１０，３２０の接続箇所は２箇所４箇所であるが、それ以上の数であっても良いし、それ以下の数であってもよい。
【０２２５】
このように、本実施の形態４に係る介護用着衣１では、後身頃Ｂの脇線６４Ｌ，６４Ｒ側に被覆布３００を取付けるための取付手段としての紐３２０を設け、被覆布３００に設けた紐３１０との接続により、着衣した人の前側を覆うための被覆布３００を取付けることができる。
これにより、着衣状態で着衣した人の動き等により裾側から上前身頃ＵＦ及び下前身頃ＤＦが開けたときでも、着衣した人の前側が被覆布３００で覆われているから、肌が露出するのを避けることができ、身体の冷え、特に腹部の冷えを防止でき、寒さを我慢する必要もない。また、着衣した人の前側が伸縮性のある被覆布３００で覆われてると安心感もあり、着衣した介護者が勝手に手で接続具を解いてしまったり、上前身頃ＵＦと下前身頃ＤＦを開けてしまったりしたときでも、人の前側に伸縮性の被覆布３００が取付けてあると、下着に触れ難く、排泄物等に触れてしまう事態を回避できる。
【０２２６】
また、上前身頃ＵＦ及び下前身頃ＤＦの位置を固定する紐３２Ａと紐７２Ａの結びを解いて前身頃側を開いておむつ交換等の排泄物の介助をする場合でも、着衣した人の前側を被覆布３００で覆うことができ、被覆布３００の一部を捲り上げるのみで必要以上に肌を露出させることなく、おむつ交換等をすることができる。即ち、排泄物の介助をする際等の肌を必要以上に露出させることへの抵抗感を少なくできる。
【０２２７】
更に、このような被覆布３００は、例えば、車いす等で移動する際に保温、冷え防止のための肩にかける羽織、ストール、ショール等との防寒用として活用することもできる。
【０２２８】
なお、本発明を実施する場合には、被覆布３００を後身頃Ｂの脇線６４Ｌ，６４Ｒ側に取付ける取付手段は、紐３２０に限定されず、上記実施の形態３で説明しているような接着布、穴等の構成を採用することもできる。
その他の構成については、上記実施の形態１と略同一であるから、上記実施の形態１と同様の作用効果が得られる。
【０２２９】
こうして、本実施の形態４に係る介護用着衣１は、上前身頃ＵＦ及び下前身頃ＤＦの下（裏面側）で着衣する人の前を覆う伸縮性の被覆布３００を着脱自在に取付けるための取付手段としての紐３２０が後身頃Ｂの脇線６３Ｌ，６４Ｌ，６３Ｒ，６４Ｒ側に設けられたものである。
したがって、取付手段としての紐３２０によって後身頃Ｂの脇線６３Ｌ，６４Ｌ，６３Ｒ，６４Ｒ側で被覆布３００が取付可能であり、上前身頃ＵＦ及び下前身頃ＤＦの下で着衣する人の前を伸縮性の被覆布３００で覆うことができるから、上前身頃ＵＦ及び下前身頃ＤＦが開いたときでも肌の露出が抑えられ、また、身体が冷えるのを防止できる。更に、被介護者が不必要に下着に触れるのを防止できる。
そして、後身頃Ｂに設けた取付手段としての紐３２０の取付位置が後身頃Ｂの脇線６３Ｌ，６４Ｌ，６３Ｒ，６４Ｒ側であり人体の体重が加わる位置にないから、被覆布３００の有無に関わらず、使用に際して不快感が生ずることもない。
【符号の説明】
【０２３０】
１  介護用寝巻
１０Ｌ  左前布
１０Ｒ  右前布
２０  背布
３１  接着布
３２  紐
４０  縫製部
４１Ｌ  袖山・肩山
４１Ｒ  袖山・肩山
５０Ｌ  左接続部
５０Ｒ  右接続部
６１Ｌ，６１Ｒ，６２Ｌ，６２Ｒ  袖下
６３Ｌ，６３Ｒ，６４Ｌ，６４Ｒ  脇線
６５    袖口
１００  収納部
２００  吸水・防水シート
２２０  身頃側取付部（取付手段）
３００  被覆布
３２０  紐（取付手段）
ＦＬ  左前袖
ＵＦ  上前身頃
ＦＲ  右前袖
ＤＦ  下前身頃
ＢＬ  左後袖
ＢＲ  右後袖
Ｂ    後身頃
【図１】
2019002085.tif 000003
【図２】
2019002085.tif 000004
【図３】
2019002085.tif 000005
【図４】
2019002085.tif 000006
【図５】
2019002085.tif 000007
【図６】
2019002085.tif 000008
【図７】
2019002085.tif 000009
【図８】
2019002085.tif 000010
【図９】
2019002085.tif 000011
【図１０】
2019002085.tif 000012
【図１１】
2019002085.tif 000013
【図１２】
2019002085.tif 000014
【図１３】
2019002085.tif 000015
【図１４】
2019002085.tif 000016
【図１５】
2019002085.tif 000017
【図１６】
2019002085.tif 000018
【図１７】
2019002085.tif 000019
【図１８】
2019002085.tif 000020
【図１９】
2019002085.tif 000021
【図２０】
2019002085.tif 000022
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
左前袖及び上前身頃が一体に裁断されてなる左前布と、
前記左前布と対称的に配置され、右前袖及び下前身頃が一体に裁断されてなる右前布と、
前記左前布及び前記右前布の反対側に配置され、対照的な配置の左後袖及び右後袖と後身頃とが一体に裁断されてなる背布と、
前記左前布の上辺及び前記右前布の上辺と前記背布の上辺とを縫製して、左右の袖山及び肩山を形成する縫製部と、
前記左前布の前記左前袖の袖下及びそれに連続する前記上前身頃の脇線と、前記背布の前記左後袖の袖下及びそれに連続する前記後身頃の脇線とを接続具で接続自在とした左接続部、並びに、前記右前布の前記右前袖の袖下及びそれに連続する前記下前身頃の脇線と、前記背布の前記右後袖の袖下及びそれに連続する前記左接続部とは反対側の前記後身頃の脇線とを接続具で接続自在とした右接続部からなり、前記左接続部及び前記右接続部の一方または両方が接続具で接続自在とされた脇接続部と
を具備し、
前記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状に接続した左袖の筒径が袖口側から前記上前身頃側及び前記後身頃側へ向かって直角に折曲がることなくＲ状にカーブして曲がって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状に接続した右袖の筒径が袖口側から前記下前身頃側及び前記後身頃側へ向かって直角に折曲がることなくＲ状にカーブして曲がって拡径していることを特徴とする介護用着衣。
【請求項２】
前記後身頃の前記上前身頃側及び前記下前身頃側には、着衣する人の背面側にあてがう吸水・防水シートを前記後身頃に設けた取付手段によって着脱自在としたこと特徴とする請求項１に記載の介護用着衣。
【手続補正２】
【補正対象書類名】明細書
【補正対象項目名】全文
【補正方法】変更
【補正の内容】
【発明の詳細な説明】
【技術分野】
【０００１】
本発明は、寝たきりの患者、老人、身体障害者等の被介護者の着衣に関するもので、特に、腕の自由がきかない患者の着衣及び脱衣の負担や介護負担を軽減させることができ、かつ、着用の快適性を向上できる介護用着衣に関するものである。なお、この介護用着衣は、健康体の人が着衣として選択し、着用することができる。
【背景技術】
【０００２】
腕の自由がきかない患者に対しての介護負担を軽減できる介護用着衣としては、本発明者らが先に特許を取得した特許文献１がある。特許文献１の介護用着衣によれば、後身頃の上の被介護者の上に下前身頃を被せ、次いで、上前身頃を被せ、更に、左袖の左袖接続部の袖下を接続具で接続し、また、右袖の右袖接続部の袖下を接続具で接続する。そして、下前身頃と後身頃の前記袖付部分までの脇縫部分である下前身頃接続部を接続具で接続し、上前身頃と後身頃の前記袖付部分までの脇縫部分である上前身頃接続部を接続具で接続する。よって、被介護者が十の字に寝ころべば、自然体で着衣を着せることができ、喩え、カテーテル等の医療用チューブが何本か身体に入っていても、この介護用着衣を着るのに接続具間の間隔が広く、支障になるものがない。また、着衣を脱ぐ場合でも、上前身頃の下方から折り畳み、次に、下前身頃の下方から折り畳み、上前身頃を左袖上まで折り畳み、また、下前身頃を右袖上まで折り畳み、被介護者の体を若干浮き上げ着衣を抜き取ることで、大きな力を出さなくても、被介護者下から着衣を脱がせることができる。
【先行技術文献】
【特許文献】
【０００３】
【特許文献１】特許５９７３０４３号公報
【発明の概要】
【発明が解決しようとする課題】
【０００４】
ところで、寝たきりの患者、老人、身体障害者等の被介護者の着衣としては、従来、着脱の容易さ等から、身体の膝より下位まで丈がある浴衣のような長着が使用されており、特許文献１においても介護用寝巻として長着を開示している。しかし、従来の長着においては、所謂、反物から長着を製作する和裁の手法での裁断、仕立てが一般的で、和装の基本的構造を取り入れ、右袖、左袖、右身頃、左身頃、襟等の各部位毎に矩形状に裁断され、それら裁断された布地をそれぞれ縫製することによってつくられる。したがって、長着の内側には、その背後側に右身頃と左身頃が縫製によって繋がれた縫目（背縫い）や右身頃と左身頃の生地の重なり部位（縫代）が存在し、また、右袖と右身頃の縫製及び左袖と左身頃の縫製による縫目や生地の重なり部位も存在する。
【０００５】
このため、老人等の肌が弱く敏感な者では、それら長着の縫目、重なり部位が肌に当たることで違和感が生じたり、縫目、重なり部位と擦れることで、肌のかぶれや床擦れ等の異常を生じたりすることがある。特に、同じ体勢で長時間寝たきりの状態にある患者では床擦れ（褥瘡）が生じやすく、この床擦れは身体において体圧がかかりやすい背中側の肩、臀部・腰で発生しやすくなっている。
【０００６】
即ち、従来の和装の裁断、仕立ての長着では、その背後側で右身頃と左身頃の縫製によって、上下方向に長く延びる背中心の縫目、重なり部位が存在し、更に、右袖と右身頃の縫製及び左袖と左身頃の縫製による縫目、重なり部位が存在することで、身体の背中側においてそれら縫目、重なり部位が皮膚に当たって引掛りや摩擦を生じさせたり、皮膚を圧迫したりして、皮膚を損傷し、床擦れを誘発する可能性があった。殊に、丈が長い長着であると、右身頃と左身頃の縫製による背中心の縫目、重なり部位が上下方向に長く延びるから、背中心の縫代が撚れやく、また、背中心の縫目によって生地に皺が生じたりしやく、それら撚れや皺が床擦れの要因になりやすかった。
【０００７】
更に、寝たきりの状態にある患者では、布団やベッドの上で長時間の仰向きによる姿勢により背中側に発汗による湿気がこもり易く、また、失禁、尿漏れ等によっても臀部・腰に湿気が上昇しやすい。そして、この湿気も床擦れを悪化させる原因となっている。
【０００８】
そこで、本発明は、腕の自由がきかない患者の着衣及び脱衣の負担や介護負担を軽減させることができ、かつ、着用の快適性を向上できる介護用着衣の提供を課題とするものである。
【課題を解決するための手段】
【０００９】
請求項１の発明の介護用着衣は、左前袖及び上前身頃が一体に裁断されてなる左前布、並びに、右前袖及び下前身頃が一体に裁断されてなる右前布と、左後袖及び右後袖と後身頃とが一体に裁断されてなる背布とが袖山及び肩山を形成する縫製部で縫製され、前記左前布の左前袖の袖下及びそれに連続する上前身頃の脇線と、前記背布の左後袖の袖下及びそれに連続する後身頃の左の脇線とが左接続部の接続具によって接続自在とされ、また、前記右前布の右前袖の袖下及びそれに連続する下前身頃の脇線と、前記背布の右後袖の袖下及びそれに連続する後身頃の右の脇線とが右接続部の接続具で接続自在とされており、そして、前記左接続部及び前記右接続部からなる脇接続部において、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００１０】
ここで、上記左前袖及び上前身頃が一体に裁断されてなる左前布、右前袖及び下前身頃が一体に裁断されてなる右前布は、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖と上前身頃が別々に裁断されてなり、右袖と下前身頃も別々に裁断されてなり、上前身頃の袖付き部分に左袖が縫製されることでそれらの境界が縫目で明確に区別され、また、下前身頃の袖付き部分にも右袖が縫製されることでそれらの境界が縫目で明確に区別されている。これに対し、上記左前布は、左前袖及び上前身頃の区別なく一体に裁断されて形成されたものである。また、上記右前布は、前記左前布と対称的に配置され、右前袖及び下前身頃の区別なく一体に裁断されて形成されたものである。上記右前布と左前布の関係は、一般的に和装の前合わせが右前であり、着衣したときに最も前側にでる上前身頃が着衣した人から見て左側の身頃に相当するから、上前身頃及び左袖によって左前布が構成され、下前身頃及び右袖によって右前布が構成されている。両者は対称的な位置関係であるが線対照であることまでを要求するものではない。なお、ここでいう左右は、着衣した人を基準として（着衣した人からみて）左右を表現したものである。
【００１１】
上記左後袖及び右後袖と後身頃とが一体に裁断されてなり前記左前布及び前記右前布の後側に位置する背布も、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖、右袖、後身頃がそれぞれ別々に裁断されてなり、しかも、身頃も別々に裁断された左右の身頃が縫製によって接ぎ合わされてなり、左側の後身頃の袖付き部分に左袖が縫製されることでそれらの境界が縫目で明確に区別でき、また、右側の後身頃の袖付き部分に右袖が縫製されることでそれらの境界が縫目で明確に区別できる。これに対し、上記背布は、左後袖及び右後袖と後身頃との区別なく一体に裁断されて形成されたものである。
【００１２】
上記縫製部は、前記左前布の上辺と前記背布の上辺の左側を縫製して左の袖山及び肩山を形成し、前記右前布の上辺と前記背布の上辺の右側を縫製して右の袖山及び肩山を形成したものである。一般的な和装の裁断、仕立てでは、袖山及び肩山が折目となって形成される部分であるの対し、上記縫製部は前記左前布及び前記右前布の上辺と前記背布の上辺とが縫製される部分を示すものである。
【００１３】
上記脇接続部は、各左右の袖下及びそれに連続する脇線を接続具で接続自在とした部分を示し、前記左前布と前記背布との袖下及びそれに連続する脇線で接続自在とした左接続部と、前記右前布と前記背布との袖下及びそれに連続する脇線で接続自在とした右接続部とから構成されるものである。
即ち、上記左接続部は、前記左前布の左前袖の袖下及びそれに連続する上前身頃の脇線と、前記背布の左後袖の袖下及びそれに連続する後身頃の脇線とが、縫製されることなく接続具で接続自在とした部分を示すものである。
また、上記右接続部は、前記右前布の右前袖の袖下及びそれに連続する下前身頃の脇線と、前記背布の右後袖の袖下及びそれに連続する前記左接続部側とは反対側の後身頃の脇線とが縫製されることなく接続具で接続自在とした部分を示すものである。
【００１４】
つまり、上記左前布、右前布及び背布は、各１単位枚であり、肩の上に位置する肩山及び袖の上に位置する袖山での縫製によって連続的に一体化しているも、左右の袖下及びそれに連続する脇線が縫製されることなく、接続具で接続自在とされている。
【００１５】
上記左接続部、右接続部の接続具は、例えば、スナップボタン、磁石ボタン、貝ボタン、樹脂ボタン、ナットボタン、木ボタン等の各種ボタン、紐、マジックテープ（登録商標）等の面ファスナからなる接着布等の何れか１以上による接続具とすることができる。特に、接続を使用する個所は、左右の袖下及びそれに連続する脇線側であり被介護者の体重が加わる箇所でないので違和感もない。
上記左接続部、右接続部による接続は、好ましくは、異種の接続具を組合わせたり、接続具で接続する双方にアルファベット、数字、文字、ワンポイントマーク、絵等の同一番号、記号、記号を付したり着色したりすると、ボタン、紐、接着布等の掛け違いを防止でき、複数の接続具を配置するものであっても狂うことがない。
【００１６】
そして、上記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００１７】
上記脇接続部のコーナは、着用する人の身体の脇下に位置する部分を示し、上記コーナのシルエットラインが曲線状とは、前記左前袖及び前記左後袖の袖下側から前記上前身頃及び前記後身頃の脇線側へと連続する曲がり、また、前記右前袖及び前記右後袖の袖下側から前記下前身頃及び前記後身頃の脇線側へと連続する曲がりが、直角に折曲がることなくＲ状にカーブしていることを意味する。
また、上記接続部は、前記左接続部及び前記右接続部の一方または両方が接続具で接続自在とすることができる。
【００１８】
ここで、上記袖の筒幅が拡径とは、前記コーナのシルエットラインが曲線状であるから、前記左前袖及び前記左後袖の接続によって筒状に接続される左袖がその袖口側から前記上前身頃及び前記後身頃側に向かって径大であり、また、前記右前袖及び前記右後袖の接続によって筒状に接続される右袖がその袖口側から前記下前身頃及び前記後身頃側に向かって径大であり、実質的に腕が入れられるところの左袖及び右袖の筒径が、袖口側から身頃に向かって拡径していることを意味する。即ち、前記左前袖及び前記左後袖の袖山と袖下間の長さが袖口側から身頃側に向かって長くなっており、また、前記右前袖及び前記右後袖の袖山と袖下間の長さが袖口側から身頃側に向かって長くなっている。なお、前記コーナのシルエットラインが曲線状であるから、身幅からみても、裾側から袖側に向かって左右の脇線間の長さが長くなっている。
【００１９】
請求項２の発明の介護用着衣の前記後身頃の前記上前身頃側及び前記下前身頃側には、着衣する人の背面側にあてがう吸水・防水シートを前記後身頃に設けた取付手段によって着脱自在としたものである。
上記吸水・防水シートは、前記後身頃の前記上前身頃及び前記下前身頃で、着衣する人の背面側、主に、臀部や腰を中心に配置され、汗や漏れた尿等の排泄物を捉えて、汗や漏れた尿等の排泄物で身頃が汚れるのを阻止するものである。汗や尿等の水分を吸収する吸水性（吸水保持性）及び水分を通過させない防水性ものであればよく、例えば、透水性（透液性）の表面シートと、防水性（不透水性、不透過性）の裏面シートと、表面シートと裏面シートとの間に吸水シート（吸液シート）等を挟み込んだ複層構造の積層複合体が使用されるが、これらの機能がまとまった単層構造のものであってもよい。紙、不織布等を使用した使い捨てによって交換可能とするものであってもよいし、繰り返しの洗い替えに耐える布の使用によって交換可能としてもよい。
【００２０】
上記取付手段は、吸水・防水シートを後身頃に着脱自在に取付ることができる構成であればよく、例えば、吸水・防水シートを挟持する部材を用いてもよいし、吸水・防水シート側に設けた接続具、具体的には、面ファスナ等の接着布、紐、ボタン、ボタン穴、粘着テープ等と分離及び接続自在な面ファスナ等の接着布、紐、ボタン、ボタン穴、ループ部材等の接続受具が採用される。
【発明の効果】
【００２１】
請求項１の発明に係る介護用着衣によれば、左前袖及び上前身頃が一体に裁断されてなる左前布の上辺、並びに、右前袖及び下前身頃が一体に裁断されてなる右前布の上辺と、左後袖及び右後袖と後身頃とが一体に裁断されてなる背布の上辺とが縫製部によって袖山・肩山で縫製されて繋がれているが、左接続部によって前記左前布の前記左前袖の袖下及びそれに連続する前記上前身頃の脇線と、前記背布の前記左後袖の袖下及びそれに連続する前記後身頃の脇線とが接続具で接続自在とされ、また、右接続部によって前記右前布の右前の袖下及びそれに連続する前記下前身頃の脇線と、前記背布の前記右後袖の袖下及びそれに連続する前記後身頃の脇線とが接続具で接続自在とされている。
【００２２】
したがって、左前布の左前袖の袖下及びそれに連続する上前身頃の脇線と、背布の左後袖の袖下及びそれに連続する後身頃の脇線とを接続具で接続されてなる左接続部の接続を解くと、左の袖下及びそれに連続する後身頃の脇線で、背布と上前身頃とを分離して開放できる。また、右前布の右前袖の袖下及びそれに連続する下前身頃の脇線と、背布の右後袖の袖下及びそれに連続する後身頃の脇線とを接続具で接続されてなる右接続部の接続を解くと、右の袖下及びそれに連続する後身頃の脇線で、背布と下前身頃とを分離して開放できる。よって、背布の上（内面側）に介護者を配置し、その配置した介護者に左前布を着せ掛け、また、右前布を着せ掛け、左接続部及び右接続部のそれぞれの接続具で袖下及び脇線を接続することで、袖に腕を通す動作を行うことなく、被介護者に自然体で着衣を着せることができる。
よって、腕の自由がきかない患者であっても、着衣及び脱衣の負担が少なく、容易に着替えを行うことができる。
【００２３】
特に、本発明に係る介護用着衣によれば、左前布が左前袖及び上前身頃を一体に裁断してなるものであり、また、右前布が右前袖及び下前身頃を一体に裁断してなるものであり、更に、背布が左後袖及び右後袖と後身頃とを一体に裁断してなるものであり、これら左前布、右前布及び背布は袖山・肩山でのみ縫製され、着衣した人の背面側において床擦れを生じさせる原因となる縫製の合わせ目（縫目、継目）が少ない。よって、肌への刺激を少なくできる。当然、縫製作業の負担も少なくなる。
【００２４】
更に、左接続部及び右接続部からなる脇接続部では、左前袖及び左後袖の袖下から上前身頃及び後身頃の脇線へと連続するコーナのシルエットラインを曲線状に形成し、また、右前袖及び右後袖の袖下から下前身頃及び後身頃の脇線へと連続するコーナのシルエットラインを曲線状に形成し、袖口から身頃側に向かって袖の筒幅を径大としたことから、袖口側は着衣した人の手の動きの邪魔となったり捲れ易くなったりしないような適当な径で設計できるも、身頃側に向かって袖幅を大きくして着衣した人の脇下の位置の空間に余裕を持たせることができ、また、コーナに角が存在しないので、腕を動かしたときでも布端部の身体への当たりを少なくできる。加えて、汗がかきやすい脇下に空気の通り道が形成され、通気性を向上させることができ、湿気による不快感、床擦れの誘発を防止できる。
【００２５】
こうして、本発明に係る介護用着衣によれば、腕の自由がきかない患者の着衣及び脱衣の負担や介護負担を軽減させることができ、かつ、肌への刺激が少なく、また、脇下の位置の通気性を向上可能であるから、着用感を快適にできる。
また、上記接続部は、前記左接続部及び前記右接続部の一方または両方が接続具で接続自在とすることができる。
【００２６】
請求項２の発明に係る介護用着衣は、前記後身頃の前記上前身頃側及び前記下前身頃側には、着衣する人の背面側にあてがう吸水・防水シートを前記後身頃に設けた取付手段によって着脱自在としたものであるから、請求項１の発明に加えて、吸水・防水シートの取付けによって被介護者の汗や尿を吸水・防水シートで捉えることができ、身頃が汚れるのを防止することができる。よって、着衣を着替えさせることなく、吸水・防水シートを清潔なものと交換するのみでよいから、介護者や被介護者の負担を軽減できる。また、湿気が吸収されることで、湿気による不快感、皮膚への刺激を軽減でき、着衣時の快適性が向上する。
【図面の簡単な説明】
【００２７】
【図１】図１は本発明の実施の形態１の介護用着衣としての介護用寝巻の構成を説明するための分解図である。
【図２】図２は本発明の実施の形態１の介護用着衣としての介護用寝巻の正面図である。
【図３】図３は本発明の実施の形態１の介護用着衣としての介護用寝巻の背面図である。
【図４】図４は本発明の実施の形態１の介護用着衣としての介護用寝巻の左を開放状態に展開する展開図である。
【図５】図５は本発明の実施の形態１の介護用着衣としての介護用寝巻の右を開放状態に展開する展開図である。
【図６】図６は本発明の実施の形態１の介護用着衣としての介護用寝巻の上前身頃及下前身頃を展開して折り畳んだ状態を説明する展開図である。
【図７】図７は本発明の実施の形態１の介護用着衣としての介護用寝巻に使用した接続具を示すものであり、（ａ）は接着布の事例、（ｂ）は紐の事例である。
【図８】図８は本発明の実施の形態１の介護用着衣としての介護用寝巻に使用する接続具の他の事例を示すものであり、（ａ）はスナップボタンの事例、（ｂ）はボタンとボタン穴（穴篝）の事例である。
【図９】図９（ａ）は本発明の実施の形態１の介護用着衣としての介護用寝巻に使用する接続具の接続形態の別の事例を説明する説明図であり、図９（ｂ）は本発明の実施の形態１の介護用着衣としての介護用寝巻に使用する接続具の接続形態の他の事例を説明する説明図である。
【図１０】図１０は本発明の実施の形態１に係る変形例１の介護用着衣の構成を左を開放状態に展開して示す展開図である。
【図１１】図１１は本発明の実施の形態１に係る変形例２の介護用着衣の構成を右を開放状態に展開して示す展開図である。
【図１２】図１２は本発明の実施の形態２に係る介護用着衣の後身頃に収納部を設けた事例の背面図である。
【図１３】図１３は本発明の実施の形態２に係る介護用着衣の後身頃の収納部に収納する状態を説明する説明図である。
【図１４】図１４は本発明の実施の形態３に係る介護用着衣を説明するための説明図であり、後身頃の裏面側に対して吸水・防水シートを取付ける説明図である。
【図１５】図１５は本発明の実施の形態３に係る介護用着衣の後身頃に対して吸水・防水シートを取付ける取付手段の一例を説明するための図１４の要部拡大図であり、取付手段が接着布の事例である。
【図１６】図１６は本発明の実施の形態３に係る介護用着衣の後身頃に対して吸水・防水シートを取付ける取付手段としての接着布の取付位置の他の事例を説明する説明図であり、（ａ）は接着布の取付位置の説明図、（ｂ）は吸水・防水シートを取付けた説明図、（ｃ）は吸水・防水シートの取付けがないときの説明図である。
【図１７】図１７は本発明の実施の形態３に係る介護用着衣の後身頃に対して吸水・防水シートを取付ける取付手段の他の事例を説明する説明図であり、（ａ）は後身頃に設けた孔に対して吸水・防水シートに設けた接着布を通す事例、（ｂ）は後身頃に設けた孔に対して吸水・防水シートに設けた紐を通す事例である。
【図１８】図１８は本発明の実施の形態３に係る介護用着衣の後身頃に対して吸水・防水シートを取付ける取付手段の更に他の事例を説明する説明図であり、（ａ）は後身頃に設けた紐と吸水・防水シートに設けた紐を結ぶ事例、（ｂ）は後身頃に設けたナイロン地に吸水・防水シートに設けた粘着テープを貼る事例である。
【図１９】図１９は本発明の実施の形態３に係る介護用着衣の後身頃に対して吸水・防水シートを取付ける取付手段の更に別の事例を説明する説明図であり、（ａ）は後身頃に設けた環状部に対して吸水・防水シートに設けた紐を通して結ぶ事例、（ｂ）は後身頃に設けた環状部及び吸水・防水シートに設けた穴に紐を通す事例、（ｃ）は後身頃及び吸水・防水シートに設けた環状部に紐を通す事例、（ｄ）は後身頃に設けたナイロン製の環状部に対して吸水・防水シートに設けた粘着テープを貼る事例である。
【図２０】図２０は本発明の実施の形態４に係る介護用着衣を説明するための説明図であり、上前身頃及び下前身頃の下であって着衣する人の前側を覆う伸縮性の被覆布を後身頃に対して取付ける説明図である。
【発明を実施するための形態】
【００２８】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００２９】
［実施の形態１］
まず、本発明の実施の形態１に係る介護用着衣を介護用寝巻とした事例で、図１乃至図９を参照して説明する。
本実施の形態１においては、着衣したとき最も前側に出る上前身頃ＵＦ及び着用する人の左腕の前側を覆う左前袖ＦＬからなる左前布１０Ｌと、着衣したとき前側であるが、上前身頃ＵＦの背後に重なる下前身頃ＤＦ及び着用する人の右腕の前側を覆う右前袖ＦＲからなる右前布１０Ｒと、着用する人の背後に位置する後身頃Ｂ及び着用する人の左腕の後側を覆う左後袖ＢＬ及び着用する人の右腕の後側を覆う右後袖ＢＲからなり、左前布１０Ｌ及び右前布１０Ｒのシルエットラインとなる後側に位置する背布２０とによって介護用寝巻１の全体の概略構成を形成している。
なお、図において、左前布１０Ｌ，右前布１０Ｒ、背布２０について、その外面側（意匠側）を表面側ｆｃとし、表面側ｆｃとは反対側の内面側であって着衣する人の身体側に位置する側を裏面側ｂｃとしている。
【００３０】
本実施の形態１の介護用寝巻１を構成する左右１対の左前布１０Ｌと右前布１０Ｒ、及び、それらの後側に位置する背布２０は、それぞれ、例えば、ガーゼ地等の綿、絹、麻等の所定寸法の布から、身頃になる部分及び袖になる部分を一体に切断して形成される。特に、ガーゼ地等は洗濯が容易で度重なる洗濯によっても丈夫で型崩れし難く、肌への当たりや肌触りがよい。布は単一材料の使用のみでなく複合化させて使用することも可能であり、また、単一の枚数でなく折り重ね等によって複数枚（複数層）のガーゼ地等の綿で形成することもできる。
【００３１】
図１に示すように、所定寸法の布から、左前布１０Ｌ、右前布１０Ｒ及び背布２０の３部位に切断され、図１乃至図３で示すように、背布２０に対して左前布１０Ｌ及び右前布１０Ｒの縫付けによって介護用寝巻１の袖山及び肩山となる部分を形成し、また、左右の袖の袖下及び前後の身頃の脇線が面ファスナ等の接着布３１、紐３２等の接続具で接続される。
例えば、介護用寝巻１が長着であれば、背布２０の横幅は１１０ｃｍ〜１４０ｃｍの範囲に設定され、その長さ（身丈）は１１０ｃｍ〜１７０ｃｍの範囲内に設定される。
【００３２】
詳細には、１枚或いは２枚以上を重ねた１単位の布から、着用する人の左腕を覆う左袖の前側を形成する左前袖ＦＬと、着用する人の前側で胴体部を覆う前身頃を形成し着衣したとき最も前側に出る上前身頃ＵＦとで分断することなく、両者を一体に切断して左前布１０Ｌを形成している。つまり、本実施の形態１の左前布１０Ｌによれば、左前袖ＦＬと上前身頃ＵＦを別々に切断して縫製する縫目（合わせ目）はなく、左前袖ＦＬと上前身頃ＵＦが１枚或いは２枚以上を重ねた１単位の布から連続的に形成されている。
【００３３】
同様に、本実施の形態１の右前布１０Ｒも、着用する人の右腕を覆う右袖の前側を形成する右前袖ＦＲと、着用する人の前側で胴体部を覆う前身頃を形成し着衣したとき上前身頃ＵＦの背後に一部を重ねる下前身頃ＤＦとが１枚或いは２枚以上を重ねた１単位の布から一体に切断されてなり、右前袖ＦＲと下前身頃ＤＦを別々に切断して縫製する縫目（合わせ目）がなく、右前袖ＦＲと下前身頃ＤＦが１枚或いは２枚以上を重ねた１単位の布から連続的に形成されている。
【００３４】
本実施の形態１では、左前袖ＦＬ及び上前身頃ＵＦからなる左前布１０Ｌと、右前袖ＦＲ及び下前身頃ＤＦからなる右前布１０Ｒとは表裏を逆にした対称的な形状であり、背布２０に対して縫付けられた左前布１０Ｌの上前身頃ＵＦと右前布１０Ｒの下前身頃ＤＦとは、被介護者に着衣した状態で重複させることができる寸法に形成されている。また、着衣した人の首周りに位置する襟元は、上前身頃ＵＦと下前身頃ＤＦの重なりにより略Ｖ字状になるように、上前身頃ＵＦと下前身頃ＤＦにおいて着用した人の首周りに位置する所定の端部が斜めに形成されている。
【００３５】
左前布１０Ｌの上前身頃ＵＦと右前布１０Ｒの下前身頃ＤＦを紐３７Ａ，７２Ａで接続固定した状態で、肩山から下の襟元のＶ字の深さ（縦幅）は、例えば、１０ｃｍ〜２０ｃｍとなるように設定され、特に、２０ｃｍ〜３０ｃｍであると、口や鼻に気管チューブが挿管されている患者や気管切開により気管カニューレが喉元に挿管されている患者に対する着衣でも、それらチューブやカニューレが襟元に引っ掛かることもなく、首周りに窮屈さを感じさせることがない。着衣状態で襟元から介護者の手を入れて、被介護者に処置や作業を施すのも容易である。なお、襟元の形状が略Ｕ字状となるように上前身頃ＵＦと下前身頃ＤＦの重なり形状を形成してもよい。
【００３６】
本実施の形態１の背布２０についても、着用する人の左腕を覆う左袖の後側を形成する左後袖ＢＬと、着用する人の右腕を覆う右袖の後側を形成する右後袖ＢＲと、着用する人の背後側で胴体部を覆う後身頃Ｂとが、１枚或いは２枚以上を重ねた１単位の布から一体に切断されてなる。つまり、本実施の形態１の背布２０によれば、左後袖ＦＬ、右後袖ＦＲ、及び後身頃Ｂをそれぞれ別々に切断して縫製する縫目はなく、左後袖ＦＬ、右後袖ＦＲ、及び後身頃Ｂが１枚或いは２枚以上を重ねた１単位の布から連続的に形成されている。
【００３７】
そして、本実施の形態１の介護用寝巻１は、着用したときに身体の脇下に位置するコーナ部分、即ち、各左右の袖下（袖の下端のライン）から身頃の左右の脇線（身頃の左右の端のライン）へと連続的に繋がる部分のシルエットラインが曲線状である点に特徴を有する。
公知の介護用寝巻は和装の裁断、仕立てであるゆえ、各左右の袖下及び脇線が真っ直ぐな直線状をなし、左右の袖下及び脇線が交わるコーナ部分では、それら直線が交わる所定の角が形成されるのに対し、本実施の形態１の介護用寝巻１では、所定の袖及び身頃を一体に裁断し、袖下と脇線の繋がりに曲率を持たせている。
【００３８】
即ち、左の袖下６１Ｌ，６２Ｌ及びそれに連続する脇線６３Ｌ，６４のコーナのシルエットラインがＲ状に湾曲カーブし、右の袖下６１Ｒ，６２Ｒ及びそれに連続する脇線６３Ｒ，６ＲのコーナのシルエットラインもＲ状に湾曲カーブしている。
袖下と身頃の脇線が連続する曲率の半径Ｒは、例えば、Ｒ＝１０ｃｍ〜３０ｃｍの範囲内に設定され、当該範囲内であれば、ダブつくことがなくて体裁がよく、着用する人の腕の動きを邪魔することのない寸法となる。
【００３９】
このように、本実施の形態１の介護用寝巻１では、袖下と脇線の繋がりに曲率を持たせていることによって、袖口６５側から身頃側に向かって袖の上下幅、つまり、袖山及び袖下の間の幅であって、腕が入れられる袖の筒径が拡径している。
即ち、和装でいうところの袖丈が袖口６５側から身頃側に向かって長くなっている。なお、本実施の形態１の介護用寝巻１において、手が通される袖口６５の開口は、袖山から袖下までの幅に相当する。つまり、腕が入れられる袖の筒径が袖口６５側から身頃側に向かって径大となっている。
【００４０】
身頃側からすると、裾側から袖側に向かって左右の脇線間の身幅が拡径している。図３で示すように、身頃の裾側の直線領域の脇線６３Ｌ，６４Ｌから袖山・肩山４１Ｌ，４１Ｒに向かって延長する直線状の仮想線ｌを引き、その仮想線ｌにおいて袖口６５の上下幅の長さｍの分だけ袖山・肩山４１Ｌ，４１Ｒ側から差し引いた位置を示す仮想点Ｐよりも下位に、袖下６１Ｌ，６２Ｌ及び脇線６３Ｌ，６４Ｌのシルエットラインが裾側からの直線状の仮想線ｌから分岐する位置を示す仮想分岐点Ｑが存在する。好ましくは、このときの仮想点Ｐと仮想分岐点Ｑの距離長さが５ｃｍ〜１５ｃｍの範囲内に設定されることで、ダブつくことがなくて体裁がよく、着用する人の腕の動きを邪魔することのない寸法となる。右の袖下６１Ｒ，６２Ｒ及び脇線６３Ｒ，６４Ｒのシルエットラインについても同様である。
【００４１】
仮想点Ｑと袖山・肩山４１Ｌ，４１Ｒとの間の距離長さｄは、好ましくは、２５〜４５ｍの範囲内であり、距離長さｄが袖口６５の上下幅の長さｍの１．３倍〜２．５倍の範囲内であるのが好ましい。これにより、着用する人の脇下で袖下６１Ｌ，６２Ｌ及びそれに連続する脇線６３Ｌ，６４Ｌに相当する布端部との間に十分な空間が形成され、着用する人の腕の動きを邪魔することなく、かつ、空気の通り道が形成されて通気が良くなる。
【００４２】
つまり、従来の長着の和装の裁断、仕立てでは、身頃の袖付き部分に袖が縫製され、袖丈が袖付や袖口と同等以上の長さで一定であるのに対し、本実施の形態１では、袖と身頃が一体に裁断されてなり、袖から身頃にかけてのシルエットラインが曲線状であり、袖丈に相当する袖の上下幅が袖口６５側から身頃側に向かって拡がっており、腕を通す袖の筒径が袖口６５側から身頃側に向かって拡径している。
【００４３】
このように、本実施の形態１の介護用寝巻１では、左の袖下６１Ｌ，６２Ｌと脇線６３Ｌ，６４Ｌが繋がるコーナのシルエットラインが曲線状であるから、着用したときに身体の左脇下と左の袖下６１Ｌ，６２Ｌ及び脇線６３Ｌ，６４Ｌのシルエットラインとの間の空間が大きく設けられ、左の腕を動かしたときでも、脇下に位置する布の袖下６１Ｌ，６２Ｌから脇線６３Ｌ，６４Ｌにかけての端部が身体に当たり難く、身体との接触頻度を少なくできる。同様に、右の袖下６１Ｒ，６２Ｒと脇線６３Ｒ，６４Ｒが繋がるコーナのシルエットラインも曲線状であるから、着用したときに身体の右脇下と右の袖下６１Ｒ，６２Ｒ及び脇線６３Ｒ，６４Ｒのシルエットラインとの間の空間が大きく設けられ、右の腕を動かしたときでも、脇下に位置する布の袖下６１Ｌ，６２Ｌから脇線６３Ｌ，６４Ｌにかけての端部が身体に当たり難く、身体との接触頻度を少なくできる。
【００４４】
なお、従来の和装では、袖全体の袖丈が一定であるから、袖付部分を広く採るには全体の袖丈を大きくしなければならず、このとき袖口側も広くなることから、捲れやすかったり、ダブついて皺ができやすかったりする不都合さが生じる。
しかし、本発明のように、左の袖下６１Ｌ，６２Ｌから脇線６３Ｌ，６４Ｌへと連続的に繋がる部分のシルエットライン、また、右の袖下６１Ｒ，６ＲＬから脇線６３Ｒ，６４Ｒへと連続的に繋がる部分のシルエットラインを曲線状に形成することで、袖口６５の開口幅は上述の不都合が生じない適度な袖の上下幅（開口）寸法の設計とする一方で、着用したときに身体の脇下側、即ち、腕を動かす周辺では、上下幅（開口）寸法を広く設計し、身体の脇下と袖下から脇線のシルエットラインとの間の腕が入れられる空間を広く形成することができる。
【００４５】
このように、左の袖下６１Ｌ，６２Ｌから脇線６３Ｌ，６４Ｌへと連続的に繋がるコーナのシルエットラインが曲線状に形成され、左前袖ＦＬ及び左後袖ＢＬの袖口６５側から上前身頃ＵＦ及び後身頃側Ｂへ向かって袖の筒径が拡径していることにより、身体の脇下と袖下から脇線のシルエットラインとの間の腕が入れられる空間を広く形成することができるから、着衣した人の腕の動きでも、身体の脇下側で左前袖ＦＬ及びそれに一体的に連続する上前身頃ＵＦの布の端部（左接続部５０Ｌ）や、右前袖ＦＲ及びそれに一体的に連続する下前身頃ＤＦの布の端部（右接続部５０Ｒ）が身体に当たる接触頻度が少なく、異物感を感じさせたり皮膚を刺激したりすることが少なくなる。更に、身体の脇下の位置での広い空間により空気の通り道が形成され、通気性が向上する。
【００４６】
ところで、上述したように、本実施の形態１の介護用寝巻１では、左前布１０Ｌが左前袖ＦＬ及び上前身頃ＵＦを一体に切断してなり、また、右前布１０Ｒが右前袖ＦＲ及び下前身頃ＤＦを一体に切断してなり、更に、背布２０が左後袖ＢＬ及び右後袖ＢＲ及び後身頃Ｂを一体に切断してなる。そして、左前袖ＦＬの袖下６１Ｌから上前身頃ＵＦの脇線６３Ｌへと連続するシルエットラインが曲線状に形成され、左後袖ＢＬの袖下６２Ｌから後身頃Ｂの脇線６４Ｌへと連続するシルエットラインも曲線状に形成されている。また、右前袖ＦＲの袖下６１Ｒから下前身頃ＤＦの脇線６３Ｒへと連続するシルエットラインが曲線状に形成され、右後袖ＢＲの袖下６２Ｒから後身頃Ｂの脇線６４Ｒへと連続するシルエットラインも曲線状に形成されている。
【００４７】
よって、左前袖ＦＬと上前身頃ＵＦの境界、右前袖ＦＲと下前身頃ＤＦの境界、左後袖ＢＬと右後袖ＢＲと後身頃Ｂの境界はそれぞれ明確に区別できるものではなく、連続的に変化しているものである。また、左前袖ＦＬの袖下６１Ｌと上前身頃ＵＦの脇線６３Ｌの境界、右前袖ＦＲの袖下６１Ｒと下前身頃ＤＦの脇線６３Ｒの境界、左後袖ＢＬの袖下６２Ｌと後身頃Ｂの脇線６４Ｌの境界、右後袖ＢＲの袖下６２Ｒと後身頃Ｂの脇線６４Ｒの境界についても明確に区別できるものではなく、連続的に変化しているものである。
【００４８】
そして、本実施の形態１の介護用寝巻１では、左後袖ＢＬ及び右後袖ＢＲ及び後身頃Ｂが一体に裁断されてなる背布２０の上辺に対して、左前袖ＦＬ及び上前身頃ＵＦが一体に裁断されてなる左前布１０Ｌの上辺を縫付けによって繋げており、また、右前袖ＦＲ及び下前身頃ＤＦが一体に裁断されてなる右前布１０Ｒの上辺についても左前布１０Ｌとは対照的に縫付けによって繋げている。即ち、背布２０の上辺の左側が左前布１０Ｌの上辺と縫製され左の袖山・肩山４１Ｌが形成され、背布２０の上辺の右側が右前布１０Ｒの上辺と縫製され右の袖山・肩山４１Ｒが形成される。このように袖山・肩山４１Ｌ，４１Ｒで背布２０と右前布１０Ｒ及び左前布１０Ｌとが縫製されていることにより、袖山・肩山４１Ｌのラインが左前布１０Ｌと背布２０の合せ目となり、袖山・肩山４１Ｒのラインが右前布１０Ｒと背布２０の合せ目となる。なお、ここでいう袖山・肩山４１Ｌ，４１Ｒは袖及び肩の上端のことである。
【００４９】
即ち、本実施の形態１の介護用寝巻１は、左前袖ＦＬ及び上前身頃ＵＦからなる左前布１０Ｌと、背布２０の後身頃Ｂ及び左後袖ＢＬ側とを縫製して縫付けてなる左縫製部４０Ｌ、並びに、右前袖ＦＲ及び下前身頃ＤＦからなる右前布１０Ｒと背布２０の後身頃Ｂ及び右後袖ＢＲ側とを縫製して縫付けてなる右縫製部４０Ｒからなる縫製部４０を有する。
【００５０】
このように、本実施の形態１の介護用寝巻１は、着衣した人の前側に位置する左前布１０Ｌ及び右前布１０Ｒと、着衣した人の後側に位置する背布２０とを縫製部４０での縫合によって一体化し、身体への着用に適する形状に形成されている。
【００５１】
更に、左前布１０Ｌの左前袖ＦＬの袖下６１Ｌ及び上前身頃ＵＦの脇線６３Ｌと、それに対応する背布２０の左後袖ＢＬの袖下６２Ｌ及び後身頃Ｂの脇線６４Ｌとは、縫製で接がれることなく、接続具としての面ファスナ等の接着布３１、紐３２によって、接続及び分離自在となっている。つまり、左の袖下及び脇線側に相当する左接続部５０Ｌを接続具３１，３２で接続し、その接続を解くことにより左接続部５０Ｌが開かれる。
また、右前布１０Ｒの右前袖ＦＲの袖下６１Ｒ及び下前身頃ＤＦの脇線６３Ｒと、それに対応する背布２０の右後袖ＢＲの袖下６２Ｒ及び後身頃Ｂの脇線６４Ｒとも、縫製で接がれることなく、接続具としての面ファスナ等の接着布３１、紐３２によって、接続及び分離自在となっている。つまり、右の袖下及び脇線側に相当する右接続部５０Ｒを接続具３１，３２で接続し、その接続を解くことにより右接続部５０Ｒが開かれる。
これら接着布３１、紐３２等の接続具の接続は、左接続部５０Ｌや右接続部５０Ｒを構成する。
【００５２】
即ち、本実施の形態１の介護用寝巻１は、左前布１０Ｌの左前袖ＦＬの袖下６１Ｌ及び上前身頃ＵＦの脇線６３Ｌと、背布２０の左後袖ＢＬの袖下６２Ｌ及び後身頃Ｂの脇線６４Ｌとを、接続具としての面ファスナ等の接着布３１、紐３２によって接続自在とする左接続部５０Ｌ、並びに、右前布１０Ｒの右前袖ＦＲの袖下６１Ｒ及び下前身頃ＤＦの脇線６３Ｒと、背布２０の右後袖ＢＲの袖下６２Ｒ及び後身頃Ｂの脇線６４Ｒとを、接続具としての面ファスナ等の接着布３１、紐３２によって接続自在とする右接続部５０Ｒからなる脇接続部を有する。
【００５３】
なお、図１乃至図６において、左袖の前側を形成する左前袖ＦＬの袖下６１Ｌ及び上前身頃ＵＦの脇線６３Ｌ、並びに、左袖の後側を形成する左後袖ＢＬの袖下６２Ｌ及び後身頃Ｂの脇線６４Ｌを接続具３１，３２で接続自在とする左接続部５０Ｌと、右袖の前側を形成する右前袖ＦＲの袖下６１Ｒ及び下前身頃ＤＦの脇線６３Ｒ、並びに、右袖の後側を形成する右後袖ＢＲの袖下６２Ｒ及び後身頃Ｂの脇線６４Ｒを接続具３１，３２で接続自在とする右接続部５０Ｒとは、左接続部５０Ｌと右接続部５０Ｒが中央で線対称となり、基本的に構成を同一にしている。
そして、脇接続部を構成しているこれら左接続部５０Ｌ、右接続部５０Ｒは本来の縫製部分を縫製することなく接続している接続具３１，３２の配設個所である。
【００５４】
ここで、本実施の形態１において、脇接続部を構成している左接続部５０Ｌ、右接続部５０Ｒに配設する接続具は、面ファスナ等の接着布３１及び紐３２を用いている。
左右の袖下６１Ｌ，６２Ｌ，６１Ｒ，６２Ｒ側では、接続具として面ファスナ等の接着布３１が使用され、左右の脇線６３Ｒ，６４Ｒ，６３Ｌ，６４Ｌ側では、接続具として面ファスナ等の接着布３１及び紐３２が併用されている。
【００５５】
特に、本実施の形態１では、着衣する人の前側を閉じ上前身頃ＵＦと下前身頃ＤＦの開きを防止する固定具として紐７２Ａを使用し、上前身頃ＵＦの脇線６３Ｒ側とは反対側の端部に設けた固定具としての紐７２Ａと対応する位置には、右接続部５０Ｒの接続具として紐３２Ａ（以下、紐７２Ａと対応させる場合には裾側の紐と区別するため３２Ａとする）を使用することで、接続具としての紐３２Ａに固定具としての機能も持たせている。即ち、右接続部５０Ｒに接続具として設けた１対の紐３２Ａは紐７２Ａとの接続も可能とし、１対の紐３２Ａと紐７２Ａをまとめて結ぶことにより、下前身頃ＤＦの脇線６３Ｒ側と後身頃Ｂの脇線６４Ｒ側とを接続し右接続部５０Ｒの一部を閉じると同時に、上前身頃ＵＦと下前身頃ＤＦの位置を固定し前身頃側を閉じる。
【００５６】
なお、本実施の形態１では、固定具としての紐７２Ａは脇線６３Ｒ，６３Ｌとは反対側で上前身頃ＵＦの端部と下前身頃ＤＦの端部の両方に所定位置に設けられ、下前身頃ＤＦ側でも、上前身頃ＵＦの脇線６３Ｌと後身頃Ｂの脇線６４Ｌを接続する接続具としての紐３２Ａと接続自在となっている。上前身頃ＵＦの脇線６３Ｌと後身頃Ｂの脇線６４Ｌとで接続具３１，３２が配置する間隔は両者が結合することなく開口するから、紐３２Ａの前後の開口から下前身頃ＤＦの紐７２Ａを通して、脇線６３Ｌ，６４Ｌの外側で１対の紐３２Ａと紐７２Ａを接続してもよいし、或いは、紐３２Ａの前後の開口に紐３２Ａを通して、脇線６３Ｌ，６４Ｌの内側で紐３２Ａと１対の紐７２Ａを接続してもよい。着用する人の容態等に応じて選択できる。そして、下前身頃ＤＦ側と上前身頃ＵＦ側の両方で紐７２Ａと１対の紐３２Ａの接続固定できるから、着衣した人の前側を開け難くできる。更に、着用する人の容態、患部の位置、着用する人に接続している器具の位置等によっては、下前身頃ＤＦ側を上に、上前身頃ＵＦを下にして着用し、前側が開けないように固定することも可能である。更に、被介護者の容態、介護処置等の状況によっては下前身頃ＤＦ紐７２Ａ及び上前身頃ＵＦの紐７２Ａの結びにより固定し着用することもできる。この場合には、上前身頃ＵＦと下前身頃ＤＦによる襟元のＶ字が深く形成される。
【００５７】
また、本発明を実施する場合には、上前身頃ＵＦや下前身頃ＤＦの端部の長さ方向において所定間隔で固定具としての紐７２Ａを複数個設け、それに対応する紐を脇線側に複数設けてもよい。
ここでは、上前身頃ＵＦと下前身頃ＤＦの接続固定は、紐３２Ａ，７２Ａによるものの説明をしたが、本発明を実施する場合には、上前身頃ＵＦと下前身頃ＤＦの接続固定の手段は紐に限定されることなく、上前身頃ＵＦと下前身頃ＤＦの縁部にマジックテープ（登録商標）等の面ファスナからなる接着布や、スナップボタン、ボタンとボタン穴等を設け、それらで身頃の前側が開かないように接続固定してもよい。或いは、帯紐を締めて固定してもよい。
【００５８】
そして、接着布３１と紐３２のように異種の接続具を併用すると、間違いのない接続、即ち、掛け違いの防止にも有効である。また、接続具として紐３２による接続は、接着布３１を接続する前に概略の身だしなみを整えることに使用するのにも好適である。接着布３１は接続具として接続の着脱が容易にできるが、身体の動きにより接続が解除されやすいこともある。そこで、例えば、裾付近に配設する接続具には紐３２を選択することで、強固な紐３２の結び方により、着用時に足の動きにより脇線６３Ｒ，６４Ｒ，６３Ｌ，６４Ｌ側で上前身頃ＵＦ及び下前身頃ＤＦと後身頃Ｂとが裾側から開かれて捲れてしまうのを防止できる。また、このような捲れが防止されると床擦れを誘発する皺の発生も防止できる。
【００５９】
接続具３１，３２の個数、配置間隔は任意に設定できる。例えば、左接続部５０Ｌまたは右接続部５０Ｒの全長に対し、５ｃｍ〜２０ｃｍの間隔で５個〜１５個の接続具の配設とすることができる。なお、左接続部５０Ｌまたは右接続部５０Ｒにおいて、脇線側及び袖下側を接続する接続具３１，３２の列状の配置間隔の間、即ち、脇線側及び袖下側で所定間隔で配置され隣接する接続具３１，３２間は、右前布１０Ｒ及び左前布１０Ｌと背布２０との非結合部分であって開口可能な開放区間５３である。
【００６０】
特に、図１乃至図６において、接続具３１，３２の配設は、着用したときに身体の脇下に位置するコーナ部分が除かれ、汗のかきやすい脇下では袖の上下幅を広く設けて、接続具３１，３２を配設しないことによって、袖下から脇線にかけて対向する右前布１０Ｒ及び左前布１０Ｌと背布２０との間に開放区間５３を設けている。このように汗のかきやすい脇下に位置するコーナ部分に開放区間５３が位置すると、汗等の水分の放散性が良くなり、通気がよくなる。また、脇下に開放区間５３があると、そこに介護者の手を入れて、着衣した被介護者に処置、例えば、体温計の挿入等を施すことができ利便性が高い。
【００６１】
接続具は、図７（ａ）に示すように、マジックテープ（登録商標）等の面ファスナ等からなる接着布３１であれば、左前布１０Ｌや右前布１０Ｒの裏面（内面）の端部（袖下側や脇線側）に接着布３１の雄側３１ａまたは雌側３１ｂの一方を配設し、背布２０の裏面（内面）の端部（袖下側や脇線側）に接着布３１の他方の雌側３１ｂまたは雄側３１ａを配設し、両者を接続するか、その接続を解除するものである。面ファスナ等の接着布３１を使用すると、接続及び分離の操作が極めて容易であり、更にボタンや紐等よりも面で長い間隔を接合できる利点がある。即ち、接着布３１の任意の長さの面により、例えば、身体の大きさや患部の位置、容態に応じて、接続箇所の選択が可能となり、身体の動きを妨げたり患部に違和感を生じさせたりすることのない快適な着用を可能とする。
【００６２】
なお、面ファスナ等の接着布３１は洗濯等により糸屑が接着機構部分に絡み付き、接着力が低下する可能性があるので、洗濯時には、洗濯用の接着布を接合し、糸屑が巻き付かないようにするか、雌側３１ｂ及び雄側３１ａの接続状態とするのが望ましい。接着布３１が疲れてきた場合でも、新製品と取り換えることが容易である。接着布３１は、例えば、四角形状、円形状等のものが使用できるが、角部を面取りしたものや、円形状等の外周が曲線状のものであると、角があるものと比して、肌に当たったときでも不快感が少ない。
【００６３】
図７（ｂ）に示すように、紐３２による接続であれば、左前布１０Ｌや右前布１０Ｒの表面または裏面の端部（袖下側や脇線側）に対となる紐３２の一方の紐３２ａを取付け、背布２０の表面または裏面の端部に他方の紐３２ｂを取付け、両者を結ぶか、その結びを解くものである。紐３２の結び方により任意の強度で接続できる。また、左接続部５０Ｌ、右接続部１０において所望の密度で接続できる。図７（ｂ）では、１対の紐３２を縫付けによって、左前布１０Ｌ、右前布１０、背布２０に取付けているが、左前布１０Ｌや右前布１０と背布２０とに紐３２を通す穴を形成し、その穴に紐３２を通して結ぶことにより、取付けてもよい。
【００６４】
ここで、接続具として接着布３１や紐３２の使用について説明してきたが、本発明を実施する場合には、容易に着脱可能で、所定の接合強度を確保できれば、接着布３１や紐３２以外でも、例えば、１対のスナップボタン、ボタンとボタン穴等の接続手段を用いてもよく、１種の接続具で統一してもよいし、異種の接続具を併用してもよい。
【００６５】
例えば、図８（ａ）に示すように、スナップボタン３３を使用し、左前布１０Ｌや右前布１０Ｒの裏面（内面）の端部（袖下側や脇線側）にスナップボタンの凸部３３ａまたは凹部３３ｂの一方を配設し、背布２０の裏面（内面）の端部（袖下側や脇線側）にスナップボタンの他方の凹部３３ｂまたは凸部３３ａを配設し、両者を接続するか、その接続を解除するものとしてもよい。
【００６６】
また、図８（ｂ）に示すように、４つ穴のボタン３４ｂ、即ち、貝ボタン、樹脂ボタン等とそれに対応する穴篝３４ａの組み合わせであってもよい。図８（ｂ）では、穴篝３４ａを左前布１０Ｌや右前布１０Ｒの端部（袖下側や脇線側）に配設し、背布２０の裏面（内面）の端部（袖下側や脇線側）にボタン３４ｂを配設し、両者を接続するか、その接続を解除するものである。ボタン穴篝３４ａとして横長の穴としているが、これを縦長の篝穴としてもよい。
【００６７】
このように、脇接続部を構成する左接続部５０Ｌや右接続部５０Ｒによる接続が、接着布３１、紐３２、ボタン３３，３４であると、線ファスナのような異物感が少ない。即ち、これらの接続具では曲げにも応答できるから身体の一部を動かしたときでも違和感を感じ難い。
【００６８】
なお、図７及び図８において、左前布１０Ｌや右前布１０Ｒの端部と背布２０の端部とは平行に合わせるように接着布３１や紐３２、ボタン３３，３４等の接続具を配設しているが、本発明を実施する場合には、図９に示すように接続具を環状を描くように接続してもよい。
【００６９】
即ち、図９（ａ）に示すように、背布２０側に配設する接続具（図９においては接着布３１）を、袖下側や脇線側の端部に布地を突設した突設部３１ｃに配設し、このとき接着布３１の雄側３１ａまたは雌側３１ｂの一方を背布２０の裏面（ｂｃ）側（内面側）とし、接着布３１の他方の雌側３１ｂまたは雄側３１ａを左前布１０Ｌや右前布１０Ｒの表面（ｆｃ）側（外面側）に配設する。これにより、突設部３１ｃが環状を描くようにして接着布３１を接続させることができ、接合状態で接着布３１の接合面が左前布１０Ｌや右前布１０Ｒの表面（ｆｃ）側（外面側）に位置するから、着衣した被介護者の動きによっても、接着布３１の接合面が身体に当たることなく違和感がない。
【００７０】
また、図９（ｂ）に示すように、左前布１０Ｌや右前布１０Ｒよりも、背布２０の幅を大きく形成し、接着布３１の雄側３１ａまたは雌側３１ｂの一方を背布２０の裏面（ｂｃ）側（内面側）とし、接着布３１の他方の雌側３１ｂまたは雄側３１ａを左前布１０Ｌや右前布１０Ｒの表面（ｆｃ）側（外面側）に配設する。そして、左前布１０Ｌや右前布１０Ｒの端部に対し、背布２０の端部を包むようにして接着布３１を合わせてもよい。接合状態で接着布３１の接合面が左前布１０Ｌや右前布１０Ｒの表面（ｆｃ）側（外面側）に位置するから、被介護者の動きによっても、接着布３１の接合面が身体に当たることなく違和感がない。更に、保温性が高まり、冬場に好適である。
【００７１】
なお、左接続部５０Ｌや右接続部５０Ｒでの列状の接続において、接続具の掛け違いを防止するために、異種の接続具を隣接させることも有効であるが、例えば、対となって接続する双方にアルファベット、数字、文字、ワンポイントマーク、絵等の同一の番号、記号、符号または色等を付し、隣接する接続具とはアルファベット、数字、文字、ワンポイントマーク、絵等の番号、記号または色等を異にすることにより区別しても良い。接続具の色、または、接続具を構成する糸や布に縫製する糸の色を相違させることによって区別してもよいし、接続具の形状や構成により区別してもよい。特に、アルファベット、数字であれば、接続具の数が端の接着具をみるだけで明確になる。また、途中から接続させても、残りの数が推定できる。
【００７２】
例えば、図８（ｂ）に示すように、接続具３４の対となる双方で同一のものを付与した記号７３，７４は、テープ状の織物７５にアルファベット、数字、文字、ワンポイントマーク、絵等を織り込み、右接続部５０Ｒや左接続部５０Ｌの長さで繰り返し表されるものを作成しておき、そのアルファベット、数字、文字、ワンポイントマーク、絵等に順列が明確なものを使用する。テープ状の織物７５としたものは、左前布１０Ｌや右前布１０Ｒや背布２０の端部に平行して縫付けるものであり端部を補強する機能、接続具の配設の補強としても機能する。記号７３，７４は、テープ状の織物７５に限定されず、端部のパイピングとして機能する後述のバイアステープ等のパイピング布８１に付しても良いし、直接、布に刺繍やステッチを施すことにより付しても良い。テープ状の織物７５を１ポイント毎の文字、図形、符号等としてもよい。
【００７３】
このように接続具の対となる双方に同一番号、記号、符号等を付与することにより、対となる接続具の位置を特定して、ボタン、接着布、紐等の接続具の正規の対応する接続の掛け間違いを防止し、左前布１０Ｌや右前布１０Ｒと背布２０との関係に誤りが生じないようにできる。
【００７４】
ところで、図１に示すように、本実施の形態１では、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものである。通常、生地は切断するとその端部からほつれやすくなるので、その解れを防止して強度を高め、意匠性を向上させるために、パイピング処理、見返し縫い、袋縫い、折り伏せ縫い、割り伏せ縫い、本返し縫い等で生地の端部が処理される。
【００７５】
本実施の形態１においては、左前布１０Ｌ、右前布１０Ｒ及び背布２０の袖口６５側の端部や、着衣する人の首の周囲に位置する襟側から裾側にかけて連続する左前布１０Ｌ及び右前布１０Ｒの脇線側とは反対側の端部や、左前布１０Ｌ、右前布１０Ｒ及び背布２０の袖下及び脇線の端部や、裾下の端部で、パイピング布８１により端部を包むパイピング処理が施されており、端部を見栄えの良い処理とし、外形を整え補強する。また、端部の強度を高め、布を捲れ難くしている。パイピング処理は、例えば、細長い生地からなるパイピング布８１を二つ折りにし、生地の端面を包むように生地の端面に沿って縫付けることにより行われる。
【００７６】
パイピング布８１の材料は、公知のバイアステープ等を使用しても良いが、例えば、所定寸法の生地から左前布１０Ｌ、右前布１０Ｒ及び背布２０を裁断したときの余剰部からバイアステープ状に作製することもできる。この場合には全体の生地の統一感が得られ、左前布１０Ｌ、右前布１０Ｒ及び背布２０に使用する肌触りの良い生地との一体感を持たせることができる。また。生地を有効に利用できることで低コストで済む。一方、左前布１０Ｌ、右前布１０Ｒ及び背布２０の生地とは、柄、素材、色等が相違するパイピング布８１を用いて装飾的効果を増大させることもできる。
【００７７】
特に、本実施の形態１において、左前布１０Ｌ、右前布１０Ｒ及び背布２０の袖下から脇線へと連続するシルエットラインのコーナ部分が曲線状に形成され、角を持たないから、パイピング処理等によって端部を処理する場合でもパイピング布８１の切込み、重ねを必要とすることなく縫製が容易である。そして、端部を処理するパイピング布８１の重ねによる段差を必要とすることなくパイピング布８１の包み込みが可能であり、身体への当たりが少ない端部の処理が可能である。また、袖下及びそれに連続する脇線のカーブに角が存在しないことで、集中的な負荷が少ないからパイピング布８１が薄くても、或いは、補強しなくても裂け難く、耐久性が高い。しかし、本発明を実施する場合には、端部の処理は、見返し縫い等の手法を用いてもよい。見返し縫いであれば、切込みによって脇線接続部のカーブ形状でも、引きつりや寄りのない仕上がりを可能とし、身体への当たりが少ない端部の処理が可能である。接続部を取付ける部位の補強にも有効である。パイピング布８１との併用としてもよい。
【００７８】
なお、幅の広い襟芯を入れて和装でいう衿を縫製することも可能であるが、図２乃至図６において、襟元をパイピング布８１でまとめたのみであると、着衣した人が寝具の上に寝ころんでいるときに、襟元が引張られ難く、皮膚への刺激、違和感も少ない。
【００７９】
こうして、本実施の形態１の介護用着衣としての介護用寝巻１は、左後袖ＢＬ及び右後袖ＢＲ及び後身頃Ｂが一体に裁断されてなる背布２０に対して、左前袖ＦＬ及び上前身頃ＵＦが一体に裁断されてなる左前布１０Ｌと、右前袖ＦＲ及び下前身頃ＤＦが一体に裁断されてなる右前布１０Ｒとが縫製されて袖山・肩山４１Ｌ，４１Ｒを形成し、袖山・肩山４１Ｌで背布２０と左前布１０Ｌとが縫製されてなる右縫製部４０Ｒ、及び、袖山・肩山４１ＲＬと対称的な位置の袖山・肩山４１Ｒで背布２０と右前布１０Ｒとが縫製されてなる左縫製部４０Ｌからなる縫製部４０を有する。
【００８０】
そして、左前袖ＦＬの袖下６１Ｌ及び上前身頃ＵＦの脇線６３Ｌと、左後袖ＢＬの袖下６２Ｌ及び後身頃Ｂの脇線６４Ｌとの左接続部５０Ｌを接続具としての接着布３１及び紐３２で接続し、また、それらの接続を解除できるようになっている。同様に、右前袖ＦＲの袖下６１Ｒ及び下前身頃ＤＦの脇線６３Ｒと、右後袖ＢＲの袖下６２Ｒ及び後身頃Ｂの脇線６４Ｒも、接続具としての接着布３１及び紐３２で接続し、また、それらの接続を解除できるようになっている。
【００８１】
したがって、左袖の袖下６１Ｌ，６２Ｌ及びそれに連続する上前身頃ＵＦと後身頃Ｂの脇線６３Ｌ,６４Ｌは、接続具としての接着布３１、紐３２によって、左接続部５０Ｌで開閉自在である。
つまり、袖山・肩山４１Ｌで繋がっている左前袖ＦＬと左後袖ＢＬは、それらの袖下６１Ｌ，６２Ｌで、袖側の左接続部５０Ｌを接続具としての接着布３１で接合すると筒状に接続され、接着布３１の接合を解くことで、袖下６１Ｌ，６２Ｌで左前袖ＦＬと左後袖ＢＬが分かれて逆Ｕ字状に下端が開放される。
また、左前袖ＦＬに連続する上前身頃ＵＦと左後袖ＢＬに連続する後身頃Ｂも、それらの脇線６３Ｌ，６４Ｌで、身頃側の左接続部５０Ｌを接続具としての接着布３１、紐３２で接続され、接着布３１、紐３２の接続を解くことで、脇線６３Ｌ，６４Ｌで上前身頃ＵＦと後身頃Ｂが分かれて身頃の左側端部が開放される。
【００８２】
同様に、右袖の袖下６１Ｒ，６２Ｒ及びそれに連続する下前身頃ＤＦと後身頃Ｂの脇線６３Ｒ,６４Ｒについても、接続具としての接着布３１、紐３２によって、右接続部５０Ｒで開閉自在である。
つまり、袖山・肩山４１Ｒで繋がっている右前袖ＦＲと右後袖ＢＲは、それらの袖下６１Ｒ，６２Ｒで、袖側の右接続部５０Ｒを接続具としての接着布３１で接合すると筒状に接続され、接着布３１の接合を解くことで、袖下６１Ｒ，６２Ｒで右前袖ＦＲと右後袖ＢＲが分かれて逆Ｕ字状に下端が開放される。
また、右前袖ＦＲに連続する下前身頃ＤＦと右後袖ＢＬに連続する後身頃Ｂも、それらの脇線６３Ｒ，６４Ｒで、身頃側の右接続部５０Ｒを接続具としての接着布３１、紐３２で接続され、接着布３１、紐３２の接続を解くことで、脇線６３Ｒ，６４Ｒで下前身頃ＤＦと後身頃Ｂが分かれて身頃の右側端部が開放される。
【００８３】
そして、本実施の形態１の介護用寝巻１は、左前袖ＦＬ及び上前身頃ＵＦを一体に裁断してなる左前布１０Ｌが袖山・肩山４１Ｌで縫製により背布２０に繋がれ、一方で、右前袖ＦＲ及び下前身頃ＤＦを一体に裁断してなる右前布１０Ｒも袖山・肩山４１Ｒで縫製により背布２０に繋がれ、着衣する人の前側で下前身頃ＤＦに上前身頃ＵＦが重ねられて、紐７２Ａと紐３２Ａの接続により着用され、脱衣時は紐７２Ａと紐３２Ａの接続を解くことにより着衣する人の前側で下前身頃ＤＦと上前身頃ＵＦが離れて開かれる前開きである。勿論、男女のどちらにも共用である。
【００８４】
次に、本実施の形態１の介護用寝巻１の使用について、図２乃至図６を用いて説明する。
本実施の形態１の介護用寝巻１は、通常の寝巻と同様、折り畳んで移動される。なお、ここで説明する着脱手順は一例であり、被介護者の状態、身体の自由がどれだけ利くかによっても違いがあり、介護者の慣れ、やり易さ等でも違いがでることがある。
【００８５】
被介護者が着用する場合は、例えば、寝具の上に、介護用寝巻１を拡げ、左の袖下６１Ｌ，６２Ｌ側及び脇線６３Ｌ，６４Ｌ側から、左前布１０Ｌと背布２０の間を開いて離す。また、右の袖下６１Ｒ，６２Ｒ側及び脇線６３Ｒ，６４Ｒ側から、右前布１０Ｒと背布２０の間を開いて離す。左の袖下６１Ｌ，６２Ｌ及びそれに連続する脇線６３Ｌ，６４Ｌが接続具３１，３２で接続されている場合には、袖下６１Ｌ，６２Ｌ及びそれに連続する脇線６３Ｌ，６４Ｌを接続具３１，３２で接続した左接続部５０Ｌの接続を解き、左前布１０Ｌと背布２０を離す。同様に、右の袖下６１Ｒ，６２Ｒ及びそれに連続する脇線６３Ｒ，６４Ｒを接続具３１，３２で接続した右接続部５０Ｒの接続を解き、右前布１０Ｒと背布２０を離す。
そして、図４及び図５で示すように、裾側から袖口６５側までの袖下６１Ｌ，６２Ｌ，６１Ｒ，６２Ｒ側及び脇線６３Ｌ，６４Ｌ、６３Ｒ，６４Ｒ側で背布２０から離した左前布１０Ｌ及び右前布１０Ｒを袖山・肩山４１Ｒ，４１Ｌよりも上に挙げる。
【００８６】
なお、実際の介護の現場では、図６に示すように、袖下６１Ｌ，６２Ｌ，６１Ｒ，６２Ｒ側及び脇線６３Ｌ，６４Ｌ、６３Ｒ，６４Ｒ側から背布２０と分離した左前布１０Ｌ及び右前布１０Ｒを袖山・肩山４１Ｒ，４１Ｌよりも上に挙げ、それを折り畳み、左前布１０Ｌからなる左折り畳み部Ｌ１０及び右前布Ｒ１０からなる左折り畳み部Ｌ２０を形成し、場所をとらない仕様とされる。即ち、左前布１０Ｌ及び右前布１０Ｒを折り畳み袖山・肩山４１Ｒ，４１Ｌ側に置いておく。勿論、巻き込んで形成してもよい。
【００８７】
こうして、上前身頃ＵＦの裾から左前袖ＦＬの袖口６５まで連続して左接続部５０Ｌを開くことができ、左前布１０Ｌを上に拡げることができる。また、下前身頃ＤＦの裾から右前袖ＦＲの袖口６５まで連続して右接続部５０Ｒを開くことができ、右前布１０Ｒを上に拡げることができる。背布２０は何れからも引張られないから展開した状態を維持できる。
【００８８】
そこで、背布２０の上に被介護者を平面視で十の字になるように寝かせる。被介護者を寝かせた状態で、背布２０と袖山・肩山４１Ｒ，４１Ｌで繋がれており上に挙げていた左前布１０Ｌ及び右前布１０Ｒをそれぞれ下ろし、左前布１０Ｒの左前袖ＦＬを被介護者の左腕に被せ、また、左前布１０Ｌの上前身頃ＵＦを被介護者の身体の左前側に被せ、着せ掛ける。同様に、右前布１０Ｒの右前袖ＦＲを被介護者の右腕に被せ、また、右前布１０Ｒの下前身頃ＤＦを被介護者の身体の右前側に被せ、着せ掛ける。
【００８９】
即ち、左前袖ＦＬと左後袖ＢＬが袖下６１Ｌ，６２Ｌで分かれて逆Ｕ字状に開くから、その間に被介護者の左腕を入れ、そして、左前布１０Ｌの上前身頃ＵＦを被介護者の身体の左前側に被せて着せ掛ける。右前袖ＦＲと右後袖ＢＲが袖下６１Ｒ，６２Ｒで分かれて逆Ｕ字状に開くから、その間に被介護者の右腕を入れ、そして、右前布１０Ｒの下前身頃ＤＦを被介護者の身体の右前側に被せて着せ掛ける。
【００９０】
そして、この状態で、左前袖ＦＬの袖下６１Ｌ及び上前身頃ＵＦの脇線６３Ｌと、左後袖ＢＬの袖下６２Ｌ及び後身頃Ｂの脇線６４Ｌを接着布３１、紐３２で接続し、左接続部５０Ｌの接着布３１、紐３２の接続具を接続状態とする。
同様に、右前袖ＦＲの袖下６１Ｒ及び下前身頃ＤＦの脇線６３Ｒと、右後袖ＢＲの袖下６２Ｒ及び後身頃Ｂの脇線６４Ｒを接着布３１、紐３２で接続し、右接続部５０Ｒの接着布３１、紐３２の接続具を接続状態とする。
接続具は、先に紐３２の接続により概略の身だしなみを整え、次いで接着布３１の接続をすることにより、被介護者の体型に沿って着衣を整え易く、皺が入り難く着崩れし難い着衣の整えが容易となる。
【００９１】
喩え、このときカテーテル等の医療用チューブや心電図の電極へと繋がる線が何本か身体に入っていても、チューブや線が通過する部位の前後の接続具３１，３２を固定接続し、左接続部５０Ｌ及び右接続部５０Ｒの他の接続具３１，３２を接続状態とし、左前布１０Ｌ及び右前布１０Ｒと背布２０とを脇線及び袖下で一体に接続できる。つまり、脇線及び袖下側で列状に配設する接続具３１，３２間の開放区間５３でチューブや線を通過させることができるから、チューブ等が寝巻１の中で絡まったり引っ掛かったりする恐れがなく、チューブ等を無理に曲げる必要なく寝巻１の外に出すことができる。チューブの絡まり等による違和感、不快感を与える恐れもない。このとき、チューブ等の位置によっては所定の接続具３１，３２を固定動作しないこともできる。
【００９２】
そして、上前身頃ＵＦと下前身頃ＤＦを前合わせし、紐３２Ａと紐７２Ａの結びによって、上前身頃ＵＦと下前身頃ＤＦが開かれるのを防止する。被介護者の体のラインに合わせた接続具３１，３２の接続を確認し、再度、医療用チューブの通過位置を確認し、寝巻１全体の着せ掛けを完了する。この後、被介護者が好みの体形で寝ればよい。
【００９３】
特に、本実施の形態１の介護用着衣１によれば、縫製部４０で左前布１０Ｌ及び右前布１０Ｒと背布２０が縫製されて繋がれているから、被介護者の位置決め及び着衣の位置決めが簡単であり、両手が不都合な被介護者であっても、自分が着衣を身につけるのに協力できるという満足感が得られる。そして、紐３１、接着布３２等による接続具を用いれば必要な密度で固定できる。また、左接続部５０Ｌまたは右接続部５０Ｒの接続具を二人で止める場合でも、相手方の接続具の数をカウントする必要がない。
【００９４】
なお、背布２０の上に被介護者を寝かせた状態とするのに、被介護者の左側または右側から着衣１を被介護者の身体の下側に潜らせ寝具の上を摺動させることによって、被介護者を背布２０の後身頃Ｂの上に配置させることができる。したがって、仰向けに寝た姿勢の状態のままで、自然体で着衣を着せることができる。
【００９５】
また、着衣を脱ぐ場合には、紐３２Ａと紐７２Ａの結びを解き、そして、左接続部５０Ｌ及び右接続部５０Ｒの接着布３１、紐３２の接続具を外し、上前身頃ＵＦの下方（裾側）から折り畳み、上前身頃ＵＦを左前袖ＦＬとまとめて（折り畳んで）、また、下前身頃ＤＦの下方（裾側）から折り畳み、下前身頃ＤＦを右前袖ＦＲとまとめて（折り畳んで）、被介護者の体を若干浮き上げ着衣を下方向で抜き取る。このとき、背面の合わせ目が少ないから寝具との接触抵抗も少ない。したがって、大きな力を出さなくても、被介護者の体を横に向けなくて被介護者下から容易に着衣を抜き取ることができる。
【００９６】
被介護者の容態や介護者等によっては介護者が被介護者の寝巻１の着脱を行う手順について、上述の態様に限定されない。例えば、寝具の上に介護者を寝かせたままで介護者の左側から着替えを行う場合、着用している寝巻１の紐３２Ａと紐７２Ａの結びを解いて、前身頃側を開放し、また、左接続部５０Ｌの接続具３１,３２の接続を解いて、左前布１０Ｌ及び背布２０の左側を脱がせる。そして、着替えを行う清潔な寝巻１について、左接続部５０Ｌの接続具３１,３２の接続を解いて開放状態とした左前布１０Ｌと背布２０の左側を介護者の左側に配置し、左前布１０Ｌを背布２０の上に挙げておき、背布２０の左後袖ＢＬを被介護者の左腕の下に潜らせて寝具の上を摺動させることで被介護者の左腕の後側に左後袖ＢＬがくるように配置するようにする。
【００９７】
この状態で、背布２０と袖山・肩山４１Ｒ，４１Ｌで繋がれており上に挙げていた左前布１０Ｌを下ろし、左前布１０Ｒの左前袖ＦＬを被介護者の左腕に被せ、そして、左前袖ＦＬの袖下６１Ｌ及び上前身頃ＵＦの脇線６３Ｌと、左後袖ＢＬの袖下６２Ｌ及び後身頃Ｂの脇線６４Ｌを接着布３１、紐３２で接続し、左接続部５０Ｌの接着布３１、紐３２の接続具を接続状態とする。
【００９８】
次に、被介護者を右側に横向きにし、左側で脱いだ寝巻１を介護者側の背中側に押し込むようにする。このとき、新しく左側から着せた左前布１０Ｌの上前身頃ＵＦを被介護者の身体の左前側に被せ、寝巻１の背面布２０側を被介護者の背面側に着せ掛ける。また、新しく着せる寝巻１の右側は、右接続部５０Ｒの接続具３１,３２を接続状態としておく。そして、今度は、被介護者を反対側（左側）に横向きにし、右側を脱がせる方の寝巻１の右接続部５０Ｌの接続具３１,３２の接続を解いて、右前布１０Ｒ及び背布２０の右側を脱がせ、被介護者の右側から抜き取る。更に、新しく着せる寝巻１の接続状態にある右接続部５０Ｒの接続具３１,３２の接続を解いて右前布１０Ｒを開放し、逆Ｕ字状に開かれた右前袖ＦＲと右後袖ＢＲとの間に右腕をいれ、そして、右前布１０Ｒの下前身頃ＤＦを被介護者の身体の右前側に被せ、着せ掛ける。そして、被介護者を仰向けにし、上前身頃ＵＦと下前身頃ＤＦを前合わせし、紐３２Ａと紐７２Ａを結ぶ。被介護者の体のラインに合わせた接続具３１，３２の接続を確認し、再度、医療用チューブの通過位置を確認し、寝巻１全体の着せ掛けを完了する。
なお、着脱の順序は左と右が逆であってもよい。
【００９９】
こうして、本実施の形態１の介護用寝巻１によれば、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、また、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、左前布１０Ｌ及び右前布１０Ｒと背布２０とを分離できるため、身体が不自由であったり寝たきりの人であっても、特に、腕の自由が利かない人、上体の安静が必要な人であっても、腕を袖に通す動作をすることなく、腕を包むように左前袖ＦＬ及び左後袖ＢＬ、右前袖ＦＲ及び右後袖ＢＬを被せることができる。そして、袖下６１Ｌ，６２Ｌ、６１Ｒ，６２Ｒで接続することで、腕を殆ど動かさなくても腕に袖部分を着せ、更に、脇下６３Ｌ，６４Ｌ、６３Ｒ，６４Ｒで接続して胴体部分に身頃部分を着せることができる。よって、被介護者に無理な体勢、負担を強いることなく、また、介護者の負担も少なく、容易に着せることができる。
【０１００】
また、着衣を脱ぐ際、袖から腕を引き抜く動作をしなくとも、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、また、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、左前布１０Ｌ及び右前布１０Ｒと背布２０とを分離して脱がせることができる。よって、被介護者に無理な体勢、負担を強いることなく、また、介護者の負担も少なく、容易に脱がせることができる。
【０１０１】
そして、左接続部５０Ｒ及び右接続部５０Ｌの接続具３１，３２の配置間隔によって必要な密度で左前布１０Ｌ及び右前布１０Ｒと背布２０とを固定できる。カテーテル等が挿管された状態の患者であっても、カテーテル等の挿管位置に拘わらず、接続具３１，３２の間隔の開放区間５３でカテーテル等を引き出すことができるから、着衣を容易に着脱できる。このように、カテーテル等の医療用チューブが何本が身体に入っていても、この介護用着衣１を着るのに接続具３１，３２の間隔が広く、支障になるものがないため、手術等の患者に対しても、挿管状態を維持しつつ、着衣を素早く着せることができる。よって、肌の露出を少なくして肌寒さを解消できる。また、患者が快適な状態で治療を受けることができる。勿論、接続具３１，３２の所定の位置の接続を解除して、そこでカテーテル等を通過させてもよい。更に、接続具３１，３２の所定の位置の接続を解除するのみで、身体の所望の部位を露出できるから、容易に治療、処置、必要な介護等を受けることもできる。特に、接着布３１、紐３２、スナップボタン３３、ボタン３４ｂとボタン穴篝３４ａ等の接続具であれば、所定間隔の配置によって所望の位置のみ開放区間３５とし、身体の所望の部位のみの露出を可能とする。したがって、肌を必要以上に露出することの抵抗感を少なくでき、患者の身体が冷えるのを防止できる。
【０１０２】
このように、本実施の形態１の介護用寝巻１によれば、左前布１０Ｌ、右前布１０Ｒ、及び背布２０の裾側から袖口６５側まで連続する袖下６１Ｌ，６２Ｌ、６１Ｒ，６２Ｒ及び脇線６３Ｌ，６４Ｌ、６３Ｒ，６４Ｒの左接続部５０Ｌ及び右接続部５０Ｒからなる脇接続部で接続具３１,３２によって接続自在であるから、袖に腕を通す動作や袖から腕を引き抜く動作、また、頭部側から着衣を被せる動作をしなくとも、そして、介護者が寝た姿勢の状態でも、着衣の着脱を容易にでき、被介護者及び介護者の着替えの負担を軽減できる。
したがって、寝たきりの患者、老人、左右の腕の動作が自信持てない身体障害者等の被介護者の着衣として好適に使用できる。
【０１０３】
また、本実施の形態１の介護用寝巻１は、脚の膝以下まで丈のある長着であるから、ズボン等の下衣を着脱させる手間もなく、オムツ交換等の排泄介助も容易にできる。特に、上前身頃ＵＦ及び下前身頃ＤＦの位置を固定する紐３２Ａと紐７２Ａの結びを解いて前身頃側を開かなくても左接続部５０Ｌ及び右接続部５０Ｒの接続具３１,３２の一部の接続を外すのみで、裾側から前身頃ＵＦ及び下前身頃ＤＦを捲り上げて、必要以上に肌を露出させることなく、オムツ交換等の排泄介助も可能である。
更に、袖下６１Ｌ，６２Ｌ、６１Ｒ，６２Ｒの接続を外すのみで、左前袖ＦＬ及び左後袖ＢＬが分離し、また、右前袖ＦＲ及び右後袖ＢＲが分離するから、例えば、注射、検査等の際でも上腕部のみを露出させやすい。
【０１０４】
本実施の形態１の介護用寝巻１は、長着とする和装品としてそのサイズを設定でき、接着布３１、紐３２等の接続具の位置に体重がかかることがないので異物感がない。
特に、接続具としての接着布３１や紐３２は接続が容易であり、その接続も、袖下６１Ｌ，６２Ｌ、６１Ｒ，６２Ｒ及びそれに連続する脇線６３Ｌ，６４Ｌ、６３Ｒ，６４Ｒの左接続部５０Ｌ及び右接続部５０Ｒからなる脇接続部の接続であるから、被介護者の体勢や向きを変える必要なく、接続操作が容易にできる。
【０１０５】
接続具としての接着布３１、紐３２は、裾側から袖口６５側までの袖下６１Ｌ，６２Ｌ、６１Ｒ，６２Ｒ及びそれに連続する脇線６３Ｌ，６４Ｌ、６３Ｒ，６４Ｒの全長に亘る左接続部５０Ｌ及び右接続部５０Ｒにおいて所定間隔で配置できる。したがって、本実施の形態１の介護用寝巻１では、左接続部５０Ｌ及び右接続部５０Ｒにおける接続具３１，３２の間隔で規定される左前布１０Ｌ及び右前布１０Ｒと背布２０の非結合部位の開放区間５３を有する。よって、カテーテル等の医療用チューブが何本か身体に入っていても開放区間５３にチューブを通過させることができる。また、着衣状態で開放区間５３から被介護者等の手を入れて、介護者に処置を施すことができ便利である。更に、開放区間５３で空気の出入りを許容するから着衣の通気性も良くなる。
【０１０６】
特に、従来の和装の裁断、仕立てでは、身頃の袖付き部分に袖を付け、袖付けから袖下までの部位（着物の振り、人形に相当する部位）が存在する長着において前袖及び後袖の袖下を接続具で接続する構成では、着用する人の脇下に位置する袖下で角部の端（着物の振り、人形に相当する部位の角の端）が存在するから、その角部の端から布が捲れやすい。したがって、捲れ防止のために角部に接続具を配置する必要性が高く、着用する人の脇下の位置で接続具間の間隔配置を大きくとるのに不向きであった。即ち、着用する人の脇下の位置で接続具間の開放区間５３を大きくとることができなかった。
【０１０７】
これに対し、本実施の形態１の介護用寝巻１によれば、袖下６１Ｌ，６２Ｌ、６１Ｒ，６２Ｒから脇線６３Ｌ，６４Ｌ、６３Ｒ，６４Ｒに向かって曲線状に連続させる設計であるから、コーナに角が存在しないことで布端部の身体への当たりが少なく、また、角の端が存在しないことで布が捲れ易いこともない。よって、着衣した人の脇下に位置する部位において接続具３１，３２間の開放区間５３を大きくとることができで、通気性を良くできる。
【０１０８】
そして、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインを曲線状に形成して、左の袖口６５側から身頃側に向かって袖の上下幅を長くし、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインを曲線状に形成して、右の袖口６５側から身頃側に向かって袖の上下幅を長くしているから、袖口６５側は着衣した人の手の動きの邪魔となったり捲れ易くなったりしないような適当な小径で設計できるも、着衣した人の脇側では袖の上下幅が大きくて着衣した人の脇下に余裕を持たせることができる。したがって、腕の動きによっても、布の当たりが少なく、布が腕に纏わり付いたり腕を締め付けたりし難くなる。また、汗がかきやすい脇下に空気の通り道が形成され、通気性を向上させることができ、湿気による不快感、皮膚の湿気上昇による床擦れの誘発を防止できる。また、着衣状態で脇下の位置の空間が広いので、結んだ前の紐３２Ａ，７２Ａを解いて、前側で上前身頃ＵＦ及び下前身頃ＤＦを開けるのみで、脇の下の汗、汚れ等を拭き取るのも容易である。当然、洗濯をしたときでも乾きやすい。
【０１０９】
更に、本実施の形態１の介護用寝巻１では、袖から身頃にかけてのシルエットラインのコーナ部分に角が存在しないことで応力が集中しないので、コーナ部分からの引き裂けを防止でき、耐久性を高めることができる。
【０１１０】
そして、本実施の形態１の介護用寝巻１においては、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものであり、これら左前布１０Ｌ、右前布１０Ｒ及び背布２０は袖山・肩山４１Ｌ，４１Ｒでのみ縫製され、袖山・肩山４１Ｌ，４１Ｒにしか合わせ目が存在せず、着衣した人の背面側において床擦れを生じさせる原因となる合わせ目が少ない。即ち合わせ目である縫目が少ないことで体圧が分散され、肌への刺激が少ない。
【０１１１】
従来の和装の裁断、仕立てでは上下方向に長く背中心に合わせ目が存在していたことで、皺が発生し易く、また、縫代が統一せずに左右に撚れやすく、合わせ目である縫目、縫代が着衣した人の肌に対して刺激となることがあった。
これに対し、本実施の形態１の介護用寝巻１では、左後袖ＢＬ及び右後袖ＢＲと後身頃Ｂとが一体に裁断されてなる背布２０に対し、左前袖ＦＬ及び上前身頃ＵＦが一体に裁断されてなる左前布１０Ｌ、並びに、右前袖ＦＲ及び下前身頃ＤＦが一体に裁断されてなる右前布１０Ｒが袖山・肩山４１Ｌ，４１Ｒでのみ縫製され、着衣した人の背面側では左右の身頃を繋ぐ縫目も左右の袖と後身頃を縫製する縫目も存在しないから、皺も生じ難く、着衣した人への肌当たりも良く、かぶれや床擦れ等の肌へ刺激を軽減できる。また、縫目、縫代に皮膚が引っ掛かることによる生地の緊張、つっぱりも生じ難い。更に、アイロンをするときでも、背中心の縫代の方向を気にすることなく、皺の発生しないアイロン仕上げが容易に可能である。
【０１１２】
特に、左前布１０Ｌ、右前布１０Ｒ及び背布２０は袖山・肩山４１Ｌ，４１Ｒで縫製されているから、左前布１０Ｌ、右前布１０Ｒ及び背布２０が完全に分解しないため、洗濯したときでも管理が容易であり、夜間等の暗闇でも、左前布１０Ｌ、右前布１０Ｒ及び背布２０の組み合わせ方を考慮することなく、袖山・肩山４１Ｌ，４１Ｒの縫代位置を手で確認すれば、表裏を確認できることで、着替えが容易である。
なお、左前布１０Ｌ、右前布１０Ｒと背布２０とを袖山・肩山４１Ｌ，４１Ｒで縫製するその縫目、縫代部分が、着衣１の内側（身体側）でなく、外側にくるように縫製すると、肌への刺激がより少ないものとなる。
【０１１３】
そして、左前布１０Ｌ、右前布１０Ｒ及び背布２０は袖山・肩山４１Ｌ，４１Ｒで縫製されていることで、外形のラインを整え易く、着崩れによる皺の発生を防止でき、位置決めも容易である。また、袖山・肩山４１Ｌ，４１Ｒの強度を確保できる。特に、袖山・肩山４１Ｌ，４１の強度を確保できることで、袖口６５側から引っ張られた時でも、破れ難く、耐久性が高い。即ち、介護の現場では、同じ体勢で長時間寝たきりの状態にある被介護者等に対し、床擦れの予防として、被介護者の体の向きを変えた際や被介護者の着替えを行った際に、介護者が被介護者の着衣にできた皺をのばす（なくす）ことが頻繁に行われる。このとき、例えば、背中の肩側の着衣の皺をのばす際には、着衣の袖口６５側から引っ張ることから、肩山と襟の境界付近に負担が掛かり易い。しかし、本実施の形態１の介護用寝巻１では、左前布１０Ｌ、右前布１０Ｒ及び背布２０は袖山・肩山４１Ｌ，４１Ｒで縫製された縫製部４０を有することで、縫製による強度を高めることができ、肩山と襟の境界付近からの裂けを防止し、耐久性を高めることができる。
【０１１４】
このように、本実施の形態１の介護用着衣としての介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製して、左右の袖山・肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続具３１，３２で接続自在とした右接続部５０Ｒからなる脇接続部とを具備し、左接続部５０Ｌ及び右接続部５０Ｒからなる脇接続部は、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの接続によって筒状に接続される左袖の筒径が袖口６５側から上前身頃ＵＦ及び後身頃Ｂ側へ向かって拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び左後袖ＢＲの接続によって筒状に接続される右袖の筒径が袖口６５側から下前身頃ＤＦ及び後身頃Ｂ側へ向かって拡径している。
【０１１５】
本実施の形態１の介護用着衣としての介護用寝巻１によれば、左前袖ＦＬ及び上前身頃ＵＦが一体に裁断されてなる左前布１０Ｌの上辺、並びに、右前袖ＦＲ及び下前身頃ＤＦが一体に裁断されてなる右前布１０Ｒの上辺と、左後袖ＢＬ及び右後袖ＢＲと後身頃Ｂとが一体に裁断されてなる背布２０の上辺とが縫製部４０によって袖山・肩山４１で縫製されて繋がれているが、左接続部５０Ｌによって左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとが接続具３１，３２で接続自在とされ、また、右接続部５０Ｒによって右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとが接続具３１，３２で接続自在とされている。
【０１１６】
したがって、本実施の形態１の介護用寝巻１によれば、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続されてなる左接続部５０Ｌの接続を解くと、左の袖下６１Ｌ，６２Ｌ及びそれに連続する後身頃Ｂの脇線６３Ｌ，６４Ｌで、背布２０と左前布１０Ｌとを分離して開放できる。また、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを接続具３１，３２で接続されてなる右接続部５０Ｒの接続を解くと、右の袖下６１Ｒ，６２Ｒ及びそれに連続する後身頃Ｂの脇線６３Ｒ，６４Ｒで、背布２０と右前布１０Ｒとを分離して開放できる。よって、背布２０の上（内面側）に介護者を配置し、その配置した介護者に右前布１０Ｒを着せ掛け、また、左前布１０Ｌを着せ掛け、脇線接続部を形成する左接続部５０Ｌ及び右接続部５０Ｒのそれぞれの接続具３１,３２で袖下６１Ｌ，６２Ｌ、６１Ｒ，６２Ｒ及び脇線６３Ｌ，６４Ｌ、６３Ｒ，６４Ｒを接続することで、袖に腕を通す動作を行うことなく、被介護者に自然体で着衣を着せることができる。また、脇線接続部を形成する左接続部５０Ｌ及び右接続部５０Ｒのそれぞれの接続具３１,３２の接続を解くと、背布２０と左前布１０Ｌ及び右前布１０Ｒとを開放できるから、袖から腕を引き抜く動作を行うことなく、着衣を脱がせることができる。
このため、腕の自由がきかない患者であっても、着衣及び脱衣の負担が少なく、容易に着替えを行うことができる。
【０１１７】
特に、本実施の形態１の介護用寝巻１によれば、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものであり、これら左前布１０Ｌ、右前布１０Ｒ及び背布２０は袖山・肩山４１Ｌ，４１Ｒでのみ縫製され、袖山・肩山４１Ｌ，４１Ｒにしか合わせ目である縫目が存在せず、着衣した人の背面側において床擦れを生じさせる原因となる合わせ目が少ない。よって、肌への刺激を少なくできる。
【０１１８】
更に、脇線接続部を形成する左接続部５０Ｌ及び右接続部５０Ｒでは、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインを曲線状に形成し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインを曲線状に形成し、各左右で袖口６５側から身頃側に向かって袖の上下幅を径大としたことから、袖口６５は着衣した人の手の動きの邪魔となったり捲れ易くなったりしないような適当な径で設計できるも、身頃側に向かって袖の上下幅を大きくして余裕を持たせ、また、コーナの角をなくして、着衣した人の脇下の位置で布の身体への当たりを少なくできる。即ち、腕の動きによっても着衣した人の左右の脇下の位置で布が身体に当たり難い。
【０１１９】
加えて、コーナのシルエットラインを曲線状に形成し、腕が入る袖の筒径を袖口６５側から身頃側に向かって径大とし、汗がかきやすい脇下に余裕を持たせて、そこに空気の通り道が形成されるから、通気性を向上させることができ、湿気による不快感、床擦れの誘発を防止できる。
特に、コーナのシルエットラインを曲線状に形成しており角の端が存在しないことで布が捲れ易いこともないから、着用した人の脇下に位置する部位において接続具３１，３２間の開放区間５３を大きくとることができ、通気を良くできる。更に、コーナのシルエットラインを曲線状に形成して角が存在しないことで集中的な負荷（応力集中）が少ないからコーナが裂け難い。即ち、介護者が床擦れ予防のために袖口６５側から着衣を引張り、着衣の皺をのばすことが繰り返し行われる場合でも、袖から身頃に移行する（切替る）コーナ部分が裂け難く、耐久性が高い。加えて、角を持たないことでパイピング処理等によって端部を処理する場合でもパイピング布８１の切込み、重ねを必要とすることなく縫製が容易である。そして、パイピング処理等で端部を処理する際でも、パイピング布８１の重ねによる段差を設けることなく処理できるから、身体への当たりを少なくできる。
【０１２０】
こうして、本実施の形態１の介護用寝巻１によれば、肌への刺激が少なく、また、脇下の位置の通気性を向上できるから、着用時の快適性を向上させることができる。
【０１２１】
ところで、上記実施の形態１では、左前袖ＦＬ及び上前身頃ＵＦが一体に裁断されてなる左前布１０Ｌ、右前袖ＦＲ及び下前身頃ＤＦが一体に裁断されてなる右前布１０Ｒ、並びに、左後袖ＢＬ及び右後袖ＢＲと後身頃Ｂとが一体に裁断されてなる背布２０は、左前布１０Ｌの上辺及び右前布１０Ｒの上辺が背布２０の上辺で縫製されて左右の袖山・肩山４１Ｌ，４１Ｒを形成する縫製部４０とする説明をしたが、本発明を実施する場合には、左前布１０Ｌ、右前布１０Ｒ及び背布２０は、１枚或いは２枚以上を重ねた１単位の布から一体に裁断されてなるものとすることもできる。
【０１２２】
即ち、左前袖ＦＬ及び上前身頃ＵＦが一体に裁断されてなる左前布１０Ｌと、左前布１０Ｌと対称的に配置され、右前袖ＦＲ及び下前身頃ＤＦが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続具３１，３２で接続自在とした右接続部５０Ｒからなる脇接続部とを具備し、左前布１０Ｌ、右前布１０Ｒ及び背布２０は、一体に裁断されてなるものであり、左接続部５０Ｌ及び右接続部５０Ｒからなる脇接続部は、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの接続によって筒状に接続される左袖の筒径が袖口６５側から上前身頃ＵＦ及び後身頃Ｂ側へ向かって拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び左後袖ＢＲの接続によって筒状に接続される右袖の筒径が袖口６５側から下前身頃ＤＦ及び後身頃Ｂ側へ向かって拡径している介護用着衣１とすることもできる。
【０１２３】
このように、左前布１０Ｌ、右前布１０Ｒ及び背布２０が一体に裁断されてなる介護用着衣１では、１枚或いは２枚以上を重ねた１単位の布から左前布１０Ｌ、右前布１０Ｒ及び背布２０が一体に連続的に継目（縫目）のない状態で形成されるから、袖山・肩山４１Ｌ，４１Ｒに縫目（合わせ目）が存在しないものとなる。勿論、左前袖ＦＬと上前身頃ＵＦの間に縫目も存在せず、また、右前袖ＦＲ及び下前身頃ＤＦの間に縫目は存在せず、更に、左後袖ＢＬ及び右後袖ＢＲと後身頃Ｂとの間にも縫目が存在しない。これら左前布１０Ｌ、右前布１０Ｒ及び背布２０の間で接ぎ合わせた縫目が存在しないから、着衣した人に対して床擦れを生じさせる原因となる合わせ目が少なく、体圧が分散され、肌への刺激がより少ないものとなる。また、袖山・肩山４１Ｌ，４１Ｒで縫製しないから、製造も容易である。
なお、着衣した人の前側に位置する左前布１０Ｌと着衣した人の後側に位置する背布２０の切替部分（折目部分）の山が袖山・肩山４１Ｌに相当し、また、着衣した人の前側に位置する右前布１０Ｒと着衣した人の後側に位置する背布２０の切替部分（折目部分）の山が袖山・肩山４１Ｒに相当する。
【０１２４】
更に、上記実施の形態１では、右腕及び左腕の不自由な被介護者、或いは手足の不自由な被介護者を前提に説明したが、右腕または左腕が不自由な人の場合には、次の変形例とすることもできる。
本実施の形態１に係る変形例１を図１０に示す。変形例１に係る介護用寝巻１は、左腕のみが不自由な被介護者の介護用着衣として、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続具３１，３２で接続自在とした左接続部５０Ｌはそのままで、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを接続する右接続部５０Ｒを縫製によって接続したものである。
【０１２５】
即ち、変形例１の脇接続部の構成は、背布２０の左後袖ＢＬの袖下６２Ｌ及びそれに連続する後身頃Ｂの脇線６４Ｌとを接続具３１，３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを縫製した右接続部５０Ｒとしての右縫製部１５０Ｒからなる。
【０１２６】
このように変形例１では、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを縫製してなる右縫製部１５０Ｒは、通常の形態の縫製として縫付けている。したがって、左腕のみが不自由で右腕が健常な人の介護用着衣として、健常な右腕は、袖下が縫製されている右前袖ＦＲ及び右後袖ＢＲからなる右袖の筒に通し、右半身は通常のように着せ掛けることができる。つまり、右腕の一方のみの腕を健常者と同等に対応できる。
【０１２７】
右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを縫製してなる右縫製部１５０Ｒであっても、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の上下幅が拡径しているから、寝た状態の姿勢のままでも右袖に腕を通しやすい。
【０１２８】
一方、不自由な左腕側は、左接続部５０Ｌの袖下６１Ｌ，６２Ｌ及びそれに連続する脇線６３Ｌ，６４Ｌの接続具３１，３２を解除すると、袖下６１Ｌ，６２Ｌで左前袖ＦＬ及左後袖ＢＬに分かれ逆Ｕ字状に開くからその間に左腕を入れて、袖下６１Ｌ，６２Ｌ及びそれに連続する脇線６３Ｌ，６４Ｌの左接続部５０Ｌの接続具３１，３２を接続状態とすることで、着せることができる。健常な右腕側の手を使用して着る場合でも容易にできる。
【０１２９】
着衣を脱ぐ際でも、健常な右腕は通常と同様に袖から腕を引き抜くことで、脱ぐことができる。特に、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の上下幅が拡径しているから、袖から手を引き出すのも容易であり、例えば、注射、検査等の際でも肩及び上腕部のみを露出させやすい。
【０１３０】
一方、不自由な左腕側は、袖から腕を引き抜く動作をしなくとも、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、左前布１０Ｌと背布２０とを分離して脱がせることができる。なお、変形例１に係る介護用着衣１においても、上前身頃ＵＦと下前身頃ＤＦを前合わせし、上前身頃ＵＦと下前身頃ＤＦの脇線６３Ｌ，６３Ｌ、６３Ｒ，６４Ｒに設けた紐３２Ａと反対側の端部に設けた紐７２Ａの結びによって、上前身頃ＵＦと下前身頃ＤＦが開かれるのを防止できる。
したがって、左腕が不都合な人であっても、自分が着衣を身に付けるのに協力できるという満足感が得られる。
なお、着衣する場合、脱衣する場合には、不自由な手を先に通したり、後に通したりでき、また、身体の自由がどれだけ利くかによっても着脱の手順に違いがでる。
【０１３１】
このように変形例１に係る介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦとが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製してなり、左右の袖山及び肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒとしての右縫製部１５０Ｒからなり、右接続部５０Ｒとしての右縫製部１５０Ｒが縫製によって接続され、左接続部５０Ｌが接続具３１，３２で接続自在とされた脇接続部とを具備し、脇接続部は左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の筒径（上下幅）が拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の筒径が拡径している。
【０１３２】
変形例１においても、被介護者が仰向けに寝た姿勢の状態のままで、被介護者の左または右側から着衣１を被介護者の身体の下側に潜らせて身体の上を摺動させ、背布２０の上に被介護者が配置するようにし、右縫製部１５０Ｒで縫製された右前袖ＦＲ及び右後袖ＢＲからなる右袖に右腕を通し、下前身頃ＤＦを身体に着せ掛け、また、左前袖ＦＬを左腕に被せ、上前身頃ＵＦを身体に着せ掛ける。更に、左接続部５０Ｌを接続具３１,３２で接続する。その後、紐３２Ａ，７２Ａを結んで前を閉じる。
したがって、被介護者が仰向けに寝ころべば、自然体で着衣を着せることができる。
【０１３３】
更に、この種の変形例２を図１１に示す。変形例２に係る介護用寝巻１は、右腕のみが不自由な被介護者の介護用着衣として、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒを接続具３１，３２で接続自在とした右接続部５０Ｒはそのままで、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左縫製部１５０Ｌを縫製によって接続したものである。
【０１３４】
即ち、変形例２の脇接続部の構成は、背布２０の左後袖ＢＬの袖下６２Ｌ及びそれに連続する後身頃Ｂの脇線６４Ｌとを縫製した左接続部５０Ｌとして左縫製部１５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続具３１，３２で接続自在とした右接続部５０Ｒからなる。
【０１３５】
このように変形例２では、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを縫製してなる左縫製部１５０Ｌは、通常の形態の縫製として縫付けている。したがって、右腕のみが不自由で左腕が健常な人の介護用着衣として、健常な左腕は、袖下が縫製されている左前袖ＦＬ及び左後袖ＢＬからなる左袖の筒に通し、左半身は通常のように着せ掛けることができる。つまり、左腕の一方のみの腕を健常者と同等に対応できる。
【０１３６】
左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを縫製してなる左縫製部１５０Ｌであっても、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦＦ及び後身頃Ｂ側へ向かって袖の上下幅が拡径しているから、寝た状態の姿勢のままでも左袖に腕を通しやすい。
【０１３７】
一方、不自由な右腕側は、右接続部５０Ｌの袖下６１Ｒ，６２Ｒ及びそれに連続する脇線６３Ｒ，６４Ｒの接続具３１，３２を解除すると、袖下６１Ｒ，６２Ｒで右前袖ＦＲ及右後袖ＢＲに分かれ逆Ｕ字状に開くからその間に右腕を入れて、袖下６１Ｒ，６２Ｒ及びそれに連続する脇線６３Ｒ，６４Ｒの右接続部５０Ｒの接続具３１，３２を接続状態とすることで、着せることができる。健常な左腕側の手を使用して着る場合でも容易にできる。
【０１３８】
着衣を脱ぐ際でも、健常な左腕は通常と同様に袖から腕を引き抜くことで、脱ぐことができる。特に、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の上下幅が拡径しているから、袖から手を引き出すのも容易であり、例えば、注射、検査等の際でも肩及び上腕部のみを露出させやすい。
【０１３９】
一方、不自由な右腕側は、袖から腕を引き抜く動作をしなくとも、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、右前布１０Ｒと背布２０とを分離して脱がせることができる。なお、変形例２に係る介護用着衣１においても、上前身頃ＵＦと下前身頃ＤＦを前合わせし、上前身頃ＵＦと下前身頃ＤＦの脇線６３Ｌ，６３Ｌ、６３Ｒ，６４Ｒに設けた紐３２Ａと反対側の端部に設けた紐７２Ａの結びによって、上前身頃ＵＦと下前身頃ＤＦが開かれるのを防止できる。
したがって、右腕が不都合な人であっても、自分が着衣を身に付けるのに協力できるという満足感が得られる。
なお、着衣する場合、脱衣する場合には、不自由な手を先に通したり、後に通したりでき、また、身体の自由がどれだけ利くかによっても着脱の手順に違いがでる。
【０１４０】
このように変形例２に係る介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦとが一体に裁断されてなる右前布１０Ｒと、左前布１０Ｌ及び右前布１０Ｒの反対側に配置され、対照的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製してなり、左右の袖山及び肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌとしての左縫製部１５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒからなり、左接続部５０Ｌとしての左縫製部１５０Ｌが縫製によって接続され、右接続部５０Ｒが接続具３１，３２で接続自在とされた脇接続部とを具備し、脇接続部は左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の筒径（上下幅）が拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の筒径が拡径している。
【０１４１】
変形例２においても、被介護者が仰向けに寝た姿勢の状態のままで、被介護者の左または右側から着衣１を被介護者の身体の下側に潜らせて身体の上を摺動させ、背布２０の上に被介護者が配置するようにし、左縫製部１５０Ｌで縫製された左前袖ＦＬ及び左後袖ＢＬからなる左袖に左腕を通し、上前身頃ＵＦを身体に着せ掛け、また、右前袖ＦＲを右腕に被せ、下前身頃ＤＦを身体に着せ掛ける。更に、右接続部５０Ｒを接続具３１,３２で接続する。その後、紐３２Ａ，７２Ａを結んで前を閉じる。
したがって、被介護者が仰向けに寝ころべば、自然体で着衣を着せることができる。
【０１４２】
こうして上記変形例１、変形例２から、本発明を実施する場合には、脇接続部の構成は、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒからなり、左接続部５０Ｌ及び右接続部５０Ｒの一方を、縫製によって接続し、他方を接続具３１,３２で接続自在としてもよい。
また、本発明を実施する場合には、上記変形例１、変形例２に係る介護用着衣１においても、左前布１０Ｌ、右前布１０Ｒ及び背布２０を一体に連続的に継目（縫目）のない状態で形成してもよい。
【０１４３】
なお、被介護者が仰向けに十の字に寝ころべば、自然体で着衣を着せることを前提に説明したが、本発明を実施する場合には、被介護者が何も手にすることなく自立したり、何かに掴って自立できる場合には、立った状態で着付けることができる。この場合には、環境温度が低くても、部分的に肌を出すことができ、風呂から出た後でも、湯冷めしないで体を拭くことができる。また、お湯で体をふく場合にも他の部分が着衣しているから余り寒さを感じない。
【０１４４】
［実施の形態２］
上記実施の形態１では、通常の寝巻と同様、折り畳んで移動される旨説明したが、クリーニングした本実施の形態２の介護用着衣は、容易に折り畳みが解除されないようにすることができる。図１２及び図１３はその例である。
【０１４５】
本実施の形態２の介護用着衣１は、背布２０の後身頃Ｂ側で左右両方の袖山・肩山４１Ｌ，４１Ｒの肩山側の両肩山または両肩山から０〜１０ｃｍ低くした位置を上辺Ｔとし、袖口６５の長さｍ（図３参照）以上の所定長さの右辺Ｖ、左辺Ｗをとり、その端部を結ぶ線を下辺Ｘとする布地１０１が縫付けられている。布地１０１は、本実施の形態２の介護用着衣１が寝巻である場合には、その寝巻の柄が付いた布地が好ましく、左前布１０Ｌ、右前布１０Ｒ及び背布２０と共地でも良い。所定寸法の生地から左前布１０Ｌ、右前布１０Ｒ及び背布２０を裁断したときの余剰部で作製することもできる。勿論、パワーネット等の編目を形成した布地１０１としてもよいし、弾性のない編目でもよい。
【０１４６】
この布地１０１の上辺Ｔを背布２０の後身頃Ｂ側で左右両方の袖山・肩山４１Ｌ，４１Ｒの肩山側または肩山側から０〜１０ｃｍ低くした位置に縫い付ける。また、下辺Ｘはその右辺Ｖの下端、左辺Ｗの下端を直角三角形状に縫い付ける。右辺Ｖの下端と左辺Ｗの下端が、直角を挟む直角三角形の両辺が２〜５ｃｍ程度の距離としている。
【０１４７】
このように、本実施の形態２の介護用着衣１は、背布２０の後身頃Ｂ側に布地１０１の上辺Ｔを縫製し、また、布地１０１の右辺Ｖの下端及び左辺Ｗの下端を背布２０の後身頃Ｂ側に縫製する。このとき布地１０１は下辺Ｘの両端が直角三角形状に縫製されており、開口は、布地１０１の右辺Ｖ、左辺Ｗ、下辺Ｘの３辺となる。
布地１０１の上辺Ｔは縫製されているから、上辺Ｔ側に布地１０１に収納した介護用着衣１の一部が食み出すことがない。
そして、下辺Ｘの両端が直角三角形状に縫製された布地１０１は、当該縫製部分が下辺Ｘの両端に位置するから、被介護者の左右側面に位置することになる。したがって、被介護者はこれによって違和感がない。また、上辺Ｔについても同様である。
【０１４８】
したがって、例えば、図１３に示すように、左前袖ＦＬ及び左後袖ＦＲからなる左袖側、及び／または、右前袖ＦＲ及び右後袖ＢＲからなる右袖側を折り畳み、背布２０の後身頃Ｂ側と布地１０１の間に収納することができる。また、上前身頃ＵＦ側及び下前身頃ＤＦ側は、後身頃Ｂ側と共に２重または３重以上に折り畳んで下辺Ｘ側から挿入し、それを布地１０１で保持できる。
ここで、折り畳む左袖または右袖は、片方でも、両側でも収容できる。また、上前身頃ＵＦ側及び下前身頃ＤＦ及び後身頃Ｂ側を折り畳んだもののみを収納してもよい。
【０１４９】
このように、本実施の形態２の介護用着衣１は、背布２０の前身頃ＵＦ及び下前身頃ＤＦ側とは反対側で、即ち、背布２０の後身頃Ｂ側の外面側で、布地１０１の上辺Ｔを縫製し、また、布地１０１の右辺Ｖの下端及び左辺Ｗの下端を後身頃Ｂに縫製することによって、布地１０１の右辺Ｖ、左辺Ｗ、下辺Ｘの３辺側が背布２０の後身頃Ｂ側との間で開口を有し、背布２０の後身頃Ｂ側と布地１０１の間で、左前袖ＦＬ及び左後袖ＦＲからなる左袖側や、右前袖ＦＲ及び右後袖ＢＲからなる右袖側や、上前身頃ＵＦ側及び下前身頃ＤＦ側及び後身頃Ｂ側を収納する収納部１００を形成したものである。
【０１５０】
即ち、背布２０の後身頃Ｂ側であって、上前身頃ＵＦ及び下前身頃ＤＦ側とは反対側で、左前袖ＦＬ及び左後袖ＦＲからなる左袖側や、右前袖ＦＲ及び右後袖ＢＲからなる右袖側を収納でき、また、上前身頃ＵＦ側及び下前身頃ＤＦ側及び後身頃Ｂ側を共に収納できる収納部１００を布地１０１で形成したものである。
【０１５１】
収納部１００は、左右から挿入する左袖、右袖の収容用とすることもできるし、下側から挿入する上前身頃ＵＦ及び下前身頃ＤＦ及び後身頃Ｂの収納用とすることもできる。
この収納部１００は、嵩張らないものであり、後身頃Ｂに対する取付け位置が人体の体重が加わる位置にないから、使用に際して不快感が生ずることがない。
【０１５２】
こうして、上記実施の形態２の介護用着衣１の後身頃Ｂには、上前身頃ＵＦ及び下前身頃ＤＦの反対側で、左前袖ＦＬ及び左後袖ＦＲからなる左袖並びに右前袖ＦＲ及び右後袖ＢＲからなる右袖、及び／または、後身頃Ｂ及び上前身頃ＵＦ及び下前身頃ＤＦを収納する収納部１００を配設したものであるから、折り畳みの際に右袖側、左袖側が移動しないように収納部１００に入れて、固定することができる。また、上前身頃ＵＦ及び下前身頃ＤＦ側についても後身頃Ｂ側と共に収容することができる。
【０１５３】
特に、クリーニング後に、右袖を収納部１００に入れて、更に、左袖を収納部１００に入れ、また、上前身頃ＵＦ及び下前身頃ＤＦ及び後身頃Ｂを畳んで収納部１００で収容することにより、搬送されても袖とか身頃がとび出すことがない。
また、搬送の際には、クリーニングの後、プラスチック袋に収納するが、プラスチック袋から出しても折り畳んだ形が崩れることがない。
【０１５４】
更に、寝たきりの被介護者では、寝具の上に同じ姿勢で長時間でいることから、その背面側に汗をかきやすいが、吸水性の布地１０１であると汗が吸収されやすいから、湿気の上昇を防ぐことができ、着用時の快適性が増す。また、湿気の上昇が防止されるから、皮膚の炎症、床擦れ等の悪化を防止できる。
その他の構成については、上記実施の形態１とほぼ同一であるから、上記実施の形態１と同様の作用効果が得られる。
【０１５５】
［実施の形態３］
本実施の形態３に係る介護用着衣１は、図１４に示すように、汗や尿等の水分を吸収し、汗や尿等の排泄物で後身頃Ｂや左前布１０Ｌ及び右前布１０Ｒが汚れるのを防止するための吸水・防水シート２００を背布２０の後身頃Ｂの裏面（ｂｃ）側（内面側）に着脱自在に設けたものである。
なお、図１４乃至図１９において、吸水・防水シート２００において身体に触れる側を表面側ｆｃとし、その反対面側で後身頃Ｂの裏面ｂｃ側（内面側）と対向させる側が吸水・防水シート２００の裏面ｂｃ側である。
【０１５６】
吸水・防水シート２００は、汗や尿等の水分、液体を吸収し、かつ、それらを通過させないで保持する構成であればよく、例えば、透水性（透液性）の表面シートと、防水性（不透水性、不透過性）の裏面シートと、表面シートと裏面シートとの間に吸水体等を挟み込んだ複層構造の積層複合体が使用される。
【０１５７】
表面に位置する透水性シートは、少なくとも垂直下方向に透過する能力があり、水分等の液体を吸収体側に導くことができるもの、例えば、合成繊維、天然繊維からなる織布、スパンボンド不織布、不織布、穿孔した開孔フィルム、紙等の使用が可能である。具体的には、例えば、ポリプロピレンポリエステル、ポリエチレン等の複合繊維または単繊維繊の材料を使用できる。また、不織布は、ピンポイントボンド、スパンボンド等のサーマルボンド不織布やスパンレース不織布等の不織布であってもよいし、所定の繊維をカーディングによりウエブ化したエアスルー不織布であってもよい。肌触り感の良いものが選択されるが、単に一重のシートではなく、肌触り感をだす等の目的に応じてタオル地のようなパイル地、即ち、織物の片面または両面に毛羽や輪奈を織り出した生地や、ガーゼ地等からなる生地、綿、麻、絹等の布シート、或いは、紙シートを重ねたシートとして使用してもよい。吸水体に液体が吸水されていても透水性シートによって濡れ感、不快感を軽減できる。
【０１５８】
吸水体は、水分等の液体を吸収し、それを保持する材料から構成され、例えば、パルプ繊維等の親水性繊維、吸収性ポリマー、脱脂綿、スポンジ等の吸水性多孔質体の材料が使用される。親水性繊維は織物または不織布の形態で使用されたり、波状に表面に襞、皺を付したシートとして使用されたりすることもある。また、吸収性ポリマーをパルプ繊維等の綿花状の親水性繊維に保持したり、更に、それらをスポンジ等の吸水性多孔質体の表裏に配置したりする複合構造、複合体であってもよい。吸収性ポリマーは、水分の吸収によってゼリー状に固まり、逆戻りを防ぐものを使用してもよい。
【０１５９】
裏面に位置する防水性シートは、水分を通過させない透過性（浸透性）のないシートであり、液体不透過性材料であり、例えば、ポリエチレン、ポリプロピレン、ポリウレタン、ポリエチレンテレフタレート等の高分子化合物製のフィルム等からなる合成樹脂シートや、紙シート、布シート、ゴムシート等が使用される。
【０１６０】
これら透水性シート、吸水体及び防水性シートは、例えば、溶着によって接合され一体化され積層複合体を構成しているが、これらの機能がまとまった単層構造のものであってもよい。即ち、単数枚で吸水性及び防水性の機能を持たせたものであってもよい。
このような吸水・防水シート２００は、所定の材料の選択により使い捨てとしてもよいし、繰り返しの洗濯に対しても耐えることができる布等の材料で構成してもよい。また、消臭機能を持たせても良い。
【０１６１】
吸水・防水シート２００は、例えば、５０ｃｍ〜７０ｃｍ（横幅）×４０ｃｍ〜７０ｃｍ（縦幅）の寸法で形成される。通常、後身頃Ｂの横幅（脇線間の長さ）を超えない長さに設定されるが、一部を延設して、後身頃Ｂの外面側（表面側）で接続するようにしてもよい。この吸水・防水シート２００は、図１４に示すように、後身頃Ｂの裏面（ｂｃ）側、即ち、後身頃Ｂの上前身頃ＵＦ及び下前身頃ＤＦ側で、着衣した人の腰、臀部の位置を中心にあてられるように配設される。
【０１６２】
そして、本実施の形態３においては、四角形状等に形成された吸水・防水シート２００の４隅に、背布２０の後身頃Ｂに着脱自在に取付けるためのシート側取付部２１０を設け、一方で、背布２０の後身頃Ｂに吸水・防水シート２００のシート側取付部２１０に対応する身頃側取付部２２０を設けて、シート側取付部２１０と身頃側取付部２２０の接続により、後身頃Ｂの裏面（ｂｃ）側に吸水・防水シート２００の取付けを可能としている。
【０１６３】
例えば、図１５（ａ）に示すように、吸水・防水シート２００が繰り返しの洗濯に対して耐える布等で形成する場合では、シート側取付部２１０及び身頃側取付部２２０として１対の接着布２１１，２２１の使用によって、背布２０の後身頃Ｂの裏面（ｂｃ）側に吸水・防水シート２００を着脱自在に取付けることができる。なお、使い捨てとしない布からなる吸水・防水シート２００では、必要に応じてパイピング２０１で端部の処理がなされる。
【０１６４】
即ち、吸水・防水シート２００のシート側取付部２１０を面ファスナ等の接着布２１１の雄側または雌側の一方で構成し、後身頃Ｂの脇線６４Ｒ側に身頃側取付部２２０として接着布２１１に対応する他方の雄側または雌側の接着布２２１を設ける。これら１対の接着布２１１，２２１の接合により吸水・防水シート２００を後身頃Ｂの裏面（ｂｃ）側に取付けることができる。または、その接続を解除することができる。
【０１６５】
このとき、図１５（ａ）に示すように、左前布１０Ｌ及び右前布１０Ｒと背布２０とを接続する左接続部５０Ｌ、右接続部５０Ｒの接続具としての接着布３１を利用し、それと兼用することも可能である。この場合には、左前布１０Ｌ及び右前布１０Ｒと背布２０とを接続可能とし、かつ、吸水・防水シート２００の接着布２１１を接合可能な程度の大きさで接着布２２１の面積が設定される。接着布２１１，２２１であれば着脱も極めて容易である。なお、接着布２２１の位置は、脇線側であり被介護者の体重が加わる箇所でないので吸水・防水シート２００を取付けないときでも肌を刺激し難い位置である。
【０１６６】
ここで、身頃側取付部２２０としての接着布２２１は、後身頃Ｂ側に直接縫付けてもよいが、例えば、図１６（ａ）に示すように、後身頃Ｂの脇線６４Ｒから外側に布地を突設した突設部２２１ａを設け、そこに接着布２２１を縫付けてもよい。このとき、接着布２２１は、後身頃Ｂの脇線６４Ｒから外側に突出した状態で、後身頃Ｂの裏面（ｂｃ）側と同一方向の面に取付ける。
【０１６７】
これより、吸水・防水シート２００を後身頃Ｂの裏面（ｂｃ）側に取付けるときは、図１６（ｂ）に示すように、突設部２２１ａを後身頃Ｂの脇線６４Ｒより内側に折曲げ後身頃Ｂの裏面（ｂｃ）側に重なるように配置し、後身頃Ｂと突設部２２１ａの間に吸水・防水シート２００を配置する。そして、突設部２２１ａに設けた接着布２２１と吸水・防水シート２００の表面（ｆｃ）側に設けた接着布２１１を接合することで、吸水・防水シート２００を後身頃Ｂの裏面（ｂｃ）側に取付けることができる。
【０１６８】
一方で、吸水・防水シート２００を取付けないときは接着布２２１が取付けられた突設部２２１ａを後身頃Ｂの脇線６４Ｒの外側に突出させることで、吸水・防水シート２００を取付けないときでも肌を刺激したり違和感を与えたりすることがない。即ち、着衣した人の身体の一部が移動するときでも、また寝返りをうつときでも、身体の肌に接合面が接触しないから異物感が少なくなる。
【０１６９】
或いは、図１６（ｃ）に示すように、接着布２２１に対応する位置で上前身頃ＵＦ、下前身頃ＤＦの表面（ｆｃ）側（外面側）に、接着布２２１に対応させる接着布２２１ｂを設け、吸水・防水シート２００を取付けないときは、上前身頃ＵＦ、下前身頃ＤＦと後身頃Ｂを接続したときに、突設部２２１ａを環状を描くように接着布２１１及び接着布２２１ｂを接続してもよい。即ち、接着布２２１及び接着布２２１ｂで上前身頃ＵＦ、下前身頃ＤＦと後身頃Ｂを接続する接続具３１として機能させるようにしてもよい。なお、接着布２１１及び接着布２２１ｂの位置も肌を刺激したり違和感を与えたりすることがない位置である。即ち、着衣した人の身体の一部が移動するときでも、また寝返りをうつときでも、身体の肌に接合面が接触しないから異物感が少なくなる。
【０１７０】
また、図１７（ａ）乃至図１７（ｃ）に示すように、後身頃Ｂの脇線６４Ｒ側に身頃側取付部２２０として所定形状の孔２２２を形成してもよい。このように、身頃側取付部２２０として孔２２２を形成しておくことで、吸水・防水シート２００のシート側取付部２１０の多種の態様に対応することができる。
【０１７１】
例えば、図１７（ａ）に示すように、吸水・防水シート２００に突設部２１１ａを形成し、そこに１対の面ファスナからなる接着布２１１を取付けることによりシート側取付部２１０を設ける。このような構成のシート側取付部２１０では、後身頃Ｂに設けた身頃側取付部２２０としての孔２２２にシート側取付部２１０の突出部２１１ａを通して環状にし、一対の接着布２１１を接合させることで、吸水・防水シート２００を後身頃Ｂの裏面（ｂｃ）側に簡単に取付けることができる。
【０１７２】
また、図１７（ｂ）に示すように、吸水・防水シート２００にシート側取付部２１０として１本または２本の紐２１３を設ける。このような構成のシート側取付部２１０でも、後身頃Ｂに設けた身頃側取付部２２０としての孔２２２に紐２１３を通して結ぶことで、吸水・防水シート２００を後身頃Ｂの裏面（ｂｃ）側に簡単に取付けることができる。なお、吸水・防水シート２００が使い捨てタイプのものでは、後述するように、紐２１３を直接的に吸水・防水シート２００に取付けなくても、図１９（ｂ）に示すように、吸水・防水シート２００に紐２１３を通すための穴２１３ａを設け、または、図１９（ｃ）に示すように、吸水・防水シート２００にナイロン製等の環状部２１３ｂを取付け、穴２１３ａや環状部２１３ｂに紐２１３を通して取付けてもよい。これによれば、紐２１３の使い回しが可能であり、低コストでシート側取付部２１０を形成できる。
更に、孔２２２に掛けられるボタンを用いてシート側取付部２１０を構成してもよい。
このように身頃側取付部２２０を孔２２２で構成すると、吸水・防水シート２００を取付けないときでも、肌への刺激や違和感を与えることがない。即ち、着衣した人の身体の一部が移動するときでも、また寝返りをうつときでも肌に接触したときの異物感が少ない。また、シート側取付部２１０の多種の構造に対応できる。
【０１７３】
その他にも、図１８（ａ）に示すように、防水・吸水シート２００のシート側取付部２１０を紐２１３で構成し、後身頃Ｂの身頃側取付部２２０を紐２２３で構成して、紐２１３，２２３を結ぶことにより、防水・吸水シート２００を後身頃Ｂの裏面（ｂｃ）側に取付けてもよい。身頃側取付部２２０が紐２２３であれば、吸水・防水シート２００を取付けないときでも、肌への刺激や違和感を与えることがない。即ち、着衣した人の身体の一部が移動するときでも、また寝返りをうつときでも肌に接触したときの異物感が少ない。
更に、左前布１０Ｌ及び右前布１０Ｒと背布２０とを接続する左接続部５０Ｌ、右接続部５０Ｒの接続具としての紐３２を身頃側取付部２２０として兼用してもよい。
【０１７４】
使い捨てタイプの吸水・防水シート２００では、例えば、図１８（ｂ）に示すように、吸水・防水シート２００のシート側取付部２１０を粘着テープ２１２で構成し、後身頃Ｂの脇線６４Ｒ側に身頃側取付部２２０として、粘着テープ２１２の貼付けを可能とするナイロン地２２４を縫い付け等によって設けることで、粘着テープ２１２のナイロン地２２４への貼付けにより、吸水・防水シート２００を後身頃Ｂの裏面（ｂｃ）側に取付けることができる。ナイロン地２２４であれば、粘着テープ２１２の着脱が容易であり、粘着テープ２１２の繰り返しの脱着によっても生地を傷め難い。更に、吸水・防水シート２００を取付けないときでも、シート側取付部２１０がナイロン地２２４であるから肌を刺激したりすることもない。即ち、着衣した人の身体の一部が移動するときでも、また寝返りをうつときでも、身体の肌に接触したときの異物感が少ない。
勿論、粘着テープ２１２の着脱が容易で、繰り返しの脱着によっても生地を傷め難いものであれば、ポリエステル等の生地を用いてもよい。
吸水・防水シート２００が使い捨てタイプのものであっても粘着テープ２１２であれば低コストでシート側取付部２１０を設けることができる。
【０１７５】
更に、図１９に示すように、後身頃Ｂの脇線６４Ｒ側に設ける身頃側取付部２２０を、ナイロン製の生地で環状を形成してなる環状部２２５で形成してもよい。身頃側取付部２２０としてナイロン製生地等からなる環状部２２５を後身頃Ｂの脇線６４Ｒ側に縫付けることで、例えば、図１９（ａ）に示すように、吸水・防水シート２００のシート側取付部２１０を紐２１３で構成したときに、この紐２１３を後身頃Ｂに取付けた環状部２２５の環に通し、紐２１３を結ぶことにより、吸水・防水シート２００を後身頃Ｂの裏面（ｂｃ）側に取付けることができる。なお、１本の紐２１３で結ぶようにしても２本用いてもよい。
【０１７６】
吸水・防水シート２００が使い捨てタイプのものでは、紐２１３を直接的に吸水・防水シート２００に取付けなくても、図１９（ｂ）に示すように、吸水・防水シート２００に紐２１３を通すための穴２１３ａを設けたり、図１９（ｃ）に示すように、ナイロン製等の環状部２１３ｂを取付け、それに紐２１３を通して取付けてもよい。この場合、紐２１３は付属的なものとして使い回しでき、低コストでシート側取付部２１０を形成できる。なお、後身頃Ｂの脇線６４Ｒから外側に突出させるように環状部２２３を設けてよい。この場合には、開放区間５３から紐２１３を通すことで、脇線６４Ｒの外側で紐２１３を結ぶようにしてもよく、脇線６４Ｒの外側であると、着衣した人の身体の一部が移動するときでも、また寝返りをうつときでも、異物感を与えることがない。
【０１７７】
或いは、図１９（ｄ）に示すように、後身頃Ｂの脇線６４Ｒ側に設ける身頃側取付部２２０としての環状部２２５をナイロン製等の生地で形成していると、吸水・防水シート２００のシート側取付部２１０を粘着テープ２１２で構成しても、粘着テープ２１２のナイロン製等の環状部２２５への貼付けにより、吸水・防水シート２００を後身頃Ｂの裏面（ｂｃ）側に取付けることができる。そして、粘着テープ２１２の着脱が容易であり、粘着テープ２１２の繰り返しの脱着によっても生地を傷め難い。更に、環状部２２５をナイロン製等の生地で形成していると、吸水・防水シート２００を取付けないときでも、肌を刺激したりすることもない。
【０１７８】
このように、身頃側取付部２１０としての接着布２２１、穴２２２、紐２２３、ナイロン地２２４、環状部２２５等によって、後身頃Ｂの裏面側に対して着衣する人の背面側にあてがう吸水・防水シート２００を着脱自在に取付ける取付手段を構成でき、吸水・防水シート２００のシート側取付部２１０としての接着布２１１、粘着テープ２１２、紐２１３との接続により後身頃Ｂの裏面側に対して吸水・防水シート２００を取付けることができる。また、その解除を行うことができる。なお、本発明を実施する場合には、取付手段は上記に限定されず、例えば、ドット釦、ボタン及びボタンホール、スナップボタン等であってもよい。また、上記で説明した穴と紐、穴とボタン、穴と接着布を設けた突設部等の組合せは、身頃側取付部２２０とシート側取付部２１０とで逆にしてもよい。
【０１７９】
このようにして、本実施の形態３に係る介護用着衣１は、後身頃Ｂに対して吸水・防水シート２００が着脱自在に取付けられるための取付手段としての身頃側取付部２２０を脇線６４Ｒ，６４Ｌ側に有し、吸水・防水シート２００には後身頃Ｂに対して着脱自在に取付けるためのシート側取付部２１０が設けられ、身頃側取付部２１０とシート側取部２２０の接続により、背布２０を形成する後身頃Ｂの裏面（ｆｃ）側（内面側）に対して吸水・防水シート２００が着脱自在に設けられるものである。
なお、図１５乃至図１９において、後身頃Ｂの右の脇線６４Ｒ側に取付手段としての身頃側取付部２２０を設けているが、後身頃Ｂの左の脇線６４Ｌ側も同様である。また、図１４において、身頃側取付部２２０は後身頃Ｂの右の脇線６４Ｒ側の２箇所、後身頃Ｂの左の脇線６４Ｌ側の２箇所の計４箇所であるが、それ以上の数であっても良いし、それ以下の数であってもよく、吸水・防水シート２００が位置ずれしない固定であればよい。
【０１８０】
したがって、本実施の形態３に係る介護用着衣１によれば、着衣した人が発汗したときでも、また、尿が漏れたときでも、その汗や尿が吸水・防水シート２００に吸収され保水、防水により汗や尿を後身頃Ｂ側に通過せず、また、排泄物の汚れをキャッチすることができるから、汗や尿によって着衣が濡れたり汚れたりするのを防止できる。即ち、吸水・防水シート２００によって汗や排泄物等の汚れから着衣を保護できる。そして、着衣した人が発汗したときでも、また、尿が漏れたときでも、着衣を着替えることなく吸水・防水シート２００を清潔なものと交換するのみでよいから、少ない労力で済み、被介護者及び介護者の手間や負担を減らすことができる。吸水・防水シート２００の吸収力によって床ずれの原因ともなる身体側の湿気を少なくでき、快適である。特に、寝たきりの被介護者では、寝具の上に同じ姿勢で長時間でいることから、その背面側に汗をかきやすいが、上前身頃ＵＦ及び下前身頃ＤＦの反対側で後身頃Ｂに吸水・防水シート２００を取付けることによって、吸水・防水シート２００に汗が吸収され、汗疹等の皮膚の炎症の予防策にもなり、着衣時の快適性が増す。吸水・防水シート２００に汗等が吸収されるから、汗等で濡れ、汚れた着衣１を我慢してきている必要が無くなり、吸水・防水シート２００を取り替えるのみで、常に清潔な状態で着衣１を着用できる。したがって、常に心身共に気持がよい状態で着用できる。
その他の構成については、上記実施の形態１と略同一であるから、上記実施の形態１と同様の作用効果が得られる。
【０１８１】
このように、本実施の形態３に係る介護用着衣１は、上前身頃ＵＦ及び下前身頃ＤＦの反対側で後身頃Ｂに対して着衣する人の背面側にあてがう吸水・防水シート２００を着脱自在に取付けるための取付手段としての身頃側取付部２２０が後身頃Ｂに設けられたものである。そして、後身頃Ｂの上前身頃ＵＦ及び下前身頃ＤＦの反対側には、取付手段としての身頃側取付部２２０によって吸水・防水シート２００が取付自在である。
したがって、取付手段としての身頃側取付部２２０によって後身頃Ｂの裏面側に対して吸水・防水シート２００が取付可能であり、吸水・防水シート２００の取付けによって、吸水・防水シート２００が被介護者の汗や漏れた尿等の排泄物を受けることになる。即ち、吸水・防水シート２００の取付けによって、被介護者の汗や漏れた尿等の排泄物で左前布１０Ｌ、右前布１０Ｒ及び背布２０が汚れるのを防止できる。吸水・防水シート２００が後身頃Ｂの裏面側に対して着脱自在であり、吸水・防水シート２００が汚れても清潔な吸水・防水シート２００と交換できるから、介護用着衣１を着替えることなく吸水・防水シート２００の取換えのみで済む。よって、被介護者及び介護者の手間や負担を減らすことができる。
【０１８２】
また、吸水・防水シート２００の取付けによって、着衣した人の背面側の汗等の水分や湿気を速やかに吸収できるから、湿気の上昇を防ぎ、皮膚の炎症や床擦れを防止できる。したがって、着用時の快適性を高めることができる。また、こまめな取替えによって清潔さを保つことができる。
そして、後身頃Ｂに設けた取付手段としての身頃側取付部２２０の取付位置が後身頃Ｂの脇線６３Ｌ，６４Ｌ，６３Ｒ，６４Ｒ側であり人体の体重が加わる位置にないから、吸水・防水シート２００の有無に関わらず、使用に際して不快感が生ずることもない。
【０１８３】
［実施の形態４］
本実施の形態４に係る介護用着衣１は、図２０に示すように、上前身頃ＵＦ及び下前身頃ＤＦの内側で着衣する人の前側、主に腹部を中心に覆う伸縮性の被覆布３００を取付自在に設けたものである。
【０１８４】
被覆布３００は、例えば、左前布１０Ｌ、右前布１０Ｒ及び背布２０と共地で形成してもよいし、肌触りがよく、洗濯が容易で度重なる洗濯によっても丈夫で型崩れし難いパイル地、ガーゼ地等の綿や、木綿や、絹等で形成してもよい。被介護者の動き、大きさに対応するために伸縮性、弾性を持ったものが使用され、例えば、ゴムやパワーネット等の生地の挿入により伸縮性、弾性を持たせることができる。
【０１８５】
この被覆布３００は、例えば、５０ｃｍ〜７０ｃｍ（横幅）×４０ｃｍ〜８０ｃｍ（縦幅）の寸法で後身頃の横幅（脇線間の長さ）を超えない長さに形成され、図２０に示すように、例えば、胸部より下位で着衣した人の腹部を中心に当てられるように配置される。
【０１８６】
そして、本実施の形態４においては、四角形状等に形成された被覆布３００の４隅に紐３１０を設け、一方で、背布２０の後身頃Ｂの脇線６４Ｌ，６４Ｒ側に被覆布３００の紐３１０に対応させる紐３２０を設け、紐３１０，３２０の結びによって、被覆布３００を後身頃Ｂの脇線６４Ｌ，６４Ｒ側に取付けることで、被覆布３００によって着衣する人の前側を覆うことができるようになっている。なお、図２０において、紐３１０，３２０の接続箇所は２箇所４箇所であるが、それ以上の数であっても良いし、それ以下の数であってもよい。
【０１８７】
このように、本実施の形態４に係る介護用着衣１では、後身頃Ｂの脇線６４Ｌ，６４Ｒ側に被覆布３００を取付けるための取付手段としての紐３２０を設け、被覆布３００に設けた紐３１０との接続により、着衣した人の前側を覆うための被覆布３００を取付けることができる。
これにより、着衣状態で着衣した人の動き等により裾側から上前身頃ＵＦ及び下前身頃ＤＦが開けたときでも、着衣した人の前側が被覆布３００で覆われているから、肌が露出するのを避けることができ、身体の冷え、特に腹部の冷えを防止でき、寒さを我慢する必要もない。また、着衣した人の前側が伸縮性のある被覆布３００で覆われてると安心感もあり、着衣した介護者が勝手に手で接続具を解いてしまったり、上前身頃ＵＦと下前身頃ＤＦを開けてしまったりしたときでも、人の前側に伸縮性の被覆布３００が取付けてあると、下着に触れ難く、排泄物等に触れてしまう事態を回避できる。
【０１８８】
また、上前身頃ＵＦ及び下前身頃ＤＦの位置を固定する紐３２Ａと紐７２Ａの結びを解いて前身頃側を開いておむつ交換等の排泄物の介助をする場合でも、着衣した人の前側を被覆布３００で覆うことができ、被覆布３００の一部を捲り上げるのみで必要以上に肌を露出させることなく、おむつ交換等をすることができる。即ち、排泄物の介助をする際等の肌を必要以上に露出させることへの抵抗感を少なくできる。
【０１８９】
更に、このような被覆布３００は、例えば、車いす等で移動する際に保温、冷え防止のための肩にかける羽織、ストール、ショール等との防寒用として活用することもできる。
【０１９０】
なお、本発明を実施する場合には、被覆布３００を後身頃Ｂの脇線６４Ｌ，６４Ｒ側に取付ける取付手段は、紐３２０に限定されず、上記実施の形態３で説明しているような接着布、穴等の構成を採用することもできる。
その他の構成については、上記実施の形態１と略同一であるから、上記実施の形態１と同様の作用効果が得られる。
【０１９１】
こうして、本実施の形態４に係る介護用着衣１は、上前身頃ＵＦ及び下前身頃ＤＦの下（裏面側）で着衣する人の前を覆う伸縮性の被覆布３００を着脱自在に取付けるための取付手段としての紐３２０が後身頃Ｂの脇線６３Ｌ，６４Ｌ，６３Ｒ，６４Ｒ側に設けられたものである。
したがって、取付手段としての紐３２０によって後身頃Ｂの脇線６３Ｌ，６４Ｌ，６３Ｒ，６４Ｒ側で被覆布３００が取付可能であり、上前身頃ＵＦ及び下前身頃ＤＦの下で着衣する人の前を伸縮性の被覆布３００で覆うことができるから、上前身頃ＵＦ及び下前身頃ＤＦが開いたときでも肌の露出が抑えられ、また、身体が冷えるのを防止できる。更に、被介護者が不必要に下着に触れるのを防止できる。
そして、後身頃Ｂに設けた取付手段としての紐３２０の取付位置が後身頃Ｂの脇線６３Ｌ，６４Ｌ，６３Ｒ，６４Ｒ側であり人体の体重が加わる位置にないから、被覆布３００の有無に関わらず、使用に際して不快感が生ずることもない。
【符号の説明】
【０１９２】
１  介護用寝巻
１０Ｌ  左前布
１０Ｒ  右前布
２０  背布
３１  接着布
３２  紐
４０  縫製部
４１Ｌ  袖山・肩山
４１Ｒ  袖山・肩山
５０Ｌ  左接続部
５０Ｒ  右接続部
６１Ｌ，６１Ｒ，６２Ｌ，６２Ｒ  袖下
６３Ｌ，６３Ｒ，６４Ｌ，６４Ｒ  脇線
６５    袖口
１００  収納部
２００  吸水・防水シート
２２０  身頃側取付部（取付手段）
３００  被覆布
３２０  紐（取付手段）
ＦＬ  左前袖
ＵＦ  上前身頃
ＦＲ  右前袖
ＤＦ  下前身頃
ＢＬ  左後袖
ＢＲ  右後袖
Ｂ    後身頃                                                                               
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
左前袖及び上前身頃が一体に裁断されてなる左前布と、
前記左前布と対称的に配置され、右前袖及び下前身頃が一体に裁断されてなる右前布と、
前記左前布及び前記右前布の反対側に配置され、対照的な配置の左後袖及び右後袖と後身頃とが一体に裁断されてなる背布と、
前記左前布の上辺及び前記右前布の上辺と前記背布の上辺とを縫製して、左右の袖山・肩山を形成する縫製部と、
前記左前布の前記左前袖の袖下及びそれに連続する前記上前身頃の脇線と、前記背布の前記左後袖の袖下及びそれに連続する前記後身頃の脇線とを接続具で接続自在とした左接続部、並びに、前記右前布の前記右前袖の袖下及びそれに連続する前記下前身頃の脇線と、前記背布の前記右後袖の袖下及びそれに連続する前記左接続部とは反対側の前記後身頃の脇線とを接続具で接続自在とした右接続部からなり、前記左接続部及び前記右接続部の一方または両方が接続具で接続自在とされた脇接続部と
を具備し、
前記脇接続部は、前記左前袖及び前記左後袖の袖下から前記上前身頃及び前記後身頃の脇線へと連続するコーナのシルエットラインが曲線状に形成されて、前記左前袖と前記左後袖を接続具によって左袖を筒状に接続し、その接続した前記左袖は袖口側からの筒径が前記上前身頃側及び前記後身頃側へ向かって湾曲、拡径させ、また、前記右前袖及び前記右後袖の袖下から前記下前身頃及び前記後身頃の脇線へと連続するコーナのシルエットラインが曲線状に形成されて、前記右前袖と前記右後袖を接続具によって右袖を筒径に接続し、その接続した前記右袖は袖口側からの筒径が前記下前身頃側及び前記後身頃側へ向かって湾曲、拡径させ、
前記湾曲、拡径は、前記上前身頃及び前記後身頃並びに前記下前身頃及び前記後身頃の裾側の直線領域の脇線から前記袖山・肩山に向かって延長する直線状の仮想線を引き、前記仮想線から前記袖口の上下幅長だけ差し引いた位置を仮想点とし、前記仮想点よりも下位で前記袖下及び前記脇線のシルエットラインが裾側からの直線状の仮想線から分岐する位置を仮想分岐点Ｑとするとき、このときの前記仮想点と仮想分岐点の距離長が５ｃｍ乃至１５ｃｍの範囲内に設定されたことを特徴とする介護用着衣。
【請求項２】
前記後身頃の前記上前身頃側及び前記下前身頃側には、着衣する人の背面側にあてがう吸水・防水シートを前記後身頃に設けた取付手段によって着脱自在としたことを特徴とする請求項１に記載の介護用着衣。
【手続補正２】
【補正対象書類名】明細書
【補正対象項目名】全文
【補正方法】変更
【補正の内容】
【発明の詳細な説明】
【技術分野】
【０００１】
本発明は、寝たきりの患者、老人、身体障害者等の被介護者の着衣に関するもので、特に、腕の自由がきかない患者の着衣及び脱衣の負担や介護負担を軽減させることができ、かつ、着用の快適性を向上できる介護用着衣に関するものである。なお、この介護用着衣は、健康体の人が着衣として選択し、着用することができる。
【背景技術】
【０００２】
腕の自由がきかない患者に対しての介護負担を軽減できる介護用着衣としては、本発明者らが先に特許を取得した特許文献１がある。特許文献１の介護用着衣によれば、後身頃の上の被介護者の上に下前身頃を被せ、次いで、上前身頃を被せ、更に、左袖の左袖接続部の袖下を接続具で接続し、また、右袖の右袖接続部の袖下を接続具で接続する。そして、下前身頃と後身頃の前記袖付部分までの脇縫部分である下前身頃接続部を接続具で接続し、上前身頃と後身頃の前記袖付部分までの脇縫部分である上前身頃接続部を接続具で接続する。よって、被介護者が十の字に寝ころべば、自然体で着衣を着せることができ、喩え、カテーテル等の医療用チューブが何本か身体に入っていても、この介護用着衣を着るのに接続具間の間隔が広く、支障になるものがない。また、着衣を脱ぐ場合でも、上前身頃の下方から折り畳み、次に、下前身頃の下方から折り畳み、上前身頃を左袖上まで折り畳み、また、下前身頃を右袖上まで折り畳み、被介護者の体を若干浮き上げ着衣を抜き取ることで、大きな力を出さなくても、被介護者下から着衣を脱がせることができる。
【先行技術文献】
【特許文献】
【０００３】
【特許文献１】特許第５９７３０４３号公報
【発明の概要】
【発明が解決しようとする課題】
【０００４】
ところで、寝たきりの患者、老人、身体障害者等の被介護者の着衣としては、従来、着脱の容易さ等から、身体の膝より下位まで丈がある浴衣のような長着が使用されており、特許文献１においても介護用寝巻として長着を開示している。しかし、従来の長着においては、所謂、反物から長着を製作する和裁の手法での裁断、仕立てが一般的で、和装の基本的構造を取り入れ、右袖、左袖、右身頃、左身頃、襟等の各部位毎に矩形状に裁断され、それら裁断された布地をそれぞれ縫製することによってつくられる。したがって、長着の内側には、その背後側に右身頃と左身頃が縫製によって繋がれた縫目（背縫い）や右身頃と左身頃の生地の重なり部位（縫代）が存在し、また、右袖と右身頃の縫製及び左袖と左身頃の縫製による縫目や生地の重なり部位も存在する。
【０００５】
このため、老人等の肌が弱く敏感な者では、それら長着の縫目、重なり部位が肌に当たることで違和感が生じたり、縫目、重なり部位と擦れることで、肌のかぶれや床擦れ等の異常を生じたりすることがある。特に、同じ体勢で長時間寝たきりの状態にある患者では床擦れ（褥瘡）が生じやすく、この床擦れは身体において体圧がかかりやすい背中側の肩、臀部・腰で発生しやすくなっている。
【０００６】
即ち、従来の和装の裁断、仕立ての長着では、その背後側で右身頃と左身頃の縫製によって、上下方向に長く延びる背中心の縫目、重なり部位が存在し、更に、右袖と右身頃の縫製及び左袖と左身頃の縫製による縫目、重なり部位が存在することで、身体の背中側においてそれら縫目、重なり部位が皮膚に当たって引掛りや摩擦を生じさせたり、皮膚を圧迫したりして、皮膚を損傷し、床擦れを誘発する可能性があった。殊に、丈が長い長着であると、右身頃と左身頃の縫製による背中心の縫目、重なり部位が上下方向に長く延びるから、背中心の縫代が撚れやく、また、背中心の縫目によって生地に皺が生じたりしやく、それら撚れや皺が床擦れの要因になりやすかった。
【０００７】
更に、寝たきりの状態にある患者では、布団やベッドの上で長時間の仰向きによる姿勢により背中側に発汗による湿気がこもり易く、また、失禁、尿漏れ等によっても臀部・腰に湿気が上昇しやすい。そして、この湿気も床擦れを悪化させる原因となっている。
【０００８】
そこで、本発明は、腕の自由がきかない患者の着衣及び脱衣の負担や介護負担を軽減させることができ、かつ、着用の快適性を向上できる介護用着衣の提供を課題とするものである。
【課題を解決するための手段】
【０００９】
請求項１の発明の介護用着衣は、左前袖及び上前身頃が一体に裁断されてなる左前布、並びに、右前袖及び下前身頃が一体に裁断されてなる右前布と、左後袖及び右後袖と後身頃とが一体に裁断されてなる背布とが袖山・肩山を形成する縫製部で縫製され、前記左前布の左前袖の袖下及びそれに連続する上前身頃の脇線と、前記背布の左後袖の袖下及びそれに連続する後身頃の左の脇線とが左接続部の接続具によって接続自在とされ、また、前記右前布の右前袖の袖下及びそれに連続する下前身頃の脇線と、前記背布の右後袖の袖下及びそれに連続する後身頃の右の脇線とが右接続部の接続具で接続自在とされており、そして、前記左接続部及び前記右接続部からなる脇接続部において、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００１０】
ここで、上記左前袖及び上前身頃が一体に裁断されてなる左前布、右前袖及び下前身頃が一体に裁断されてなる右前布は、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖と上前身頃が別々に裁断されてなり、右袖と下前身頃も別々に裁断されてなり、上前身頃の袖付き部分に左袖が縫製されることでそれらの境界が縫目で明確に区別され、また、下前身頃の袖付き部分にも右袖が縫製されることでそれらの境界が縫目で明確に区別されている。これに対し、上記左前布は、左前袖及び上前身頃の区別なく一体に裁断されて形成されたものである。また、上記右前布は、前記左前布と対称的に配置され、右前袖及び下前身頃の区別なく一体に裁断されて形成されたものである。上記右前布と左前布の関係は、一般的に和装の前合わせが右前であり、着衣したときに最も前側にでる上前身頃が着衣した人から見て左側の身頃に相当するから、上前身頃及び左袖によって左前布が構成され、下前身頃及び右袖によって右前布が構成されている。両者は対称的な位置関係であるが線対照であることまでを要求するものではない。なお、ここでいう左右は、着衣した人を基準として（着衣した人からみて）左右を表現したものである。
【００１１】
上記左後袖及び右後袖と後身頃とが一体に裁断されてなり前記左前布及び前記右前布の後側に位置する背布も、一般的な和装の裁断、仕立てと相違し、接ぎ目がなく１枚の布または２枚以上の必要枚数を重ね合わせた１単位の布で連続的に一体であり、単位枚となっていることを意味する。即ち、従来の一般的な和装の裁断、仕立てでは、左袖、右袖、後身頃がそれぞれ別々に裁断されてなり、しかも、身頃も別々に裁断された左右の身頃が縫製によって接ぎ合わされてなり、左側の後身頃の袖付き部分に左袖が縫製されることでそれらの境界が縫目で明確に区別でき、また、右側の後身頃の袖付き部分に右袖が縫製されることでそれらの境界が縫目で明確に区別できる。これに対し、上記背布は、左後袖及び右後袖と後身頃との区別なく一体に裁断されて形成されたものである。
【００１２】
上記縫製部は、前記左前布の上辺と前記背布の上辺の左側を縫製して左の袖山・肩山を形成し、前記右前布の上辺と前記背布の上辺の右側を縫製して右の袖山・肩山を形成したものである。一般的な和装の裁断、仕立てでは、袖山・肩山が折目となって形成される部分であるの対し、上記縫製部は前記左前布及び前記右前布の上辺と前記背布の上辺とが縫製される部分を示すものである。
【００１３】
上記脇接続部は、各左右の袖下及びそれに連続する脇線を接続具で接続自在とした部分を示し、前記左前布と前記背布との袖下及びそれに連続する脇線で接続自在とした左接続部と、前記右前布と前記背布との袖下及びそれに連続する脇線で接続自在とした右接続部とから構成されるものである。
即ち、上記左接続部は、前記左前布の左前袖の袖下及びそれに連続する上前身頃の脇線と、前記背布の左後袖の袖下及びそれに連続する後身頃の脇線とが、縫製されることなく接続具で接続自在とした部分を示すものである。
また、上記右接続部は、前記右前布の右前袖の袖下及びそれに連続する下前身頃の脇線と、前記背布の右後袖の袖下及びそれに連続する前記左接続部側とは反対側の後身頃の脇線とが縫製されることなく接続具で接続自在とした部分を示すものである。
【００１４】
つまり、上記左前布、右前布及び背布は、各１単位枚であり、肩の上に位置する肩山及び袖の上に位置する袖山での縫製によって連続的に一体化しているも、左右の袖下及びそれに連続する脇線が縫製されることなく、接続具で接続自在とされている。
【００１５】
上記左接続部、右接続部の接続具は、例えば、スナップボタン、磁石ボタン、貝ボタン、樹脂ボタン、ナットボタン、木ボタン等の各種ボタン、紐、マジックテープ（登録商標）等の面ファスナからなる接着布等の何れか１以上による接続具とすることができる。特に、接続を使用する個所は、左右の袖下及びそれに連続する脇線側であり被介護者の体重が加わる箇所でないので違和感もない。
上記左接続部、右接続部による接続は、好ましくは、異種の接続具を組合わせたり、接続具で接続する双方にアルファベット、数字、文字、ワンポイントマーク、絵等の同一番号、記号、記号を付したり着色したりすると、ボタン、紐、接着布等の掛け違いを防止でき、複数の接続具を配置するものであっても狂うことがない。
【００１６】
そして、上記脇接続部は、前記左前袖及び前記左後袖の袖下から前記上前身頃及び前記後身頃の脇線へと連続するコーナのシルエットラインが曲線状に形成されて、前記左前袖及び前記左後袖の接続によって筒状を形成する左袖の筒径が袖口側から前記上前身頃及び前記後身頃側へ向かって拡径し、また、前記右前袖及び前記右後袖の袖下から前記下前身頃及び前記後身頃の脇線へと連続するコーナのシルエットラインが曲線状に形成されて、前記右前袖及び前記右後袖の接続によって筒状を形成する右袖の筒径が袖口側から前記下前身頃及び前記後身頃側へ向かって拡径しているものである。
【００１７】
上記脇接続部のコーナは、着用する人の身体の脇下に位置する部分を示し、上記コーナのシルエットラインが曲線状とは、前記左前袖及び前記左後袖の袖下側から前記上前身頃及び前記後身頃の脇線側へと連続する曲がり、また、前記右前袖及び前記右後袖の袖下側から前記下前身頃及び前記後身頃の脇線側へと連続する曲がりが、直角に折曲がることなくＲ状にカーブしていることを意味する。
また、上記接続部は、前記左接続部及び前記右接続部の一方または両方が接続具で接続自在とすることができる。
【００１８】
ここで、上記袖の筒幅が拡径とは、前記コーナのシルエットラインが曲線状であるから、前記左前袖及び前記左後袖の接続によって筒状に接続される左袖がその袖口側から前記上前身頃及び前記後身頃側に向かって径大であり、また、前記右前袖及び前記右後袖の接続によって筒状に接続される右袖がその袖口側から前記下前身頃及び前記後身頃側に向かって径大であり、実質的に腕が入れられるところの左袖及び右袖の筒径が、袖口側から身頃に向かって拡径していることを意味する。即ち、前記左前袖及び前記左後袖の袖山と袖下間の長さが袖口側から身頃側に向かって長くなっており、また、前記右前袖及び前記右後袖の袖山と袖下間の長さが袖口側から身頃側に向かって長くなっている。なお、前記コーナのシルエットラインが曲線状であるから、身幅からみても、裾側から袖側に向かって左右の脇線間の長さが長くなっている。
【００１９】
請求項２の発明の介護用着衣の前記後身頃の前記上前身頃側及び前記下前身頃側には、着衣する人の背面側にあてがう吸水・防水シートを前記後身頃に設けた取付手段によって着脱自在としたものである。
上記吸水・防水シートは、前記後身頃の前記上前身頃及び前記下前身頃で、着衣する人の背面側、主に、臀部や腰を中心に配置され、汗や漏れた尿等の排泄物を捉えて、汗や漏れた尿等の排泄物で身頃が汚れるのを阻止するものである。汗や尿等の水分を吸収する吸水性（吸水保持性）及び水分を通過させない防水性ものであればよく、例えば、透水性（透液性）の表面シートと、防水性（不透水性、不透過性）の裏面シートと、表面シートと裏面シートとの間に吸水シート（吸液シート）等を挟み込んだ複層構造の積層複合体が使用されるが、これらの機能がまとまった単層構造のものであってもよい。紙、不織布等を使用した使い捨てによって交換可能とするものであってもよいし、繰り返しの洗い替えに耐える布の使用によって交換可能としてもよい。
【００２０】
上記取付手段は、吸水・防水シートを後身頃に着脱自在に取付ることができる構成であればよく、例えば、吸水・防水シートを挟持する部材を用いてもよいし、吸水・防水シート側に設けた接続具、具体的には、面ファスナ等の接着布、紐、ボタン、ボタン穴、粘着テープ等と分離及び接続自在な面ファスナ等の接着布、紐、ボタン、ボタン穴、ループ部材等の接続受具が採用される。
【発明の効果】
【００２１】
請求項１の発明に係る介護用着衣によれば、左前袖及び上前身頃が一体に裁断されてなる左前布の上辺、並びに、右前袖及び下前身頃が一体に裁断されてなる右前布の上辺と、左後袖及び右後袖と後身頃とが一体に裁断されてなる背布の上辺とが縫製部によって袖山・肩山で縫製されて繋がれているが、左接続部によって前記左前布の前記左前袖の袖下及びそれに連続する前記上前身頃の脇線と、前記背布の前記左後袖の袖下及びそれに連続する前記後身頃の脇線とが接続具で接続自在とされ、また、右接続部によって前記右前布の右前の袖下及びそれに連続する前記下前身頃の脇線と、前記背布の前記右後袖の袖下及びそれに連続する前記後身頃の脇線とが接続具で接続自在とされている。
【００２２】
したがって、左前布の左前袖の袖下及びそれに連続する上前身頃の脇線と、背布の左後袖の袖下及びそれに連続する後身頃の脇線とを接続具で接続されてなる左接続部の接続を解くと、左の袖下及びそれに連続する後身頃の脇線で、背布と上前身頃とを分離して開放できる。また、右前布の右前袖の袖下及びそれに連続する下前身頃の脇線と、背布の右後袖の袖下及びそれに連続する後身頃の脇線とを接続具で接続されてなる右接続部の接続を解くと、右の袖下及びそれに連続する後身頃の脇線で、背布と下前身頃とを分離して開放できる。よって、背布の上（内面側）に介護者を配置し、その配置した介護者に左前布を着せ掛け、また、右前布を着せ掛け、左接続部及び右接続部のそれぞれの接続具で袖下及び脇線を接続することで、袖に腕を通す動作を行うことなく、被介護者に自然体で着衣を着せることができる。
よって、腕の自由がきかない患者であっても、着衣及び脱衣の負担が少なく、容易に着替えを行うことができる。
【００２３】
特に、本発明に係る介護用着衣によれば、左前布が左前袖及び上前身頃を一体に裁断してなるものであり、また、右前布が右前袖及び下前身頃を一体に裁断してなるものであり、更に、背布が左後袖及び右後袖と後身頃とを一体に裁断してなるものであり、これら左前布、右前布及び背布は袖山・肩山でのみ縫製され、着衣した人の背面側において床擦れを生じさせる原因となる縫製の合わせ目（縫目、継目）が少ない。よって、肌への刺激を少なくできる。当然、縫製作業の負担も少なくなる。
【００２４】
更に、左接続部及び右接続部からなる脇接続部では、左前袖及び左後袖の袖下から上前身頃及び後身頃の脇線へと連続するコーナのシルエットラインを曲線状に形成し、また、右前袖及び右後袖の袖下から下前身頃及び後身頃の脇線へと連続するコーナのシルエットラインを曲線状に形成し、袖口から身頃側に向かって袖の筒幅を径大としたことから、袖口側は着衣した人の手の動きの邪魔となったり捲れ易くなったりしないような適当な径で設計できるも、身頃側に向かって袖幅を大きくして着衣した人の脇下の位置の空間に余裕を持たせることができ、また、コーナに角が存在しないので、腕を動かしたときでも布端部の身体への当たりを少なくできる。加えて、汗がかきやすい脇下に空気の通り道が形成され、通気性を向上させることができ、湿気による不快感、床擦れの誘発を防止できる。
【００２５】
こうして、本発明に係る介護用着衣によれば、腕の自由がきかない患者の着衣及び脱衣の負担や介護負担を軽減させることができ、かつ、肌への刺激が少なく、また、脇下の位置の通気性を向上可能であるから、着用感を快適にできる。
また、上記接続部は、前記左接続部及び前記右接続部の一方または両方が接続具で接続自在とすることができる。
【００２６】
請求項２の発明に係る介護用着衣は、前記後身頃の前記上前身頃側及び前記下前身頃側には、着衣する人の背面側にあてがう吸水・防水シートを前記後身頃に設けた取付手段によって着脱自在としたものであるから、請求項１の発明に加えて、吸水・防水シートの取付けによって被介護者の汗や尿を吸水・防水シートで捉えることができ、身頃が汚れるのを防止することができる。よって、着衣を着替えさせることなく、吸水・防水シートを清潔なものと交換するのみでよいから、介護者や被介護者の負担を軽減できる。また、湿気が吸収されることで、湿気による不快感、皮膚への刺激を軽減でき、着衣時の快適性が向上する。
【図面の簡単な説明】
【００２７】
【図１】図１は本発明の実施の形態１の介護用着衣としての介護用寝巻の構成を説明するための分解図である。
【図２】図２は本発明の実施の形態１の介護用着衣としての介護用寝巻の正面図である。
【図３】図３は本発明の実施の形態１の介護用着衣としての介護用寝巻の背面図である。
【図４】図４は本発明の実施の形態１の介護用着衣としての介護用寝巻の左を開放状態に展開する展開図である。
【図５】図５は本発明の実施の形態１の介護用着衣としての介護用寝巻の右を開放状態に展開する展開図である。
【図６】図６は本発明の実施の形態１の介護用着衣としての介護用寝巻の上前身頃及下前身頃を展開して折り畳んだ状態を説明する展開図である。
【図７】図７は本発明の実施の形態１の介護用着衣としての介護用寝巻に使用した接続具を示すものであり、（ａ）は接着布の事例、（ｂ）は紐の事例である。
【図８】図８は本発明の実施の形態１の介護用着衣としての介護用寝巻に使用する接続具の他の事例を示すものであり、（ａ）はスナップボタンの事例、（ｂ）はボタンとボタン穴（穴篝）の事例である。
【図９】図９（ａ）は本発明の実施の形態１の介護用着衣としての介護用寝巻に使用する接続具の接続形態の別の事例を説明する説明図であり、図９（ｂ）は本発明の実施の形態１の介護用着衣としての介護用寝巻に使用する接続具の接続形態の他の事例を説明する説明図である。
【図１０】図１０は本発明の実施の形態１に係る変形例１の介護用着衣の構成を左を開放状態に展開して示す展開図である。
【図１１】図１１は本発明の実施の形態１に係る変形例２の介護用着衣の構成を右を開放状態に展開して示す展開図である。
【図１２】図１２は本発明の実施の形態２に係る介護用着衣の後身頃に収納部を設けた事例の背面図である。
【図１３】図１３は本発明の実施の形態２に係る介護用着衣の後身頃の収納部に収納する状態を説明する説明図である。
【図１４】図１４は本発明の実施の形態３に係る介護用着衣を説明するための説明図であり、後身頃の裏面側に対して吸水・防水シートを取付ける説明図である。
【図１５】図１５は本発明の実施の形態３に係る介護用着衣の後身頃に対して吸水・防水シートを取付ける取付手段の一例を説明するための図１４の要部拡大図であり、取付手段が接着布の事例である。
【図１６】図１６は本発明の実施の形態３に係る介護用着衣の後身頃に対して吸水・防水シートを取付ける取付手段としての接着布の取付位置の他の事例を説明する説明図であり、（ａ）は接着布の取付位置の説明図、（ｂ）は吸水・防水シートを取付けた説明図、（ｃ）は吸水・防水シートの取付けがないときの説明図である。
【図１７】図１７は本発明の実施の形態３に係る介護用着衣の後身頃に対して吸水・防水シートを取付ける取付手段の他の事例を説明する説明図であり、（ａ）は後身頃に設けた孔に対して吸水・防水シートに設けた接着布を通す事例、（ｂ）は後身頃に設けた孔に対して吸水・防水シートに設けた紐を通す事例である。
【図１８】図１８は本発明の実施の形態３に係る介護用着衣の後身頃に対して吸水・防水シートを取付ける取付手段の更に他の事例を説明する説明図であり、（ａ）は後身頃に設けた紐と吸水・防水シートに設けた紐を結ぶ事例、（ｂ）は後身頃に設けたナイロン地に吸水・防水シートに設けた粘着テープを貼る事例である。
【図１９】図１９は本発明の実施の形態３に係る介護用着衣の後身頃に対して吸水・防水シートを取付ける取付手段の更に別の事例を説明する説明図であり、（ａ）は後身頃に設けた環状部に対して吸水・防水シートに設けた紐を通して結ぶ事例、（ｂ）は後身頃に設けた環状部及び吸水・防水シートに設けた穴に紐を通す事例、（ｃ）は後身頃及び吸水・防水シートに設けた環状部に紐を通す事例、（ｄ）は後身頃に設けたナイロン製の環状部に対して吸水・防水シートに設けた粘着テープを貼る事例である。
【図２０】図２０は本発明の実施の形態４に係る介護用着衣を説明するための説明図であり、上前身頃及び下前身頃の下であって着衣する人の前側を覆う伸縮性の被覆布を後身頃に対して取付ける説明図である。
【発明を実施するための形態】
【００２８】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００２９】
［実施の形態１］
まず、本発明の実施の形態１に係る介護用着衣を介護用寝巻とした事例で、図１乃至図９を参照して説明する。
本実施の形態１においては、着衣したとき最も前側に出る上前身頃ＵＦ及び着用する人の左腕の前側を覆う左前袖ＦＬからなる左前布１０Ｌと、着衣したとき前側であるが、上前身頃ＵＦの背後に重なる下前身頃ＤＦ及び着用する人の右腕の前側を覆う右前袖ＦＲからなる右前布１０Ｒと、着用する人の背後に位置する後身頃Ｂ及び着用する人の左腕の後側を覆う左後袖ＢＬ及び着用する人の右腕の後側を覆う右後袖ＢＲからなり、左前布１０Ｌ及び右前布１０Ｒのシルエットラインとなる後側に位置する背布２０とによって介護用寝巻１の全体の概略構成を形成している。
なお、図において、左前布１０Ｌ，右前布１０Ｒ、背布２０について、その外面側（意匠側）を表面側ｆｃとし、表面側ｆｃとは反対側の内面側であって着衣する人の身体側に位置する側を裏面側ｂｃとしている。
【００３０】
本実施の形態１の介護用着衣の寝巻１を構成する左右１対の左前布１０Ｌと右前布１０Ｒ、及び、それらの後側に位置する背布２０は、それぞれ、例えば、ガーゼ地等の綿、絹、麻等の所定寸法の布から、身頃になる部分及び袖になる部分を一体に切断して形成される。特に、ガーゼ地等は洗濯が容易で度重なる洗濯によっても丈夫で型崩れし難く、肌への当たりや肌触りがよい。布は単一材料の使用のみでなく複合化させて使用することも可能であり、また、単一の枚数でなく折り重ね等によって複数枚（複数層）のガーゼ地等の綿で形成することもできる。
【００３１】
図１に示すように、所定寸法の布から、左前布１０Ｌ、右前布１０Ｒ及び背布２０の３部位に切断され、図１乃至図３で示すように、背布２０に対して左前布１０Ｌ及び右前布１０Ｒの縫付けによって介護用寝巻１の袖山・肩山となる部分を形成し、また、左右の袖の袖下及び前後の身頃の脇線が面ファスナ等の接着布３１、紐３２等の接続具で接続される。
例えば、介護用寝巻１が長着であれば、背布２０の横幅は１１０ｃｍ〜１４０ｃｍの範囲に設定され、その長さ（身丈）は１１０ｃｍ〜１７０ｃｍの範囲内に設定される。
【００３２】
詳細には、１枚或いは２枚以上を重ねた１単位の布から、着用する人の左腕を覆う左袖の前側を形成する左前袖ＦＬと、着用する人の前側で胴体部を覆う前身頃を形成し着衣したとき最も前側に出る上前身頃ＵＦとで分断することなく、両者を一体に切断して左前布１０Ｌを形成している。つまり、本実施の形態１の左前布１０Ｌによれば、左前袖ＦＬと上前身頃ＵＦを別々に切断して縫製する縫目（合わせ目）はなく、左前袖ＦＬと上前身頃ＵＦが１枚或いは２枚以上を重ねた１単位の布から連続的に形成されている。
【００３３】
同様に、本実施の形態１の右前布１０Ｒも、着用する人の右腕を覆う右袖の前側を形成する右前袖ＦＲと、着用する人の前側で胴体部を覆う前身頃を形成し着衣したとき上前身頃ＵＦの背後に一部を重ねる下前身頃ＤＦとが１枚或いは２枚以上を重ねた１単位の布から一体に切断されてなり、右前袖ＦＲと下前身頃ＤＦを別々に切断して縫製する縫目（合わせ目）がなく、右前袖ＦＲと下前身頃ＤＦが１枚或いは２枚以上を重ねた１単位の布から連続的に形成されている。
【００３４】
本実施の形態１では、左前袖ＦＬ及び上前身頃ＵＦからなる左前布１０Ｌと、右前袖ＦＲ及び下前身頃ＤＦからなる右前布１０Ｒとは表裏を逆にした対称的な形状であり、背布２０に対して縫付けられた左前布１０Ｌの上前身頃ＵＦと右前布１０Ｒの下前身頃ＤＦとは、被介護者に着衣した状態で重複させることができる寸法に形成されている。また、着衣した人の首周りに位置する襟元は、上前身頃ＵＦと下前身頃ＤＦの重なりにより略Ｖ字状になるように、上前身頃ＵＦと下前身頃ＤＦにおいて着用した人の首周りに位置する所定の端部が斜めに形成されている。
【００３５】
左前布１０Ｌの上前身頃ＵＦと右前布１０Ｒの下前身頃ＤＦを紐３７Ａ，７２Ａで接続固定した状態で、肩山から下の襟元のＶ字の深さ（縦幅）は、例えば、１０ｃｍ〜２０ｃｍとなるように設定され、特に、２０ｃｍ〜３０ｃｍであると、口や鼻に気管チューブが挿管されている患者や気管切開により気管カニューレが喉元に挿管されている患者に対する着衣でも、それらチューブやカニューレが襟元に引っ掛かることもなく、首周りに窮屈さを感じさせることがない。着衣状態で襟元から介護者の手を入れて、被介護者に処置や作業を施すのも容易である。なお、襟元の形状が略Ｕ字状となるように上前身頃ＵＦと下前身頃ＤＦの重なり形状を形成してもよい。
【００３６】
本実施の形態１の背布２０についても、着用する人の左腕を覆う左袖の後側を形成する左後袖ＢＬと、着用する人の右腕を覆う右袖の後側を形成する右後袖ＢＲと、着用する人の背後側で胴体部を覆う後身頃Ｂとが、１枚或いは２枚以上を重ねた１単位の布から一体に切断されてなる。つまり、本実施の形態１の背布２０によれば、左後袖ＢＬ、右後袖ＢＲ、及び後身頃Ｂをそれぞれ別々に切断して縫製する縫目はなく、左後袖ＢＬ、右後袖ＢＲ、及び後身頃Ｂが１枚或いは２枚以上を重ねた１単位の布から連続的に形成されている。
【００３７】
そして、本実施の形態１の介護用寝巻１は、着用したときに身体の脇下に位置するコーナ部分、即ち、各左右の袖下（袖の下端のライン）から身頃の左右の脇線（身頃の左右の端のライン）へと連続的に繋がる部分のシルエットラインが曲線状である点に特徴を有する。
公知の介護用寝巻は和装の裁断、仕立てであるゆえ、各左右の袖下及び脇線が真っ直ぐな直線状をなし、左右の袖下及び脇線が交わるコーナ部分では、それら直線が交わる所定の角が形成されるのに対し、本実施の形態１の介護用寝巻１では、所定の袖及び身頃を一体に裁断し、袖下と脇線の繋がりに曲率を持たせている。
【００３８】
即ち、左の袖下６１Ｌ，６２Ｌ及びそれに連続する脇線６３Ｌ，６４ＬのコーナのシルエットラインがＲ状に湾曲カーブし、右の袖下６１Ｒ，６２Ｒ及びそれに連続する脇線６３Ｒ，６４ＲのコーナのシルエットラインもＲ状に湾曲カーブしている。
袖下と身頃の脇線が連続する曲率の半径Ｒは、例えば、Ｒ＝１０ｃｍ〜３０ｃｍの範囲内に設定され、当該範囲内であれば、ダブつくことがなくて体裁がよく、着用する人の腕の動きを邪魔することのない寸法となる。
【００３９】
このように、本実施の形態１の介護用寝巻１では、袖下と脇線の繋がりに曲率を持たせていることによって、袖口６５側から身頃側に向かって袖の上下幅、つまり、袖山及び袖下の間の幅であって、腕が入れられる袖の筒径が拡径している。
即ち、和装でいうところの袖丈が袖口６５側から身頃側に向かって長くなっている。なお、本実施の形態１の介護用寝巻１において、手が通される袖口６５の開口は、袖山から袖下までの幅に相当する。つまり、腕が入れられる袖の筒径が袖口６５側から身頃側に向かって径大となっている。
【００４０】
身頃側からすると、裾側から袖側に向かって左右の脇線間の身幅が拡径している。図３で示すように、身頃の裾側の直線領域の脇線６３Ｌ，６４Ｌから袖山・肩山４１Ｌ，４１Ｒに向かって延長する直線状の仮想線ｌを引き、その仮想線ｌにおいて袖口６５の上下幅の長さｍの分だけ袖山・肩山４１Ｌ，４１Ｒ側から差し引いた位置を示す仮想点Ｐよりも下位に、袖下６１Ｌ，６２Ｌ及び脇線６３Ｌ，６４Ｌのシルエットラインが裾側からの直線状の仮想線ｌから分岐する位置を示す仮想分岐点Ｑが存在する。好ましくは、このときの仮想点Ｐと仮想分岐点Ｑの距離長さが５ｃｍ〜１５ｃｍの範囲内に設定されることで、ダブつくことがなくて体裁がよく、着用する人の腕の動きを邪魔することのない寸法となる。右の袖下６１Ｒ，６２Ｒ及び脇線６３Ｒ，６４Ｒのシルエットラインについても同様である。
【００４１】
仮想分岐点Ｑと袖山・肩山４１Ｌ，４１Ｒとの間の距離長さｄは、好ましくは、２５〜４５ｍの範囲内であり、距離長さｄが袖口６５の上下幅の長さｍの１．３倍〜２．５倍の範囲内であるのが好ましい。これにより、着用する人の脇下で袖下６１Ｌ，６２Ｌ及びそれに連続する脇線６３Ｌ，６４Ｌに相当する布端部との間に十分な空間が形成され、着用する人の腕の動きを邪魔することなく、かつ、空気の通り道が形成されて通気が良くなる。
【００４２】
つまり、従来の長着の和装の裁断、仕立てでは、身頃の袖付き部分に袖が縫製され、袖丈が袖付や袖口と同等以上の長さで一定であるのに対し、本実施の形態１では、袖と身頃が一体に裁断されてなり、袖から身頃にかけてのシルエットラインが曲線状であり、袖丈に相当する袖の上下幅が袖口６５側から身頃側に向かって拡がっており、腕を通す袖の筒径が袖口６５側から身頃側に向かって拡径している。
【００４３】
このように、本実施の形態１の介護用寝巻１では、左の袖下６１Ｌ，６２Ｌと脇線６３Ｌ，６４Ｌが繋がるコーナのシルエットラインが曲線状であるから、着用したときに身体の左脇下と左の袖下６１Ｌ，６２Ｌ及び脇線６３Ｌ，６４Ｌのシルエットラインとの間の空間が大きく設けられ、左の腕を動かしたときでも、脇下に位置する布の袖下６１Ｌ，６２Ｌから脇線６３Ｌ，６４Ｌにかけての端部が身体に当たり難く、身体との接触頻度を少なくできる。同様に、右の袖下６１Ｒ，６２Ｒと脇線６３Ｒ，６４Ｒが繋がるコーナのシルエットラインも曲線状であるから、着用したときに身体の右脇下と右の袖下６１Ｒ，６２Ｒ及び脇線６３Ｒ，６４Ｒのシルエットラインとの間の空間が大きく設けられ、右の腕を動かしたときでも、脇下に位置する布の袖下６１Ｌ，６２Ｌから脇線６３Ｌ，６４Ｌにかけての端部が身体に当たり難く、身体との接触頻度を少なくできる。
【００４４】
なお、従来の和装では、袖全体の袖丈が一定であるから、袖付部分を広く採るには全体の袖丈を大きくしなければならず、このとき袖口側も広くなることから、捲れやすかったり、ダブついて皺ができやすかったりする不都合さが生じる。
しかし、本発明のように、左の袖下６１Ｌ，６２Ｌから脇線６３Ｌ，６４Ｌへと連続的に繋がる部分のシルエットライン、また、右の袖下６１Ｒ，６ＲＬから脇線６３Ｒ，６４Ｒへと連続的に繋がる部分のシルエットラインを曲線状に形成することで、袖口６５の開口幅は上述の不都合が生じない適度な袖の上下幅（開口）寸法の設計とする一方で、着用したときに身体の脇下側、即ち、腕を動かす周辺では、上下幅（開口）寸法を広く設計し、身体の脇下と袖下から脇線のシルエットラインとの間の腕が入れられる空間を広く形成することができる。
【００４５】
このように、左の袖下６１Ｌ，６２Ｌから脇線６３Ｌ，６４Ｌへと連続的に繋がるコーナのシルエットラインが曲線状に形成され、左前袖ＦＬ及び左後袖ＢＬの袖口６５側から上前身頃ＵＦ及び後身頃側Ｂへ向かって袖の筒径が拡径していることにより、身体の脇下と袖下から脇線のシルエットラインとの間の腕が入れられる空間を広く形成することができるから、着衣した人の腕の動きでも、身体の脇下側で左前袖ＦＬ及びそれに一体的に連続する上前身頃ＵＦの布の端部（左接続部５０Ｌ）や、右前袖ＦＲ及びそれに一体的に連続する下前身頃ＤＦの布の端部（右接続部５０Ｒ）が身体に当たる接触頻度が少なく、異物感を感じさせたり皮膚を刺激したりすることが少なくなる。更に、身体の脇下の位置での広い空間により空気の通り道が形成され、通気性が向上する。
【００４６】
ところで、上述したように、本実施の形態１の介護用寝巻１では、左前布１０Ｌが左前袖ＦＬ及び上前身頃ＵＦを一体に切断してなり、また、右前布１０Ｒが右前袖ＦＲ及び下前身頃ＤＦを一体に切断してなり、更に、背布２０が左後袖ＢＬ及び右後袖ＢＲ及び後身頃Ｂを一体に切断してなる。そして、左前袖ＦＬの袖下６１Ｌから上前身頃ＵＦの脇線６３Ｌへと連続するシルエットラインが曲線状に形成され、左後袖ＢＬの袖下６２Ｌから後身頃Ｂの脇線６４Ｌへと連続するシルエットラインも曲線状に形成されている。また、右前袖ＦＲの袖下６１Ｒから下前身頃ＤＦの脇線６３Ｒへと連続するシルエットラインが曲線状に形成され、右後袖ＢＲの袖下６２Ｒから後身頃Ｂの脇線６４Ｒへと連続するシルエットラインも曲線状に形成されている。
【００４７】
よって、左前袖ＦＬと上前身頃ＵＦの境界、右前袖ＦＲと下前身頃ＤＦの境界、左後袖ＢＬと右後袖ＢＲと後身頃Ｂの境界はそれぞれ明確に区別できるものではなく、連続的に変化しているものである。また、左前袖ＦＬの袖下６１Ｌと上前身頃ＵＦの脇線６３Ｌの境界、右前袖ＦＲの袖下６１Ｒと下前身頃ＤＦの脇線６３Ｒの境界、左後袖ＢＬの袖下６２Ｌと後身頃Ｂの脇線６４Ｌの境界、右後袖ＢＲの袖下６２Ｒと後身頃Ｂの脇線６４Ｒの境界についても明確に区別できるものではなく、連続的に変化しているものである。
【００４８】
そして、本実施の形態１の介護用寝巻１では、左後袖ＢＬ及び右後袖ＢＲ及び後身頃Ｂが一体に裁断されてなる背布２０の上辺に対して、左前袖ＦＬ及び上前身頃ＵＦが一体に裁断されてなる左前布１０Ｌの上辺を縫付けによって繋げており、また、右前袖ＦＲ及び下前身頃ＤＦが一体に裁断されてなる右前布１０Ｒの上辺についても左前布１０Ｌとは対称的に縫付けによって繋げている。即ち、背布２０の上辺の左側が左前布１０Ｌの上辺と縫製され左の袖山・肩山４１Ｌが形成され、背布２０の上辺の右側が右前布１０Ｒの上辺と縫製され右の袖山・肩山４１Ｒが形成される。このように袖山・肩山４１Ｌ，４１Ｒで背布２０と右前布１０Ｒ及び左前布１０Ｌとが縫製されていることにより、袖山・肩山４１Ｌのラインが左前布１０Ｌと背布２０の合せ目となり、袖山・肩山４１Ｒのラインが右前布１０Ｒと背布２０の合せ目となる。なお、ここでいう袖山・肩山４１Ｌ，４１Ｒは袖及び肩の上端のことである。
【００４９】
即ち、本実施の形態１の介護用寝巻１は、左前袖ＦＬ及び上前身頃ＵＦからなる左前布１０Ｌと、背布２０の後身頃Ｂ及び左後袖ＢＬ側とを縫製して縫付けてなる左縫製部４０Ｌ、並びに、右前袖ＦＲ及び下前身頃ＤＦからなる右前布１０Ｒと背布２０の後身頃Ｂ及び右後袖ＢＲ側とを縫製して縫付けてなる右縫製部４０Ｒからなる縫製部４０を有する。
【００５０】
このように、本実施の形態１の介護用寝巻１は、着衣した人の前側に位置する左前布１０Ｌ及び右前布１０Ｒと、着衣した人の後側に位置する背布２０とを縫製部４０での縫合によって一体化し、身体への着用に適する形状に形成されている。
【００５１】
更に、左前布１０Ｌの左前袖ＦＬの袖下６１Ｌ及び上前身頃ＵＦの脇線６３Ｌと、それに対応する背布２０の左後袖ＢＬの袖下６２Ｌ及び後身頃Ｂの脇線６４Ｌとは、縫製で接がれることなく、接続具としての面ファスナ等の接着布３１、紐３２によって、接続及び分離自在となっている。つまり、左の袖下及び脇線側に相当する左接続部５０Ｌを接着布３１，紐３２で接続し、その接続を解くことにより左接続部５０Ｌが開かれる。
また、右前布１０Ｒの右前袖ＦＲの袖下６１Ｒ及び下前身頃ＤＦの脇線６３Ｒと、それに対応する背布２０の右後袖ＢＲの袖下６２Ｒ及び後身頃Ｂの脇線６４Ｒとも、縫製で接がれることなく、接続具としての面ファスナ等の接着布３１、紐３２によって、接続及び分離自在となっている。つまり、右の袖下及び脇線側に相当する右接続部５０Ｒを接着布３１，紐３２で接続し、その接続を解くことにより右接続部５０Ｒが開かれる。
これら接着布３１、紐３２等の接続具の接続は、左接続部５０Ｌや右接続部５０Ｒを構成する。
【００５２】
即ち、本実施の形態１の介護用寝巻１は、左前布１０Ｌの左前袖ＦＬの袖下６１Ｌ及び上前身頃ＵＦの脇線６３Ｌと、背布２０の左後袖ＢＬの袖下６２Ｌ及び後身頃Ｂの脇線６４Ｌとを、接続具としての面ファスナ等の接着布３１、紐３２によって接続自在とする左接続部５０Ｌ、並びに、右前布１０Ｒの右前袖ＦＲの袖下６１Ｒ及び下前身頃ＤＦの脇線６３Ｒと、背布２０の右後袖ＢＲの袖下６２Ｒ及び後身頃Ｂの脇線６４Ｒとを、接続具としての面ファスナ等の接着布３１、紐３２によって接続自在とする右接続部５０Ｒからなる脇接続部を有する。
【００５３】
なお、図１乃至図６において、左袖の前側を形成する左前袖ＦＬの袖下６１Ｌ及び上前身頃ＵＦの脇線６３Ｌ、並びに、左袖の後側を形成する左後袖ＢＬの袖下６２Ｌ及び後身頃Ｂの脇線６４Ｌを接着布３１，紐３２で接続自在とする左接続部５０Ｌと、右袖の前側を形成する右前袖ＦＲの袖下６１Ｒ及び下前身頃ＤＦの脇線６３Ｒ、並びに、右袖の後側を形成する右後袖ＢＲの袖下６２Ｒ及び後身頃Ｂの脇線６４Ｒを接着布３１，紐３２で接続自在とする右接続部５０Ｒとは、左接続部５０Ｌと右接続部５０Ｒが中央で線対称となり、基本的に構成を同一にしている。
そして、脇接続部を構成しているこれら左接続部５０Ｌ、右接続部５０Ｒは本来の縫製部分を縫製することなく接続している接着布３１，紐３２の配設個所である。
【００５４】
ここで、本実施の形態１において、脇接続部を構成している左接続部５０Ｌ、右接続部５０Ｒに配設する接続具は、面ファスナ等の接着布３１及び紐３２を用いている。
左右の袖下６１Ｌ，６２Ｌ，６１Ｒ，６２Ｒ側では、接続具として面ファスナ等の接着布３１が使用され、左右の脇線６３Ｒ，６４Ｒ，６３Ｌ，６４Ｌ側では、接続具として面ファスナ等の接着布３１及び紐３２が併用されている。
【００５５】
特に、本実施の形態１では、着衣する人の前側を閉じ上前身頃ＵＦと下前身頃ＤＦの開きを防止する固定具として紐７２Ａを使用し、上前身頃ＵＦの脇線６３Ｒ側とは反対側の端部に設けた固定具としての紐７２Ａと対応する位置には、右接続部５０Ｒの接続具として紐３２Ａ（以下、紐７２Ａと対応させる場合には裾側の紐と区別するため３２Ａとする）を使用することで、接続具としての紐３２Ａに固定具としての機能も持たせている。即ち、右接続部５０Ｒに接続具として設けた１対の紐３２Ａは紐７２Ａとの接続も可能とし、１対の紐３２Ａと紐７２Ａをまとめて結ぶことにより、下前身頃ＤＦの脇線６３Ｒ側と後身頃Ｂの脇線６４Ｒ側とを接続し右接続部５０Ｒの一部を閉じると同時に、上前身頃ＵＦと下前身頃ＤＦの位置を固定し前身頃側を閉じる。
【００５６】
なお、本実施の形態１では、固定具としての紐７２Ａは脇線６３Ｒ，６３Ｌとは反対側で上前身頃ＵＦの端部と下前身頃ＤＦの端部の両方に所定位置に設けられ、下前身頃ＤＦ側でも、上前身頃ＵＦの脇線６３Ｌと後身頃Ｂの脇線６４Ｌを接続する接続具としての紐３２Ａと接続自在となっている。上前身頃ＵＦの脇線６３Ｌと後身頃Ｂの脇線６４Ｌとで接着布３１，紐３２が配置する間隔は両者が結合することなく開口するから、紐３２Ａの前後の開口から下前身頃ＤＦの紐７２Ａを通して、脇線６３Ｌ，６４Ｌの外側で１対の紐３２Ａと紐７２Ａを接続してもよいし、或いは、紐３２Ａの前後の開口に紐３２Ａを通して、脇線６３Ｌ，６４Ｌの内側で紐３２Ａと１対の紐７２Ａを接続してもよい。着用する人の容態等に応じて選択できる。そして、下前身頃ＤＦ側と上前身頃ＵＦ側の両方で紐７２Ａと１対の紐３２Ａの接続固定できるから、着衣した人の前側を開け難くできる。更に、着用する人の容態、患部の位置、着用する人に接続している器具の位置等によっては、下前身頃ＤＦ側を上に、上前身頃ＵＦを下にして着用し、前側が開けないように固定することも可能である。更に、被介護者の容態、介護処置等の状況によっては下前身頃ＤＦの紐７２Ａ及び上前身頃ＵＦの紐７２Ａの結びにより固定し着用することもできる。この場合には、上前身頃ＵＦと下前身頃ＤＦによる襟元のＶ字が深く形成される。
【００５７】
また、本発明を実施する場合には、上前身頃ＵＦや下前身頃ＤＦの端部の長さ方向において所定間隔で固定具としての紐７２Ａを複数個設け、それに対応する紐を脇線側に複数設けてもよい。
ここでは、上前身頃ＵＦと下前身頃ＤＦの接続固定は、紐３２Ａ，７２Ａによるものの説明をしたが、本発明を実施する場合には、上前身頃ＵＦと下前身頃ＤＦの接続固定の手段は紐に限定されることなく、上前身頃ＵＦと下前身頃ＤＦの縁部にマジックテープ（登録商標）等の面ファスナからなる接着布や、スナップボタン、ボタンとボタン穴等を設け、それらで身頃の前側が開かないように接続固定してもよい。或いは、帯紐を締めて固定してもよい。
【００５８】
そして、接着布３１と紐３２のように異種の接続具を併用すると、間違いのない接続、即ち、掛け違いの防止にも有効である。また、接続具として紐３２による接続は、接着布３１を接続する前に概略の身だしなみを整えることに使用するのにも好適である。接着布３１は接続具として接続の着脱が容易にできるが、身体の動きにより接続が解除されやすいこともある。そこで、例えば、裾付近に配設する接続具には紐３２を選択することで、強固な紐３２の結び方により、着用時に足の動きにより脇線６３Ｒ，６４Ｒ，６３Ｌ，６４Ｌ側で上前身頃ＵＦ及び下前身頃ＤＦと後身頃Ｂとが裾側から開かれて捲れてしまうのを防止できる。また、このような捲れが防止されると床擦れを誘発する皺の発生も防止できる。
【００５９】
接着布３１，紐３２の個数、配置間隔は任意に設定できる。例えば、左接続部５０Ｌまたは右接続部５０Ｒの全長に対し、５ｃｍ〜２０ｃｍの間隔で５個〜１５個の接続具の配設とすることができる。なお、左接続部５０Ｌまたは右接続部５０Ｒにおいて、脇線側及び袖下側を接続する接着布３１，紐３２の列状の配置間隔の間、即ち、脇線側及び袖下側で所定間隔で配置され隣接する接着布３１，紐３２間は、右前布１０Ｒ及び左前布１０Ｌと背布２０との非結合部分であって開口可能な開放区間５３である。
【００６０】
特に、図１乃至図６において、接着布３１，紐３２の配設は、着用したときに身体の脇下に位置するコーナ部分が除かれ、汗のかきやすい脇下では袖の上下幅を広く設けて、接着布３１，紐３２を配設しないことによって、袖下から脇線にかけて対向する右前布１０Ｒ及び左前布１０Ｌと背布２０との間に開放区間５３を設けている。このように汗のかきやすい脇下に位置するコーナ部分に開放区間５３が位置すると、汗等の水分の放散性が良くなり、通気がよくなる。また、脇下に開放区間５３があると、そこに介護者の手を入れて、着衣した被介護者に処置、例えば、体温計の挿入等を施すことができ利便性が高い。
【００６１】
接続具は、図７（ａ）に示すように、マジックテープ（登録商標）等の面ファスナ等からなる接着布３１であれば、左前布１０Ｌや右前布１０Ｒの裏面（内面）の端部（袖下側や脇線側）に接着布３１の雄側３１ａまたは雌側３１ｂの一方を配設し、背布２０の裏面（内面）の端部（袖下側や脇線側）に接着布３１の他方の雌側３１ｂまたは雄側３１ａを配設し、両者を接続するか、その接続を解除するものである。面ファスナ等の接着布３１を使用すると、接続及び分離の操作が極めて容易であり、更にボタンや紐等よりも面で長い間隔を接合できる利点がある。即ち、接着布３１の任意の長さの面により、例えば、身体の大きさや患部の位置、容態に応じて、接続箇所の選択が可能となり、身体の動きを妨げたり患部に違和感を生じさせたりすることのない快適な着用を可能とする。
【００６２】
なお、面ファスナ等の接着布３１は洗濯等により糸屑が接着機構部分に絡み付き、接着力が低下する可能性があるので、洗濯時には、洗濯用の接着布を接合し、糸屑が巻き付かないようにするか、雌側３１ｂ及び雄側３１ａの接続状態とするのが望ましい。接着布３１が疲れてきた場合でも、新製品と取り換えることが容易である。接着布３１は、例えば、四角形状、円形状等のものが使用できるが、角部を面取りしたものや、円形状等の外周が曲線状のものであると、角があるものと比して、肌に当たったときでも不快感が少ない。
【００６３】
図７（ｂ）に示すように、紐３２による接続であれば、左前布１０Ｌや右前布１０Ｒの表面または裏面の端部（袖下側や脇線側）に対となる紐３２の一方の紐３２ａを取付け、背布２０の表面または裏面の端部に他方の紐３２ｂを取付け、両者を結ぶか、その結びを解くものである。紐３２の結び方により任意の強度で接続できる。また、左接続部５０Ｌ、右接続部５０Ｒにおいて所望の密度で接続できる。図７（ｂ）では、１対の紐３２を縫付けによって、左前布１０Ｌ、右前布１０Ｒ、背布２０に取付けているが、左前布１０Ｌや右前布１０Ｒと背布２０とに紐３２を通す穴を形成し、その穴に紐３２を通して結ぶことにより、取付けてもよい。
【００６４】
ここで、接続具として接着布３１や紐３２の使用について説明してきたが、本発明を実施する場合には、容易に着脱可能で、所定の接合強度を確保できれば、接着布３１や紐３２以外でも、例えば、１対のスナップボタン、ボタンとボタン穴等の接続手段を用いてもよく、１種の接続具で統一してもよいし、異種の接続具を併用してもよい。
【００６５】
例えば、図８（ａ）に示すように、スナップボタン３３を使用し、左前布１０Ｌや右前布１０Ｒの裏面（内面）の端部（袖下側や脇線側）にスナップボタンの凸部３３ａまたは凹部３３ｂの一方を配設し、背布２０の裏面（内面）の端部（袖下側や脇線側）にスナップボタンの他方の凹部３３ｂまたは凸部３３ａを配設し、両者を接続するか、その接続を解除するものとしてもよい。
【００６６】
また、図８（ｂ）に示すように、４つ穴のボタン３４ｂ、即ち、貝ボタン、樹脂ボタン等とそれに対応する穴篝３４ａの組み合わせであってもよい。図８（ｂ）では、穴篝３４ａを左前布１０Ｌや右前布１０Ｒの端部（袖下側や脇線側）に配設し、背布２０の裏面（内面）の端部（袖下側や脇線側）にボタン３４ｂを配設し、両者を接続するか、その接続を解除するものである。ボタン穴篝３４ａとして横長の穴としているが、これを縦長の篝穴としてもよい。
【００６７】
このように、脇接続部を構成する左接続部５０Ｌや右接続部５０Ｒによる接続が、接着布３１、紐３２、ボタン３３，３４であると、線ファスナのような異物感が少ない。即ち、これらの接続具では曲げにも応答できるから身体の一部を動かしたときでも違和感を感じ難い。
【００６８】
なお、図７及び図８において、左前布１０Ｌや右前布１０Ｒの端部と背布２０の端部とは平行に合わせるように接着布３１や紐３２、ボタン３３，３４等の接続具を配設しているが、本発明を実施する場合には、図９に示すように接続具を環状を描くように接続してもよい。
【００６９】
即ち、図９（ａ）に示すように、背布２０側に配設する接続具（図９においては接着布３１）を、袖下側や脇線側の端部に布地を突設した突設部３１ｃに配設し、このとき接着布３１の雄側３１ａまたは雌側３１ｂの一方を背布２０の裏面（ｂｃ）側（内面側）とし、接着布３１の他方の雌側３１ｂまたは雄側３１ａを左前布１０Ｌや右前布１０Ｒの表面（ｆｃ）側（外面側）に配設する。これにより、突設部３１ｃが環状を描くようにして接着布３１を接続させることができ、接合状態で接着布３１の接合面が左前布１０Ｌや右前布１０Ｒの表面（ｆｃ）側（外面側）に位置するから、着衣した被介護者の動きによっても、接着布３１の接合面が身体に当たることなく違和感がない。
【００７０】
また、図９（ｂ）に示すように、左前布１０Ｌや右前布１０Ｒよりも、背布２０の幅を大きく形成し、接着布３１の雄側３１ａまたは雌側３１ｂの一方を背布２０の裏面（ｂｃ）側（内面側）とし、接着布３１の他方の雌側３１ｂまたは雄側３１ａを左前布１０Ｌや右前布１０Ｒの表面（ｆｃ）側（外面側）に配設する。そして、左前布１０Ｌや右前布１０Ｒの端部に対し、背布２０の端部を包むようにして接着布３１を合わせてもよい。接合状態で接着布３１の接合面が左前布１０Ｌや右前布１０Ｒの表面（ｆｃ）側（外面側）に位置するから、被介護者の動きによっても、接着布３１の接合面が身体に当たることなく違和感がない。更に、保温性が高まり、冬場に好適である。
【００７１】
なお、左接続部５０Ｌや右接続部５０Ｒでの列状の接続において、接続具の掛け違いを防止するために、異種の接続具を隣接させることも有効であるが、例えば、対となって接続する双方にアルファベット、数字、文字、ワンポイントマーク、絵等の同一の番号、記号、符号または色等を付し、隣接する接続具とはアルファベット、数字、文字、ワンポイントマーク、絵等の番号、記号または色等を異にすることにより区別しても良い。接続具の色、または、接続具を構成する糸や布に縫製する糸の色を相違させることによって区別してもよいし、接続具の形状や構成により区別してもよい。特に、アルファベット、数字であれば、接続具の数が端の接着具をみるだけで明確になる。また、途中から接続させても、残りの数が推定できる。
【００７２】
例えば、図８（ｂ）に示すように、接続具３４の対となる双方で同一のものを付与した記号７３，７４は、テープ状の織物７５にアルファベット、数字、文字、ワンポイントマーク、絵等を織り込み、右接続部５０Ｒや左接続部５０Ｌの長さで繰り返し表されるものを作成しておき、そのアルファベット、数字、文字、ワンポイントマーク、絵等に順列が明確なものを使用する。テープ状の織物７５としたものは、左前布１０Ｌや右前布１０Ｒや背布２０の端部に平行して縫付けるものであり端部を補強する機能、接続具の配設の補強としても機能する。記号７３，７４は、テープ状の織物７５に限定されず、端部のパイピングとして機能する後述のバイアステープ等のパイピング布８１に付しても良いし、直接、布に刺繍やステッチを施すことにより付しても良い。テープ状の織物７５を１ポイント毎の文字、図形、符号等としてもよい。
【００７３】
このように接続具の対となる双方に同一番号、記号、符号等を付与することにより、対となる接続具の位置を特定して、ボタン、接着布、紐等の接続具の正規の対応する接続の掛け間違いを防止し、左前布１０Ｌや右前布１０Ｒと背布２０との関係に誤りが生じないようにできる。
【００７４】
ところで、図１に示すように、本実施の形態１では、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものである。通常、生地は切断するとその端部からほつれやすくなるので、その解れを防止して強度を高め、意匠性を向上させるために、パイピング処理、見返し縫い、袋縫い、折り伏せ縫い、割り伏せ縫い、本返し縫い等で生地の端部が処理される。
【００７５】
本実施の形態１においては、左前布１０Ｌ、右前布１０Ｒ及び背布２０の袖口６５側の端部や、着衣する人の首の周囲に位置する襟側から裾側にかけて連続する左前布１０Ｌ及び右前布１０Ｒの脇線側とは反対側の端部や、左前布１０Ｌ、右前布１０Ｒ及び背布２０の袖下及び脇線の端部や、裾下の端部で、パイピング布８１により端部を包むパイピング処理が施されており、端部を見栄えの良い処理とし、外形を整え補強する。また、端部の強度を高め、布を捲れ難くしている。パイピング処理は、例えば、細長い生地からなるパイピング布８１を二つ折りにし、生地の端面を包むように生地の端面に沿って縫付けることにより行われる。
【００７６】
パイピング布８１の材料は、公知のバイアステープ等を使用しても良いが、例えば、所定寸法の生地から左前布１０Ｌ、右前布１０Ｒ及び背布２０を裁断したときの余剰部からバイアステープ状に作製することもできる。この場合には全体の生地の統一感が得られ、左前布１０Ｌ、右前布１０Ｒ及び背布２０に使用する肌触りの良い生地との一体感を持たせることができる。また。生地を有効に利用できることで低コストで済む。一方、左前布１０Ｌ、右前布１０Ｒ及び背布２０の生地とは、柄、素材、色等が相違するパイピング布８１を用いて装飾的効果を増大させることもできる。
【００７７】
特に、本実施の形態１において、左前布１０Ｌ、右前布１０Ｒ及び背布２０の袖下から脇線へと連続するシルエットラインのコーナ部分が曲線状に形成され、角を持たないから、パイピング処理等によって端部を処理する場合でもパイピング布８１の切込み、重ねを必要とすることなく縫製が容易である。そして、端部を処理するパイピング布８１の重ねによる段差を必要とすることなくパイピング布８１の包み込みが可能であり、身体への当たりが少ない端部の処理が可能である。また、袖下及びそれに連続する脇線のカーブに角が存在しないことで、集中的な負荷が少ないからパイピング布８１が薄くても、或いは、補強しなくても裂け難く、耐久性が高い。しかし、本発明を実施する場合には、端部の処理は、見返し縫い等の手法を用いてもよい。見返し縫いであれば、切込みによって脇線接続部のカーブ形状でも、引きつりや寄りのない仕上がりを可能とし、身体への当たりが少ない端部の処理が可能である。接続部を取付ける部位の補強にも有効である。パイピング布８１との併用としてもよい。
【００７８】
なお、幅の広い襟芯を入れて和装でいう衿を縫製することも可能であるが、図２乃至図６において、襟元をパイピング布８１でまとめたのみであると、着衣した人が寝具の上に寝ころんでいるときに、襟元が引張られ難く、皮膚への刺激、違和感も少ない。
【００７９】
こうして、本実施の形態１の介護用着衣としての介護用寝巻１は、左後袖ＢＬ及び右後袖ＢＲ及び後身頃Ｂが一体に裁断されてなる背布２０に対して、左前袖ＦＬ及び上前身頃ＵＦが一体に裁断されてなる左前布１０Ｌと、右前袖ＦＲ及び下前身頃ＤＦが一体に裁断されてなる右前布１０Ｒとが縫製されて袖山・肩山４１Ｌ，４１Ｒを形成し、袖山・肩山４１Ｌで背布２０と左前布１０Ｌとが縫製されてなる右縫製部４０Ｒ、及び、袖山・肩山４１ＲＬと対称的な位置の袖山・肩山４１Ｒで背布２０と右前布１０Ｒとが縫製されてなる左縫製部４０Ｌからなる縫製部４０を有する。
【００８０】
そして、左前袖ＦＬの袖下６１Ｌ及び上前身頃ＵＦの脇線６３Ｌと、左後袖ＢＬの袖下６２Ｌ及び後身頃Ｂの脇線６４Ｌとの左接続部５０Ｌを接続具としての接着布３１及び紐３２で接続し、また、それらの接続を解除できるようになっている。同様に、右前袖ＦＲの袖下６１Ｒ及び下前身頃ＤＦの脇線６３Ｒと、右後袖ＢＲの袖下６２Ｒ及び後身頃Ｂの脇線６４Ｒも、接続具としての接着布３１及び紐３２で接続し、また、それらの接続を解除できるようになっている。
【００８１】
したがって、左袖の袖下６１Ｌ，６２Ｌ及びそれに連続する上前身頃ＵＦと後身頃Ｂの脇線６３Ｌ,６４Ｌは、接続具としての接着布３１、紐３２によって、左接続部５０Ｌで開閉自在である。
つまり、袖山・肩山４１Ｌで繋がっている左前袖ＦＬと左後袖ＢＬは、それらの袖下６１Ｌ，６２Ｌで、袖側の左接続部５０Ｌを接続具としての接着布３１で接合すると筒状に接続され、接着布３１の接合を解くことで、袖下６１Ｌ，６２Ｌで左前袖ＦＬと左後袖ＢＬが分かれて逆Ｕ字状に下端が開放される。
また、左前袖ＦＬに連続する上前身頃ＵＦと左後袖ＢＬに連続する後身頃Ｂも、それらの脇線６３Ｌ，６４Ｌで、身頃側の左接続部５０Ｌを接続具としての接着布３１、紐３２で接続され、接着布３１、紐３２の接続を解くことで、脇線６３Ｌ，６４Ｌで上前身頃ＵＦと後身頃Ｂが分かれて身頃の左側端部が開放される。
【００８２】
同様に、右袖の袖下６１Ｒ，６２Ｒ及びそれに連続する下前身頃ＤＦと後身頃Ｂの脇線６３Ｒ,６４Ｒについても、接続具としての接着布３１、紐３２によって、右接続部５０Ｒで開閉自在である。
つまり、袖山・肩山４１Ｒで繋がっている右前袖ＦＲと右後袖ＢＲは、それらの袖下６１Ｒ，６２Ｒで、袖側の右接続部５０Ｒを接続具としての接着布３１で接合すると筒状に接続され、接着布３１の接合を解くことで、袖下６１Ｒ，６２Ｒで右前袖ＦＲと右後袖ＢＲが分かれて逆Ｕ字状に下端が開放される。
また、右前袖ＦＲに連続する下前身頃ＤＦと右後袖ＢＲに連続する後身頃Ｂも、それらの脇線６３Ｒ，６４Ｒで、身頃側の右接続部５０Ｒを接続具としての接着布３１、紐３２で接続され、接着布３１、紐３２の接続を解くことで、脇線６３Ｒ，６４Ｒで下前身頃ＤＦと後身頃Ｂが分かれて身頃の右側端部が開放される。
【００８３】
そして、本実施の形態１の介護用寝巻１は、左前袖ＦＬ及び上前身頃ＵＦを一体に裁断してなる左前布１０Ｌが袖山・肩山４１Ｌで縫製により背布２０に繋がれ、一方で、右前袖ＦＲ及び下前身頃ＤＦを一体に裁断してなる右前布１０Ｒも袖山・肩山４１Ｒで縫製により背布２０に繋がれ、着衣する人の前側で下前身頃ＤＦに上前身頃ＵＦが重ねられて、紐７２Ａと紐３２Ａの接続により着用され、脱衣時は紐７２Ａと紐３２Ａの接続を解くことにより着衣する人の前側で下前身頃ＤＦと上前身頃ＵＦが離れて開かれる前開きである。勿論、男女のどちらにも共用である。
【００８４】
次に、本実施の形態１の介護用寝巻１の使用について、図２乃至図６を用いて説明する。
本実施の形態１の介護用寝巻１は、通常の寝巻と同様、折り畳んで移動される。なお、ここで説明する着脱手順は一例であり、被介護者の状態、身体の自由がどれだけ利くかによっても違いがあり、介護者の慣れ、やり易さ等でも違いがでることがある。
【００８５】
被介護者が着用する場合は、例えば、寝具の上に、介護用寝巻１を拡げ、左の袖下６１Ｌ，６２Ｌ側及び脇線６３Ｌ，６４Ｌ側から、左前布１０Ｌと背布２０の間を開いて離す。また、右の袖下６１Ｒ，６２Ｒ側及び脇線６３Ｒ，６４Ｒ側から、右前布１０Ｒと背布２０の間を開いて離す。左の袖下６１Ｌ，６２Ｌ及びそれに連続する脇線６３Ｌ，６４Ｌが接着布３１，紐３２で接続されている場合には、袖下６１Ｌ，６２Ｌ及びそれに連続する脇線６３Ｌ，６４Ｌを接着布３１，紐３２で接続した左接続部５０Ｌの接続を解き、左前布１０Ｌと背布２０を離す。同様に、右の袖下６１Ｒ，６２Ｒ及びそれに連続する脇線６３Ｒ，６４Ｒを接着布３１，紐３２で接続した右接続部５０Ｒの接続を解き、右前布１０Ｒと背布２０を離す。
そして、図４及び図５で示すように、裾側から袖口６５側までの袖下６１Ｌ，６２Ｌ，６１Ｒ，６２Ｒ側及び脇線６３Ｌ，６４Ｌ、６３Ｒ，６４Ｒ側で背布２０から離した左前布１０Ｌ及び右前布１０Ｒを袖山・肩山４１Ｒ，４１Ｌよりも上に挙げる。
【００８６】
なお、実際の介護の現場では、図６に示すように、袖下６１Ｌ，６２Ｌ，６１Ｒ，６２Ｒ側及び脇線６３Ｌ，６４Ｌ、６３Ｒ，６４Ｒ側から背布２０と分離した左前布１０Ｌ及び右前布１０Ｒを袖山・肩山４１Ｒ，４１Ｌよりも上に挙げ、それを折り畳み、左前布１０Ｌからなる左折り畳み部Ｌ１０及び右前布１０Ｒからなる右折り畳み部Ｒ１０を形成し、場所をとらない仕様とされる。即ち、左前布１０Ｌ及び右前布１０Ｒを折り畳み袖山・肩山４１Ｒ，４１Ｌ側に置いておく。勿論、巻き込んで形成してもよい。
【００８７】
こうして、上前身頃ＵＦの裾から左前袖ＦＬの袖口６５まで連続して左接続部５０Ｌを開くことができ、左前布１０Ｌを上に拡げることができる。また、下前身頃ＤＦの裾から右前袖ＦＲの袖口６５まで連続して右接続部５０Ｒを開くことができ、右前布１０Ｒを上に拡げることができる。背布２０は何れからも引張られないから展開した状態を維持できる。
【００８８】
そこで、背布２０の上に被介護者を平面視で十の字になるように寝かせる。被介護者を寝かせた状態で、背布２０と袖山・肩山４１Ｒ，４１Ｌで繋がれており上に挙げていた左前布１０Ｌ及び右前布１０Ｒをそれぞれ下ろし、左前布１０Ｌの左前袖ＦＬを被介護者の左腕に被せ、また、左前布１０Ｌの上前身頃ＵＦを被介護者の身体の左前側に被せ、着せ掛ける。同様に、右前布１０Ｒの右前袖ＦＲを被介護者の右腕に被せ、また、右前布１０Ｒの下前身頃ＤＦを被介護者の身体の右前側に被せ、着せ掛ける。
【００８９】
即ち、左前袖ＦＬと左後袖ＢＬが袖下６１Ｌ，６２Ｌで分かれて逆Ｕ字状に開くから、その間に被介護者の左腕を入れ、そして、左前布１０Ｌの上前身頃ＵＦを被介護者の身体の左前側に被せて着せ掛ける。右前袖ＦＲと右後袖ＢＲが袖下６１Ｒ，６２Ｒで分かれて逆Ｕ字状に開くから、その間に被介護者の右腕を入れ、そして、右前布１０Ｒの下前身頃ＤＦを被介護者の身体の右前側に被せて着せ掛ける。
【００９０】
そして、この状態で、左前袖ＦＬの袖下６１Ｌ及び上前身頃ＵＦの脇線６３Ｌと、左後袖ＢＬの袖下６２Ｌ及び後身頃Ｂの脇線６４Ｌを接着布３１、紐３２で接続し、左接続部５０Ｌの接着布３１、紐３２の接続具を接続状態とする。
同様に、右前袖ＦＲの袖下６１Ｒ及び下前身頃ＤＦの脇線６３Ｒと、右後袖ＢＲの袖下６２Ｒ及び後身頃Ｂの脇線６４Ｒを接着布３１、紐３２で接続し、右接続部５０Ｒの接着布３１、紐３２の接続具を接続状態とする。
接続具は、先に紐３２の接続により概略の身だしなみを整え、次いで接着布３１の接続をすることにより、被介護者の体型に沿って着衣を整え易く、皺が入り難く着崩れし難い着衣の整えが容易となる。
【００９１】
喩え、このときカテーテル等の医療用チューブや心電図の電極へと繋がる線が何本か身体に入っていても、チューブや線が通過する部位の前後の接着布３１，紐３２を固定接続し、左接続部５０Ｌ及び右接続部５０Ｒの他の接着布３１，紐３２を接続状態とし、左前布１０Ｌ及び右前布１０Ｒと背布２０とを脇線及び袖下で一体に接続できる。つまり、脇線及び袖下側で列状に配設する接着布３１，紐３２間の開放区間５３でチューブや線を通過させることができるから、チューブ等が寝巻１の中で絡まったり引っ掛かったりする恐れがなく、チューブ等を無理に曲げる必要なく寝巻１の外に出すことができる。チューブの絡まり等による違和感、不快感を与える恐れもない。このとき、チューブ等の位置によっては所定の接着布３１，紐３２を固定動作しないこともできる。
【００９２】
そして、上前身頃ＵＦと下前身頃ＤＦを前合わせし、紐３２Ａと紐７２Ａの結びによって、上前身頃ＵＦと下前身頃ＤＦが開かれるのを防止する。被介護者の体のラインに合わせた接着布３１，紐３２の接続を確認し、再度、医療用チューブの通過位置を確認し、寝巻１全体の着せ掛けを完了する。この後、被介護者が好みの体形で寝ればよい。
【００９３】
特に、本実施の形態１の介護用着衣１によれば、縫製部４０で左前布１０Ｌ及び右前布１０Ｒと背布２０が縫製されて繋がれているから、被介護者の位置決め及び着衣の位置決めが簡単であり、両手が不都合な被介護者であっても、自分が着衣を身につけるのに協力できるという満足感が得られる。そして、接着布３１、紐３２等による接続具を用いれば必要な密度で固定できる。また、左接続部５０Ｌまたは右接続部５０Ｒの接続具を二人で留める場合でも、相手方の接続具の数をカウントする必要がない。
【００９４】
なお、背布２０の上に被介護者を寝かせた状態とするのに、被介護者の左側または右側から着衣の寝巻１を被介護者の身体の下側に潜らせ寝具の上を摺動させることによって、被介護者を背布２０の後身頃Ｂの上に配置させることができる。したがって、仰向けに寝た姿勢の状態のままで、自然体で着衣を着せることができる。
【００９５】
また、着衣を脱ぐ場合には、紐３２Ａと紐７２Ａの結びを解き、そして、左接続部５０Ｌ及び右接続部５０Ｒの接着布３１、紐３２の接続具を外し、上前身頃ＵＦの下方（裾側）から折り畳み、上前身頃ＵＦを左前袖ＦＬとまとめて（折り畳んで）、また、下前身頃ＤＦの下方（裾側）から折り畳み、下前身頃ＤＦを右前袖ＦＲとまとめて（折り畳んで）、被介護者の体を若干浮き上げ着衣を下方向で抜き取る。このとき、背面の合わせ目が少ないから寝具との接触抵抗も少ない。したがって、大きな力を出さなくても、被介護者の体を横に向けなくて被介護者下から容易に着衣を抜き取ることができる。
【００９６】
被介護者の容態や介護者等によっては介護者が被介護者の寝巻１の着脱を行う手順について、上述の態様に限定されない。例えば、寝具の上に介護者を寝かせたままで介護者の左側から着替えを行う場合、着用している寝巻１の紐３２Ａと紐７２Ａの結びを解いて、前身頃側を開放し、また、左接続部５０Ｌの接着布３１，紐３２の接続を解いて、左前布１０Ｌ及び背布２０の左側を脱がせる。そして、着替えを行う清潔な寝巻１について、左接続部５０Ｌの接着布３１，紐３２の接続を解いて開放状態とした左前布１０Ｌと背布２０の左側を介護者の左側に配置し、左前布１０Ｌを背布２０の上に挙げておき、背布２０の左後袖ＢＬを被介護者の左腕の下に潜らせて寝具の上を摺動させることで被介護者の左腕の後側に左後袖ＢＬがくるように配置するようにする。
【００９７】
この状態で、背布２０と袖山・肩山４１Ｒ，４１Ｌで繋がれており上に挙げていた左前布１０Ｌを下ろし、左前布１０Ｌの左前袖ＦＬを被介護者の左腕に被せ、そして、左前袖ＦＬの袖下６１Ｌ及び上前身頃ＵＦの脇線６３Ｌと、左後袖ＢＬの袖下６２Ｌ及び後身頃Ｂの脇線６４Ｌを接着布３１、紐３２で接続し、左接続部５０Ｌの接着布３１、紐３２の接続具を接続状態とする。
【００９８】
次に、被介護者を右側に横向きにし、左側で脱いだ寝巻１を介護者側の背中側に押し込むようにする。このとき、新しく左側から着せた左前布１０Ｌの上前身頃ＵＦを被介護者の身体の左前側に被せ、寝巻１の背布２０側を被介護者の背面側に着せ掛ける。また、新しく着せる寝巻１の右側は、右接続部５０Ｒの接着布３１，紐３２を接続状態としておく。そして、今度は、被介護者を反対側（左側）に横向きにし、右側を脱がせる方の寝巻１の右接続部５０Ｌの接着布３１，紐３２の接続を解いて、右前布１０Ｒ及び背布２０の右側を脱がせ、被介護者の右側から抜き取る。更に、新しく着せる寝巻１の接続状態にある右接続部５０Ｒの接着布３１，紐３２の接続を解いて右前布１０Ｒを開放し、逆Ｕ字状に開かれた右前袖ＦＲと右後袖ＢＲとの間に右腕をいれ、そして、右前布１０Ｒの下前身頃ＤＦを被介護者の身体の右前側に被せ、着せ掛ける。そして、被介護者を仰向けにし、上前身頃ＵＦと下前身頃ＤＦを前合わせし、紐３２Ａと紐７２Ａを結ぶ。被介護者の体のラインに合わせた接着布３１，紐３２の接続を確認し、再度、医療用チューブの通過位置を確認し、寝巻１全体の着せ掛けを完了する。
なお、着脱の順序は左と右が逆であってもよい。
【００９９】
こうして、本実施の形態１の介護用寝巻１によれば、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、また、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、左前布１０Ｌ及び右前布１０Ｒと背布２０とを分離できるため、身体が不自由な人、寝たきりの人であっても、特に、腕の自由が利かない人、上体の安静が必要な人であっても、腕を袖に通す動作をすることなく、腕を包むように左前袖ＦＬ及び左後袖ＢＬ、右前袖ＦＲ及び右後袖ＢＲを被せることができる。そして、袖下６１Ｌ，６２Ｌ、６１Ｒ，６２Ｒで接続することで、腕を殆ど動かさなくても腕に袖部分を着せ、更に、脇下６３Ｌ，６４Ｌ、６３Ｒ，６４Ｒで接続して胴体部分に身頃部分を着せることができる。よって、被介護者に無理な体勢、負担を強いることなく、また、介護者の負担も少なく、容易に着せることができる。
【０１００】
また、着衣を脱ぐ際、袖から腕を引き抜く動作をしなくとも、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、また、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、左前布１０Ｌ及び右前布１０Ｒと背布２０とを分離して脱がせることができる。よって、被介護者に無理な体勢、負担を強いることなく、また、介護者の負担も少なく、容易に脱がせることができる。
【０１０１】
そして、左接続部５０Ｌ及び右接続部５０Ｒの接着布３１，紐３２の配置間隔によって必要な密度で左前布１０Ｌ及び右前布１０Ｒと背布２０とを固定できる。カテーテル等が挿管された状態の患者であっても、カテーテル等の挿管位置に拘わらず、接着布３１，紐３２の間隔の開放区間５３でカテーテル等を引き出すことができるから、着衣を容易に着脱できる。このように、カテーテル等の医療用チューブが何本身体に入っていても、この介護用着衣１を着るのに接着布３１，紐３２の間隔が広く、支障になるものがないため、手術等の患者に対しても、挿管状態を維持しつつ、着衣を素早く着せることができる。よって、肌の露出を少なくして肌寒さを解消できる。また、患者が快適な状態で治療を受けることができる。勿論、接着布３１，紐３２の所定の位置の接続を解除して、そこでカテーテル等を通過させてもよい。更に、接着布３１，紐３２の所定の位置の接続を解除するのみで、身体の所望の部位を露出できるから、容易に治療、処置、必要な介護等を受けることもできる。特に、接着布３１、紐３２、スナップボタン３３、ボタン３４ｂとボタン穴篝３４ａ等の接続具であれば、所定間隔の配置によって所望の位置のみ開放区間５３とし、身体の所望の部位のみの露出を可能とする。したがって、肌を必要以上に露出することの抵抗感を少なくでき、患者の身体が冷えるのを防止できる。
【０１０２】
このように、本実施の形態１の介護用寝巻１によれば、左前布１０Ｌ、右前布１０Ｒ、及び背布２０の裾側から袖口６５側まで連続する袖下６１Ｌ，６２Ｌ、６１Ｒ，６２Ｒ及び脇線６３Ｌ，６４Ｌ、６３Ｒ，６４Ｒの左接続部５０Ｌ及び右接続部５０Ｒからなる脇接続部で接着布３１，紐３２によって接続自在であるから、袖に腕を通す動作や袖から腕を引き抜く動作、また、頭部側から着衣を被せる動作をしなくとも、そして、介護者が寝た姿勢の状態でも、着衣の着脱を容易にでき、被介護者及び介護者の着替えの負担を軽減できる。
したがって、寝たきりの患者、老人、左右の腕の動作が自信持てない身体障害者等の被介護者の着衣として好適に使用できる。
【０１０３】
また、本実施の形態１の介護用寝巻１は、脚の膝以下まで丈のある長着であるから、ズボン等の下衣を着脱させる手間もなく、オムツ交換等の排泄介助も容易にできる。特に、上前身頃ＵＦ及び下前身頃ＤＦの位置を固定する紐３２Ａと紐７２Ａの結びを解いて前身頃側を開かなくても左接続部５０Ｌ及び右接続部５０Ｒの接着布３１，紐３２の一部の接続を外すのみで、裾側から上前身頃ＵＦ及び下前身頃ＤＦを捲り上げて、必要以上に肌を露出させることなく、オムツ交換等の排泄介助も可能である。
更に、袖下６１Ｌ，６２Ｌ、６１Ｒ，６２Ｒの接続を外すのみで、左前袖ＦＬ及び左後袖ＢＬが分離し、また、右前袖ＦＲ及び右後袖ＢＲが分離するから、例えば、注射、検査等の際でも上腕部のみを露出させやすい。
【０１０４】
本実施の形態１の介護用寝巻１は、長着とする和装品としてそのサイズを設定でき、接着布３１、紐３２等の接続具の位置に体重がかかることがないので異物感がない。
特に、接続具としての接着布３１や紐３２は接続が容易であり、その接続も、袖下６１Ｌ，６２Ｌ、６１Ｒ，６２Ｒ及びそれに連続する脇線６３Ｌ，６４Ｌ、６３Ｒ，６４Ｒの左接続部５０Ｌ及び右接続部５０Ｒからなる脇接続部の接続であるから、被介護者の体勢や向きを変える必要なく、接続操作が容易にできる。
【０１０５】
接続具としての接着布３１、紐３２は、裾側から袖口６５側までの袖下６１Ｌ，６２Ｌ、６１Ｒ，６２Ｒ及びそれに連続する脇線６３Ｌ，６４Ｌ、６３Ｒ，６４Ｒの全長に亘る左接続部５０Ｌ及び右接続部５０Ｒにおいて所定間隔で配置できる。したがって、本実施の形態１の介護用寝巻１では、左接続部５０Ｌ及び右接続部５０Ｒにおける接着布３１，紐３２の間隔で規定される左前布１０Ｌ及び右前布１０Ｒと背布２０の非結合部位の開放区間５３を有する。よって、カテーテル等の医療用チューブが何本か身体に入っていても開放区間５３にチューブを通過させることができる。また、着衣状態で開放区間５３から被介護者等の手を入れて、介護者に処置を施すことができ便利である。更に、開放区間５３で空気の出入りを許容するから着衣の通気性も良くなる。
【０１０６】
特に、従来の和装の裁断、仕立てでは、身頃の袖付き部分に袖を付け、袖付けから袖下までの部位（着物の振り、人形に相当する部位）が存在する長着において前袖及び後袖の袖下を接続具で接続する構成では、着用する人の脇下に位置する袖下で角部の端（着物の振り、人形に相当する部位の角の端）が存在するから、その角部の端から布が捲れやすい。したがって、捲れ防止のために角部に接続具を配置する必要性が高く、着用する人の脇下の位置で接続具間の間隔配置を大きくとるのに不向きであった。即ち、着用する人の脇下の位置で接続具間の開放区間５３を大きくとることができなかった。
【０１０７】
これに対し、本実施の形態１の介護用寝巻１によれば、袖下６１Ｌ，６２Ｌ、６１Ｒ，６２Ｒから脇線６３Ｌ，６４Ｌ、６３Ｒ，６４Ｒに向かって曲線状に連続させる設計であるから、コーナに角が存在しないことで布端部の身体への当たりが少なく、また、角の端が存在しないことで布が捲れ易いこともない。よって、着衣した人の脇下に位置する部位において接着布３１，紐３２間の開放区間５３を大きくとることができで、通気性を良くできる。
【０１０８】
そして、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインを曲線状に形成して、左の袖口６５側から身頃側に向かって袖の上下幅を長くし、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインを曲線状に形成して、右の袖口６５側から身頃側に向かって袖の上下幅を長くしているから、袖口６５側は着衣した人の手の動きの邪魔となったり捲れ易くなったりしないような適当な小径で設計できるも、着衣した人の脇側では袖の上下幅が大きくて着衣した人の脇下に余裕を持たせることができる。したがって、腕の動きによっても、布の当たりが少なく、布が腕に纏わり付いたり腕を締め付けたりし難くなる。また、汗がかきやすい脇下に空気の通り道が形成され、通気性を向上させることができ、湿気による不快感、皮膚の湿気上昇による床擦れの誘発を防止できる。また、着衣状態で脇下の位置の空間が広いので、結んだ前の紐３２Ａ，７２Ａを解いて、前側で上前身頃ＵＦ及び下前身頃ＤＦを開けるのみで、脇の下の汗、汚れ等を拭き取るのも容易である。当然、洗濯をしたときでも乾きやすい。
【０１０９】
更に、本実施の形態１の介護用寝巻１では、袖から身頃にかけてのシルエットラインのコーナ部分に角が存在しないことで応力が集中しないので、コーナ部分からの引き裂けを防止でき、耐久性を高めることができる。
【０１１０】
そして、本実施の形態１の介護用寝巻１においては、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものであり、これら左前布１０Ｌ、右前布１０Ｒ及び背布２０は袖山・肩山４１Ｌ，４１Ｒでのみ縫製され、袖山・肩山４１Ｌ，４１Ｒにしか合わせ目が存在せず、着衣した人の背面側において床擦れを生じさせる原因となる合わせ目が少ない。即ち合わせ目である縫目が少ないことで体圧が分散され、肌への刺激が少ない。
【０１１１】
従来の和装の裁断、仕立てでは上下方向に長く背中心に合わせ目が存在していたことで、皺が発生し易く、また、縫代が統一せずに左右に撚れやすく、合わせ目である縫目、縫代が着衣した人の肌に対して刺激となることがあった。
これに対し、本実施の形態１の介護用寝巻１では、左後袖ＢＬ及び右後袖ＢＲと後身頃Ｂとが一体に裁断されてなる背布２０に対し、左前袖ＦＬ及び上前身頃ＵＦが一体に裁断されてなる左前布１０Ｌ、並びに、右前袖ＦＲ及び下前身頃ＤＦが一体に裁断されてなる右前布１０Ｒが袖山・肩山４１Ｌ，４１Ｒでのみ縫製され、着衣した人の背面側では左右の身頃を繋ぐ縫目も左右の袖と後身頃を縫製する縫目も存在しないから、皺も生じ難く、着衣した人への肌当たりも良く、かぶれや床擦れ等の肌へ刺激を軽減できる。また、縫目、縫代に皮膚が引っ掛かることによる生地の緊張、つっぱりも生じ難い。更に、アイロンをするときでも、背中心の縫代の方向を気にすることなく、皺の発生しないアイロン仕上げが容易に可能である。
【０１１２】
特に、左前布１０Ｌ、右前布１０Ｒ及び背布２０は袖山・肩山４１Ｌ，４１Ｒで縫製されているから、左前布１０Ｌ、右前布１０Ｒ及び背布２０が完全に分解しないため、洗濯したときでも管理が容易であり、夜間等の暗闇でも、左前布１０Ｌ、右前布１０Ｒ及び背布２０の組み合わせ方を考慮することなく、袖山・肩山４１Ｌ，４１Ｒの縫代位置を手で確認すれば、表裏を確認できることで、着替えが容易である。
なお、左前布１０Ｌ、右前布１０Ｒと背布２０とを袖山・肩山４１Ｌ，４１Ｒで縫製するその縫目、縫代部分が、寝巻１の内側（身体側）でなく、外側にくるように縫製すると、肌への刺激がより少ないものとなる。
【０１１３】
そして、左前布１０Ｌ、右前布１０Ｒ及び背布２０は袖山・肩山４１Ｌ，４１Ｒで縫製されていることで、外形のラインを整え易く、着崩れによる皺の発生を防止でき、位置決めも容易である。また、袖山・肩山４１Ｌ，４１Ｒの強度を確保できる。特に、袖山・肩山４１Ｌ，４１の強度を確保できることで、袖口６５側から引っ張られた時でも、破れ難く、耐久性が高い。即ち、介護の現場では、同じ体勢で長時間寝たきりの状態にある被介護者等に対し、床擦れの予防として、被介護者の体の向きを変えた際や被介護者の着替えを行った際に、介護者が被介護者の着衣にできた皺をのばす（なくす）ことが頻繁に行われる。このとき、例えば、背中の肩側の着衣の皺をのばす際には、着衣の袖口６５側から引っ張ることから、肩山と襟の境界付近に負担が掛かり易い。しかし、本実施の形態１の介護用寝巻１では、左前布１０Ｌ、右前布１０Ｒ及び背布２０は袖山・肩山４１Ｌ，４１Ｒで縫製された縫製部４０を有することで、縫製による強度を高めることができ、肩山と襟の境界付近からの裂けを防止し、耐久性を高めることができる。
【０１１４】
このように、本実施の形態１の介護用着衣としての介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦが一体に裁断されてなる右前布１０Ｒと、左前布１０Ｌ及び右前布１０Ｒの反対側に配置され、対称的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製して、左右の袖山・肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接着布３１，紐３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接着布３１，紐３２で接続自在とした右接続部５０Ｒからなる脇接続部とを具備し、左接続部５０Ｌ及び右接続部５０Ｒからなる脇接続部は、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの接続によって筒状に接続される左袖の筒径が袖口６５側から上前身頃ＵＦ及び後身頃Ｂ側へ向かって拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの接続によって筒状に接続される右袖の筒径が袖口６５側から下前身頃ＤＦ及び後身頃Ｂ側へ向かって拡径している。
【０１１５】
本実施の形態１の介護用着衣としての介護用寝巻１によれば、左前袖ＦＬ及び上前身頃ＵＦが一体に裁断されてなる左前布１０Ｌの上辺、並びに、右前袖ＦＲ及び下前身頃ＤＦが一体に裁断されてなる右前布１０Ｒの上辺と、左後袖ＢＬ及び右後袖ＢＲと後身頃Ｂとが一体に裁断されてなる背布２０の上辺とが縫製部４０によって袖山・肩山４１Ｌ，４２Ｌで縫製されて繋がれているが、左接続部５０Ｌによって左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとが接着布３１，紐３２で接続自在とされ、また、右接続部５０Ｒによって右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとが接着布３１，紐３２で接続自在とされている。
【０１１６】
したがって、本実施の形態１の介護用寝巻１によれば、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接着布３１，紐３２で接続されてなる左接続部５０Ｌの接続を解くと、左の袖下６１Ｌ，６２Ｌ及びそれに連続する後身頃Ｂの脇線６３Ｌ，６４Ｌで、背布２０と左前布１０Ｌとを分離して開放できる。また、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを接着布３１，紐３２で接続されてなる右接続部５０Ｒの接続を解くと、右の袖下６１Ｒ，６２Ｒ及びそれに連続する後身頃Ｂの脇線６３Ｒ，６４Ｒで、背布２０と右前布１０Ｒとを分離して開放できる。よって、背布２０の上（内面側）に介護者を配置し、その配置した介護者に右前布１０Ｒを着せ掛け、また、左前布１０Ｌを着せ掛け、脇線接続部を形成する左接続部５０Ｌ及び右接続部５０Ｒのそれぞれの接着布３１，紐３２で袖下６１Ｌ，６２Ｌ、６１Ｒ，６２Ｒ及び脇線６３Ｌ，６４Ｌ、６３Ｒ，６４Ｒを接続することで、袖に腕を通す動作を行うことなく、被介護者に自然体で着衣を着せることができる。また、脇線接続部を形成する左接続部５０Ｌ及び右接続部５０Ｒのそれぞれの接着布３１，紐３２の接続を解くと、背布２０と左前布１０Ｌ及び右前布１０Ｒとを開放できるから、袖から腕を引き抜く動作を行うことなく、着衣を脱がせることができる。
このため、腕の自由がきかない患者であっても、着衣及び脱衣の負担が少なく、容易に着替えを行うことができる。
【０１１７】
特に、本実施の形態１の介護用寝巻１によれば、左前布１０Ｌが左前袖ＦＬ及び上前身頃ＵＦを一体に裁断してなるものであり、また、右前布１０Ｒが右前袖ＦＲ及び下前身頃ＤＦを一体に裁断してなるものであり、更に、背布２０が左後袖ＢＬ及び右後袖ＢＲと後身頃Ｂとを一体に裁断してなるものであり、これら左前布１０Ｌ、右前布１０Ｒ及び背布２０は袖山・肩山４１Ｌ，４１Ｒでのみ縫製され、袖山・肩山４１Ｌ，４１Ｒにしか合わせ目である縫目が存在せず、着衣した人の背面側において床擦れを生じさせる原因となる合わせ目が少ない。よって、肌への刺激を少なくできる。
【０１１８】
更に、脇線接続部を形成する左接続部５０Ｌ及び右接続部５０Ｒでは、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインを曲線状に形成し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインを曲線状に形成し、各左右で袖口６５側から身頃側に向かって袖の上下幅を径大としたことから、袖口６５は着衣した人の手の動きの邪魔となったり捲れ易くなったりしないような適当な径で設計できるも、身頃側に向かって袖の上下幅を大きくして余裕を持たせ、また、コーナの角をなくして、着衣した人の脇下の位置で布の身体への当たりを少なくできる。即ち、腕の動きによっても着衣した人の左右の脇下の位置で布が身体に当たり難い。
【０１１９】
加えて、コーナのシルエットラインを曲線状に形成し、腕が入る袖の筒径を袖口６５側から身頃側に向かって径大とし、汗がかきやすい脇下に余裕を持たせて、そこに空気の通り道が形成されるから、通気性を向上させることができ、湿気による不快感、床擦れの誘発を防止できる。
特に、コーナのシルエットラインを曲線状に形成しており角の端が存在しないことで布が捲れ易いこともないから、着用した人の脇下に位置する部位において接着布３１，紐３２の開放区間５３を大きくとることができ、通気を良くできる。更に、コーナのシルエットラインを曲線状に形成して角が存在しないことで集中的な負荷（応力集中）が少ないからコーナが裂け難い。即ち、介護者が床擦れ予防のために袖口６５側から着衣を引張り、着衣の皺をのばすことが繰り返し行われる場合でも、袖から身頃に移行する（切替る）コーナ部分が裂け難く、耐久性が高い。加えて、角を持たないことでパイピング処理等によって端部を処理する場合でもパイピング布８１の切込み、重ねを必要とすることなく縫製が容易である。そして、パイピング処理等で端部を処理する際でも、パイピング布８１の重ねによる段差を設けることなく処理できるから、身体への当たりを少なくできる。
【０１２０】
こうして、本実施の形態１の介護用寝巻１によれば、肌への刺激が少なく、また、脇下の位置の通気性を向上できるから、着用時の快適性を向上させることができる。
【０１２１】
ところで、上記実施の形態１では、左前袖ＦＬ及び上前身頃ＵＦが一体に裁断されてなる左前布１０Ｌ、右前袖ＦＲ及び下前身頃ＤＦが一体に裁断されてなる右前布１０Ｒ、並びに、左後袖ＢＬ及び右後袖ＢＲと後身頃Ｂとが一体に裁断されてなる背布２０は、左前布１０Ｌの上辺及び右前布１０Ｒの上辺が背布２０の上辺で縫製されて左右の袖山・肩山４１Ｌ，４１Ｒを形成する縫製部４０とする説明をしたが、本発明を実施する場合には、左前布１０Ｌ、右前布１０Ｒ及び背布２０は、１枚或いは２枚以上を重ねた１単位の布から一体に裁断されてなるものとすることもできる。
【０１２２】
即ち、左前袖ＦＬ及び上前身頃ＵＦが一体に裁断されてなる左前布１０Ｌと、左前布１０Ｌと対称的に配置され、右前袖ＦＲ及び下前身頃ＤＦが一体に裁断されてなる右前布１０Ｒと、左前布１０Ｌ及び右前布１０Ｒの反対側に配置され、対称的な配置の左後袖ＢＬ及び右後袖ＢＲと後身頃Ｂとが一体に裁断されてなる背布２０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接着布３１，紐３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接着布３１，紐３２で接続自在とした右接続部５０Ｒからなる脇接続部とを具備し、左前布１０Ｌ、右前布１０Ｒ及び背布２０は、一体に裁断されてなるものであり、左接続部５０Ｌ及び右接続部５０Ｒからなる脇接続部は、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの接続によって筒状に接続される左袖の筒径が袖口６５側から上前身頃ＵＦ及び後身頃Ｂ側へ向かって拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの接続によって筒状に接続される右袖の筒径が袖口６５側から下前身頃ＤＦ及び後身頃Ｂ側へ向かって拡径している介護用着衣の寝巻１とすることもできる。
【０１２３】
このように、左前布１０Ｌ、右前布１０Ｒ及び背布２０が一体に裁断されてなる介護用着衣の寝巻１では、１枚或いは２枚以上を重ねた１単位の布から左前布１０Ｌ、右前布１０Ｒ及び背布２０が一体に連続的に継目（縫目）のない状態で形成されるから、袖山・肩山４１Ｌ，４１Ｒに縫目（合わせ目）が存在しないものとなる。勿論、左前袖ＦＬと上前身頃ＵＦの間に縫目も存在せず、また、右前袖ＦＲ及び下前身頃ＤＦの間に縫目は存在せず、更に、左後袖ＢＬ及び右後袖ＢＲと後身頃Ｂとの間にも縫目が存在しない。これら左前布１０Ｌ、右前布１０Ｒ及び背布２０の間で接ぎ合わせた縫目が存在しないから、着衣した人に対して床擦れを生じさせる原因となる合わせ目が少なく、体圧が分散され、肌への刺激がより少ないものとなる。また、袖山・肩山４１Ｌ，４１Ｒで縫製しないから、製造も容易である。
なお、着衣した人の前側に位置する左前布１０Ｌと着衣した人の後側に位置する背布２０の切替部分（折目部分）の山が袖山・肩山４１Ｌに相当し、また、着衣した人の前側に位置する右前布１０Ｒと着衣した人の後側に位置する背布２０の切替部分（折目部分）の山が袖山・肩山４１Ｒに相当する。
【０１２４】
更に、上記実施の形態１では、右腕及び左腕の不自由な被介護者、或いは手足の不自由な被介護者を前提に説明したが、右腕または左腕が不自由な人の場合には、次の変形例とすることもできる。
本実施の形態１に係る変形例１を図１０に示す。変形例１に係る介護用寝巻１は、左腕のみが不自由な被介護者の介護用着衣として、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接着布３１，紐３２で接続自在とした左接続部５０Ｌはそのままで、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを接続する右接続部５０Ｒを縫製によって接続したものである。
【０１２５】
即ち、変形例１の脇接続部の構成は、背布２０の左後袖ＢＬの袖下６２Ｌ及びそれに連続する後身頃Ｂの脇線６４Ｌとを接着布３１，紐３２で接続自在とした左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを縫製した右接続部５０Ｒとしての右縫製部１５０Ｒからなる。
【０１２６】
このように変形例１では、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを縫製してなる右縫製部１５０Ｒは、通常の形態の縫製として縫付けている。したがって、左腕のみが不自由で右腕が健常な人の介護用着衣として、健常な右腕は、袖下が縫製されている右前袖ＦＲ及び右後袖ＢＲからなる右袖の筒に通し、右半身は通常のように着せ掛けることができる。つまり、右腕の一方のみの腕を健常者と同等に対応できる。
【０１２７】
右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒとを縫製してなる右縫製部１５０Ｒであっても、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の上下幅が拡径しているから、寝た状態の姿勢のままでも右袖に腕を通しやすい。
【０１２８】
一方、不自由な左腕側は、左接続部５０Ｌの袖下６１Ｌ，６２Ｌ及びそれに連続する脇線６３Ｌ，６４Ｌの接着布３１，紐３２を解除すると、袖下６１Ｌ，６２Ｌで左前袖ＦＬ及左後袖ＢＬに分かれ逆Ｕ字状に開くからその間に左腕を入れて、袖下６１Ｌ，６２Ｌ及びそれに連続する脇線６３Ｌ，６４Ｌの左接続部５０Ｌの接着布３１，紐３２を接続状態とすることで、着せることができる。健常な右腕側の手を使用して着る場合でも容易にできる。
【０１２９】
着衣を脱ぐ際でも、健常な右腕は通常と同様に袖から腕を引き抜くことで、脱ぐことができる。特に、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の上下幅が拡径しているから、袖から手を引き出すのも容易であり、例えば、注射、検査等の際でも肩及び上腕部のみを露出させやすい。
【０１３０】
一方、不自由な左腕側は、袖から腕を引き抜く動作をしなくとも、左前布１０Ｌ及び背布２０の裾側から袖口６５側まで連続する袖下６１Ｌ，６２Ｌ及び脇線６３Ｌ，６４Ｌの左接続部５０Ｌの接続を解くことで、左前布１０Ｌと背布２０とを分離して脱がせることができる。なお、変形例１に係る介護用着衣の寝巻１においても、上前身頃ＵＦと下前身頃ＤＦを前合わせし、上前身頃ＵＦと下前身頃ＤＦの脇線６３Ｌ，６４Ｌ、６３Ｒ，６４Ｒに設けた紐３２Ａと反対側の端部に設けた紐７２Ａの結びによって、上前身頃ＵＦと下前身頃ＤＦが開かれるのを防止できる。
したがって、左腕が不都合な人であっても、自分が着衣を身に付けるのに協力できるという満足感が得られる。
なお、着衣する場合、脱衣する場合には、不自由な手を先に通したり、後に通したりでき、また、身体の自由がどれだけ利くかによっても着脱の手順に違いがでる。
【０１３１】
このように変形例１に係る介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦとが一体に裁断されてなる右前布１０Ｒと、左前布１０Ｌ及び右前布１０Ｒの反対側に配置され、対称的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製してなり、左右の袖山・肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒとしての右縫製部１５０Ｒからなり、右接続部５０Ｒとしての右縫製部１５０Ｒが縫製によって接続され、左接続部５０Ｌが接着布３１，紐３２で接続自在とされた脇接続部とを具備し、脇接続部は左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の筒径（上下幅）が拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の筒径が拡径している。
【０１３２】
変形例１においても、被介護者が仰向けに寝た姿勢の状態のままで、被介護者の左または右側から着衣の寝巻１を被介護者の身体の下側に潜らせて身体の上を摺動させ、背布２０の上に被介護者が配置するようにし、右縫製部１５０Ｒで縫製された右前袖ＦＲ及び右後袖ＢＲからなる右袖に右腕を通し、下前身頃ＤＦを身体に着せ掛け、また、左前袖ＦＬを左腕に被せ、上前身頃ＵＦを身体に着せ掛ける。更に、左接続部５０Ｌを接着布３１，紐３２で接続する。その後、紐３２Ａ，７２Ａを結んで前を閉じる。
したがって、被介護者が仰向けに寝ころべば、自然体で着衣を着せることができる。
【０１３３】
更に、この種の変形例２を図１１に示す。変形例２に係る介護用寝巻１は、右腕のみが不自由な被介護者の介護用着衣として、右前布１０Ｒの右前袖ＦＲの袖下６１Ｒ及びそれに連続する下前身頃ＤＦの脇線６３Ｒと、背布２０の右後袖ＢＲの袖下６２Ｒ及びそれに連続する後身頃Ｂの脇線６４Ｒを接着布３１，紐３２で接続自在とした右接続部５０Ｒはそのままで、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左縫製部１５０Ｌを縫製によって接続したものである。
【０１３４】
即ち、変形例２の脇接続部の構成は、背布２０の左後袖ＢＬの袖下６２Ｌ及びそれに連続する後身頃Ｂの脇線６４Ｌとを縫製した左接続部５０Ｌとして左縫製部１５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接着布３１，紐３２で接続自在とした右接続部５０Ｒからなる。
【０１３５】
このように変形例２では、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを縫製してなる左縫製部１５０Ｌは、通常の形態の縫製として縫付けている。したがって、右腕のみが不自由で左腕が健常な人の介護用着衣として、健常な左腕は、袖下が縫製されている左前袖ＦＬ及び左後袖ＢＬからなる左袖の筒に通し、左半身は通常のように着せ掛けることができる。つまり、左腕の一方のみの腕を健常者と同等に対応できる。
【０１３６】
左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを縫製してなる左縫製部１５０Ｌであっても、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦＦ及び後身頃Ｂ側へ向かって袖の上下幅が拡径しているから、寝た状態の姿勢のままでも左袖に腕を通しやすい。
【０１３７】
一方、不自由な右腕側は、右接続部５０Ｒの袖下６１Ｒ，６２Ｒ及びそれに連続する脇線６３Ｒ，６４Ｒの接着布３１，紐３２を解除すると、袖下６１Ｒ，６２Ｒで右前袖ＦＲ及右後袖ＢＲに分かれ逆Ｕ字状に開くからその間に右腕を入れて、袖下６１Ｒ，６２Ｒ及びそれに連続する脇線６３Ｒ，６４Ｒの右接続部５０Ｒの接着布３１，紐３２を接続状態とすることで、着せることができる。健常な左腕側の手を使用して着る場合でも容易にできる。
【０１３８】
着衣を脱ぐ際でも、健常な左腕は通常と同様に袖から腕を引き抜くことで、脱ぐことができる。特に、左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の上下幅が拡径しているから、袖から手を引き出すのも容易であり、例えば、注射、検査等の際でも肩及び上腕部のみを露出させやすい。
【０１３９】
一方、不自由な右腕側は、袖から腕を引き抜く動作をしなくとも、右前布１０Ｒ及び背布２０の裾側から袖口６５側まで連続する袖下６１Ｒ，６２Ｒ及び脇線６３Ｒ，６４Ｒの右接続部５０Ｒの接続を解くことで、右前布１０Ｒと背布２０とを分離して脱がせることができる。なお、変形例２に係る介護用着衣の寝巻１においても、上前身頃ＵＦと下前身頃ＤＦを前合わせし、上前身頃ＵＦと下前身頃ＤＦの脇線６３Ｌ，６３Ｌ、６３Ｒ，６４Ｒに設けた紐３２Ａと反対側の端部に設けた紐７２Ａの結びによって、上前身頃ＵＦと下前身頃ＤＦが開かれるのを防止できる。
したがって、右腕が不都合な人であっても、自分が着衣を身に付けるのに協力できるという満足感が得られる。
なお、着衣する場合、脱衣する場合には、不自由な手を先に通したり、後に通したりでき、また、身体の自由がどれだけ利くかによっても着脱の手順に違いがでる。
【０１４０】
このように変形例２に係る介護用寝巻１は、左前袖ＦＬ及び上前身頃ＵＦが一体に裁断されてなる左前布１０Ｌと、左前布１０Ｌと対称的に配置され、右前袖ＦＲ及び下前身頃ＤＦとが一体に裁断されてなる右前布１０Ｒと、左前布１０Ｌ及び右前布１０Ｒの反対側に配置され、対称的な配置の左後袖ＢＬ及び右後袖ＢＲと後身頃Ｂとが一体に裁断されてなる背布２０と、左前布１０Ｌの上辺及び右前布１０Ｒの上辺と背布２０の上辺とを縫製してなり、左右の袖山・肩山４１Ｌ，４１Ｒを形成する縫製部４０と、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌとしての左縫製部１５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒからなり、左接続部５０Ｌとしての左縫製部１５０Ｌが縫製によって接続され、右接続部５０Ｒが接着布３１，紐３２で接続自在とされた脇接続部とを具備し、脇接続部は左前袖ＦＬ及び左後袖ＢＬの袖下６１Ｌ，６２Ｌから上前身頃ＵＦ及び後身頃Ｂの脇線６３Ｌ，６４Ｌへと連続するコーナのシルエットラインが曲線状に形成されて、左前袖ＦＬ及び左後袖ＢＬの袖口６５側から上前身頃ＵＦ及び後身頃Ｂ側へ向かって袖の筒径（上下幅）が拡径し、また、右前袖ＦＲ及び右後袖ＢＲの袖下６１Ｒ，６２Ｒから下前身頃ＤＦ及び後身頃Ｂの脇線６３Ｒ，６４Ｒへと連続するコーナのシルエットラインが曲線状に形成されて、右前袖ＦＲ及び右後袖ＢＲの袖口６５側から下前身頃ＤＦ及び後身頃Ｂ側へ向かって袖の筒径が拡径している。
【０１４１】
変形例２においても、被介護者が仰向けに寝た姿勢の状態のままで、被介護者の左または右側から着衣の寝巻１を被介護者の身体の下側に潜らせて身体の上を摺動させ、背布２０の上に被介護者が配置するようにし、左縫製部１５０Ｌで縫製された左前袖ＦＬ及び左後袖ＢＬからなる左袖に左腕を通し、上前身頃ＵＦを身体に着せ掛け、また、右前袖ＦＲを右腕に被せ、下前身頃ＤＦを身体に着せ掛ける。更に、右接続部５０Ｒを接着布３１，紐３２で接続する。その後、紐３２Ａ，７２Ａを結んで前を閉じる。
したがって、被介護者が仰向けに寝ころべば、自然体で着衣を着せることができる。
【０１４２】
こうして上記変形例１、変形例２から、本発明を実施する場合には、脇接続部の構成は、左前布１０Ｌの左前袖ＦＬの袖下６１Ｌ及びそれに連続する上前身頃ＵＦの脇線６３Ｌと、背布２０の左後袖ＢＬの袖下６２Ｌ及びそれに連続する後身頃Ｂの脇線６４Ｌとを接続する左接続部５０Ｌ、並びに、右前布１０Ｒの右前袖ＦＲの袖下６１Ｒ及びそれに連続する下前身頃ＤＦの脇線６３Ｒと背布２０の右後袖ＢＲの袖下６２Ｒ及びそれに連続する左接続部５０Ｌとは反対側の後身頃Ｂの脇線６４Ｒとを接続する右接続部５０Ｒからなり、左接続部５０Ｌ及び右接続部５０Ｒの一方を、縫製によって接続し、他方を接着布３１，紐３２で接続自在としてもよい。
また、本発明を実施する場合には、上記変形例１、変形例２に係る介護用着衣の寝巻１においても、左前布１０Ｌ、右前布１０Ｒ及び背布２０を一体に連続的に継目（縫目）のない状態で形成してもよい。
【０１４３】
なお、被介護者が仰向けに十の字に寝ころべば、自然体で着衣を着せることを前提に説明したが、本発明を実施する場合には、被介護者が何も手にすることなく自立したり、何かに掴って自立できる場合には、立った状態で着付けることができる。この場合には、環境温度が低くても、部分的に肌を出すことができ、風呂から出た後でも、湯冷めしないで体を拭くことができる。また、お湯で体をふく場合にも他の部分が着衣しているから余り寒さを感じない。
【０１４４】
［実施の形態２］
上記実施の形態１では、通常の寝巻と同様、折り畳んで移動される旨説明したが、クリーニングした本実施の形態２の介護用着衣は、容易に折り畳みが解除されないようにすることができる。図１２及び図１３はその例である。
【０１４５】
本実施の形態２の介護用着衣の寝巻１は、背布２０の後身頃Ｂ側で左右両方の袖山・肩山４１Ｌ，４１Ｒの肩山側の両肩山または両肩山から０〜１０ｃｍ低くした位置を上辺Ｔとし、袖口６５の長さｍ（図３参照）以上の所定長さの右辺Ｖ、左辺Ｗをとり、その端部を結ぶ線を下辺Ｘとする布地１０１が縫付けられている。布地１０１は、本実施の形態２の介護用着衣が寝巻である場合には、その寝巻の柄が付いた布地が好ましく、左前布１０Ｌ、右前布１０Ｒ及び背布２０と共地でも良い。所定寸法の生地から左前布１０Ｌ、右前布１０Ｒ及び背布２０を裁断したときの余剰部で作製することもできる。勿論、パワーネット等の編目を形成した布地１０１としてもよいし、弾性のない編目でもよい。
【０１４６】
この布地１０１の上辺Ｔを背布２０の後身頃Ｂ側で左右両方の袖山・肩山４１Ｌ，４１Ｒの肩山側または肩山側から０〜１０ｃｍ低くした位置に縫い付ける。また、下辺Ｘはその右辺Ｖの下端、左辺Ｗの下端を直角三角形状に縫い付ける。右辺Ｖの下端と左辺Ｗの下端が、直角を挟む直角三角形の両辺が２〜５ｃｍ程度の距離としている。
【０１４７】
このように、本実施の形態２の介護用着衣の寝巻１は、背布２０の後身頃Ｂ側に布地１０１の上辺Ｔを縫製し、また、布地１０１の右辺Ｖの下端及び左辺Ｗの下端を背布２０の後身頃Ｂ側に縫製する。このとき布地１０１は下辺Ｘの両端が直角三角形状に縫製されており、開口は、布地１０１の右辺Ｖ、左辺Ｗ、下辺Ｘの３辺となる。
布地１０１の上辺Ｔは縫製されているから、上辺Ｔ側に布地１０１に収納した介護用着衣の寝巻１の一部が食み出すことがない。
そして、下辺Ｘの両端が直角三角形状に縫製された布地１０１は、当該縫製部分が下辺Ｘの両端に位置するから、被介護者の左右側面に位置することになる。したがって、被介護者はこれによって違和感がない。また、上辺Ｔについても同様である。
【０１４８】
したがって、例えば、図１３に示すように、左前袖ＦＬ及び左後袖ＢＬからなる左袖側、及び／または、右前袖ＦＲ及び右後袖ＢＲからなる右袖側を折り畳み、背布２０の後身頃Ｂ側と布地１０１の間に収納することができる。また、上前身頃ＵＦ側及び下前身頃ＤＦ側は、後身頃Ｂ側と共に２重または３重以上に折り畳んで下辺Ｘ側から挿入し、それを布地１０１で保持できる。
ここで、折り畳む左袖または右袖は、片方でも、両側でも収容できる。また、上前身頃ＵＦ側及び下前身頃ＤＦ及び後身頃Ｂ側を折り畳んだもののみを収納してもよい。
【０１４９】
このように、本実施の形態２の介護用着衣の寝巻１は、背布２０の前身頃ＵＦ及び下前身頃ＤＦ側とは反対側で、即ち、背布２０の後身頃Ｂ側の外面側で、布地１０１の上辺Ｔを縫製し、また、布地１０１の右辺Ｖの下端及び左辺Ｗの下端を後身頃Ｂに縫製することによって、布地１０１の右辺Ｖ、左辺Ｗ、下辺Ｘの３辺側が背布２０の後身頃Ｂ側との間で開口を有し、背布２０の後身頃Ｂ側と布地１０１の間で、左前袖ＦＬ及び左後袖ＢＬからなる左袖側や、右前袖ＦＲ及び右後袖ＢＲからなる右袖側や、上前身頃ＵＦ側及び下前身頃ＤＦ側及び後身頃Ｂ側を収納する収納部１００を形成したものである。
【０１５０】
即ち、背布２０の後身頃Ｂ側であって、上前身頃ＵＦ及び下前身頃ＤＦ側とは反対側で、左前袖ＦＬ及び左後袖ＢＬからなる左袖側や、右前袖ＦＲ及び右後袖ＢＲからなる右袖側を収納でき、また、上前身頃ＵＦ側及び下前身頃ＤＦ側及び後身頃Ｂ側を共に収納できる収納部１００を布地１０１で形成したものである。
【０１５１】
収納部１００は、左右から挿入する左袖、右袖の収容用とすることもできるし、下側から挿入する上前身頃ＵＦ及び下前身頃ＤＦ及び後身頃Ｂの収納用とすることもできる。
この収納部１００は、嵩張らないものであり、後身頃Ｂに対する取付け位置が人体の体重が加わる位置にないから、使用に際して不快感が生ずることがない。
【０１５２】
こうして、上記実施の形態２の介護用着衣の寝巻１の後身頃Ｂには、上前身頃ＵＦ及び下前身頃ＤＦの反対側で、左前袖ＦＬ及び左後袖ＢＬからなる左袖並びに右前袖ＦＲ及び右後袖ＢＲからなる右袖、及び／または、後身頃Ｂ及び上前身頃ＵＦ及び下前身頃ＤＦを収納する収納部１００を配設したものであるから、折り畳みの際に右袖側、左袖側が移動しないように収納部１００に入れて、固定することができる。また、上前身頃ＵＦ及び下前身頃ＤＦ側についても後身頃Ｂ側と共に収容することができる。
【０１５３】
特に、クリーニング後に、右袖を収納部１００に入れて、更に、左袖を収納部１００に入れ、また、上前身頃ＵＦ及び下前身頃ＤＦ及び後身頃Ｂを畳んで収納部１００で収容することにより、搬送されても袖とか身頃がとび出すことがない。
また、搬送の際には、クリーニングの後、プラスチック袋に収納するが、プラスチック袋から出しても折り畳んだ形が崩れることがない。
【０１５４】
更に、寝たきりの被介護者では、寝具の上に同じ姿勢で長時間いることから、その背面側に汗をかきやすいが、吸水性の布地１０１であると汗が吸収されやすいから、湿気の上昇を防ぐことができ、着用時の快適性が増す。また、湿気の上昇が防止されるから、皮膚の炎症、床擦れ等の悪化を防止できる。
その他の構成については、上記実施の形態１とほぼ同一であるから、上記実施の形態１と同様の作用効果が得られる。
【０１５５】
［実施の形態３］
本実施の形態３に係る介護用着衣の寝巻１は、図１４に示すように、汗や尿等の水分を吸収し、汗や尿等の排泄物で後身頃Ｂや左前布１０Ｌ及び右前布１０Ｒが汚れるのを防止するための吸水・防水シート２００を背布２０の後身頃Ｂの裏面（ｂｃ）側（内面側）に着脱自在に設けたものである。
なお、図１４乃至図１９において、吸水・防水シート２００において身体に触れる側を表面側ｆｃとし、その反対面側で後身頃Ｂの裏面ｂｃ側（内面側）と対向させる側が吸水・防水シート２００の裏面ｂｃ側である。
【０１５６】
吸水・防水シート２００は、汗や尿等の水分、液体を吸収し、かつ、それらを通過させないで保持する構成であればよく、例えば、透水性（透液性）の表面シートと、防水性（不透水性、不透過性）の裏面シートと、表面シートと裏面シートとの間に吸水体等を挟み込んだ複層構造の積層複合体が使用される。
【０１５７】
表面に位置する透水性シートは、少なくとも垂直下方向に透過する能力があり、水分等の液体を吸収体側に導くことができるもの、例えば、合成繊維、天然繊維からなる織布、スパンボンド不織布、不織布、穿孔した開孔フィルム、紙等の使用が可能である。具体的には、例えば、ポリプロピレンポリエステル、ポリエチレン等の複合繊維または単繊維繊の材料を使用できる。また、不織布は、ピンポイントボンド、スパンボンド等のサーマルボンド不織布やスパンレース不織布等の不織布であってもよいし、所定の繊維をカーディングによりウエブ化したエアスルー不織布であってもよい。肌触り感の良いものが選択されるが、単に一重のシートではなく、肌触り感をだす等の目的に応じてタオル地のようなパイル地、即ち、織物の片面または両面に毛羽や輪奈を織り出した生地や、ガーゼ地等からなる生地、綿、麻、絹等の布シート、或いは、紙シートを重ねたシートとして使用してもよい。吸水体に液体が吸水されていても透水性シートによって濡れ感、不快感を軽減できる。
【０１５８】
吸水体は、水分等の液体を吸収し、それを保持する材料から構成され、例えば、パルプ繊維等の親水性繊維、吸収性ポリマー、脱脂綿、スポンジ等の吸水性多孔質体の材料が使用される。親水性繊維は織物または不織布の形態で使用されたり、波状に表面に襞、皺を付したシートとして使用されたりすることもある。また、吸収性ポリマーをパルプ繊維等の綿花状の親水性繊維に保持したり、更に、それらをスポンジ等の吸水性多孔質体の表裏に配置したりする複合構造、複合体であってもよい。吸収性ポリマーは、水分の吸収によってゼリー状に固まり、逆戻りを防ぐものを使用してもよい。
【０１５９】
裏面に位置する防水性シートは、水分を通過させない透過性（浸透性）のないシートであり、液体不透過性材料であり、例えば、ポリエチレン、ポリプロピレン、ポリウレタン、ポリエチレンテレフタレート等の高分子化合物製のフィルム等からなる合成樹脂シートや、紙シート、布シート、ゴムシート等が使用される。
【０１６０】
これら透水性シート、吸水体及び防水性シートは、例えば、溶着によって接合され一体化され積層複合体を構成しているが、これらの機能がまとまった単層構造のものであってもよい。即ち、単数枚で吸水性及び防水性の機能を持たせたものであってもよい。
このような吸水・防水シート２００は、所定の材料の選択により使い捨てとしてもよいし、繰り返しの洗濯に対しても耐えることができる布等の材料で構成してもよい。また、消臭機能を持たせても良い。
【０１６１】
吸水・防水シート２００は、例えば、５０ｃｍ〜７０ｃｍ（横幅）×４０ｃｍ〜７０ｃｍ（縦幅）の寸法で形成される。通常、後身頃Ｂの横幅（脇線間の長さ）を超えない長さに設定されるが、一部を延設して、後身頃Ｂの外面側（表面側）で接続するようにしてもよい。この吸水・防水シート２００は、図１４に示すように、後身頃Ｂの裏面（ｂｃ）側、即ち、後身頃Ｂの上前身頃ＵＦ及び下前身頃ＤＦ側で、着衣した人の腰、臀部の位置を中心にあてられるように配設される。
【０１６２】
そして、本実施の形態３においては、四角形状等に形成された吸水・防水シート２００の４隅に、背布２０の後身頃Ｂに着脱自在に取付けるためのシート側取付部２１０を設け、一方で、背布２０の後身頃Ｂに吸水・防水シート２００のシート側取付部２１０に対応する身頃側取付部２２０を設けて、シート側取付部２１０と身頃側取付部２２０の接続により、後身頃Ｂの裏面（ｂｃ）側に吸水・防水シート２００の取付けを可能としている。
【０１６３】
例えば、図１５に示すように、吸水・防水シート２００が繰り返しの洗濯に対して耐える布等で形成する場合では、シート側取付部２１０及び身頃側取付部２２０として１対の接着布２１１，２２１の使用によって、背布２０の後身頃Ｂの裏面（ｂｃ）側に吸水・防水シート２００を着脱自在に取付けることができる。なお、使い捨てとしない布からなる吸水・防水シート２００では、必要に応じてパイピング２０１で端部の処理がなされる。
【０１６４】
即ち、吸水・防水シート２００のシート側取付部２１０を面ファスナ等の接着布２１１の雄側または雌側の一方で構成し、後身頃Ｂの脇線６４Ｒ側に身頃側取付部２２０として接着布２１１に対応する他方の雄側または雌側の接着布２２１を設ける。これら１対の接着布２１１，２２１の接合により吸水・防水シート２００を後身頃Ｂの裏面（ｂｃ）側に取付けることができる。または、その接続を解除することができる。
【０１６５】
このとき、図１５に示すように、左前布１０Ｌ及び右前布１０Ｒと背布２０とを接続する左接続部５０Ｌ、右接続部５０Ｒの接続具としての接着布３１を利用し、それと兼用することも可能である。この場合には、左前布１０Ｌ及び右前布１０Ｒと背布２０とを接続可能とし、かつ、吸水・防水シート２００の接着布２１１を接合可能な程度の大きさで接着布２２１の面積が設定される。接着布２１１，２２１であれば着脱も極めて容易である。なお、接着布２２１の位置は、脇線側であり被介護者の体重が加わる箇所でないので吸水・防水シート２００を取付けないときでも肌を刺激し難い位置である。
【０１６６】
ここで、身頃側取付部２２０としての接着布２２１は、後身頃Ｂ側に直接縫付けてもよいが、例えば、図１６（ａ）に示すように、後身頃Ｂの脇線６４Ｒから外側に布地を突設した突設部２２１ａを設け、そこに接着布２２１を縫付けてもよい。このとき、接着布２２１は、後身頃Ｂの脇線６４Ｒから外側に突出した状態で、後身頃Ｂの裏面（ｂｃ）側と同一方向の面に取付ける。
【０１６７】
これより、吸水・防水シート２００を後身頃Ｂの裏面（ｂｃ）側に取付けるときは、図１６（ｂ）に示すように、突設部２２１ａを後身頃Ｂの脇線６４Ｒより内側に折曲げ後身頃Ｂの裏面（ｂｃ）側に重なるように配置し、後身頃Ｂと突設部２２１ａの間に吸水・防水シート２００を配置する。そして、突設部２２１ａに設けた接着布２２１と吸水・防水シート２００の表面（ｆｃ）側に設けた接着布２１１を接合することで、吸水・防水シート２００を後身頃Ｂの裏面（ｂｃ）側に取付けることができる。
【０１６８】
一方で、吸水・防水シート２００を取付けないときは接着布２２１が取付けられた突設部２２１ａを後身頃Ｂの脇線６４Ｒの外側に突出させることで、吸水・防水シート２００を取付けないときでも肌を刺激したり違和感を与えたりすることがない。即ち、着衣した人の身体の一部が移動するときでも、また寝返りをうつときでも、身体の肌に接合面が接触しないから異物感が少なくなる。
【０１６９】
或いは、図１６（ｃ）に示すように、接着布２２１に対応する位置で上前身頃ＵＦ、下前身頃ＤＦの表面（ｆｃ）側（外面側）に、接着布２２１に対応させる接着布２２１ｂを設け、吸水・防水シート２００を取付けないときは、上前身頃ＵＦ、下前身頃ＤＦと後身頃Ｂを接続したときに、突設部２２１ａが環状を描くように接着布２１１及び接着布２２１ｂを接続してもよい。即ち、接着布２２１及び接着布２２１ｂで上前身頃ＵＦ、下前身頃ＤＦと後身頃Ｂを接続する接着布３１として機能させるようにしてもよい。なお、接着布２１１及び接着布２２１ｂの位置も肌を刺激したり違和感を与えたりすることがない位置である。即ち、着衣した人の身体の一部が移動するときでも、また寝返りをうつときでも、身体の肌に接合面が接触しないから異物感が少なくなる。
【０１７０】
また、図１７（ａ）及び図１７（ｂ）に示すように、後身頃Ｂの脇線６４Ｒ側に身頃側取付部２２０として所定形状の孔２２２を形成してもよい。このように、身頃側取付部２２０として孔２２２を形成しておくことで、吸水・防水シート２００のシート側取付部２１０の多種の態様に対応することができる。
【０１７１】
例えば、図１７（ａ）に示すように、吸水・防水シート２００に突設部２１１ａを形成し、そこに１対の面ファスナからなる接着布２１１を取付けることによりシート側取付部２１０を設ける。このような構成のシート側取付部２１０では、後身頃Ｂに設けた身頃側取付部２２０としての孔２２２にシート側取付部２１０の突出部２１１ａを通して環状にし、一対の接着布２１１を接合させることで、吸水・防水シート２００を後身頃Ｂの裏面（ｂｃ）側に簡単に取付けることができる。
【０１７２】
また、図１７（ｂ）に示すように、吸水・防水シート２００にシート側取付部２１０として１本または２本の紐２１３を設ける。このような構成のシート側取付部２１０でも、後身頃Ｂに設けた身頃側取付部２２０としての孔２２２に紐２１３を通して結ぶことで、吸水・防水シート２００を後身頃Ｂの裏面（ｂｃ）側に簡単に取付けることができる。なお、吸水・防水シート２００が使い捨てタイプのものでは、後述するように、紐２１３を直接的に吸水・防水シート２００に取付けなくても、図１９（ｂ）に示すように、吸水・防水シート２００に紐２１３を通すための穴２１３ａを設け、または、図１９（ｃ）に示すように、吸水・防水シート２００にナイロン製等の環状部２１３ｂを取付け、穴２１３ａや環状部２１３ｂに紐２１３を通して取付けてもよい。これによれば、紐２１３の使い回しが可能であり、低コストでシート側取付部２１０を形成できる。
更に、孔２２２に掛けられるボタンを用いてシート側取付部２１０を構成してもよい。
このように身頃側取付部２２０を穴２２２で構成すると、吸水・防水シート２００を取付けないときでも、肌への刺激や違和感を与えることがない。即ち、着衣した人の身体の一部が移動するときでも、また寝返りをうつときでも肌に接触したときの異物感が少ない。また、シート側取付部２１０の多種の構造に対応できる。
【０１７３】
その他にも、図１８（ａ）に示すように、防水・吸水シート２００のシート側取付部２１０を紐２１３で構成し、後身頃Ｂの身頃側取付部２２０を紐２２３で構成して、紐２１３，２２３を結ぶことにより、防水・吸水シート２００を後身頃Ｂの裏面（ｂｃ）側に取付けてもよい。身頃側取付部２２０が紐２２３であれば、吸水・防水シート２００を取付けないときでも、肌への刺激や違和感を与えることがない。即ち、着衣した人の身体の一部が移動するときでも、また寝返りをうつときでも肌に接触したときの異物感が少ない。
更に、左前布１０Ｌ及び右前布１０Ｒと背布２０とを接続する左接続部５０Ｌ、右接続部５０Ｒの接続具としての紐３２を身頃側取付部２２０として兼用してもよい。
【０１７４】
使い捨てタイプの吸水・防水シート２００では、例えば、図１８（ｂ）に示すように、吸水・防水シート２００のシート側取付部２１０を粘着テープ２１２で構成し、後身頃Ｂの脇線６４Ｒ側に身頃側取付部２２０として、粘着テープ２１２の貼付けを可能とするナイロン地２２４を縫い付け等によって設けることで、粘着テープ２１２のナイロン地２２４への貼付けにより、吸水・防水シート２００を後身頃Ｂの裏面（ｂｃ）側に取付けることができる。ナイロン地２２４であれば、粘着テープ２１２の着脱が容易であり、粘着テープ２１２の繰り返しの脱着によっても生地を傷め難い。更に、吸水・防水シート２００を取付けないときでも、シート側取付部２１０がナイロン地２２４であるから肌を刺激したりすることもない。即ち、着衣した人の身体の一部が移動するときでも、また寝返りをうつときでも、身体の肌に接触したときの異物感が少ない。
勿論、粘着テープ２１２の着脱が容易で、繰り返しの脱着によっても生地を傷め難いものであれば、ポリエステル等の生地を用いてもよい。
吸水・防水シート２００が使い捨てタイプのものであっても粘着テープ２１２であれば低コストでシート側取付部２１０を設けることができる。
【０１７５】
更に、図１９に示すように、後身頃Ｂの脇線６４Ｒ側に設ける身頃側取付部２２０を、ナイロン製の生地で環状を形成してなる環状部２２５で形成してもよい。身頃側取付部２２０としてナイロン製生地等からなる環状部２２５を後身頃Ｂの脇線６４Ｒ側に縫付けることで、例えば、図１９（ａ）に示すように、吸水・防水シート２００のシート側取付部２１０を紐２１３で構成したときに、この紐２１３を後身頃Ｂに取付けた環状部２２５の環に通し、紐２１３を結ぶことにより、吸水・防水シート２００を後身頃Ｂの裏面（ｂｃ）側に取付けることができる。なお、１本の紐２１３で結ぶようにしても２本用いてもよい。
【０１７６】
吸水・防水シート２００が使い捨てタイプのものでは、紐２１３を直接的に吸水・防水シート２００に取付けなくても、図１９（ｂ）に示すように、吸水・防水シート２００に紐２１３を通すための穴２１３ａを設けたり、図１９（ｃ）に示すように、ナイロン製等の環状部２１３ｂを取付け、それに紐２１３を通して取付けてもよい。この場合、紐２１３は付属的なものとして使い回しでき、低コストでシート側取付部２１０を形成できる。なお、後身頃Ｂの脇線６４Ｒから外側に突出させるように環状部２２３を設けてよい。この場合には、開放区間５３から紐２１３を通すことで、脇線６４Ｒの外側で紐２１３を結ぶようにしてもよく、脇線６４Ｒの外側であると、着衣した人の身体の一部が移動するときでも、また寝返りをうつときでも、異物感を与えることがない。
【０１７７】
或いは、図１９（ｄ）に示すように、後身頃Ｂの脇線６４Ｒ側に設ける身頃側取付部２２０としての環状部２２５をナイロン製等の生地で形成していると、吸水・防水シート２００のシート側取付部２１０を粘着テープ２１２で構成しても、粘着テープ２１２のナイロン製等の環状部２２５への貼付けにより、吸水・防水シート２００を後身頃Ｂの裏面（ｂｃ）側に取付けることができる。そして、粘着テープ２１２の着脱が容易であり、粘着テープ２１２の繰り返しの脱着によっても生地を傷め難い。更に、環状部２２５をナイロン製等の生地で形成していると、吸水・防水シート２００を取付けないときでも、肌を刺激したりすることもない。
【０１７８】
このように、身頃側取付部２１０としての接着布２２１、穴２２２、紐２２３、ナイロン地２２４、環状部２２５等によって、後身頃Ｂの裏面側に対して着衣する人の背面側にあてがう吸水・防水シート２００を着脱自在に取付ける取付手段を構成でき、吸水・防水シート２００のシート側取付部２１０としての接着布２１１、粘着テープ２１２、紐２１３との接続により後身頃Ｂの裏面側に対して吸水・防水シート２００を取付けることができる。また、その解除を行うことができる。なお、本発明を実施する場合には、取付手段は上記に限定されず、例えば、ドット釦、ボタン及びボタンホール、スナップボタン等であってもよい。また、上記で説明した穴と紐、穴とボタン、穴と接着布を設けた突設部等の組合せは、身頃側取付部２２０とシート側取付部２１０とで逆にしてもよい。
【０１７９】
このようにして、本実施の形態３に係る介護用着衣の寝巻１は、後身頃Ｂに対して吸水・防水シート２００が着脱自在に取付けられるための取付手段としての身頃側取付部２２０を脇線６４Ｒ，６４Ｌ側に有し、吸水・防水シート２００には後身頃Ｂに対して着脱自在に取付けるためのシート側取付部２１０が設けられ、シート側取部２１０と身頃側取付部２２０の接続により、背布２０を形成する後身頃Ｂの裏面（ｆｃ）側（内面側）に対して吸水・防水シート２００が着脱自在に設けられるものである。
なお、図１５乃至図１９において、後身頃Ｂの右の脇線６４Ｒ側に取付手段としての身頃側取付部２２０を設けているが、後身頃Ｂの左の脇線６４Ｌ側も同様である。また、図１４において、身頃側取付部２２０は後身頃Ｂの右の脇線６４Ｒ側の２箇所、後身頃Ｂの左の脇線６４Ｌ側の２箇所の計４箇所であるが、それ以上の数であっても良いし、それ以下の数であってもよく、吸水・防水シート２００が位置ずれしない固定であればよい。
【０１８０】
したがって、本実施の形態３に係る介護用着衣の寝巻１によれば、着衣した人が発汗したときでも、また、尿が漏れたときでも、その汗や尿が吸水・防水シート２００に吸収され保水、防水により汗や尿を後身頃Ｂ側に通過せず、また、排泄物の汚れをキャッチすることができるから、汗や尿によって着衣が濡れたり汚れたりするのを防止できる。即ち、吸水・防水シート２００によって汗や排泄物等の汚れから着衣を保護できる。そして、着衣した人が発汗したときでも、また、尿が漏れたときでも、着衣を着替えることなく吸水・防水シート２００を清潔なものと交換するのみでよいから、少ない労力で済み、被介護者及び介護者の手間や負担を減らすことができる。吸水・防水シート２００の吸収力によって床ずれの原因ともなる身体側の湿気を少なくでき、快適である。特に、寝たきりの被介護者では、寝具の上に同じ姿勢で長時間いることから、その背面側に汗をかきやすいが、上前身頃ＵＦ及び下前身頃ＤＦの反対側で後身頃Ｂに吸水・防水シート２００を取付けることによって、吸水・防水シート２００に汗が吸収され、汗疹等の皮膚の炎症の予防策にもなり、着衣時の快適性が増す。吸水・防水シート２００に汗等が吸収されるから、汗等で濡れ、汚れた着衣の寝巻１を我慢してきている必要が無くなり、吸水・防水シート２００を取り替えるのみで、常に清潔な状態で着衣の寝巻１を着用できる。したがって、常に心身共に気持がよい状態で着用できる。
その他の構成については、上記実施の形態１と略同一であるから、上記実施の形態１と同様の作用効果が得られる。
【０１８１】
このように、本実施の形態３に係る介護用着衣１は、上前身頃ＵＦ及び下前身頃ＤＦの反対側で後身頃Ｂに対して着衣する人の背面側にあてがう吸水・防水シート２００を着脱自在に取付けるための取付手段としての身頃側取付部２２０が後身頃Ｂに設けられたものである。そして、後身頃Ｂの上前身頃ＵＦ及び下前身頃ＤＦの反対側には、取付手段としての身頃側取付部２２０によって吸水・防水シート２００が取付自在である。
したがって、取付手段としての身頃側取付部２２０によって後身頃Ｂの裏面側に対して吸水・防水シート２００が取付可能であり、吸水・防水シート２００の取付けによって、吸水・防水シート２００が被介護者の汗や漏れた尿等の排泄物を受けることになる。即ち、吸水・防水シート２００の取付けによって、被介護者の汗や漏れた尿等の排泄物で左前布１０Ｌ、右前布１０Ｒ及び背布２０が汚れるのを防止できる。吸水・防水シート２００が後身頃Ｂの裏面側に対して着脱自在であり、吸水・防水シート２００が汚れても清潔な吸水・防水シート２００と交換できるから、介護用着衣の寝巻１を着替えることなく吸水・防水シート２００の取換えのみで済む。よって、被介護者及び介護者の手間や負担を減らすことができる。
【０１８２】
また、吸水・防水シート２００の取付けによって、着衣した人の背面側の汗等の水分や湿気を速やかに吸収できるから、湿気の上昇を防ぎ、皮膚の炎症や床擦れを防止できる。したがって、着用時の快適性を高めることができる。また、こまめな取替えによって清潔さを保つことができる。
そして、後身頃Ｂに設けた取付手段としての身頃側取付部２２０の取付位置が後身頃Ｂの脇線６３Ｌ，６４Ｌ，６３Ｒ，６４Ｒ側であり人体の体重が加わる位置にないから、吸水・防水シート２００の有無に関わらず、使用に際して不快感が生ずることもない。
【０１８３】
［実施の形態４］
本実施の形態４に係る介護用着衣の寝巻１は、図２０に示すように、上前身頃ＵＦ及び下前身頃ＤＦの内側で着衣する人の前側、主に腹部を中心に覆う伸縮性の被覆布３００を取付自在に設けたものである。
【０１８４】
被覆布３００は、例えば、左前布１０Ｌ、右前布１０Ｒ及び背布２０と共地で形成してもよいし、肌触りがよく、洗濯が容易で度重なる洗濯によっても丈夫で型崩れし難いパイル地、ガーゼ地等の綿や、木綿や、絹等で形成してもよい。被介護者の動き、大きさに対応するために伸縮性、弾性を持ったものが使用され、例えば、ゴムやパワーネット等の生地の挿入により伸縮性、弾性を持たせることができる。
【０１８５】
この被覆布３００は、例えば、５０ｃｍ〜７０ｃｍ（横幅）×４０ｃｍ〜８０ｃｍ（縦幅）の寸法で後身頃の横幅（脇線間の長さ）を超えない長さに形成され、図２０に示すように、例えば、胸部より下位で着衣した人の腹部を中心に当てられるように配置される。
【０１８６】
そして、本実施の形態４においては、四角形状等に形成された被覆布３００の４隅に紐３１０を設け、一方で、背布２０の後身頃Ｂの脇線６４Ｌ，６４Ｒ側に被覆布３００の紐３１０に対応させる紐３２０を設け、紐３１０，３２０の結びによって、被覆布３００を後身頃Ｂの脇線６４Ｌ，６４Ｒ側に取付けることで、被覆布３００によって着衣する人の前側を覆うことができるようになっている。なお、図２０において、紐３１０，３２０の接続箇所は４箇所であるが、それ以上の数であっても良いし、それ以下の数であってもよい。
【０１８７】
このように、本実施の形態４に係る介護用着衣の寝巻１では、後身頃Ｂの脇線６４Ｌ，６４Ｒ側に被覆布３００を取付けるための取付手段としての紐３２０を設け、被覆布３００に設けた紐３１０との接続により、着衣した人の前側を覆うための被覆布３００を取付けることができる。
これにより、着衣状態で着衣した人の動き等により裾側から上前身頃ＵＦ及び下前身頃ＤＦが開けたときでも、着衣した人の前側が被覆布３００で覆われているから、肌が露出するのを避けることができ、身体の冷え、特に腹部の冷えを防止でき、寒さを我慢する必要もない。また、着衣した人の前側が伸縮性のある被覆布３００で覆われていると安心感もあり、着衣した介護者が勝手に手で接続具を解いてしまったり、上前身頃ＵＦと下前身頃ＤＦを開けてしまったりしたときでも、人の前側に伸縮性の被覆布３００が取付けてあると、下着に触れ難く、排泄物等に触れてしまう事態を回避できる。
【０１８８】
また、上前身頃ＵＦ及び下前身頃ＤＦの位置を固定する紐３２Ａと紐７２Ａの結びを解いて前身頃側を開いておむつ交換等の排泄物の介助をする場合でも、着衣した人の前側を被覆布３００で覆うことができ、被覆布３００の一部を捲り上げるのみで必要以上に肌を露出させることなく、おむつ交換等をすることができる。即ち、排泄物の介助をする際等の肌を必要以上に露出させることへの抵抗感を少なくできる。
【０１８９】
更に、このような被覆布３００は、例えば、車いす等で移動する際に保温、冷え防止のための肩にかける羽織、ストール、ショール等との防寒用として活用することもできる。
【０１９０】
なお、本発明を実施する場合には、被覆布３００を後身頃Ｂの脇線６４Ｌ，６４Ｒ側に取付ける取付手段は、紐３２０に限定されず、上記実施の形態３で説明しているような接着布、穴等の構成を採用することもできる。
その他の構成については、上記実施の形態１と略同一であるから、上記実施の形態１と同様の作用効果が得られる。
【０１９１】
こうして、本実施の形態４に係る介護用着衣の寝巻１は、上前身頃ＵＦ及び下前身頃ＤＦの下（裏面側）で着衣する人の前を覆う伸縮性の被覆布３００を着脱自在に取付けるための取付手段としての紐３２０が後身頃Ｂの脇線６３Ｌ，６４Ｌ，６３Ｒ，６４Ｒ側に設けられたものである。
したがって、取付手段としての紐３２０によって後身頃Ｂの脇線６３Ｌ，６４Ｌ，６３Ｒ，６４Ｒ側で被覆布３００が取付可能であり、上前身頃ＵＦ及び下前身頃ＤＦの下で着衣する人の前を伸縮性の被覆布３００で覆うことができるから、上前身頃ＵＦ及び下前身頃ＤＦが開いたときでも肌の露出が抑えられ、また、身体が冷えるのを防止できる。更に、被介護者が不必要に下着に触れるのを防止できる。
そして、後身頃Ｂに設けた取付手段としての紐３２０の取付位置が後身頃Ｂの脇線６３Ｌ，６４Ｌ，６３Ｒ，６４Ｒ側であり人体の体重が加わる位置にないから、被覆布３００の有無に関わらず、使用に際して不快感が生ずることもない。
【符号の説明】
【０１９２】
１  介護用寝巻
１０Ｌ  左前布
１０Ｒ  右前布
２０  背布
３１  接着布
３２  紐
４０  縫製部
４１Ｌ  袖山・肩山
４１Ｒ  袖山・肩山
５０Ｌ  左接続部
５０Ｒ  右接続部
６１Ｌ，６１Ｒ，６２Ｌ，６２Ｒ  袖下
６３Ｌ，６３Ｒ，６４Ｌ，６４Ｒ  脇線
６５    袖口
１００  収納部
２００  吸水・防水シート
２２０  身頃側取付部（取付手段）
３００  被覆布
３２０  紐（取付手段）
ＦＬ  左前袖
ＵＦ  上前身頃
ＦＲ  右前袖
ＤＦ  下前身頃
ＢＬ  左後袖
ＢＲ  右後袖
Ｂ    後身頃